(57)【要約】本発明は、シクロシロキサン置換ポリシロキサン化合物、該ポリシロキサン化合物を含む組成物、該ポリシロキサン化合物の製造方法および使用に関する。本発明は、本発明に係るシクロシロキサン置換ポリシロキサン化合物のうちの１種以上を含む、機械潤滑剤組成物、油圧油組成物、消泡組成物、撥水組成物、離型剤組成物、パーソナルケア組成物、化粧品組成物および、家庭用ケア組成物を提供する。【特許請求の範囲】
【請求項１】
式Ｉのポリシロキサン:
【化１】
2013539484.tif 000024
式中、
Ｒ１およびＲ２は、相互に独立してＣ１−Ｃ２０アルキルおよび置換Ｃ１−Ｃ２０アルキルアルキルの中から選択され；
Ｒ３は、Ｃ１−Ｃ２０アルキル、置換Ｃ１−Ｃ２０アルキル、Ｃ３−Ｃ２０シクロアルキル、置換Ｃ３−Ｃ２０シクロアルキル、３個以上のＳｉ原子を有するシクロシロキサン、および３個以上のＳｉ原子を有する置換シクロシロキサンの中から選択され；
Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ８およびＲ９は、相互に独立してアルキルおよび置換アルキルの中から選択され；
Ｒ１０は、アルキル、置換アルキル、シクロアルキル、置換シクロアルキル、３個以上のＳｉ原子を有するシクロシロキサン、および３個以上のＳｉ原子を有する置換シクロシロキサンの中から選択され；
ａは１〜５０の中から選択され、
ｂは１〜５０の中から選択され、
ｑは２〜２０の中から選択され、
ｗは０〜１０の中から選択され、
ｙは０〜１０の中から選択され、
ただし、少なくとも１つのサブユニットｑにおけるＲ４またはＲ７のうちの少なくとも１つは、シクロシロキサンである。
【請求項２】
少なくとも１つのＲ７が所望により置換されたシクロシロキサンである、請求項１に記載のポリシロキサン。
【請求項３】
少なくとも１つのＲ４がシクロシロキサンである、請求項１または２に記載のポリシロキサン。
【請求項４】
シクロシロキサンが、シクロヘプタシロキサン、シクロヘキサシロキサン、シクロペンタシロキサン、シクロテトラシロキサンおよびシクロトリシロキサンの中から選択される、請求項１から３のいずれか１つに記載のポリシロキサン。
【請求項５】
シクロシロキサンが、デカメチルシクロペンタロキサン、ドデカメチルシクロヘキサシロキサン、テトラデカメチルシクロヘプタシロキサン、オクタメチルシクロテトラシロキサン、デカメチルシクロペンタシロキサン、ドデカメチルシクロヘキサシロキサンおよびテトラデカメチルシクロヘプタシロキサンの中から選択される、請求項１から３のいずれか１つに記載のポリシロキサン。
【請求項６】
シクロシロキサンが、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、ハロ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、ならびにモノ−置換アミノ基およびジ−置換アミノ基含むアミノ、およびアミノ基の保護誘導体の中から選択される１種以上置換基で置換されたものまたは未置換のものである、請求項１から５のいずれか１つに記載のポリシロキサン。
【請求項７】
１以上のＲ７が、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンもしくはＣ１−Ｃ６ハロアルキルで置換されたＣ３−Ｃ１０アリールの中から選択される１種以上の部分で置換されたシクロシロキサンである、請求項１から５のいずれか１つに記載のポリシロキサン。
【請求項８】
Ｒ１が、所望により置換されたＣ１−Ｃ１０アルキル、所望により置換されたＣ１−Ｃ６アルキルおよび所望により置換されたＣ２−Ｃ１０アルキルである、請求項１から７のいずれか１つに記載のポリシロキサン。
【請求項９】
Ｒ１が、メチル、エチル、プロピル、ブチル、ペンチル、ヘキシル、ヘプチル、オクチル、ノニルおよびデシルの中から選択される、請求項１から８のいずれか１つに記載のポリシロキサン。
【請求項１０】
Ｒ２が、所望により置換されたＣ１−Ｃ１０アルキル、所望により置換されたＣ１−Ｃ６アルキルおよび所望により置換されたＣ２−Ｃ１０アルキルの中から選択される、請求項１から９のいずれか１つに記載のポリシロキサン。
【請求項１１】
Ｒ２が、メチル、エチル、プロピル、ブチル、ペンチル、ヘキシル、ヘプチル、オクチル、ノニルおよびデシルの中から選択される、請求項１から１０のいずれか１つに記載のポリシロキサン。
【請求項１２】
Ｒ３が以下に記載されたものから選択される、請求項１から１１のいずれか１つに記載のポリシロキサン：
所望により置換されたＣ１−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ１０アルキル、所望により置換されたＣ３−Ｃ１０シクロアルキルおよび３個以上のＳｉ原子を有する所望により置換されたシクロシロキサン；または、
所望により置換されたＣ２−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ６アルキル、所望により置換されたＣ３−Ｃ１０シクロアルキルおよび３個以上のＳｉ原子を有する所望により置換されたシクロシロキサン；；または、
所望により置換されたＣ１−Ｃ６アルキルまたは所望により置換されたＣ２−Ｃ１０アルキルまたはメチル、エチル、プロピル、ブチル、ペンチル、ヘキシル、ヘプチル、オクチル、ノニルおよびデシル；または
所望により置換されたＣ３−Ｃ１０シクロアルキル、所望により置換されたＣ３−Ｃ６シクロアルキルおよび所望により置換されたＣ６−Ｃ１０シクロアルキル；または
少なくとも４個のＳｉ原子を有する所望により置換されたシクロシロキサン、または、
４〜２０個のＳｉ原子を有する所望により置換されたシクロシロキサン。
【請求項１３】
各サブユニットａにおけるＲ４が、独立して、以下に記載されたものから選択される、請求項１から１２のいずれか１つに記載のポリシロキサン：
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよび３個以上のＳｉ原子を有する所望により置換されたシクロシロキサン；または
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよび３〜２０個のＳｉ原子を有する所望により置換されたシクロシロキサン；または
所望により置換されたＣ１−Ｃ１０アルキル、所望により置換されたＣ１−Ｃ１０ハロアルキル、所望により置換されたＣ６−Ｃ１８アリールおよび所望により置換されたＣ６−Ｃ１８ヘテロアリール；または、
所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ２−Ｃ８アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ２−Ｃ１０アルキル、所望により置換されたＣ２−Ｃ１０ハロアルキル、所望により置換されたＣ６−Ｃ１２アリールおよび所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル；または、
所望により置換されたＣ１−Ｃ１０ハロアルキル、所望により置換されたＣ１−Ｃ６ハロアルキルおよび所望により置換されたＣ２−Ｃ１０ハロアルキル、または、
所望により置換されたＣ６−Ｃ１８アリール、所望により置換されたＣ６−Ｃ１２アリールおよび所望により置換されたＣ６−Ｃ１０アリール；または
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項１４】
１個以上のＲ４がトリフルオロプロピルである、請求項１から１３のいずれか１つに記載のポリシロキサン。
【請求項１５】
１個以上のＲ４が所望により置換されたフェニルである、請求項１から１３のいずれか１つに記載のポリシロキサン。
【請求項１６】
少なくとも２つのサブユニットａにおけるＲ４が、少なくｔも４個のＳｉ原子を有する所望により置換されたシクロシロキサンである、請求項１から１５のいずれか１つに記載のポリシロキサン。
【請求項１７】
各サブユニットａにおけるＲ４が、４〜２０個のＳｉ原子を有する所望により置換されたシクロシロキサンである、請求項１から１５のいずれか１つに記載のポリシロキサン。
【請求項１８】
少なくとも２つのサブユニットａにおけるＲ４が、少なくとも４個のＳｉ原子を有するシクロシロキサンであり、少なくとも１つのＳｉ原子が、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、およびアミノ、ならびにモノ−置換アミノ基およびジ−置換アミノ基の中から選択される部分で置換される、請求項１から１５のいずれか１つに記載のポリシロキサン。
【請求項１９】
少なくとも２つのサブユニットａにおけるＲ４が、少なくとも４個のＳｉ原子を有するシクロシロキサンであり、少なくとも１つのＳｉ原子が、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンまたはＣ１−Ｃ６ハロアルキルで置換されたＣ３−Ｃ１０アリールの中から選択される部分で置換される、請求項１から１５のいずれか１つに記載のポリシロキサン。
【請求項２０】
各サブユニットａにおけるＲ５が、独立して、以下に記載されたものから選択される、請求項１から１９のいずれか１つに記載のポリシロキサン：
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル、または
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または、
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項２１】
１個以上のＲ５がトリフルオロプロピルである、請求項１から２０のいずれか１つに記載のポリシロキサン。
【請求項２２】
１個以上のＲ５が所望により置換されたフェニルである、請求項１から２１のいずれか１つに記載のポリシロキサン。
【請求項２３】
少なくとも１個のＲ５がブチル化アリールオキシプロピルである、請求項１から２２のいずれか１つに記載のポリシロキサン。
【請求項２４】
少なくとも１つのＲ５がフェニルである請求項１から２３のいずれか１つに記載のポリシロキサン。
【請求項２５】
各サブユニットｂにおけるＲ６が、独立して、以下に記載されたものから選択される、請求項１から５１のいずれか１つに記載のポリシロキサン：
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル、または
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または、
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項２６】
１個以上のＲ６がトリフルオロプロピルである、請求項１から２５のいずれか１つに記載のポリシロキサン。
【請求項２７】
１個以上のＲ６が所望により置換されたフェニルである、請求項１から２６のいずれか１つに記載のポリシロキサン。
【請求項２８】
少なくとも１個のＲ６がブチル化アリールオキシプロピルである、請求項１から２７のいずれか１つに記載のポリシロキサン。
【請求項２９】
少なくとも１つのＲ６がフェニルである、請求項１から２８のいずれか１つに記載のポリシロキサン。
【請求項３０】
各サブユニットｂにおけるＲ７が、独立して、以下に記載されたものから選択される、請求項１から２９のいずれか１つに記載のポリシロキサン：
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよび３個以上のＳｉ原子を有する所望により置換されたシクロシロキサン；または、
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよび３〜２０個のＳｉ原子を有する所望により置換されたシクロシロキサン；または、
所望により置換されたＣ１−Ｃ１０アルキル、所望により置換されたＣ１−Ｃ１０ハロアルキル、所望により置換されたＣ６−Ｃ１８アリール、所望により置換されたＣ６−Ｃ１８ヘテロアリールおよび３〜２０個のＳｉ原子を有する所望により置換されたシクロシロキサン；または、
所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ１２ヘテロアリールおよび３〜２０個のＳｉ原子を有する所望により置換されたシクロシロキサン；または、
所望により置換されたＣ２−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ２−Ｃ１０アルキル、所望により置換されたＣ２−Ｃ１０ハロアルキル、所望により置換されたＣ６−Ｃ１２アリールおよび所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル、または
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または、
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項３１】
１個以上のＲ７がトリフルオロプロピルである、請求項１から３０のいずれか１つに記載のポリシロキサン。
【請求項３２】
１個以上のＲ７が所望により置換されたフェニルである、請求項１から３１のいずれか１つに記載のポリシロキサン。
【請求項３３】
少なくとも１個のＲ７がブチル化アリールオキシプロピルである、請求項１から３２のいずれか１つに記載のポリシロキサン。
【請求項３４】
少なくとも１つのＲ７がフェニルである、請求項１から３３のいずれか１つに記載のポリシロキサン。
【請求項３５】
少なくとも２つのサブユニットｂにおけるＲ７が、少なくとも４個のＳｉ原子を有する所望により置換されたシクロシロキサンである、請求項１から３４のいずれか１つに記載のポリシロキサン。
【請求項３６】
各サブユニットｂにおけるＲ７が、４〜２０個のＳｉ原子を有する所望により置換されたシクロシロキサンである、請求項１から３５のいずれか１つに記載のポリシロキサン。
【請求項３７】
少なくとも２つのサブユニットｂにおけるＲ７が、少なくとも４個のＳｉ原子を有するシクロシロキサンであり、少なくとも１つのＳｉ原子が、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、およびアミノ、ならびにモノ−置換アミノ基およびジ−置換アミノ基の中から選択される部分で置換される、請求項１から３６のいずれか１つに記載のポリシロキサン。
【請求項３８】
少なくとも２つのサブユニットｂにおけるＲ７が、少なくとも４個のＳｉ原子を有するシクロシロキサンであり、少なくとも１つのＳｉ原子が、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンまたはＣ１−Ｃ６ハロアルキルで置換されたＣ３−Ｃ１０アリールの中から選択される部分で置換される、請求項１から３７のいずれか１つに記載のポリシロキサン。
【請求項３９】
Ｒ８が以下のものから選択される、請求項１から３８のいずれか１つに記載のポリシロキサン：所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル。
【請求項４０】
Ｒ９が以下のものから選択される、請求項１から３９のいずれか１つに記載のポリシロキサン：所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル。
【請求項４１】
Ｒ１０が以下のものから選択される、請求項１から４０のいずれか１つに記載のポリシロキサン：所望により置換されたＣ１−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ１０アルキル、所望により置換されたＣ３−Ｃ１０シクロアルキルおよび３個以上のＳｉ原子を有する所望により置換されたシクロシロキサン；または、
所望により置換されたＣ２−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ６アルキル、所望により置換されたＣ３−Ｃ１０シクロアルキルおよび３個以上のＳｉ原子を有する所望により置換されたシクロシロキサン；または、
所望により置換されたＣ１−Ｃ１０アルキル、所望により置換されたＣ１−Ｃ６アルキル、および所望により置換されたＣ２−Ｃ１０アルキル；または、
メチル、エチル、プロピル、ブチル、ペンチル、ヘキシル、ヘプチル、オクチル、ノニルおよびデシル、または、
所望により置換されたＣ３−Ｃ１０シクロアルキル、所望により置換されたＣ３−Ｃ６シクロアルキルおよび所望により置換されたＣ６−Ｃ１０シクロアルキル。
【請求項４２】
Ｒ１０が、少なくとも４個のＳｉ原子を有する所望により置換されたシクロシロキサンである、請求項１から４１のいずれか１つに記載のポリシロキサン。
【請求項４３】
Ｒ１０が、４、５、６、７、８、９、１０、１１、１２、１３、１４、１５、１６、１７、１８、１９または２０個のＳｉ原子を有する所望により置換されたシクロシロキサンである、請求項１から４２のいずれか１つに記載のポリシロキサン。
【請求項４４】
ａが０〜５０、１〜２５、１〜１０、１〜５、２〜５、２〜３０、５〜５０、５〜４０および１０〜３０の中から選択される、請求項１から４３のいずれか１つに記載のポリシロキサン。
【請求項４５】
ａが、０、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０である、請求項１から４４のいずれか１つに記載のポリシロキサン。
【請求項４６】
ｂが、１〜２５、１〜１５、１〜１０、１〜５、２〜５、２〜３５、５〜２５、５〜４０および１０〜３０の中から選択される、、請求項１から４５のいずれか１つに記載のポリシロキサン。
【請求項４７】
ｂが、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０である、請求項１から４６のいずれか１つに記載のポリシロキサン。
【請求項４８】
ｑが、２〜１５、２〜１０、２〜５、５〜１０、５〜１５、１０〜１５および１０〜２０から選択される、請求項１から４７のいずれか１つに記載のポリシロキサン。
【請求項４９】
ｑが、２、３、４、５、６、７、８、９、１０、１１、１２、１３、１４、１５、１６、１７、１８、１９または２０である、請求項１から４８のいずれか１つに記載のポリシロキサン。
【請求項５０】
ｗが０〜５、１〜１０、５〜１０、３〜６、１〜３および８〜１０である、請求項１から４９のいずれか１つに記載のポリシロキサン。
【請求項５１】
ｗが０、１、２、３、４、５、６、７、８、９または１０である、請求項１から５０のいずれか１つに記載のポリシロキサン。
【請求項５２】
ｙが０〜５、１〜１０、５〜１０、３〜６、１〜３および８〜１０の中から選択される、請求項１から５１のいずれか１つに記載のポリシロキサン。
【請求項５３】
ｙが０、１、２、３、４、５、６、７、８、９または１０である、請求項１から５２のいずれか１つに記載のポリシロキサン。
【請求項５４】
各Ｒ７が所望により置換されたシクロシロキサンである、請求項１から５３のいずれか１つに記載のポリシロキサン。
【請求項５５】
ポリシロキサンが、少なくとも１つおきの非末端Ｓｉ原子においてシクロシロキサンを有する、請求項５４に記載のポリシロキサン。
【請求項５６】
各Ｒ７が所望により置換されたシクロシロキサンであり、各Ｒ４が所望により置換されたアリールである、請求項１から５５のいずれか１つに記載のポリシロキサン。
【請求項５７】
Ｒ３またはＲ１０のうちの少なくとも１つがシクロシロキサンである、請求項１から５６のいずれか１つに記載のポリシロキサン。
【請求項５８】
Ｒ３およびＲ１０がそれぞれ独立してシクロシロキサンである、請求項１から５７のいずれか１つに記載のポリシロキサン。
【請求項５９】
少なくとも１つのサブユニットｑが、シクロシロキサンで置換されていないＳｉ原子を含む、請求項１から５８のいずれか１つに記載のポリシロキサン。
【請求項６０】
Ｒ５およびＲ６のうちの少なくとも１つが、アルキルまたはハロゲンで置換されたアリールである、請求項１から５９のいずれか１つに記載のポリシロキサン。
【請求項６１】
Ｒ５およびＲ６がＣ１−Ｃ６アルキルであり、Ｒ４が所望により置換されたアリールであり、Ｒ７が所望により置換されたシクロシロキサンである、請求項１から６０のいずれか１つに記載のポリシロキサン。
【請求項６２】
Ｒ５およびＲ６がメチル、エチルまたはプロピル、Ｒ４が所望により置換されたＣ６アリールであり、およびＲ７が所望により置換されたシクロシロキサンである、請求項１から６１のいずれか１つに記載のポリシロキサン。
【請求項６３】
ポリシロキサンが２００〜５００００ダルトンまでの間に分子量を有する請求項１から６２のいずれか１つに記載のポリシロキサン。
【請求項６４】
ポリシロキサンが、１５０℃よりも高い温度で熱的に安定である、請求項１から６３のいずれか１つに記載のポリシロキサン。
【請求項６５】
ポリシロキサンが、２００℃よりも高い温度で熱的に安定である、請求項１から６４のいずれか１つに記載のポリシロキサン。
【請求項６６】
ポリシロキサンが、３００℃よりも高い温度で熱的に安定である、請求項１から６５のいずれか１つに記載のポリシロキサン。
【請求項６７】
ポリシロキサンが、４００℃よりも高い温度で熱的に安定である、請求項１から６６のいずれか１つに記載のポリシロキサン。
【請求項６８】
ポリシロキサンが、１００秒−１のせん断速度、２５℃にて測定した場合に約１５００００センチポイズまでの粘度を有する、請求項１から６７のいずれか１つに記載のポリシロキサン。
【請求項６９】
ポリシロキサンが、１００秒−１のせん断速度、２５℃にて測定した場合に５０〜１５００００センチポイズの粘度を有する、請求項１から６８のいずれか１つに記載のポリシロキサン。
【請求項７０】
ポリシロキサンが、１００秒−１のせん断速度、２５℃にて測定した場合に１００〜１０００００センチポイズの粘度を有する、請求項１から６９のいずれか１つに記載のポリシロキサン。
【請求項７１】
ポリシロキサンが、１００秒−１のせん断速度、２５℃にて測定した場合に５０〜５００００センチポイズの粘度を有する、請求項１から６９のいずれか１つに記載のポリシロキサン。
【請求項７２】
ポリシロキサンが、１００秒−１のせん断速度、２５℃にて測定した場合に２５〜１０００００センチポイズの粘度を有する請求項１から６８のいずれか１つに記載のポリシロキサン。
【請求項７３】
ポリシロキサンが、１００秒−１のせん断速度、２５℃にて測定した場合に２５〜２５０００センチポイズの粘度を有する請求項１から６８のいずれか１つに記載のポリシロキサン。
【請求項７４】
ポリシロキサンが、１００秒−１のせん断速度、２５℃にて測定した場合に１０〜１００００センチポイズの粘度を有する請求項１から６８のいずれか１つに記載のポリシロキサン。
【請求項７５】
ポリシロキサンが、１００秒−１のせん断速度、２５℃にて測定した場合に５〜５０００センチポイズの粘度を有する請求項１から６８のいずれか１つに記載のポリシロキサン。
【請求項７６】
ポリシロキサンが、１００秒−１のせん断速度、２５℃にて測定した場合に５〜１０００センチポイズの粘度を有する請求項１から６８のいずれか１つに記載のポリシロキサン。
【請求項７７】
ポリシロキサンが、１００秒−１のせん断速度、２５℃にて測定した場合に５〜５００センチポイズの粘度を有する請求項１から６８のいずれか１つに記載のポリシロキサン。
【請求項７８】
シクロシロキサン置換基が３〜１０個のＳｉ原子または３〜５個のシリコーン原子または７〜１０個のシリコン原子または５〜７個のシリコン原子を有する、請求項１から６８のいずれか１つに記載のポリシロキサン。
【請求項７９】
ポリシロキサンが、ヘキサメチルシクロトリシロキサン、オクタメチルシクロテトラシロキサン、デカメチルシクロペタシロキサン、ドデカメチルシクロヘキサシロキサン、テトラデカメチルシクロヘプタシロキサン、ヘキサデカメチルシクロオクタシロキサン、テトラメチルシクロテトラシロキサン、ペンタメチルシクロペンタシロキサン、ペンタメチルシクロテトラシロキサン、ヘキサメチルシクロテトラシロキサン、ヘプタメチルシクロテトラシロキサン、ヘキサメチルシクロペンタシロキサン、オクタメチルシクロペンタシロキサン、ヘプタメチルシクロペンタシロキサンおよびノナメチルシクロペンタシロキサンの中から選択されるシクロシロキサン置換基を含む、請求項１から７８のいずれか１つに記載のポリシロキサン。
【請求項８０】
請求項１から７９いずれか１つのポリシロキサンが擬塑性である、該ポリシロキサン。
【請求項８１】
１０００ｐｓｉにて０．５％〜０．８％の間に圧縮率を有する請求項１から８０の１ずれか１つに記載のポリシロキサン。
【請求項８２】
５０００ｐｓｉにて１．７％〜２．８％の間に圧縮率を有する請求項１から８０の１ずれか１つに記載のポリシロキサン。
【請求項８３】
１００００ｐｓｉにて３．１％〜４．０％の間に圧縮率を有する請求項１から８０の１ずれか１つに記載のポリシロキサン。
【請求項８４】
２００００ｐｓｉにて５％〜１０％の間に圧縮率を有する請求項１から８０の１ずれか１つに記載のポリシロキサン。
【請求項８５】
３００００ｐｓｉにて９．２％〜１１％の間に圧縮率を有する請求項１から８０の１ずれか１つに記載のポリシロキサン。
【請求項８６】
ポリシロキサンが、シクロシロキサンとジアルキルシロキサンを含有するコポリマーを含有する請求項１から８５いずれかに記載のポリシロキサンであって、シクロシロキサンおよび／またはジアルキルシロキサンが置換されてもよい該ポリシロキサン。
【請求項８７】
シクロシロキサンが３〜１５個のＳｉ原子または３〜１０個のＳｉ原子を含有する、請求項８６に記載のポリシロキサン。
【請求項８８】
コポリマーがテトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含有する、請求項８６または８７のいずれかに記載のポリシロキサン。
【請求項８９】
シクロシロキサンがＳｉ原子の１以上において１個または２個のＣ１−Ｃ６置換基を含有する、請求項８６から８８のいずれか１つに記載のポリシロキサン。
【請求項９０】
シクロシロキサンの非隣接Ｓｉ原子が非水素の置換基を含有する請求項８６から８８のいずれか１つに記載のポリシロキサン。
【請求項９１】
シクロシロキサンの各Ｓｉ原子が非水素の置換基を含む、請求項８６から８８のいずれか１つに記載のポリシロキサン。
【請求項９２】
非水素の置換基がハロゲン、Ｃ１−Ｃ６アルキルまたはＣ１−Ｃ６ハロアルキルである、請求項９０または９１に記載のポリシロキサン。
【請求項９３】
シクロシロキサンのＳｉ原子が置換基として水素を含まない、請求項８６から９２のいずれか１つに記載のポリシロキサン。
【請求項９４】
ポリシロキサンが（シクロシロキサン−エチル）−アルキルシロキサン−ジアルキルシロキサンコポリマーである、請求項８６から９３のいずれか１つに記載のポリシロキサン。
【請求項９５】
コポリマーが約２重量％〜約９８重量％の（シクロシロキサン−エチル）−アルキルシロキサンを含有する請求項９４に記載のポリシロキサン。
【請求項９６】
（シクロシロキサン−エチル）−アルキルシロキサンサブユニットが、約５〜約９５重量％のコポリマー、または約５％〜約８５％重量のコポリマー、または約５〜約８０重量％のコポリマー、または約５％〜約７５重量％のコポリマー、または約５％〜約７０重量％のコポリマー、または約５％〜約６５重量％のコポリマー、または約５％〜６０約重量％のコポリマー、または約５％〜約５５重量％のコポリマー、または約５％〜約５０重量％のコポリマー、または約１０％〜約５０重量％のコポリマー、または約１５％〜約６５重量％のコポリマー、または約２０％〜７０重量％のコポリマー、または約２５％〜約７５重量％のコポリマーを含む、請求項９４に記載のポリシロキサン、
【請求項９７】
コポリマーが、[２−（ヘプタアルキル−シクロテトラシロキサニル）エチル]−アルキルシロキサンサブユニット含有する請求項８６から９４のいずれか１つに記載のポリシロキサン。
【請求項９８】
コポリマーが、[２−（ヘプタメチル−シクロテトラシロキサニル）エチル]−アルキル−シロキサン、[２−（ヘプタエチル−シクロテトラ−シロキサニル）エチル]−アルキルシロキサン、
[２−（ヘプタプロピル−シクロテトラシロキサニル）エチル]−アルキルシロキサン、
[２−（ヘプタメチル−シクロテトラシロキサニル）エチル]−メチルシロキサン、
[２−（ヘプタメチル−シクロテトラ−シロキサニル）エチル]−エチルシロキサン、
[２−（ヘプタ−メチル−シクロテトラシロキサニル）エチル]−プロピルシロキサン、
[２−（ヘプタメチル−シクロテトラシロキサニル）−エチル]−ブチルシロキサンまたはそれらの組合せをサブユニットとして含有する、請求項９７に記載のポリシロキサン。
【請求項９９】
コポリマーがジアルキルシロキサンを含有する、請求項８６から９８のいずれか１つに記載のポリシロキサン。
【請求項１００】
ジアルキルシロキサンが、ジメチルシロキサン、ジエチルシロキサン、ジプロピルシロキサン、ジブチルシロキサン、ジ（トリフルオロメチル）シロキサン、メチル−トリフルオロメチルシロキサンまたはそれらの組合せの中から選択される、請求項９９に記載のポリシロキサン。
【請求項１０１】
コポリマーが、[２−（ヘプタアルキル−シクロテトラシロキサニル）エチル]−アルキルシロキサンサブユニットとジアルキルシロキサンサブユニットを含有する請求項８６から１００のいずれかに記載のポリシロキサン。
【請求項１０２】
ジアルキルシロキサンサブユニットが[２−（ヘプタアルキル−シクロテトラシロキサニル）エチル]−アルキルシロキサンサブユニットと交互に生じる、請求項１０１に記載のポリシロキサン。
【請求項１０３】
２以上のジアルキルシロキサンサブユニットが、[２−（ヘプタアルキル−シクロテトラシロキサニル）エチル]−アルキルシロキサンサブユニットの間に存在する、請求項１０１に記載のポリシロキサン。
【請求項１０４】
コポリマーが[２−（ヘプタアルキル−シクロテトラシロキサニル）エチル]−メチルシロキサンとジメチルシロキサンを含有する請求項１０２または１０３に記載のポリシロキサン。
【請求項１０５】
請求項１から１０４のいずれか１つに記載のポリシロキサン、およびキャリヤを含有する組成物。
【請求項１０６】
キャリヤが、水、シリコーン流体、有機溶媒およびそれらの組合せの中から選択される、請求項１０５に記載の組成物。
【請求項１０７】
有機溶媒がアルコール、トルエン、キシレン、エチルアセテート、メチルエチルケトン、アセトン、テトラヒドロフラン、ジメチルホルムアミド、およびＮ−メチルピロリジンおよびそれらの組合せの中から選択される、請求項１０６に記載の組成物。
【請求項１０８】
アルコールが、メタノール、エタノール、ｎ−プロパノール、イソプロパノール、イソブタノール、ｎ−ブタノール、プロパンジオール、ジエチレングリコールおよびヘキシレングリコールおよびそれらの組合せの中から選択される、請求項１０７に記載の組成物。
【請求項１０９】
消泡組成物として配合される請求項１０５から１０８のいずれか１つに記載の組成物。
【請求項１１０】
ポリシロキサンの粘度が、１００秒−１のせん断速度、２５℃にて測定した場合、１００〜１０００００センチポイズである、請求項１０９に記載の消泡組成物。
【請求項１１１】
Ｒ＊３ＳｉＯ０．５単位とＳｉＯ２単位から成るシリコーン樹脂をさらに含有する請求項１０９または１１０に記載の消泡組成物であって、該Ｒ＊が１価の炭化水素基、ハロゲン化された１価の炭化水素基およびアリール基の中から選択される、該消泡組成物。
【請求項１１２】
消泡組成物がエマルションである、請求項１０９から１１１のいずれか１つに記載の消泡組成物。
【請求項１１３】
エマルションが水性エマルションである、請求項１１２に記載の消泡組成物。
【請求項１１４】
更に乳化剤を含有する請求項１１２または１１３に記載の消泡組成物。
【請求項１１５】
Ｒ＊が、Ｃ１−Ｃ８アルキル基およびフェニルの中から選択される、請求項１１１から１１４のいずれか１つに記載の消泡組成物。
【請求項１１６】
所望により処理された充填剤を更に含有する、請求項１０９から１１５のいずれか１つに記載の消泡組成物。
【請求項１１７】
充填剤が、所望により処理されたヒュームドシリカまたは沈降シリカである、請求項１６に記載の消泡組成物。
【請求項１１８】
充填剤が、環状ポリシロキサンおよび低分子量直鎖ポリシロキサンの中から選択される充填剤処理化合物で処理される、請求項１１６または１１７に記載の消泡組成物。
【請求項１１９】
乳化剤が、モノステアリン酸ソルビタン、ポリオキシエチレンモノステアリン酸ソルビタン、およびポリオキシエチレンステアレートの中から選択される、請求項１１４から１１８のいずれか１つに記載の消泡組成物。
【請求項１２０】
潤滑組成物として配合される請求項１０５から１０８のいずれか１つに記載の組成物。
【請求項１２１】
ポリシロキサンの粘度が、１００秒−１のせん断速度、２５℃にて測定した場合、１０〜１５０００ｃＰである、請求項１２０に記載の潤滑組成物。
【請求項１２２】
ポリシロキサンが組成物の約０．１重量％〜５０重量％の量で存在する、請求項１２０または１２１に記載の潤滑組成物。
【請求項１２３】
ポリシロキサンが組成物の約５０重量％〜９９重量％の量で存在する、請求項１２０または１２１に記載の潤滑組成物。
【請求項１２４】
固体潤滑剤を更に含有する、請求項１２０から１２３のいずれか１つに記載の潤滑組成物。
【請求項１２５】
固体潤滑剤が、グラファイト、グラファイトフッ化物、バッキ−ボール、モリブデンジスルフィド、窒化ホウ素、タングステンジスルフィド、中空フラーレン様ナノ粒子、金属ジハロゲン化物およびポリテトラフルオロエチレンおよびそれらの組合せの中から選択される、請求項１２４に記載の潤滑組成物。
【請求項１２６】
油圧油組成物として配合される請求項１０５から１０８のいずれか１つに記載の組成物。
【請求項１２７】
ポリシロキサンの粘度が、１００秒−１のせん断速度、２５℃にて測定した場合、１０〜１５０００センチポイズである、請求項１２６に記載の潤滑組成物。
【請求項１２８】
ポリシロキサンが、組成物の約５０重量％〜１００重量％の間の濃度で存在する、請求項１２６または１２７に記載の油圧油組成物。
【請求項１２９】
ポリシロキサンが、組成物の約０．１重量％〜５０重量％の間の濃度で存在する、請求項１２６または１２７に記載の油圧油組成物。
【請求項１３０】
染料、熱安定剤、酸化防止剤、分散剤、耐摩耗添加剤、潤滑添加剤、金属不動態化剤、消泡剤、耐可燃性剤、難燃剤、さび止め剤、摩擦改良剤および腐食抑制剤の中から選択される１種以上の成分を更に含有する、請求項１２６から１２９のいずれか１つに記載の油圧油組成物。
【請求項１３１】
約９１．９〜９９．８重量％のポリシロキサン、
約０．０５〜０．１重量％の酸化防止剤、および、
約０．０１〜１．０重量％の消泡剤を含有する、
請求項１２６から１３０のいずれか１つに記載の油圧油組成物。
【請求項１３２】
０．０１〜１．０重量％の範囲に流出点分散剤を更に含有する、請求項１３１に記載の油圧油組成物。
【請求項１３３】
０．１０〜１．０重量％の範囲でさび止め剤を更に含有する、請求項１３１に記載の油圧油組成物。
【請求項１３４】
０．００５〜５．０重量％の範囲で潤滑添加剤を更に含有する、請求項１３１に記載の油圧油組成物。
【請求項１３５】
酸化防止剤が、2,4,6-トリ-tert-ブチルフェノール、2,6-ジ-tert-ブチル-4-n-ブチルフェノール、2,6-ジ-tert-ブチル-4-メチルフェノールまたはn-オクタデシル3-(3,5-ジ-tert-ブチル-4-ヒドロキシフェニル)プロピオネート、ペンタエリスリトールテトラキス[3-(3,5-ジ-tert-ブチル-4-ヒドロキシフェニル)プロピオネート]、ジ-n-オクタデシル(3、5-ジ-tert-ブチル-4-ヒドロキシベンジル)ホスフォネート、2,4,6-tris(3,5-ジ-tert-ブチル-4-ヒドロキシベンジル)メシチレン、tris(3,5-ジ-tert-ブチル-4-ヒドロキシベンジル)-イソシアヌレートまたはヒンダードピペリジンカルボン酸、2,6-ヒドロキシ-9-アザビシクロ[3.3.1]-ノナンのアシル化誘導体、もしくはビシクロヒンダードアミンもしくはジフェニルアミンもしくはジナフチルアミン、フェニルナフチルアミン、Ｎ、Ｎ'-ジフェニルフェニレンジアミンもしくはｐ-オクチル-ジフェニルアミン、ｐ、ｐ-ジオクチルジフェニルアミン、Ｎ-フェニル-1-ナフチルアミン、Ｎ-フェニル-2-ナフチルアミン、Ｎ-(ｐ-ドデシル)フェニル-2-ナフチルアミン、ジ-1-ナフチルアミン、ジ-2-ナフチルアミン、Ｎ-アルキルフェノチアジン、イミノ(ビスベンジル)、6-(tert-ブチル)フェノール、2,6-ジ-(tert-ブチル)フェノール、4-メチル-2,6-ジ-(tert-ブチル)フェノール、4,4'-メチレン-ビス(-2,6-ジ-(tert-ブチル)フェノール)、メチルヒドロキシヒドロシナミド、フェノチアジン誘導体、アルキル化5-アミノテトラゾール、ジ-tert-ブチル-p-アミノフェノールおよびそれらの混合物の中から選択される、請求項１３１から１３４のいずれか１つに記載の油圧油組成物。
【請求項１３６】
消泡剤が、シリコーンオイル、ポリビニルアルコール、オクタノールおよびそれらの混合物の中から選択される、請求項１３１から１３５のいずれか１つに記載の油圧油組成物。
【請求項１３７】
流出点分散剤が、ジエチルヘキシル、ジエチルヘキシルアジペート、ポリメタクリレート、アルキル化ナフタレン誘導体、ポリビニルアクリレートおよびそれらの混合物の中から選択される、請求項１３１から１３６のいずれか１つに記載の油圧油組成物。
【請求項１３８】
さび止め剤が、オクチル-１Ｈ-ベンゾトリアゾール、ジ−ターシャリーブチル化１Ｈ-ベンゾトリアゾール、プロピルガラート、ポリオキシアルキレンポリオール、オクタデシルアミン、ノニルフェノールエトキシレート、水素化ペンタデシルフェノールのカルシウムフェノレート、マグネシウムアルキルベンゼンスルホネートおよびそれらの混合物の中から選択される、請求項１３３から１３７のいずれか１つに記載の油圧油組成物。
【請求項１３９】
さび抑制剤が、有機酸およびそれらのエステル、Ｎ−オレイル−サルコシン、ソルビタンモノオレート、鉛ナフテネート、アルケニルコハク酸無水物、４−ノニルフェノキシ−酢酸；第１級、第２級もしくは第３級脂肪族アミンもしくは脂環式アミン、および有機酸と無機酸のアミン塩、置換イミダゾリンおよびオキサゾリン；リン酸部分エステルもしくはホスホン酸部分エステルおよび亜鉛ジアルキル−ジチオ−リン酸塩のアミン塩；バリウム−ジノニル−ナフタレン−スルホネートおよびカルシウム石油スルホネートの中から選択される、請求項１３０から１３８のいずれか１つに記載の油圧油組成物。
【請求項１４０】
耐摩耗添加剤が、硫黄化植物油、亜鉛ジアルキル−ジチオ−ホスフェート、トリトリル−ホスフェート、塩素化パラフィン、アルキルおよびアリールジ−スルフィドおよびトリスルフィド、トリフェニル−ホスホロ−チオネート、ジエタノールアミノエチルトリルトリアゾールおよびジ（２−エチルヘキシル）アミノメチルトリトリアゾールの中から選択される、請求項１３０から１３９のいずれか１つに記載の油圧油組成物。
【請求項１４１】
撥水組成物として配合される、請求項１０５から１０８のいずれか１つに記載の組成物。
【請求項１４２】
ポリシロキサンが、組成物の約５０重量％〜１００重量％の間の濃度で存在する、請求項１４１に記載の撥水組成物。
【請求項１４３】
ポリシロキサンが、組成物の約０．５〜５０重量％の間の濃度で存在する、請求項１４１に記載の撥水組成物。
【請求項１４４】
ワックス、三級脂肪アミン、金属石けん、防かび剤、殺菌剤、および難燃剤ならびにそれらの混合物の中から選択される添加剤を更に含有する、請求項１４１から１４３のいずれか１つに記載の撥水組成物。
【請求項１４５】
添加剤が組成物の約０．５重量％〜１５重量％の濃度で存在する、請求項１４４に記載の撥水組成物。
【請求項１４６】
撥水組成物がエマルション形態である、請求項１４１から１４６のいずれか１つに記載の撥水組成物。
【請求項１４７】
撥水組成物が溶液形態である、請求項１４１から１４６のいずれか１つに記載の撥水組成物。
【請求項１４８】
離型剤組成物として配合される、請求項１０５から１０８のいずれか１つに記載の組成物。
【請求項１４９】
ポリシロキサンが、組成物の約５０重量％〜１００重量％の間の濃度で存在する、請求項１４８に記載の離型剤組成物。
【請求項１５０】
ポリシロキサンが、組成物の約０．５重量％〜５０重量％の間の濃度で存在する、請求項１４８に記載の離型剤組成物。
【請求項１５１】
更に増粘剤を含有する、請求項１４８から１５０のいずれか１つに記載の離型剤組成物。
【請求項１５２】
増粘剤が、スルホン化ポリスチレン、親水性クレー、消化型澱粉、キサンタンガム、ゲランガム、ウェランガム、ラムサンガム、ジウタン、アルギン酸塩アルギネート、アルギン酸カリウム、カードラン、キトサン、グアーガム、ローカストビーンガム、カルボキシ置換セルロースエステル、例えばカルボキシメチルセルロースなど、ヒドロキシプロピルセルロース、メチルセルロースおよびそれらの組合せの中から選択される、請求項１５１に記載の離型剤組成物。
【請求項１５３】
キャリヤが有機溶媒である、請求項１４８から１５２のいずれか１つに記載の離型剤組成物。
【請求項１５４】
有機溶媒が、トルエン、キシレン、メタノール、エタノール、イソブタノール、ｎ−ブタノール、エチルアセテート、メチルエチルケトン、アセトン、テトラヒドロフラン、イソプロパノール、ジメチルホルムアルデヒドおよびＮ−メチルピロリドンならびにそれらの組合せの中から選択される、請求項１５３に記載の離型剤組成物。
【請求項１５５】
有機溶媒が、組成物の約１〜８０重量％の量で存在する、請求項１５３に記載の離型剤組成物。
【請求項１５６】
帯電防止剤、界面活性剤、酸化防止剤、潤滑剤、難燃剤、着色剤、光安定剤および熱安定剤、ならびにそれらの組合せの中から選択される添加剤を更に含有する、請求項１４８から１５５のいずれか１つに記載の離型剤組成物。
【請求項１５７】
パーソナルケアまたは化粧品組成物として配合される、請求項１０５から１０８のいずれか１つに記載の組成物。
【請求項１５８】
ポリシロキサンが、組成物の約５０重量％〜１００重量％の間の濃度で存在する、請求項１５７に記載の撥水組成物。
【請求項１５９】
ポリシロキサンが、組成物の約０．５〜５０重量％の間の濃度で存在する、請求項１５７に記載の撥水組成物。
【請求項１６０】
組成物が、溶液、エマルション、泡、ムース、クリーム、ゲル、ローション、軟膏、固体、粉末、ペースト、半固体、スティック、スプレーまたはそれらの組合せの形態である、請求項１５７から１５９のいずれか１つに記載の組成物。
【請求項１６１】
組成物が、デオドラント、制汗剤、防虫剤、麻酔、スキンコンディショナー、スキンローション、スキンモイスチャー、スキン化粧液、スキン殺菌剤、スキン洗浄組成物、スキン緩和剤、および潤滑組成物、日よけ剤、老化防止製品、コンシーラー製品、石けん、フォーミングバス製品、シャワージェル、クレンジング製品、シャンプー、ヘアーコンディショナー、ヘアースタイリングジェル、ヘアーふけ防止組成物、育毛促進組成物、ヘアー着色組成物、ヘアーブリーチ剤組成物、ヘアー抗フリージング剤組成物、ヘアー光沢組成物、ヘアーリラクサー組成物、ムース、スタイリングジェル、ヘアースプレー、ヘアー染料、ヘアーウェービング組成物、ヘアーストレート製品、シェービング製品組成物、パーソナル潤滑剤組成物、殺精子剤ゲル組成物、マニキュア組成物、ネイル研磨剤、マニキュア除去剤、ネイルクリームおよびローション、キューティクル軟化剤、カラー化粧品、口紅、リップバーム、ファンデーション、フェイスパウダー、アイライン、アイシャドウ、頬紅、化粧品、マスカラおよびカラー化粧品除去剤の中から選択される製品として配合される、請求項１５７から１６０のうちのいずれか１つに記載の組成物。
【請求項１６２】
皮膚軟化剤、皮膚軟化剤、モイスチャー、保湿剤、顔料、染料、真珠光沢化合物、真珠箔、ビスマスオキシクロリド被覆マイカ、二酸化チタン被覆マイカ、着色剤、香料、殺生物剤、防腐剤、αヒドロキシ酸、酸化防止剤、抗菌剤、抗カビ剤、制汗剤、離型剤、ホルモン、酵素、医薬化合物、ビタミン、塩、電解質、アルコール、ポリオール、ポリプロピレングリコール、ポリイソブテン、ポリオキシエチレン、
ベヘン酸、ベヘニル、糖アルコール、紫外線吸収剤、植物抽出物、界面活性剤、シリコーンオイル、有機オイル、ワックス、アルカリもしくは酸もしくは緩衝剤、膜形成剤、増粘剤、ヒアルロン酸、ヒュームドシリカ、水和シリカ、タルク、カオリン、澱粉、変性澱粉、マイカ、ナイロン、クレー、ベントナイト、有機変性クレーおよびそれらの組合せの中から選択される添加剤を更に含有する、請求項１５７から１６１のいずれか１つに記載の組成物。
【請求項１６３】
皮膚軟化剤が、イソドデカン、イソヘキサデカン、水素化ポリイソブテン、ワックス、ココアバター、シアバター、シクロペンタシロキサン、ジメチコン、ビス−フェニルプロピルジメチコン、オクチルドデシルネオペンタノエート、オレイルオレート、オレイルアルコールおよびイソミリスチルアルコールおよびそれらの組合せの中から選択される、請求項１６２に記載の組成物。
【請求項１６４】
ワックスが、ホホバワックス、ベスワックス、カルナウバワックス、キャンデリラワックス、サトウキビワックス、パラフィンワックス、モンタンワックス、微結晶ワックス、ラノリンワックス、エチレンの重合から誘導されるポリエチレンワックス、シリコーンワックスおよびそれらの組合せの中から選択される、請求項１６２または１６２に記載の組成物。
【請求項１６５】
ハウスホールドケア組成物として配合される請求項１０５から１０８のいずれか１つに記載の組成物。
【請求項１６６】
ポリシロキサンが、組成物の約５０重量％〜１００重量％の間の濃度で存在する、請求項１６５に記載のハウスホールドケア組成物。
【請求項１６７】
ポリシロキサンが、組成物の約０．５〜５０重量％の間の濃度で存在する、請求項１６５に記載のハウスホールドケア組成物。
【請求項１６８】
組成物が、洗濯石けんおよび柔軟剤、織物サイジング剤、皿および硬表面洗剤、硬表面殺菌剤、多用途キッチン洗剤および消毒剤、トイレ洗剤、バスタブおよびタイル洗剤、および消毒調合剤、研磨化合物、木材、家具、自動車または船舶処理用のワックスおよび研磨組成物、農薬調合剤、スタティック制御調合剤、空気デオドラント／芳香剤、およびラグおよび室内装飾用シャンプー、クリーナーおよびデオドライザーの中から選択される製品として配合される、請求項１６５から１６７のいずれか１つに記載のハウスホールドケア組成物
【請求項１６９】
香水、漂白剤、漂白活性剤、顔料、染料、着色剤、香料、殺生物剤、防腐剤、酸化防止剤、抗菌剤、抗かび剤、紫外線吸収剤、植物抽出物、界面活性剤、シリコーンオイル、有機オイル、ワックス、アルカリもしくは酸もしくは緩衝剤、膜形成剤、増粘剤、ヒュームドシリカ、水和シリカ、タルク、カオリン、マイカ、ナイロン、クレー、ベントナイト
、有機変性クレーおよびそれらの組合せの中から選択される１種以上の成分を更に含有する、請求項１６５から１６８のいずれか１つに記載のハウスホールドケア組成物。
【請求項１７０】
活性剤を局所適用するためのドラッグデリバリーシステムとして配合される請求項１０５から１０８のいずれか１つに記載の組成物。
【請求項１７１】
組成物が皮膚に塗布するために配合される、請求項１７０に記載の組成物。
【請求項１７２】
組成物が、経皮的なドラッグデリバリー組成物またはシステムとして配合される請求項１７０または１７１に記載の組成物。
【請求項１７３】
パーソナル潤滑組成物として配合される請求項１０５から１０８のいずれか１つに記載の組成物。
【請求項１７４】
直線および／または環状シリコーン流体をさらに含有する、請求項１７３に記載のパーソナル潤滑組成物。
【請求項１７５】
シリコーン流体が、シクロメチコン、トリシロキサン、揮発性ジメチコン、ポリアルキルシロキサン、ポリジアルキルシロキサン、メチルトリメチコン、シクロポリシロキサン、およびそれらの混合物の中から選択される、請求項１７４に記載のパーソナル潤滑組成物。
【請求項１７６】
シクロポリシロキサンが、Ｃ１−Ｃ１０アルキル基を含有するシクロアルキルシロキサンである、請求項１７５に記載のパーソナル潤滑剤組成物。
【請求項１７７】
シクロポリシロキサンが、Ｃ１−Ｃ１０アルコキシ基を含有するシクロアルコキシシロキサンである、請求項１７５に記載のパーソナル潤滑剤組成物。
【請求項１７８】
シリコーン流体が、オクタメチルシクロテトラシロキサン（シクロメチコンテトラマー）、デカメチルシクロペンタシロキサン（シクロメチコンペンタマー）、シクロメチコンヘキサマー、シクロペンタシロキサン、メトキシプロピルヘプタメチルシクロテトラシロキサンおよびそれらの組合せである、請求項１７５に記載のパーソナル潤滑組成物。
【請求項１７９】
トコフェノールまたはトコトリエノールを更に含有する、請求項１７３から１７８のいずれか１つに記載のパーソナル潤滑剤組成物。
【請求項１８０】
パッケージング材料、
該パッケージング材料内の請求項１から１０４のいずれか１つに記載のポリシロキサン、および
ラベル
を含有する、製造品。
【請求項１８１】
相互作用表面のうちの少なくとも１つに対して請求項１２０から１２５のいずれか１つに記載の潤滑組成物を施すことを含む、２以上の相互作用表面間の摩擦力を低減させる方法。
【請求項１８２】
請求項１２０から１２５のいずれか１つに記載の潤滑組成物と成分のうちの１種以上とを接触させることを含む、系における１種以上の成分に潤滑性を付与するための方法。
【請求項１８３】
密閉流体に対して力を施し、該流体は力を伝達することを含み、該密閉流体が請求項１２６から１４０のいずれか１つに記載された油圧油である、油圧により力を伝達するための方法。
【請求項１８４】
泡立ちが問題となる系において泡を減少させる方法であって、請求項１０９から１１９のいずれか１つに記載の消泡組成物の泡抑制量を該系に添加することを含む、該方法。
【請求項１８５】
請求項１４１から１４７のいずれか１つに記載の撥水組成物を基材に対して施すことを含む、基材に防水性または撥水性を付与する方法。
【請求項１８６】
基材が、コンクリート、モルタル、煉瓦、スタッコ、タイル、木材、セラミック、金属、プラスチック、ガラス、繊維製品、皮革および紙の中から選択される、請求項１８５に記載の方法。
【請求項１８７】
浸漬、噴霧、または基材上に組成物を刷毛塗りすることにより、撥水組成物を基材に施す、請求項１８５または１８６に記載の方法。
【請求項１８８】
第１基材に、請求項１４８から１５６のいずれか１つに記載の離型剤組成物から成る層を施し、および、該組成物を乾燥させることを含む、被覆基材を製造するための方法であって、該第１基材上のコーティングが、該第１基材に対する第２基材の接着を妨げるか減少させる膜を形成する、該方法。
【請求項１８９】
第１基材が、プラスチック、フィルム、ダイまたは金型、紙、不織布、金属および金属箔の中から選択される請求項１８８に記載の方法。
【請求項１９０】
フィルムが、ポリエチレン、ポリエチレン、ポリプロピレン、ポリブチレン、ポリブタジエン、塩化ビニル、ポリエチレンテレフタレート、ポリエチレンナフタレート、ポリブチレンテレフタレート、ポリイミド、ポリエーテルイミド、ポリエーテルケトン、ポリエーテルエーテルケトン、エチレン／ビニルアセテートコポリマー、エチレン／（メタ）アクリル酸コポリマー、ポリカーボネート、ポリメチルメタクリレート、トリアセチルセルロースおよびポリノルボルネンまたはそれらの組合せである、請求項１８９に記載の方法。
【請求項１９１】
紙が、被覆または非被覆砕木パルプ、カレンダー処理されたまたは未カレンダー処理のクラフト紙、酸不含紙、被覆または非被覆木質不含紙、リント不含紙、グラシン紙、クレー被覆紙、樹脂被覆紙、ポリエチレンラミネート紙、ポリプロピレンラミネート紙、および板紙の中から選択される、請求項１８８に記載の方法。
【請求項１９２】
離型剤組成物がグラビアコーティング、ロールコーティング、ブレードコーティング、ナイフコーティング、バーコーティングまたはスプレーコーティングを介して施される、請求項１８８から１９１のいずれか１つに記載の方法。
【請求項１９３】
請求項１７０から１７２のいずれか１つに記載の組成物中に活性剤を溶解、溶媒和または分散させ、活性剤デリバリー組成物を形成させ、および
該活性剤デリバリー組成物を、それらを必要としている目的物に塗布することを含む、基材に活性剤を提供する方法。
【請求項１９４】
活性剤デリバリー組成物がパッチ型の経皮性デリバリーデバイス中に含有される、請求項１９３に記載の方法。
【請求項１９５】
デリバリーデバイスが１〜２００ｃｍ２の範囲に表面積を有する、請求項１９４に記載の方法。
【請求項１９６】
請求項１７３から１７９のいずれか１つに記載のパーソナル潤滑組成物２５μｌ〜１００ｍＬを体の表面に施し、および
潤滑組成物を摩擦して潤滑性効果をもたらすことを含む、体の目的物表面の潤滑方法。
【請求項１９７】
請求項１７３から１７９のいずれか１つに記載のパーソナル潤滑組成物の若干量を、生殖器の１以上の表面に施すことを含む、対象となる生殖器を潤滑させる方法。
【請求項１９８】
請求項１７３から１７９のいずれか１つに記載のパーソナル潤滑組成物を、それらを必要としている患者の膣に施すことを含む、膣潤滑を提供する方法。
【請求項１９９】
対象となる生殖器に薬剤または栄養補組成物を提供する方法であって、
該方法が、請求項１７３から１７９のいずれかに記載のパーソナル潤滑組成物中に薬剤または栄養補助品を溶解させるか分散させてデリバリー組成物を形成し、および該デリバリー組成物を、それらを必要とする患者の生殖器に施すことを含む該方法。
【発明の詳細な説明】
【技術分野】
【０００１】
関連出願
２０１０年８月５日に出願された「シクロシロキサン置換ポリシロキサン化合物、該化合物を含有する組成物およびそれらの使用法」の名称で、Daniel X. Wray、 Robert L. De ArmondおよびMichael B.によるＵＳ仮出願第６１／３７１,０７９による優先権の利益を主張する。
【０００２】
この出願はまた、シクロシロキサン置換ポリシロキサン化合物、該化合物を含有する組成物およびそれらの使用法」の名称で、同日に出願され、ＵＳ仮出願第６１／３７１,０７９による優先権の利益を主張するＵＳ特許出願第３３３４８．０９７９６．ＵＳ０１／９７９６（代理人整理番号）にも関連する。
【０００３】
許可された場合、上記出願における各要旨はその全体を参照することにより組み込まれる。
【０００４】
本発明において提供されることは、パーソナルケア組成物および化粧品組成物、離型剤組成物、消泡組成物、潤滑剤組成物および硬質金属表面もしくは軟質金属表面を潤滑するためのシリコーン潤滑剤組成物として含まれ機械的用途における摩擦を低減するための潤滑剤を含む、シクロシロキサン置換シリコーン化合物、シクロシロキサン置換シリコーン化合物を含む組成物、ならびに、それらの使用に関する。
【背景技術】
【０００５】
オルガノシリコーン化合物およびそれらの使用は、当該技術分野において既知である。オルガノシリコーン化合物の使用は、潤滑剤、消泡剤、離型剤および化粧品とパーソナルケア組成物を含む用途用、家庭用製品、性行為用潤滑剤、ならびに機械用途における潤滑剤として、さらには油圧油としての使用である。ＵＳ特許４５１４３１９は、オルガノシリコーンと併用して使用される場合に、炭化水素オイルの表面張力を減少させるためのアルキルおよびポリエーテル官能性シリコーンを開示する。ＵＳ特許５６４５８４２は、化粧品および薬剤の調合を開示する。
【０００６】
シリコーン潤滑剤は、硬質金属表面に関することが既知である。このようなシリコーン潤滑剤は、通常、オルガノポリシロキサンポリマーを含有し、それらは、ジメチルポリシロキサンポリマー、メチルもしくはシクロフェニルもしくはテトラシクロフェニル置換ポリシロキサンポリマーであり得る。また、主成分としての潤滑性流体がトリフルオロプロピル置換オルガノポリシロキサンポリマーから成るシリコーン潤滑剤が記載されている。ＵＳ特許２８３７４８２は、硬質金属表面を潤滑するための種々の塩化添加剤を有するジメチル−ポリシロキサンを開示する。
【０００７】
メチル−およびジ−メチルポリシロキサンは潤滑剤として使用できるが、塩化添加物を添加する必要が多々ある。常套の塩化添加物は、メチルテトラクロロフェニル置換ポリシロキサンを添加して、潤滑される硬質金属の表面にて塩化鉄水和物を形成させ、オキシ塩化物は圧力下でせん断加工され(shear off)および硬質金属表面に対して過度の摩耗を妨ぐ（例えば、ＵＳ特許４１３８３４９参照）。従って、硬質金属または軟質金属に対する効果的な潤滑油として機能するために塩素添加物を必要としないポリシロキサンが必要とされている。
【０００８】
シリコーン溶液もまた、離型剤コーティングにおいて有益であることが知られている（例えば、ＵＳ特許３９３３７０２、同４２５６８７０、および同４４１３０８６参照）。シリコーン系離型剤コーティングは、比較的、非接着性表面が要求される用途において有用である。片面ライナー、例えば感圧式接着剤ラベル用のベーキングペーパーは、ラベルの接着特性に影響を及ぼすことなくラベルを一時的に保持するために通常適応される。両面ライナー、例えば、両面間紙および転写テープは、両面自己接着型テープまたは接着フィルムの所望の巻き取り特性を確実にするために使用される。
【０００９】
離型剤コーティングの性能における改良は、例えば容易な硬化、比較的低温での硬化時間の減少、離型特性、および、ポリプロピレン、ポリエチレンおよびポリステルならびに紙および金属を含む種々の基材に対するコーティングの固定に関する観点において継続的に考慮されている。従って、改良された離型特性を備えるシリコーン系離型コーティングに関する要求が存在する。
【００１０】
シリコーン溶液はまた、油圧油において使用される（例えば、ＵＳ特許３７５９８２７および５１３００４１参照）。ある場所から他の場所へ力が伝達される油圧システムは、工業設備、農業設備、および輸送設備において幅広く使用される。このような装置の例は、リフター、ジャケット、エレベーター、ミル、プレス、およびブレーキならびに車両用のパワーステアリングシステムである。油圧システムにおいて生じることが多い高圧および高温は、油圧媒体として使用される流体の熱安定性および酸化安定性について高い要求がある。さらに、油圧油の潤滑性は、ある場所から他の場所へ油圧油を加圧し移動させるのにポンプが使用される油圧系において特に重要である。
【００１１】
ポリオルガノシロキサンは、並はずれた熱および酸化安定性、シール材料との適合性、高い粘度指数を有し、およびポリオルガノシロキサンがもたらす性能は油圧油として有用であることが知られている。技術分野において既知のポリオルガノシロキサンの多くは、一般に低い表面張力を示し、それは金属において僅かな潤滑性をもたらす傾向がある。油圧油における多くの用途は、油圧油の粘度が意図する操作温度範囲において可能な限り小さく変化することを要求する。多くの既知のポリオルガノシロキサンは、有機油と比較して温度関数において粘度の変化を示す。この性質は、多くのポリオルガノシロキサンを油圧油としての使用に対し不適当にする。従って、温度関数において低い粘度変化を示し、油圧油として使用するのに良好な熱安定性および酸化安定性を示すポリシロキサンに関する要求が存在する。
【００１２】
シリコーンは、消泡剤として幅広く使用されている。シリコーン消泡剤組成物の例は、例えば、ＵＳ２８９４９１３、３４２３３４０、３０７６７６８および３８５６７０１に記載されている。ジメチルポリシロキサンポリマーは、シリコーン産業において消泡剤として使用されることが知られている。化学品、食品、石油、繊維および医薬産業における材料を加工する間の多くのケースにおいて、その工程のある部分で所望でない泡の形成が生じる。新たな泡の生成よりも泡の減少速度が小さい場合に泡が形成される。従って、化学または機械工程におけるこのような条件を有する場合、増加する泡の生成をもたらし、これは安定化され、泡は急速に消滅しなくなる。望まない泡は火災などの危険をもたらし、または泡は相当な量の空隙をもたらし、加工を行うのにより大きな場所を要求するので、多くの工程において泡の形成を除去または減少させることが望ましい。さらに、泡の存在は、工程自体を効果的に操作することを困難にし得る。このような場合において、泡を完全に除去するか減少させる手段の使用が望まれる。消泡方法は多く存在するが、最も望ましいのは化学的な手段、例えば、消泡剤の添加などである。この方法は、泡を除去する最も効果的な方法だからである。従って、産業において周知のように、泡が形成された組成物に消泡剤を少量添加し、その結果、泡が急速に消滅する。シリコーン系消泡剤の性能を改良することが連続的に考えられている。従って、常套の消泡剤と比べた場合に、改良された消泡活性を示すポリシロキサン化合物が要求されている。
【００１３】
シリコーン流体はまた、基材撥水剤を製造するのに有用であることが知られている。基材撥水剤を塗布処理するのに望ましい基材の例は、コンクリート、繊維製品、紙製品、木製品、金属、セラミックおよびビルの外観などの石煉瓦を含む。このような表面は、水に曝されることにより進行性の劣化および最終的な悪化に悪影響を及ぼす。例えば、石煉瓦用途において、繰り返される湿潤、水の浸透および吸収、凍結および解凍は、腐食およびスケーリング、離型およびクラッキング、はがれおよびフレーキング、風化および痂皮形成、汚れおよび汚染、反りおよび割れ、浸食を生じさせる。このようなダメージは、基材撥水剤の塗布を基材に適切に処理することにより、十分に回避できる。
【００１４】
一般に、基材撥水剤を塗布するために、特定の種類の表面処理用の特定のおよび個々の組成物を調製する必要がある。従って、例えば、建物の外観を処理する場合に、コンクリート、煉瓦または他の石煉瓦表面に通常使用されるものと、このような建物の外観部分であってもよい木または金属表面を処理するのに使用されるものは異なる。このことは、異なる撥水組成物が、処理される異なる表面において異なる有効性を有し得るということに大きく起因する。今まで、このような種々の表面、例えば石煉瓦、木材、紙、繊維製品およびガラスに用いることができる万能な撥水組成物は知られていない。建物および建築分野において使用される撥水組成物に関して、既知の組成物は、硬化または乾燥に常温で数日から数週間、通常必要とする。このような先行技術に係る組成物の例は、ＵＳ特許２５７４１６８に開示されるメチルシリコーン樹脂である。このような先行技術に係る組成物の例は、比較的良好な撥水特性を有するが、それらは通常、周囲空気温度にて硬化または乾燥させるのに数日を要する。このような先行技術に係るシリコーン化合物は湿潤表面に施されるか、あるは、それらが乾燥表面に施された直後にそれらが湿潤される場合、それらは、被覆された表面に撥水剤を塗布しても比較的効果がない傾向がある。比較的長い硬化または乾燥時間に起因して、シリコーン撥水組成物はそれらの使用が限定されている。特に、雨季または雨の多い季節が存在する地域において、このようなシリコーン組成物は全く使用されない場合が多い。従って、常套のシリコーン剤と比べた際に、良好な撥水活性、良好な膜形成および急速な乾燥を示すという要求が、ポリシロキサン化合物に存在する
【００１５】
シリコーン流体は、パーソナルケアおよびコスメティック組成物において使用される。先行技術のシリコーン流体のいくつかは低粘度のものである。これらの低分子量シリコーンは望ましい手触り特性をもたらすが、それらはまた高流動性液体である。従って、それらを製剤の中に容易に保持することはできず、与えられた容器に個別に収容し流出させるか、特定の用途に使用される場合には、皮膚を横切って制御不能に流れることが好ましい。従って、常套のシリコーン剤と比べて良好な拡散性を示し、良好なフィルム形成性を示し、改良された手触り特性を示すポリシロキサン化合物に関する要求が存在する。
【先行技術文献】
【特許文献】
【００１６】
【特許文献１】ＵＳ４５１４３１９
【特許文献２】ＵＳ５６４５８４２
【特許文献３】ＵＳ２８３７４８２
【特許文献４】ＵＳ４１３８３４９
【特許文献５】ＵＳ３９３３７０２
【特許文献６】ＵＳ４２５６８７０
【特許文献７】ＵＳ４４１３０８６
【特許文献８】ＵＳ３７５９８２７
【特許文献９】ＵＳ５１３００４１
【特許文献１０】ＵＳ２８９４９１３
【特許文献１１】ＵＳ３４２３３４０
【特許文献１２】ＵＳ３０７６７６８
【特許文献１３】ＵＳ３８５６７０１
【特許文献１４】ＵＳ２５７４１６８
【発明の概要】
【発明が解決しようとする課題】
【００１７】
従って、本発明において、少なくとも１種のシクロシロキサン基を有するキャップされたおよびキャップされていないオルガノシロキサン化合物が提供される。これらのシクロシロキサン置換ポリシロキサンは、常套のシリコーン剤と比較して良好な分散能、良好な膜形成能を示し、改良された感触特性をもたらす。これらのシクロシロキサン置換ポリシロキサンは、機械潤滑油組成物、油圧油組成物、消泡剤組成物、撥水組成物、離型剤組成物、パーソナルケア組成物、化粧品組成物、および家庭ケア用組成物、ならびに硬質および/または軟質金属の相互作用表面を含む表面潤滑用組成物において有用性を示す。
【００１８】
また、その上における置換基として少なくとも１種のシクロシロキサン基を有する、ポリシロキサンなどのオルガノシリコーン化合物を調製する方法が提供される。
【００１９】
また、その上における置換基として少なくとも１種のシクロシロキサン基を有するポリシロキサン化合物を含む化粧品組成物およびパーソナルケア組成物が提供される。
【００２０】
また、その上における置換基として少なくとも１種のシクロシロキサン基を有するポリシロキサン化合物を含むシリコーン潤滑油組成物が提供され、この場合、組成物は、このようなシリコーン潤滑油組成物により潤滑された相互作用表面の摩耗を減少させる。
【００２１】
また、その上における置換基として少なくとも１種のシクロシロキサン基を有するポリシロキサン化合物を含むシリコーン潤滑油組成物が提供され、この場合、組成物は、このようなシリコーン潤滑油組成物により潤滑された相互作用軟質金属表面の摩耗を減少させる。
【００２２】
また、その上における置換基として少なくとも１種のシクロシロキサン基を有するポリシロキサン化合物を含むシリコーン潤滑油組成物が提供され、この場合、組成物は、このようなシリコーン潤滑油組成物により潤滑された相互作用硬質金属表面の摩耗を減少させる。
【００２３】
また、その上における置換基として少なくとも１種のシクロシロキサン基を有するポリシロキサン化合物を含むシリコーン潤滑油組成物が提供され、このようなシリコーン潤滑油組成物により潤滑される場合に、組成物は、互いに摩耗する相互作用硬質金属表面または相互作用軟質金属表面の摩耗を減少させる。
【００２４】
また、その上における置換基として少なくとも１種のシクロシロキサン基を有するポリシロキサン化合物を含むシリコーン潤滑油組成物が提供され、この場合、組成物は、このようなシリコーン潤滑油組成物により潤滑される相互作用鋼表面の摩耗を減少させる。
【００２５】
また、その上における置換基として少なくとも１種のシクロシロキサン基を有するポリシロキサン化合物を含むシリコーン潤滑油組成物が提供され、この場合、組成物は、このようなシリコーン潤滑油組成物により潤滑される相互作用鉄、鉄合金、鋼、または鋼含油表面の摩耗を減少させる。
【００２６】
また、その上において少なくとも１種のシクロシロキサン基を有するポリシロキサン化合物を含むシリコーン潤滑油組成物が提供され、この場合、組成物は、このようなシリコーン潤滑油組成物により潤滑される相互作用アルミニウムまたはアルミニウム合金表面の摩耗を減少させる。
【００２７】
また、その上における置換基として少なくとも１種のシクロシロキサン基を有するポリシロキサン化合物を含むシリコーン潤滑油組成物が提供され、この場合、組成物は、このようなシリコーン潤滑油組成物により潤滑される銅、青銅、真ちゅうおよび／またはそれらの合金の相互作用表面の摩耗を減少させる。
【００２８】
また、その上における置換基として少なくとも１種のシクロシロキサン基を有するポリシロキサン化合物を含むシリコーン潤滑油組成物が提供され、この場合、ポリシロキサンは２５℃で測定した場合５〜１５００００ｃＰの様々な粘度を有する。
【００２９】
また、その上における置換基として少なくとも１種のシクロシロキサン基を有するポリシロキサン化合物を含む離型コーティングが提供される。
【００３０】
また、温度の関数として低い粘度変化を示すシクロシロキサン置換ポリシロキサンが提供される。また、良好な熱安定性を示すシクロシロキサン置換ポリシロキサンが提供される。また、良好な酸化安定性を示すシクロシロキサン置換ポリシロキサンが提供される。このようなポリシロキサンは、油圧油組成物における成分としてまたは油圧油として有用である。また、幅広い範囲の圧力に対して良好な圧縮率を示すポリシロキサンが提供される。
【００３１】
また、本発明で提供されるシクロシロキサン置換ポリシロキサンを含むシリコーン消泡組成物が提供される。
【００３２】
また、シクロシロキサン置換ポリシロキサンポリマーを原料として有する改良された消泡シリコーン組成物を形成する方法が提供される。
【００３３】
また、シクロシロキサン置換ポリシロキサンを含む組成物の少量を混合物に添加することにより、混合物中の泡を効果的に消泡させる方法が提供される。
【００３４】
また、本発明で提供される１種以上のシクロシロキサン置換ポリシロキサンを含む撥水組成物が提供される。このような撥水組成物は、極めて多種の基材に施こすことができ、撥水加工を基材に付与できる。
【００３５】
また、シクロシロキサン置換ポリシロキサン化合物を含む、即効性の撥水をもたらす撥水組成物が提供される。
【００３６】
また、撥水剤を基材に塗布する改良法が提供される。
【００３７】
また、常套のシリコーン剤と比べた際に、良好な撥水活性、良好な膜形成および急速な乾燥を示すシクロシロキサン置換ポリシロキサン化合物が提供される。
【００３８】
また、常套のシリコーン剤と比べて、改良された手触り特性を示すシクロシロキサン置換ポリシロキサンが提供される。また、本発明で提供される１種以上のシクロシロキサン置換ポリシロキサンを含むパーソナルケア組成物および化粧品組成物が提供される。
【課題を解決するための手段】
【００３９】
式Ｉの置換ポリシロキサンが提供される
【００４０】
【化１】
2013539484.tif 000002
【００４１】
式中、Ｒ１およびＲ２は、相互に独立してＣ１−Ｃ２０アルキルおよび置換Ｃ１−Ｃ２０アルキルの中から選択され；
Ｒ３は、Ｃ１−Ｃ２０アルキル、置換Ｃ１−Ｃ２０アルキル、Ｃ３−Ｃ２０シクロアルキル、置換Ｃ３−Ｃ２０シクロアルキル、３個以上のＳｉ原子を有するシクロシロキサン、および３個以上のＳｉ原子を有する置換シクロシロキサンの中から選択され；
Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ８およびＲ９は、相互に独立してアルキルおよび置換アルキルから選択され；
Ｒ１０は、アルキル、置換アルキル、シクロアルキル、置換シクロアルキル、３個以上のＳｉ原子を有するシクロシロキサン、および３個以上のＳｉ原子を有する置換シクロシロキサンの中から選択され；
ａは０〜５０の中から選択され、
ｂは１〜１００の中から選択され、
ｑは２〜２０の中から選択され、
ｗは０〜１０の中から選択され、
ｙは０〜１０の中から選択され、
ただし、ｂ＝１の場合Ｒ７はシクロシロキサンである。
【００４２】
式Ｉの化合物は、少なくとも１個の所望により置換されたシクロシロキサン置換基を含む。
【００４３】
また、式ＩＡのシクロシロキサン置換ポリシロキサンが提供される：
【００４４】
【化２】
2013539484.tif 000003
【００４５】
式中、Ｒ４の各存在は、独立して、置換もしくは未置換のＣ１−Ｃ８アルキル、置換もしくは未置換のＣ１−Ｃ８ハロアルキル、置換もしくは未置換のＣ６−Ｃ１２アリール、および置換もしくは未置換のＣ６−Ｃ１２ヘテロアリールであり；
Ｒ７は、少なくとも３個のＳｉ原子を有する所望により置換されたシクロシロキサンであり；
ａは０〜５０であり、
ｂは１〜１００であり、
ｑは２〜５０である。
【００４６】
ある実施態様において、Ｒ７は、３、４、５、６、７、８、９、１０、１１、１２、１３、１４、１５、１６、１７、１８、１９または２０個のＳｉ原子を有する所望により置換されたシクロシロキサンである。
【００４７】
ある実施態様において、Ｒ７は、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンもしくはＣ１−Ｃ６ハロアルキルで置換されたＣ３−Ｃ１０アリールから選択された１種以上の置換基で置換されたシクロシロキサンである。
【発明を実施するための形態】
【００４８】
ある実施態様において、式ＩＡの化合物は、以下の式を有する
【００４９】
【化３】
2013539484.tif 000004
式中、
ａは０〜５０であり、
ｂは１〜１００であり、
ｑは２〜５０である。
【００５０】
また、シクロシロキサンおよびジアルキルシロキサンを含むコポリマーを含有するシクロシロキサン置換ポリシロキサンが提供され、この場合において、シクロシロキサンおよび／またはジアルキルシロキサンは置換されてもよい。シクロシロキサンは、３〜１５個のＳｉ原子、特に好ましくは３〜１０個のＳｉ原子を含む。ある実施態様において、コポリマーはテトラシロキサニル(tetrasiloxanyl)、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含む。シクロシロキサンは、１個以上のＳｉ原子上に１個または２個のＣ１−Ｃ６置換基を含むことができる。ここで提供されるコポリマーのいくつかにおいて、非隣接Ｓｉ原子は、非水素置換基、例えばハロゲン、Ｃ１−Ｃ６アルキルまたはＣ１−Ｃ６ハロアルキルまたはそれらの組合せを含むことができる。あるコポリマーに関して、各Ｓｉは、非水素置換基、例えばハロゲン、Ｃ１−Ｃ６アルキルまたはＣ１−Ｃ６ハロアルキルまたはそれらの組合せを含むことができる。あるコポリマーに関して、Ｓｉ原子は置換基として水素を含まない。
【００５１】
また、（シクロシロキサン−エチル）−アルキルシロキサンジアルキルシロキサンコポリマーを含むシクロシロキサン置換ポリシロキサンが提供される。（シクロシロキサン−エチル）−アルキルシロキサンは、コポリマーの約２％〜約９８％を構成する。または、コポリマーは約５〜約９５％の（シクロシロキサン−エチル）−アルキルシロキサンから構成され、または約５％〜約９０％の（シクロシロキサン−エチル）−アルキルシロキサンから構成され、または約５％〜約８５％の（シクロシロキサン−エチル）−アルキルシロキサンから構成され、または約５％〜約８０％の（シクロシロキサン−エチル）−アルキルシロキサンから構成され、または約５％〜約７５％の（シクロシロキサン−エチル）−アルキルシロキサンから構成され、または約５％〜約７０％の（シクロシロキサン−エチル）−アルキルシロキサンから構成され、または約５％〜約６５％の（シクロシロキサン−エチル）−アルキルシロキサンから構成され、または約５％〜約６０％の（シクロシロキサン−エチル）−アルキルシロキサンから構成され、または約５％〜約５５％の（シクロシロキサン−エチル）−アルキルシロキサンから構成され、または約５％〜約５０％の（シクロシロキサン−エチル）−アルキルシロキサンから構成され、または約１０％〜約５０％の（シクロシロキサン−エチル）−アルキルシロキサンから構成され、または、約１５％〜約６５％の（シクロシロキサン−エチル）−アルキルシロキサンから構成され、または約２０％〜約７０％の（シクロシロキサン−エチル）−アルキルシロキサンから構成され、または約２５％〜約７５％の（シクロシロキサン−エチル）−アルキルシロキサンから構成される。
【００５２】
また、[２−（ヘプタアルキル−シクロテトラシロキサニル）エチル]−アルキルシロキサンサブユニットを含むコポリマーである、シクロシロキサン置換ポリシロキサンが提供される。各サブユニットにおけるアルキル基は、Ｃ１−Ｃ６アルキルであることができる。シクロシロキサン置換ポリシロキサンコポリマーは、１以上のサブユニットとして、
[２−（ヘプタメチル−シクロテトラシロキサニル）−エチル]−アルキル−シロキサン、[２−（ヘプタエチル−シクロテトラ−シロキサニル）エチル]−アルキルシロキサン、
[２−（ヘプタ−プロピル−シクロテトラシロキサニル）エチル]−アルキルシロキサン、
[２−（ヘプタメチル−シクロテトラシロキサニル）−エチル]−メチルシロキサン、
[２−（ヘプタメチル−シクロテトラ−シロキサニル）エチル]−エチルシロキサン、
[２−（ヘプタ−メチル−シクロテトラシロキサニル）エチル]−プロピルシロキサン、
[２−（ヘプタメチル−シクロテトラシロキサニル）−エチル]−ブチルシロキサンまたはそれらの組合せを含むことができる。
【００５３】
また、ジアルキルシロキサンを含むコポリマーであるシクロシロキサン置換ポリシロキサンが提供される。コポリマーは、ジメチルシロキサン、ジエチルシロキサン、ジプロピルシロキサン、ジブチルシロキサン、ジ（トリフルオロメチル）シロキサン、メチルトリフルオロメチルシロキサンまたはそれらの組合せを含むことができる。シクロシロキサン置換ポリシロキサンは、[２−（ヘプタアルキル−シクロテトラシロキサニル）エチル]−アルキルシロキサンサブユニットとジアルキルシロキサンサブユニットを含むコポリマーであってもよい。シクロシロキサン置換ポリシロキサンは、ジアルキルシロキサンサブユニットと[２−（ヘプタアルキル−シクロテトラシロキサニル）エチル]−アルキルシロキサンサブユニットとが交互に存在するコポリマーであってもよい。
【００５４】
あるコポリマーにおいて、２以上のジアルキルシロキサンサブユニットは、[２−（ヘプタアルキル−シクロテトラシロキサニル）エチル]−アルキルシロキサンサブユニットの間に存在する。シクロシロキサン置換ポリシロキサンは、[２−（ヘプタアルキル−シクロテトラシロキサニル）エチル]−メチルシロキサン-ジメチルシロキサンコポリマーを含むことができる。
【００５５】
また、式Ｉのポリシロキサンが提供される：
【００５６】
【化４】
2013539484.tif 000005
【００５７】
式中、
Ｒ１およびＲ２は、相互に独立してＣ１−Ｃ２０アルキルおよび置換Ｃ１−Ｃ２０アルキルまたはＣ２−Ｃ２０アルキルおよび置換Ｃ２−Ｃ２０アルキルの中からから選択され；
Ｒ３は、Ｃ１−Ｃ２０アルキル、置換Ｃ１−Ｃ２０アルキル、Ｃ３−Ｃ２０シクロアルキル、置換Ｃ３−Ｃ２０シクロアルキル、３個以上のＳｉ原子を有するシクロシロキサン、および３個以上のＳｉ原子を有する置換シクロシロキサンの中からから選択され；
Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３以上のＳｉ原子を有するシクロシロキサン、および３以上のＳｉ原子を有する置換シクロシロキサンの中からから選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中からから選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中からから選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３以上のＳｉ原子を有するシクロシロキサン、および３個以上のＳｉ原子を有する置換シクロシロキサンの中からから選択され；
Ｒ８およびＲ９は、相互に独立してアルキルおよび置換アルキルの中から選択され；
Ｒ１０は、アルキル、置換アルキル、シクロアルキル、置換シクロアルキル、３以上のＳｉ原子を有するシクロシロキサン、および３以上のＳｉ原子を有する置換シクロシロキサンの中からから選択され；
ａは１〜５０から選択され、
ｂは１〜５０から選択され、
ｑは２〜２０から選択され、
ｗは０〜１０から選択され、
ｙは０〜１０から選択され、
ただし、少なくとも１つのサブユニットｑにおけるＲ４またはＲ７のうちの少なくとも１つは、シクロシロキサンである。
【００５８】
ある実施態様において、少なくとも１つのＲ７は所望により置換されたシクロシロキサンである。
【００５９】
ある実施態様において、少なくとも１つのＲ４はシクロシロキサンである。シクロシロキサンは任意の大きさのものであることができ、例えば、シクロヘプタシロキサン、シクロヘキサシロキサン、シクロペンタシロキサン、シクロテトラシロキサンおよびシクロトリスシロキサンなどであることができる。例としてのシクロシロキサンは、デカメチルシクロペンタロキサン、ドデカメチルシクロヘキサシロキサン、テトラデカメチルシクロヘプタシロキサン、オクタメチルシクロテトラシロキサン、デカメチルシクロペンタシロキサン、ドデカメチルシクロヘキサシロキサンおよびテトラデカメチルシクロヘプタシロキサンを含む。シクロシロキサンは、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、ハロ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、ならびにモノ−およびジ−置換アミノ基を含むアミノ、およびアミノ基の保護誘導体から選択される１種以上の置換基で置換されてもよく、未置換であってもよい。ある実施態様において、１以上のＲ７は、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリールおよびハロゲンもしくはＣ１−Ｃ６ハロアルキルで置換されたＣ３−Ｃ１０アリールの中から選択される１種以上の基で置換されたシクロシロキサンである。
【００６０】
本発明において提供される化合物において、Ｒ１は、所望により置換されたＣ１−Ｃ２０アルキル、所望により置換されたＣ１−Ｃ６アルキル、および所望により置換されたＣ２−Ｃ１０アルキルである。例えば、Ｒ１置換基は、メチル、エチル、プロピル、ブチル、ペンチル、ヘキシル、ヘプチル、オクチル、ノニルおよびデシルを含み、それらは置換されてもよく未置換であってもよい。
【００６１】
本発明において提供される化合物において、Ｒ２は、所望により置換されたＣ１−Ｃ１０アルキル、所望により置換されたＣ１−Ｃ６アルキル、および所望により置換されたＣ２−Ｃ１０アルキルである。Ｒ２置換基は、メチル、エチル、プロピル、ブチル、ペンチル、ヘキシル、ヘプチル、オクチル、ノニルおよびデシルを含み、それらは置換されてもよく未置換であってもよい。
【００６２】
本発明において提供される化合物において、Ｒ３は、所望により置換されたＣ１−Ｃ１０アルキル、所望により置換されたＣ２−Ｃ１０アルキル、所望により置換されたＣ１−Ｃ６アルキル、および所望により置換されたＣ３−Ｃ２０シクロアルキル、所望により置換されたＣ３−Ｃ６シクロアルキル、所望により置換されたＣ６−Ｃ１０シクロアルキル、ならびに、３個以上のＳｉ原子を有する所望により置換されたシクロシロキサンである。Ｒ３置換基は、メチル、エチル、プロピル、ブチル、ペンチル、ヘキシル、ヘプチル、オクチル、ノニルおよびデシルを含み、それらは置換されてもよく未置換であってもよい。ある実施態様において、Ｒ３は、少なくとも４個のＳｉ原子または４〜２０個のＳｉ原子を有する所望により置換されたシクロシロキサンであることができる。
【００６３】
本発明において提供される化合物において、各サブユニットにおけるＲ４は、独立して、所望により置換されたＣ１−Ｃ１０アルキル、所望により置換されたＣ２−Ｃ１０アルキル、所望により置換されたＣ１−Ｃ６アルキル、所望により置換されたＣ１−Ｃ２０ハロアルキル、所望により置換されたＣ２−Ｃ１０ハロアルキル、所望により置換されたＣ６−Ｃ２０アリール、所望により置換されたＣ６−Ｃ２０ヘテロアリール、３個以上のＳｉ原子を有する所望により置換されたシクロシロキサン、および３−２０個のＳｉ原子を有する所望により置換されたシクロシロキサンであってもよい。各サブユニットにおけるＲ４は、独立して、所望により置換されたＣ１−Ｃ１０アルキル、所望により置換されたＣ２−Ｃ８アルキル、所望により置換されたＣ１−Ｃ１０ハロアルキル、所望により置換されたＣ６−Ｃ１８アリール、所望により置換されたＣ６−Ｃ１２アリール、所望により置換されたＣ６−Ｃ１０アリール、所望により置換されたＣ６−Ｃ１８ヘテロアリール、所望により置換されたＣ６−Ｃ１２ヘテロアリール、および所望により置換されたＣ６−Ｃ１０ヘテロアリールから選択できる。Ｒ４置換基は、メチル、エチル、プロピル、ブチル、ペンチル、ヘキシル、ヘプチル、オクチル、ノニルおよびデシルを含むことができ、それらは、１種以上のハロゲンなど置換されてもよく未置換であってもよい。例えば、Ｒ４置換基の任意のものは、トリフルオロメチル、トリフルオロエチル、またはトリフルオロプロピル基であることができる。Ｒ４置換基の１つ以上は、アリールであることができ、たとえば、所望により置換されたフェニルである。Ｒ４置換基の任意のものは、所望により置換されたシクロシロキサンであってもよく、この場合、シクロシロキサンは、３個または４個あるいはそれ以上のＳｉ原子を有する。Ｒ４置換基の任意のものは、少なくとも４個のＳｉ原子または４−２０個のＳｉ原子を有する所望により置換されたシクロシロキサンであってもよい。
【００６４】
ある実施態様において、本発明で提供されるポリシロキサンは、少なくとも２つのサブユニットａにおけるＲ４が少なくとも４個のＳｉ原子を有するシクロシロキサンであるものを含み、この場合において、少なくとも１つのＳｉ原子は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、ならびにモノ−およびジ−置換アミノ基から選択される基で置換される。ある実施態様において、本発明で提供されるポリシロキサンは、少なくとも２つのサブユニットａにおけるＲ４が少なくとも４個のＳｉ原子を有するシクロシロキサンであるものを含み、この場合において、少なくとも１つのＳｉ原子は、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンまたはＣ１−Ｃ６ハロアルキルで置換されたＣ３−Ｃ１０アリールから選択される基で置換される。
【００６５】
本発明において提供される化合物において、各サブユニットａにおけるＲ５は、独立して、所望により置換されたＣ１−Ｃ１０アルキル、所望により置換されたＣ１−Ｃ６アルキル、所望により置換されたＣ２−Ｃ１０アルキル、所望により置換されたＣ１−Ｃ１０ハロアルキル、所望により置換されたＣ２−Ｃ１０ハロアルキル、所望により置換されたＣ６−Ｃ２０アリール、所望により置換されたＣ６−Ｃ１８アリール、所望により置換されたＣ６−Ｃ１２アリール、所望により置換されたＣ６−Ｃ１０アリール、所望により置換されたＣ６−Ｃ２０ヘテロアリール、所望により置換されたＣ６−Ｃ１８ヘテロアリール、所望により置換されたＣ６−Ｃ１２ヘテロアリール、所望により置換されたＣ６−Ｃ１０ヘテロアリールまたはブチル化アリールオキシプロピルであることができる。各サブユニットａにおける任意の１種以上のＲ５は、独立して、メチル、エチル、プロピル、ブチル、ペンチル、ヘキシル、ヘプチル、オクチル、ノニルおよびデシルから選択でき、それは、１種以上のハロゲンなどで、置換されてもよく、未置換であってもよい。例えば、Ｒ５置換基の任意のものは、トリフルオロメチル、トリフルオロエチルまたはトリフルオロプロピル基であることができる。Ｒ５置換基の１種以上は、所望により置換されたフェニルなどのアリールであることができる。ある実施態様において、少なくとも１つのＲ５はブチル化アリールオキシプロピルであり、または少なくとも１つのＲ５はトリフルオロプロピルであり、あるいは、少なくとも１つの、Ｒ５はフェニルである。
【００６６】
本発明において提供される化合物において、各サブユニットｂにおけるＲ６は、独立して、所望により置換されたＣ１−Ｃ１０アルキル、所望により置換されたＣ２−Ｃ１０アルキル、所望により置換されたＣ１−Ｃ１０ハロアルキル、所望により置換されたＣ２−Ｃ１０ハロアルキル、所望により置換されたＣ１−Ｃ６ハロアルキル、所望により置換されたＣ６−Ｃ２０アリール、所望により置換されたＣ６−Ｃ１８アリール、所望により置換されたＣ６−Ｃ１２アリール、所望により置換されたＣ６−Ｃ１０アリール、所望により置換されたＣ６−Ｃ２０ヘテロアリール、所望により置換されたＣ６−Ｃ１８ヘテロアリール、所望により置換されたＣ６−Ｃ１２ヘテロアリール、所望により置換されたＣ６−Ｃ１０ヘテロアリールまたはブチル化アリールオキシプロピルであることができる。各サブユニットａにおける任意の１種以上のＲ６は、独立して、メチル、エチル、プロピル、ブチル、ペンチル、ヘキシル、ヘプチル、オクチル、ノニルおよびデシルから選択でき、それは、１種以上のハロゲンなどで、置換されてもよく、未置換であってもよい。例えば、Ｒ６置換基の任意のものは、トリフルオロメチル、トリフルオロエチルまたはトリフルオロプロピル基であることができる。Ｒ６置換基の１種以上は、所望により置換されたフェニルなどのアリールであることができる。ある実施態様において、少なくとも１つのＲ６は、ブチル化アリールオキシプロピルであり、または少なくとも１つのＲ６はトリフルオロプロピルであり、あるいは、少なくとも１つのＲ６はフェニルである。
【００６７】
本発明において提供される化合物において、各サブユニットｂにおけるＲ７は、独立して、所望により置換されたＣ１−Ｃ１０アルキル、所望により置換されたＣ２−Ｃ１０アルキル、所望により置換されたＣ１−Ｃ６アルキル、所望により置換されたＣ１−Ｃ２０ハロアルキル、所望により置換されたＣ１−Ｃ１０ハロアルキル、所望により置換されたＣ１−Ｃ６ハロアルキル、所望により置換されたＣ２−Ｃ１０ハロアルキル、所望により置換されたＣ６−Ｃ２０アリール、所望により置換されたＣ６−Ｃ１８アリール、所望により置換されたＣ６−Ｃ１２アリール、所望により置換されたＣ６−Ｃ１０アリール、所望により置換されたＣ６−Ｃ２０ヘテロアリール、所望により置換されたＣ６−Ｃ１８ヘテロアリール、所望により置換されたＣ６−Ｃ１２ヘテロアリール、所望により置換されたＣ６−Ｃ１０ヘテロアリール、３個以上のＳｉ原子を有する所望により置換されたシクロシロキサン、あるいは３−２０個のＳｉ原子を有する所望により置換されたシクロシロキサンであることができる。各サブユニットｂにおける任意の１種以上のＲ７は、独立して、メチル、エチル、プロピル、ブチル、ペンチル、ヘキシル、ヘプチル、オクチル、ノニルおよびデシルから選択でき、それは、１種以上のハロゲンなどで、置換されてもよく、未置換であってもよい。例えば、Ｒ７置換基の任意のものは、トリフルオロメチル、トリフルオロエチルまたはトリフルオロプロピル基であることができる。Ｒ７置換基の１種以上は、所望により置換されたフェニルなどのアリールであることができる。ある実施態様において、少なくとも１つのＲ７はブチル化アリールオキシプロピルであり、または少なくとも１つのＲ７はトリフルオロプロピルであり、あるいは、少なくとも１つのＲ６はフェニルである。
【００６８】
ある実施態様において、少なくとも２つのサブユニットｂにおけるＲ７は、少なくとも４個のＳｉ原子を有するまたは４−２０個のＳｉ原子を有する所望により置換されたシクロシロキサンである。ポリシロキサンのうちの幾つかにおいて、少なくとも２つのサブユニットｂにおけるＲ７は、少なくとも４個のＳｉ原子を有するシクロシロキサンであり、この場合において、少なくとも１つのＳｉ原子は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、ならびにモノ−およびジ−置換アミノ基から選択される基で置換される。本発明において提供されるポリシロキサンのうちの幾つかは、少なくとも２つの置換基ｂにおけるＲ７が少なくとも４個のＳｉ原子を有するシクロシロキサンであるものを含み、この場合において、少なくとも１つのＳｉ原子は、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンまたはＣ１−Ｃ６ハロアルキルで置換されたＣ３−Ｃ１０アリールから選択される基で置換される。
【００６９】
本発明において提供される化合物において、Ｒ８は、所望により置換されたＣ１−Ｃ１０アルキル、所望により置換されたＣ１−Ｃ６アルキル、および所望により置換されたＣ２−Ｃ１０アルキルから選択できる。例えば、Ｒ８置換基は、メチル、エチル、プロピル、ブチル、ペンチル、ヘキシル、ヘプチル、オクチル、ノニルおよびデシルを含み、それらは置換されてもよく未置換であってもよい。
【００７０】
本発明において提供される化合物において、Ｒ９は、所望により置換されたＣ１−Ｃ１０アルキル、所望により置換されたＣ１−Ｃ６アルキル、および所望により置換されたＣ２−Ｃ１０アルキルから選択できる。例えば、Ｒ９置換基は、メチル、エチル、プロピル、ブチル、ペンチル、ヘキシル、ヘプチル、オクチル、ノニルおよびデシルを含み、それらは置換されてもよく未置換であってもよい。
【００７１】
本発明において提供される化合物において、Ｒ１０は、所望により置換されたＣ１−Ｃ１０アルキル、所望により置換されたＣ２−Ｃ１０アルキル、および所望により置換されたＣ１−Ｃ６アルキル、所望により置換されたＣ３−Ｃ２０シクロアルキル、所望により置換されたＣ３−Ｃ６シクロアルキル、所望により置換されたＣ６−Ｃ１０シクロアルキル、および３個以上のＳｉ原子を有する所望により置換されたシクロシロキサンから選択できる。Ｒ１０置換基は、メチル、エチル、プロピル、ブチル、ペンチル、ヘキシル、ヘプチル、オクチル、ノニルおよびデシルを含むことができ、それらは置換されてもよく未置換であってもよい。ある実施態様において、Ｒ１０は、少なくとも４個のＳｉ原子を有する所望により置換されたシクロシロキサンであってもよく、または４−２０個のＳｉ原子、あるいは、４、５、６、７、８、９、１０、１１、１２、１３、１４、１５、１６、１７、１８、１９又は２０個のＳｉ原子を有する所望により置換されたシクロシロキサンであってもよい。
【００７２】
本発明において提供される化合物において、ａは、０−５０、１−２５、１−１０、１−５、２−５、２−３０、５−５０、５−４０、１０−３０または０、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０のうちの任意の数であることができる。本発明において提供される化合物において、ｂは、１−２５、１−１５、１−１０、１−５、２−５、２−２５、５−２５、５−４０、１０−３０あるいは１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９又は５０のうちの任意のものである。  
【００７３】
本発明において提供される化合物において、ｑは、２−１５、２−１０、２−５、５−１０、５−１５、１０-１５、１０-２０あるいは２、３、４、５、６、７、８、９、１０、１１、１２、１３、１４、１５、１６、１７、１８、１９又は２０のうちの任意のものである。本発明において提供される化合物において、ｗは、０−５、１−１０、５−１０、３−６、１−３、８−１０あるいは０、１、２、３、４、５、６、７、８、９または１０のうちの任意のものである。本発明において提供される化合物において、ｙは、０−５、１−１０、５−１０、３−６、１−３、８−１０あるいは０、１、２、３、４、５、６、７、８、９または１０のうちの任意のものであることができる。
【００７４】
本発明において提供される化合物において、各Ｒ７は、所望により置換されたシクロシロキサンであってもよく、ポリシロキサンは、１つおきに非末端Ｓｉ原子を有するシクロシロキサンを有してもよい。ある実施態様において、各Ｒ７は、所望により置換されたシクロシロキサンであり、および各Ｒ４は所望により置換されたアリールである。本発明において提供されるある化合物において、Ｒ３またはＲ１０の少なくとも１つは、シクロシロキサンであり、ある化合物においては、Ｒ３およびＲ１０は、それぞれ独立してシクロシロキサンである。化合物の幾つかにおいては、少なくとも１つのサブユニットｑは、シクロシロキサンで置換されていないＳｉ原子を含む。化合物の幾つかにおいては、Ｒ５およびＲ６の少なくとも１つは、アルキルまたはハロゲンで置換されたアリールである。化合物の幾つかにおいては、Ｒ５およびＲ６はＣ１−Ｃ６アルキルであり、Ｒ４は所望により置換されたアリールであり、Ｒ７は所望により置換されたシクロシロキサンである。化合物の幾つかにおいては、Ｒ５およびＲ６はメチル、エチルまたはプロピルであり、Ｒ４は所望により置換されたＣ６アリールであり、Ｒ７は所望により置換されたシクロシロキサンである。
【００７５】
本発明において提供されるポリシロキサンは、約２００〜５０００００までの分子量を有する。ポリシロキサンは、熱安定性を示し、例えば、１５０℃よりも上、または２００℃よりも上、または３００℃よりも上、または４００℃よりも上の温度にて熱的に安定であることができる。
【００７６】
本発明において提供されるポリシロキサンは、粘度の範囲を示す。ポリシロキサンは、１００秒−１のせん断速度および２５℃で測定した場合に約１５００００センチポイズ（ｃＰ）までの粘度を有するか、１００秒−１のせん断速度および２５℃で測定した場合に５０〜１５００００ｃＰの粘度を有するか、１００秒−１のせん断速度および２５℃で測定した場合に１００〜１０００００ｃＰの粘度を有するか、１００秒−１のせん断速度および２５℃で測定した場合に５０〜５００００ｃＰの粘度を有するか、１００秒−１のせん断速度および２５℃で測定した場合に２５〜１０００００ｃＰの粘度を有するか、１００秒−１のせん断速度および２５℃で測定した場合に２５〜２５０００ｃＰの粘度を有するか、１００秒−１のせん断速度および２５℃で測定した場合に１０〜１００００ｃＰの粘度を有するか、１００秒−１のせん断速度および２５℃で測定した場合に５〜５０００ｃＰの粘度を有するか、１００秒−１のせん断速度および２５℃で測定した場合に５〜１０００ｃＰの粘度を有するか、または、１００秒−１のせん断速度および２５℃で測定した場合に５〜５００ｃＰの粘度を有する。本発明において提供されるポリシロキサンは、疑似塑性レオロジーまたはニュートンレオロジーを有することができる。
【００７７】
提供されるポリシロキサンは、３〜１０個のＳｉ原子、または３〜５個のシリコーン原子、または７〜１０個のシリコーン原子、または５〜７個のシリコーン原子を有することができるシクロシロキサン置換基を含むことができる。本発明において提供されるポリシロキサンは、ヘキサメチルシクロトリシロキサン、オクタメチルシクロテトラシロキサン、デカメチルシクロペタシロキサン、ドデカメチルシクロヘキサシロキサン、テトラデカメチルシクロヘプタシロキサン、ヘキサデカメチルシクロオクタシロキサン、テトラメチルシクロテトラシロキサン、ペンタメチルシクロペンタシロキサン、ペンタメチルシクロテトラシロキサン、ヘキサメチルシクロテトラシロキサン、ヘプタメチルシクロテトラシロキサン、ヘキサメチルシクロペンタシロキサン、オクタメチルシクロペンタシロキサン、ヘプタメチルシクロペンタシロキサンおよびノナメチルシクロペンタシロキサンから選択される１種以上のシクロシロキサン置換基を含むことができる。
【００７８】
本発明において提供されるポリシロキサンは、１０００ｐｓｉにて０．５％〜０．８％の間の圧縮率を有するか、５０００ｐｓｉにて１．７％〜２．８％の間の圧縮率を有するか、１００００ｐｓｉにて３．１％〜４．０％の間の圧縮率を有するか、２００００ｐｓｉにて５％〜１０％の間の圧縮率を有するか、３００００ｐｓｉにて９．２％および１１％の間の圧縮率を有する。
【００７９】
本発明において提供されるポリシロキサンは、シクロシロキサンおよびジアルキルシロキサンを含むコポリマーを含有し、この場合において、シクロシロキサンおよび／またはジアルキルシロキサンは置換されてもよい。ある実施態様において、シクロシロキサンは、３〜１５個のＳｉ原子を含むか、３〜１０個のＳｉ原子を含む。コポリマーは、テトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含む。
【００８０】
本発明において提供されるポリシロキサンがシクロシロキサンを含むコポリマーを含む場合、シクロシロキサンは、１以上のＳｉ原子上に１または２のＣ１−Ｃ６置換基を含むことができる。ある実施態様において、シクロシロキサンの非隣接Ｓｉ原子は、非水素の置換基を含む。ある実施態様において、シクロシロキサンの各Ｓｉ原子は、非水素の置換基を含む。非水素置換基の例は、ハロゲン、Ｃ１−Ｃ６アルキルまたはＣ１−Ｃ６ハロアルキルを含む。ある実施態様において、シクロシロキサンにおけるＳｉ原子は置換基として水素を有さない。ある実施態様において、ポリシロキサンは、（シクロシロキサン−エチル）−アルキルシロキサン-ジアルキルシロキサンコポリマーを含むことができる。コポリマーは、約２％〜約９８％重量の（シクロシロキサン−エチル）−アルキルシロキサンを含むことができる。（シクロシロキサン−エチル）−アルキルシロキサンサブユニットは、コポリマーの約５〜約９５重量％、またはコポリマーの約５％〜約８５％重量、またはコポリマーの約５〜約８０重量％、またはコポリマーの約５％〜約７５重量％、またはコポリマーの約５％〜約７０重量％、またはコポリマーの約５％〜約６５重量％、またはコポリマーの約５％〜６０約重量％、またはコポリマーの約５％〜約５５重量％、またはコポリマーの約５％〜約５０重量％、またはコポリマーの約１０％〜約５０重量％、またはコポリマーの約１５％〜約６５重量％、またはコポリマーの約２０％〜７０重量％、またはコポリマー約２５％〜約７５重量％を構成できる。
【００８１】
また、提供されるポリシロキサンは、サブユニットとして
[２−（ヘプタアルキル−シクロテトラシロキサニル）エチル]−アルキルシロキサン、
[２−（ヘプタメチル−シクロテトラシロキサニル）−エチル]−アルキル−シロキサン、
[２−（ヘプタエチル−シクロテトラ−シロキサニル）エチル]−アルキルシロキサン、
[２−（ヘプタ−プロピル−シクロテトラシロキサニル）エチル]−アルキルシロキサン、
[２−（ヘプタメチル−シクロテトラシロキサニル）−エチル]−メチルシロキサン、
[２−（ヘプタメチル−シクロテトラ−シロキサニル）エチル]−エチルシロキサン、
[２−（ヘプタ−メチル−シクロテトラシロキサニル）エチル]−プロピルシロキサン、
[２−（ヘプタメチル−シクロテトラシロキサニル）−エチル]−ブチルシロキサンまたはそれらの組合せを含有するコポリマーを含むことができる。
コポリマーは、ジアルキルシロキサンを含むことができる。当該技術分野において既知の任意のジアルキルシロキサンを含むことができる。ジアルキルシロキサンの例としては、ジメチルシロキサン、ジエチルシロキサン、ジプロピルシロキサン、ジブチルシロキサン、ジ（トリフルオロメチル）シロキサン、メチル−トリフルオロメチルシロキサンまたはそれらの組合せを含む。
【００８２】
また、提供されるポリシロキサンは、[２−（ヘプタアルキル−シクロテトラシロキサニル）エチル]−アルキルシロキサンサブユニットおよびジアルキルシロキサンサブユニットを含有するコポリマーを含む。ジアルキルシロキサンサブユニットは、[２−（ヘプタアルキル−シクロテトラシロキサニル）エチル]−アルキルシロキサンサブユニットを１つおきに有することができる。２種以上のジアルキルシロキサンサブユニットは、[２−（ヘプタアルキル−シクロテトラシロキサニル）エチル]−アルキルシロキサンサブユニットの間に存在できる。コポリマーはまた、[２−（ヘプタアルキル−シクロテトラシロキサニル）エチル]−メチルシロキサンおよびジメチルシロキサンを含むことができる。
【００８３】
提供されるポリシロキサンは、多数の組成物中に含まれることができる。組成物の例は、消泡組成物、潤滑油組成物、油圧油組成物、撥水組成物、離型組成物、パーソナルケアまたはコスメティック組成物、ハウスケア組成物、ドラッグデリバリー組成物、経皮性ドラッグデリバリー組成物、およびパーソナル潤滑油組成物を含む。
【００８４】
本発明において提供されるものは、本発明において提供される１種以上のポリシロキサンを含む消泡組成物である。消泡組成物は、Ｒ＊３ＳｉＯ０．５ユニットおよびＳｉＯ２ユニットから成るシリコーン樹脂および／または乳化剤を含むことができ、式中、Ｒ＊は一価の炭化水素基、ハロゲン化された一価の炭化水素基、およびアリール基から選択される。ある実施態様において、Ｒ＊は、Ｃ１−Ｃ８アルキル基およびフェニルの中からから選択される。当該技術分野において既知の乳化剤が含まれる。乳化剤の例は、モノステアリン酸ソルビタン、ポリオキシエチレンモノステアリン酸ソルビタン、およびポリオキシエチレンステアレートを含む。ある実施態様において、ポリシロキサンの粘度は、１００秒−１のせん断速度および２５℃で測定した場合に１００〜１０００００センチポイズ（ｃＰ）である。消泡組成物は、水性乳化剤などのエマルションで処方されてもよい。消泡組成物は、また、所望により処理された充填剤、例えば所望により処理されたヒュームドシリカまたは沈降シリカなどを含むことができる。充填剤は、当該技術分野における充填剤処理に使用される既知の任意の化合物で処理できる。例えば、充填剤は、環状ポリシロキサンお予定分子量の直鎖状ポリシロキサンから選択される充填剤処理化合物で処理されてもよい。
【００８５】
ここに記載されるようなポリシロキサンを含む潤滑油組成物も提供される。潤滑油組成物は、１００秒−１のせん断速度および２５℃で測定した場合に約１５００００センチポイズ（ｃＰ）までの粘度を有するか、１００秒−１のせん断速度および２５℃で測定した場合に５０〜１５００００ｃＰの粘度を有するか、１００秒−１のせん断速度および２５℃で測定した場合に１００〜１０００００ｃＰの粘度を有するか、１００秒−１のせん断速度および２５℃で測定した場合に５０〜５００００ｃＰの粘度を有するか、１００秒−１のせん断速度および２５℃で測定した場合に２５〜１０００００ｃＰの粘度を有するか、１００秒−１のせん断速度および２５℃で測定した場合に２５〜２５０００ｃＰの粘度を有するか、１００秒−１のせん断速度および２５℃で測定した場合に１０〜１００００ｃＰの粘度を有するか、１００秒−１のせん断速度および２５℃で測定した場合に５〜５０００ｃＰの粘度を有するか、１００秒−１のせん断速度および２５℃で測定した場合に５〜１０００ｃＰの粘度を有するか、または、１００秒−１のせん断速度および２５℃で測定した場合に５〜５００ｃＰの粘度を有するポリシロキサンを含むことができる。潤滑油組成物において、ここで含有されるポリシロキサンは、組成物の約０．１％〜５０重量％、または組成物の約５０％〜９９重量％の量で存在できる。
【００８６】
潤滑油組成物はさらに、固体潤滑剤を含有できる。当該技術分野において既知の任意の固体潤滑剤を含むことができる。固体潤滑剤の例は、グラファイト、グラファイトフッ化物、バッキ−ボール、モリブデンジスルフィド、窒化ホウ素、タングステンジスルフィド、中空フラーレン様ナノ粒子、金属ジハロゲン化物およびポリテトラフルオロエチレンを含む。
【００８７】
また、ここで提供されるポリシロキサンを含む油圧油組成物が提供される。油圧油組成物は、１００秒−１のせん断速度および２５℃で測定した場合に約１５００００センチポイズ（ｃＰ）までの粘度を有するか、１００秒−１のせん断速度および２５℃で測定した場合に５０〜１５００００ｃＰの粘度を有するか、１００秒−１のせん断速度および２５℃で測定した場合に１００〜１０００００ｃＰの粘度を有するか、１００秒−１のせん断速度および２５℃で測定した場合に５０〜５００００ｃＰの粘度を有するか、１００秒−１のせん断速度および２５℃で測定した場合に２５〜１０００００ｃＰの粘度を有するか、１００秒−１のせん断速度および２５℃で測定した場合に２５〜２５０００ｃＰの粘度を有するか、１００秒−１のせん断速度および２５℃で測定した場合に１０〜１００００ｃＰの粘度を有するか、１００秒−１のせん断速度および２５℃で測定した場合に５〜５０００ｃＰの粘度を有するか、１００秒−１のせん断速度および２５℃で測定した場合に５〜１０００ｃＰの粘度を有するか、または、１００秒−１のせん断速度および２５℃で測定した場合に５〜５００ｃＰの粘度を有する。油圧油組成物において、ここに含有されるポリシロキサンは、組成物の０．１％〜５０重量％の濃度、組成物の５０〜１００重量％の濃度などの任意の濃度で存在できる。油圧油組成物はまた、１種以上の成分、例えば、染料、熱安定剤、酸化防止剤、分散剤、耐摩耗添加剤、潤滑添加剤、金属不動態化剤、消泡剤、耐可燃性剤、難燃剤、さび止め剤、摩擦改良剤および腐食抑制剤を更に含有できる。
【００８８】
ある実施態様において、油圧油組成物は、本発明で提供されるポリシロキサンを約９１．９〜９９．８重量％；０．００５−０．１重量％または０．０２−０．２重量％の酸化防止剤；および所望による約０．０１〜１．０重量％の消泡剤を含むことができる。油圧油組成物は、０．０１〜１．０重量％の流出点分散剤および／または０．１０−１．０重量％の腐食抑制剤および／または０．００５〜５．０重量％の潤滑性添加剤をさらに含むことができる。当該技術分野において既知の酸化防止剤を含有できる。酸化防止剤の例は、2,4,6-トリ-tert-ブチルフェノール、2,6-ジ-tert-ブチル-4-n-ブチルフェノール、2,6-ジ-tert-ブチル-4-メチルフェノールまたはn-オクタデシル3-(3,5-ジ-tert-ブチル-4-ヒドロキシフェニル)プロピオネート、ペンタエリスリトールテトラキス[3-(3,5-ジ-tert-ブチル-4-ヒドロキシフェニル)プロピオネート]、ジ-n-オクタデシル(3、5-ジ-tert-ブチル-4-ヒドロキシベンジル)ホスフォネート、2,4,6-tris(3,5-ジ-tert-ブチル-4-ヒドロキシベンジル)メシチレン、tris(3,5-ジ-tert-ブチル-4-ヒドロキシベンジル)-イソシアヌレートまたはヒンダードピペリジンカルボン酸、2,6-ヒドロキシ-9-アザビシクロ[3.3.1]-ノナンのアシル化誘導体、もしくはビシクロヒンダードアミンもしくはジフェニルアミンもしくはジナフチルアミン、フェニルナフチルアミン、Ｎ、Ｎ'-ジフェニルフェニレンジアミンもしくはｐ-オクチル-ジフェニルアミン、ｐ、ｐ-ジオクチルジフェニルアミン、Ｎ-フェニル-1-ナフチルアミン、Ｎ-フェニル-2-ナフチルアミン、Ｎ-(ｐ-ドデシル)フェニル-2-ナフチルアミン、ジ-1-ナフチルアミン、ジ-2-ナフチルアミン、Ｎ-アルキルフェノチアジン、イミノ(ビスベンジル)、6-(tert-ブチル)フェノール、2,6-ジ-(tert-ブチル)フェノール、4-メチル-2,6-ジ-(tert-ブチル)フェノール、4,4'-メチレン-ビス(-2,6-ジ-(tert-ブチル)フェノール)、メチルヒドロキシヒドロシナミド、フェノチアジン誘導体、アルキル化5-アミノテトラゾール、ジ-tert-ブチル-p-アミノフェノールおよびそれらの混合物を含む。
【００８９】
消泡剤を含有するここで提供される油圧油組成物において、当該技術分野において既知の任意の消泡剤を含むことができる。消泡剤の例は、シリコーンオイル、ポリビニルアルコール、オクタノールおよびそれらの混合物を含む。流出点分散剤を含有するここで提供される油圧油組成物において、当該技術分野において既知の任意の流出点分散剤を含むことができる。流出点分散剤の例は、ジエチルヘキシルアジペート、ポリメタクリレート、アルキル化ナフタレン誘導体、ポリビニルアクリレートおよびそれらの混合物を含む。
【００９０】
腐食抑制剤を含有するここで提供される油圧油組成物において、当該技術分野において既知の任意の腐食抑制剤を含むことができる。腐食抑制剤の例は、オクチル-１Ｈ-ベンゾトリアゾール、ジ−ターシャリーブチル化１Ｈ-ベンゾトリアゾール、プロピルガラート、ポリオキシアルキレンポリオール、オクタデシルアミン、ノニルフェノールエトキシレート、水素化ペンタデシルフェノールのカルシウムフェノレート、マグネシウムアルキルベンゼンスルホネートおよびそれらの混合物を含む。
【００９１】
さび止め剤を含有するここで提供される油圧油組成物において、当該技術分野において既知の任意のさび止め剤を含むことができる。さび止め剤の例は、有機酸およびそれらのエステル、Ｎ−オレイル−サルコシン、ソルビタンモノオレート、鉛ナフテネート、アルケニルコハク酸無水物、４−ノニルフェノキシ−酢酸；第１級、第２級もしくは第３級脂肪族アミンもしくは脂環式アミン、および有機酸と無機酸のアミン塩、置換イミダゾリンおよびオキサゾリン；リン酸部分エステルもしくはホスホン酸部分エステルおよび亜鉛ジアルキル−ジチオ−リン酸塩のアミン塩；バリウム−ジノニル−ナフタレン−スルホネートおよびカルシウム石油スルホネートを含む。
【００９２】
耐摩耗添加剤を含有するここで提供される油圧油組成物において、当該技術分野において既知の任意の耐摩耗添加剤を含むことができる。耐摩耗添加剤の例は、硫黄化植物油、亜鉛ジアルキル−ジチオ−ホスフェート、トリトリル−ホスフェート、塩素化パラフィン、アルキルおよびアリールジ−スルフィドおよびトリスルフィド、トリフェニル−ホスホロ−チオネート、ジエタノールアミノエチルトリルトリアゾールおよびジ（２−エチルヘキシル）アミノメチルトリトリアゾールを含む。
【００９３】
また、ここで提供されるポリシロキサンを含む撥水組成物が提供される。ここで提供されるポリシロキサンは、任意の濃度で存在でき、例えば、組成物の約５０％〜１００重量％、組成物の約０．５〜約５０重量％の濃度で存在できる。ここで提供される撥水組成物は、１種以上の添加剤を更に含有できる。添加剤の例は、ワックス、三級脂肪アミン、金属石けん、防かび剤、殺菌剤、および難燃剤ならびにそれらの混合物を含む。１種以上の添加剤は任意の濃度で存在でき、組成物の約０．５〜１５重量％の濃度で存在できる。撥水組成物は、エマルション状態であってもよく、溶液状態であってもよい。
【００９４】
また、ここで提供されるポリシロキサンを含む離型剤組成物が提供される。ここで提供されるポリシロキサンは、任意の濃度で存在でき、例えば、組成物の約５０％〜１００重量％の濃度、組成物の約０．５〜約５０重量％の濃度で存在できる。離型剤組成物は、更に、増粘剤を含有できる。当該技術分野において既知の任意の増粘剤を含むことができる。増粘剤の例は、スルホン化ポリスチレン、親水性クレー、消化型澱粉、キサンタンガム、ゲランガム、ウェランガム、ラムサン(rhamsan)ガム、ジウタン(diutan)、アルギン酸塩アルギネート、アルギン酸カリウム、カードラン、キトサン、グアーガム、ローカストビーンガム、カルボキシ置換セルロースエステル、例えばカルボキシメチルセルロースなど、ヒドロキシプロピルセルロース、メチルセルロースおよびそれらの組合せを含む。増粘剤は、任意の濃度で存在でき、例えば、組成物の０．０５〜約５０重量％の間の濃度で存在できる。
【００９５】
ここで提供される離型剤組成物は、有機溶媒を含有できる。有機溶媒の例は、トルエン、キシレン、メタノール、エタノール、イソブタノール、ｎ−ブタノール、エチルアセテート、メチルエチルケトン、アセトン、テトラヒドロフラン、イソプロパノール、ジメチルホルムアルデヒドおよびN−メチルピロリドンならびにそれらの組合せを含む。有機溶媒は任意の濃度で存在でき、例えば、組成物の１〜８０重量％の濃度で存在できる。離型剤組成物は、更に、１種以上の添加剤を含有できる。当該技術分野において既知の任意の添加剤を含むことができる。添加剤の例は、帯電防止剤、表面活性剤、酸化防止剤、潤滑剤、難燃剤、着色剤、光安定剤および熱安定剤、ならびにそれらの組合せを含む。
【００９６】
また、ここで提供されるポリシロキサンを含むパーソナルケア組成物および化粧品組成物が提供される。組成物は、ポリシロキサンを任意の量で含有できる。例えば、ポリシロキサンは、組成物の約５０〜１００重量％の濃度で存在でき、または、組成物の約０．５〜５０重量％の濃度で存在できる。パーソナルケア組成物および化粧品組成物は、溶液、エマルション、泡、ムース、クリーム、ジェル、ローション、軟膏、固体、粉末、ペースト、半固体、スティック、スプレーまたはそれらの組得合わせの状態であってもよい。パーソナルケア組成物および化粧品組成物の例は、デオドラント、制汗剤、防虫剤、麻酔、スキンコンディショナー、スキンローション、スキンモイスチャー、スキン化粧液、スキン殺菌剤、スキン洗浄組成物、スキン緩和剤、および潤滑組成物、日よけ剤、老化防止製品、コンシーラー製品、石けん、フォーミングバス製品、シャワージェル、クレンジング製品、シャンプー、ヘアーコンディショナー、ヘアースタイリングジェル、ヘアーふけ防止組成物、育毛促進組成物、ヘアー着色組成物、ヘアーブリーチ剤組成物、ヘアー抗フリージング(anti-frizzing)剤組成物、ヘアー光沢組成物、ヘアーリラクサー組成物、ムース、スタイリングジェル、ヘアースプレー、ヘアー染料、ヘアーウェービング組成物、ヘアーストレート製品、シェービング製品組成物、パーソナル潤滑剤組成物、殺精子剤ゲル組成物、マニキュア組成物、ネイル研磨剤、マニキュア除去剤、ネイルクリームおよびローション、キューティクル軟化剤、カラー化粧品、口紅、リップバーム、ファンデーション、フェイスパウダー、アイライン、アイシャドウ、頬紅、化粧品、マスカラおよびカラー化粧品除去剤を含む。
【００９７】
パーソナルケア組成物および化粧品組成物は更に、パーソナルケア組成物および化粧品組成物と混合可能な添加剤を含む。当該技術分野において既知の任意の添加剤を含むことができる。添加剤の例は、皮膚軟化剤、モイスチャー、保湿剤、顔料、染料、真珠光沢化合物、真珠箔、ビスマスオキシクロリド被覆マイカ、二酸化チタン被覆マイカ、着色剤、香料、殺生物剤、防腐剤、αヒドロキシ酸、酸化防止剤、抗菌剤、抗カビ剤、制汗剤、離型剤(exfoliant)、ホルモン、酵素、医薬化合物、ビタミン、塩、電解質、アルコール、ポリオール、ポリプロピレングリコール、ポリイソブテン、ポリオキシエチレン、グリコール、ポリイソブテンポリオキシエチレン、ベヘン酸、ベヘニル、糖アルコール、紫外線吸収剤、植物抽出物、界面活性剤、シリコーンオイル、有機オイル、ワックス、アルカリもしくは酸もしくは緩衝剤、膜形成剤、増粘剤、ヒアルロン酸、ヒュームドシリカ、水和シリカ、タルク、カオリン、澱粉、変性澱粉、マイカ、ナイロン、クレー、ベントナイト、有機変性クレーおよびそれらの組合せを含む。
【００９８】
例えば、添加剤は皮膚軟化剤であることができる。皮膚軟化剤の例は、イソドデカン、イソヘキサデカン、水素化ポリイソブテン、ワックス、ココアバター、シアバター、シクロペンタシロキサン、ジメチコン、ビス−フェニルプロピルジメチコン、オクチルドデシルネオペンタノエート、オレイルオレート、オレイルアルコールおよびイソミリスチルアルコールおよびそれらの組合せを含む。添加剤は、ワックスであってもよい。ワックスの例は、ホホバワックス、ベスワックス、カルナウバワックス、キャンデリラワックス、サトウキビワックス、パラフィンワックス、モンタンワックス、微結晶ワックス、ラノリンワックス、エチレンの十合から誘導されるポリエチレンワックス、シリコーンワックスおよびそれらの組合せを含む。
【００９９】
また、ここで提供されるポリシロキサンを含む家庭用ケア組成物が提供される。組成物は、任意の量のポリシロキサンを含有できる。例えば、ポリシロキサンは、組成物の約５０〜１００重量％の濃度で存在でき、または組成物の０．５〜５０重量％の濃度で存在できる。
【０１００】
家庭用ケア組成物の例は、洗濯石けんおよび柔軟剤、織物サイジング剤、皿および硬表面洗剤、硬表面殺菌剤、多用途キッチン洗剤および消毒剤、トイレ洗剤、バスタブおよびタイル洗剤、および消毒調合剤、研磨化合物、木材、家具、自動車または船舶処理用のワックスおよび研磨組成物、農薬調合剤、スタティック制御調合剤、空気デオドラント／芳香剤、およびラグおよび室内装飾用シャンプー、クリーナーおよびデオドライザーを含む。
【０１０１】
また、皮膚に対して薬剤を局所適用するためのドラッグデリバリー組成物が提供され、この場合において、組成物は、個々で提供されるポリシロキサンを含む。
【０１０２】
ドラッグデリバリー組成物を、経皮的なドラッグデリバリー組成物またはシステムとして配合できる。組成物は、任意の量のポリシロキサンを含むことができる。例えば、ポリシロキサンは、組成物の約５０〜１００重量％の濃度で存在でき、または組成物の約０．５〜５０重量％の量で存在できる。
【０１０３】
また、ここで提供されるポリシロキサンを含むパーソナル潤滑剤組成物が提供される。組成物は、任意の量のポリシロキサンを含むことができる。例えば、ポリシロキサンは、組成物の約５０〜１００重量％の濃度で存在でき、または組成物の約０．５〜５０重量％の量で存在できる。
【０１０４】
パーソナル潤滑剤組成物は、更に、直鎖および／または環状シリコーン液を含むことができる。シリコーン液の例は、シクロメチコン、トリシロキサン、揮発性ジメチコン、ポリアルキルシロキサン、ポリジアルキルシロキサン、メチルトリメチコン、シクロポリシロキサン、およびそれらの混合物を含む。シクロポリシロキサンを組成物が含む場合、シクロポリシロキサンは任意の数のアルキル基、例えば、Ｃ１−Ｃ１０アルキル基など、または任意の数のアルコキシ基、例えばＣ１−Ｃ１０アルコキシ基を含有できる。シリコーン液を組成物が含有する場合、当該技術分野において既知の任意のシリコーン液が含まれる。シリコーン液の例は、オクタメチルシクロテトラシロキサン（シクロメチコンテトラマー）、デカメチルシクロペンタシロキサン（シクロメチコンペンタマー）、シクロメチコンヘキサマー、シクロペンタシロキサン、メトキシプロピルヘプタメチルシクロテトラシロキサンおよびそれらの組合せを含む。パーソナル潤滑組成物は、更にトコフェロールまたはトコトリエノールを含むことができる。パーソナル潤滑組成物は、更に、添加剤、例えば防腐剤、着色剤または香料添加剤を含むことができる。
【０１０５】
また、ここで提供されるシクロシロキサン置換ポリシロキサンを用いる方法と、ポリシロキサンを含有する組成物使用する方法を提供する。提供される方法は、機械的な操作および機械装置などにおける、２以上の相互作用表面間、例えば金属／金属、金属／プラスチック、プラスチック／ゴムおよび金属／ゴム表面相互作用における摩擦力を減少させる方法である。方法は、ここで提供される１種以上のシクロシロキサン置換ポリシロキサンを含有する潤滑剤組成物を、相互作用表面の少なくとも１種に施すことを含む。また、提供される方法は、系における１種以上の成分に対して潤滑性を施すための方法であり、この場合において、該方法は、ここで提供されるシクロシロキサン置換ポリシロキサンを含有する潤滑剤組成物と１種以上の構成要素を接触させることを含む。
【０１０６】
伝達力を油圧的に行う方法が提供される。該方法は、密閉された流体に力を加えること、およびある程度の距離が設けられることが多い流体が力を伝達することを含み、この場合において、密閉された流体は、ここで提供されるシクロシロキサン置換ポリシロキサンを含む油圧油である。
【０１０７】
ここで提供されるポリシロキサンは、また、製造における補助として使用される。例えば、発泡が問題となる系において泡を減少させる方法が提供され、この場合において、該方法は、ここで提供されるシクロシロキサン置換ポリシロキサンを含む消泡組成物が泡を抑制する量で添加されることを含む。
【０１０８】
ここで提供されるポリシロキサンは、また、基材の表面特性を変性するのに使用できる。例えば、基材の防水性、撥水性をもたらす方法が提供され、この場合において、方法は、ここで提供されるシクロシロキサン置換ポリシロキサンを含む撥水剤を基材に施すことを含む。変性される表面は任意の基材であることができ、例えば、コンクリート、モルタル、煉瓦、スタッコ、タイル、木材、セラミック、金属、プラスチック、ガラス、繊維製品、皮革および紙である。撥水組成物は、当該技術分において既知の任意方法、例えば、基材上に組成物を浸漬、噴霧またはブラッシングなどで基材に塗布できる
【０１０９】
また、被覆基材を製造する方法が提供される。該方法は、ここで提供されるシクロシロキサン−置換ポリシロキサンを含有する離型剤組成物の層を第１基材に塗布し、該組成物を乾燥させることを含み、第１基材上のコーティングは第１基材に対する第２基材の接着を妨げるか減少させる膜を形成する。コーティングは任意の表面に施され、離型コーティングを形成できる。基材の例は、プラスチック、フィルム、ダイおよび金型、紙、不織布、金属および金属箔を含む。フィルムの例は、１種以上のポリマー、例えば、ポリエチレン、ポリプロピレン、ポリブチレン、ポリブタジエン、塩化ビニル、ポリエチレンテレフタレート、ポリエチレンナフタレート、ポリブチレンテレフタレート、ポリイミド、ポリエーテルイミド、ポリエーテルケトン、ポリエーテルエーテルケトン、エチレン／ビニルアセテートコポリマー、エチレン／（メタ）アクリル酸コポリマー、ポリカーボネート、ポリメチルメタクリレート、トリアセチルセルロースおよびポリノルボルネンまたはそれらの組合せを含むことができる。コーティングは、任意の紙または当該分野において既知の不織布物品に施すことができる。紙の例は、被覆または非被覆砕木パルプ、カレンダー処理されたまたは未カレンダー処理のクラフト紙、酸不含紙、被覆または非被覆木質不含紙、リント不含紙、グラシンペーパー、クレー被覆紙、樹脂被覆紙、ポリエチレンラミネート紙、ポリプロピレンラミネート紙、および板紙を含む。ここで提供される例において、離型剤組成物は、当該技術分野において既知の任意の方法、例えば、グラビアコーティング、ロールコーティング、ブレードコーティング、ナイフコーティング、バーコーティングまたはスプレーコーティングなどを用いて施すことができる。
【０１１０】
また、目的物に対して活性剤を誘導する方法が提供される。該方法は、ここで提供されるシクロシロキサン置換ポリシロキサンを含有する組成物中に活性剤を溶解、溶媒和または分散させ、活性剤デリバリー組成物を形成し、および活性剤デリバリー組成物を、それらを必要とする目的物に塗布することを含む。活性剤デリバリー組成物は、投薬形態、例えばクリーム、軟膏、ローション、溶液エマルションまたは、パッチ型の経皮的デリバリーシステムなどの経皮的デリバリーデバイスなどに配合されてもよい。パッチとして配合される場合、表面積は任意のサイズであり、例えば、１〜２００ｃｍ２の表面積を有することができる。
【０１１１】
また、目的物の体表を潤滑させる方法を提供し、この場合において、該方法は、例えば、体表に対して、ここで提供されるシクロシロキサン−置換ポリシロキサンを含有するパーソナル潤滑剤組成物を２５μｌ〜１００ｍLの量で施し、潤滑剤組成物を摩擦させ、潤滑作用をもたらすことを含む。また、目的となる生殖器を潤滑させる方法を提供し、この場合において、該方法は、目的となる１または複数の生殖器表面に対して、ここで提供されるシクロシロキサン−置換ポリシロキサンを含有するパーソナル潤滑剤組成物の若干量を施すことを含む。該組成物は、膣、陰茎または両方に施すことができる。
【０１１２】
また、膣の潤滑をもたらす方法が提供され、該方法は、ここで提供されるシクロシロキサン置換ポリシロキサンを含有するパーソナル潤滑組成物を、それを必要とする患者の膣に施すことを含む。また、目的とする生殖器に薬剤または栄養補助組成物を提供するための方法がもたらされる。該方法は、ここで提供されるシクロシロキサン−置換ポリシロキサンを含有するパーソナル潤滑剤組成物に薬剤または栄養補助組成物を溶解または分散させ、デリバリー組成物を形成し、該デリバリー組成物を、それを必要とする患者の生殖器に施すことを含む。
【０１１３】
詳細な説明
開示を明確にするために、そして限定することなく、詳細な説明は以下の小区分に分けられる。
概要
Ａ．定義
Ｂ．シリコーン
Ｃ．化合物の詳細
１．式Ｉのシクロシロキサン−置換ポリシロキサン
２．式Ｉシクロシロキサン−置換ポリシロキサンのせん断薄化
Ｃ．化合物の調製
Ｄ． 式Ｉのシクロシロキサン−置換ポリシロキサンの調製
Ｅ． 用途
１． 機械潤滑流体組成物
２． 油圧油組成物
３． 消泡組成物
４． 撥水組成物
５． 離型剤組成物
６． パーソナルケアおよび化粧品用途
７． ハウスホールドケア組成物
Ｆ． 製造品
Ｇ． 実施例
【０１１４】
Ａ．定義
他に規定のない限り、ここで使用される全ての技術用語および科学用語は、本発明が属する技術分野における当業者により通常理解されるものと同じ意味である。ここにおける全ての開示関連する全ての特許、特許出願、公開された出願および公報、ウェブサイトおよび他の公開媒体は、他に記載のない限り、それらの全体を参照することにより組み込まれる。ここで記載される用語に関する複数の定義が存在する場合、このセクションにおける定義が有効である。参照がＵＲＬまたは他の識別個またはアドレスで表される場合、このような識別子は変化でき、インターネットにおける特定の情報も往来できるが、インターネットを調べることにより同等の情報を見つけることができる。それらに関するリファレンスは、有効性を証明し、このような情報の公衆に対する普及を証明する。
【０１１５】
ここで使用されるように、用語「活性剤」は、健康維持に役立つように使用する候補物質または治療薬である任意の化合物または薬物に関するか、または治療用に設計される鉛化合物、あるいは薬剤に関する。このような化合物は低分子であることができ、小さな有機分子、ペプチド、ペプチド模倣薬、アンチセンス分子、抗体、抗体のフラグメント、組み替え抗体を含む。
【０１１６】
ここで使用されるように、「生物活性」は、化合物、組成物または他の混合物の生体内投与によりもたらされる化合物の生体内活性または生理学的反応に関する。従って、生物活性は、このような化合物、組成物または他の混合物の治療効果および薬学的活性を包含する。生物活性は、このような活性剤を使用または試験し意図される生体内系において観察できる。
【０１１７】
ここで使用されるように、用語「評価する」およびそれらの文法的変化は、ポリペプチドの活性に関する絶対値を得るという意味、また、指数、割合、パーセンテージ、視覚および活性の程度を表す他の値を得るという意味の定性的決定および定量的決定を含むことを目的とする。評価は直接的であってもよく、間接的であってもよい。
【０１１８】
ここで使用されるように、用語「エマルション」は、二つの混合できない流体物質の安定懸濁液に関し、この場合において１つの流体（液体など）は、他の流体中に微粒子または小球として懸濁または分散している（例えば、水中に分散したオイル、またはキャリヤ流体中に分散したシリコーン）。
【０１１９】
ここで使用されるように、「流体」は、流れることができる任意の組成物に関する。従って、流体は、半固体、ペースト、溶液、水溶液、ゲル、ローション、クリームおよび他のこのような組成物の形態である組成物を包含する。
【０１２０】
ここで使用されるように、Ｃ１−Ｃｘは、Ｃ１−Ｃ２、Ｃ１−Ｃ３・・・Ｃ１−Ｃｘを含む。
【０１２１】
ここで使用されるように、用語「アルキル」は、単独でまたは組み合わせた状態で、少なくとも１つの炭素原子を含有し、炭素原子間に二重結合または三重結合を有さない直鎖、分岐、または環状鎖に関する。ここで使用されるように、用語「低級アルキル」は、Ｃ１−Ｃ６アルキルに関する。
【０１２２】
ある実施態様において、アルキルは１〜２０個の炭素原子を含有する。ここに記載されるときはいつでも、「１〜２０」などの数値範囲は与えられた範囲における各整数に関し、例えば、「１〜２０個の炭素原子」は、アルキル基が１個の炭素原子のみ、２個の炭素原子、３個の炭素原子などを含むことができ、２０個以下の炭素原子を含むことができる。一方で、用語「アルキル」はまた炭素原子の数値範囲が設定されていない場合も含む。ある実施態様において、アルキルは１〜１０個の炭素原子を含有する。ある実施態様に、アルキルは１〜８個の炭素原子を含有する。アルキルは、「Ｃ１−Ｃ４アルキル」または同様の意味として表されることもできる。例えば「Ｃ１−Ｃ４アルキル」として表される場合、１、２、３または４個の炭素原子を有するアルキルを表し、すなわち、アルキルは、メチル、エチル、プロピル、イソ−プロピル、ｎ−ブチル、イソ−ブチル、ｓｅｃブチルおよびｔ−ブチルから選択される。従って、Ｃ１−Ｃ４は、Ｃ１−Ｃ２およびＣ１−Ｃ３アルキルを含む。アルキルは置換されていてもよく、未置換であってもよい。これらに限定されないが、アルキルは、メチル、エチル、プロピル、イソプロピル、ブチル、イソブチル、ターシャリーブチル、ペンチル、ヘキシル、エテニル、プロペニル、ブテニル、シクロプロピル、シクロブチル、シクロペンチルおよびシクロヘキシルを含み、これらは所望により置換される。
【０１２３】
ここで使用されるように、用語「アルケニル」は、単独でまたは組み合わせた状態で、少なくとも２個の炭素原子を含有し、および少なくとも１つの炭素−炭素二重結合（アルケン基）を含有するアルキルに関する。ある実施態様において、アルケニルは、所望により置換される。
【０１２４】
ここで使用されるように、用語「アルキニル」は、単独でまたは組み合わせた状態で、少なくとも２個の炭素原子を含有し、および少なくとも１つの炭素−炭素三重結合（アルキン基を含有するアルキルに関する。ある実施態様において、アルキニルは、所望により置換される。
【０１２５】
ここで使用されるように、用語「ハロ」または「ハロゲン」は、７個の価電子有する周期表のVIIAグループにおける要素に関する。ハロゲンの例は、フッ素、塩素、臭素およびヨウ素を含む。
【０１２６】
ここで使用されるように、「擬ハロ」または「擬ハロゲン」は、ハロゲン化物／ハロゲンに実質的に同じ挙動を示す化合物に関する。このような化合物は、ハロゲン化物／ハロゲンのように同じ方法で使用でき、同じ方法で処理できる（Ｘ−、この場合Ｘはハロゲンであり、例えばＣｌ、Ｆ、ＩまたはＢｒなどである）。これらに限定されないが、擬ハロゲンは、シアニド、シアン酸塩、チオシアネート、セレノシアネート、トリフルオロメトキシ、トリフルオロメチルおよびアジドを含む。
【０１２７】
ここで使用されるように、「ハロアルキル」は、単独でまたは組み合わせた状態で、少なくとも１つの水素原子がハロゲン原子と置き換わったアルキルに関する。ある実施態様において、２個以上の水素原子はハロゲン原子と置き換えられ、ハロゲン原子は相互に全て同じである。このような実施態様のうちの幾つかは、全てのハロゲン原子は相互に同じではない。あるハロアルキルは、あらゆる炭素−炭素二重結合または炭素−炭素三重結合を含まない飽和ハロアルキルである。あるハロアルキルはハロアルケンであり、それは１個以上の炭素−炭素二重結合を含む。あるハロアルキルはハロアルキンであり、それは１個以上の炭素−炭素三重結合を含む。ある実施態様において、ハロアルキルは所望により置換される。
【０１２８】
任意に付与された置換基の数が指定されない場合（例えば「ハロアルキル」）、１以上の置換基が存在できる。例えば、「ハロアルキル」は１以上の同一または異なるハロゲンを含むことができる。例えば、「ハロアルキル」はＣＦ３、ＣＨＦ２およびＣＨ２Ｆの各置換基を含む。
【０１２９】
ここで使用されるように、用語「ヘテロアルキル」は、単独でまたは組み合わせた状態で、アルキルと１種以上のヘテロ原子を含有する基に関する。あるヘテロアルキルは、飽和ヘテロアルキルであり、炭素原子間に二重結合または三重結合を有さないものである。あるヘテロアルキルは、ヘテロアルケンであり、それは、少なくとも１つの炭素−炭素二重結合を含む。あるヘテロアルキルは、ヘテロアルキンであり、それは、少なくとも１つの炭素−炭素三重結合を有する。あるヘテロアルキルはアシルアルキルであり、この場合において、アルキル鎖内に１以上のヘテロ原子が存在する。これらに限定されないが、ヘテロアルキルの例は,ＣＨ３Ｃ（＝Ｏ）ＣＨ２−、ＣＨ３Ｃ（＝Ｏ）ＣＨ２ＣＨ２−、ＣＨ３ＣＨ２Ｃ（＝Ｏ）ＣＨ２ＣＨ２−、ＣＨ３Ｃ（＝Ｏ）ＣＨ２ＣＨ２ＣＨ２−、ＣＨ３ＯＣＨ２ＣＨ２−、ＣＨ３ＯＣ（＝Ｏ）ＣＨ２−およびＣＨ３ＮＨＣＨ２−を含む。ある実施態様において、ヘテロアルキルは所望により置換される。
【０１３０】
ここで使用されるように、用語「ヘテロハロアルキル」は、単独でまたは組み合わせた状態で、少なくとも１つの水素原子がハロゲン原子で置換されたヘテロアルキルに関する。ある実施態様において、ヘテロアルキルは所望により置換される。
【０１３１】
ここで使用されるように、用語「環」は、共有結合的に閉じられた構造に関する。例えば、環は、炭素環（例えば、アリールおよびシクロアルキル）、ヘテロ環（例えば、ヘテロアリールおよび非芳香族ヘテロ環）、芳香族（例えば、アリールおよびヘテロアリール）および非芳香族（例えば、シクロアルキルおよび非芳香族ヘテロ環）を含む。環は、所望により置換されてもよい。環は環系の部分を形成できる。
【０１３２】
ここで使用されるように、用語「環系」は、２以上の環に関し、この場合、２以上の環が結合される。用語「結合(fused)」は２以上の環が１以上の化学結合を共有する構造に関する。
【０１３３】
ここで使用されるように、用語「ヘテロ環」は、環を形成する少なくとも１つの原子が炭素原子であり、および環を形成する少なくとも１つの環がヘテロ原子である環に関する。ヘテロ環の環は、３、４、５、６、７、８、９、または９以上の原子により形成されてもよい。これらの原子の任意の数がヘテロ原子であることができる（すなわち、環中の少なくとも１つの原子は炭素原子がもたらされるヘテロ環の環は、１、２、３、４、５、６、７、８、９、または９以上のヘテロ原子を含有できる。）。ここで、ヘテロ環中における炭素原子の数が示される場合（例えば、Ｃ１-Ｃ６ヘテロ環）、少なくとも１つの他の原子（ヘテロ原子）が環中に存在しなければならない。「Ｃ１-Ｃ６ヘテロ環」などの意味はただ単に環中の炭素原子数に関し、環中の総原子数に関するものではない。ヘテロ環の環は、環中に更なるヘテロ原子を有するものと理解される。「４-６員環のヘテロ環」などの表記は、環を構成する原子の総数である。すなわち、少なくとも１つの原子が炭素原子であり、少なくとも１つの原子がヘテロ原子であり、残りの２〜４個の原子が炭素原子またはヘテロ原子である、４、５または６員環である。２以上のヘテロ原子を含有するヘテロ環において、これらの２以上のヘテロ原子は同じであってもよく、相互に異なっていてもよい。ヘテロ環は、所望により置換できる。ヘテロ環へ結合することはヘテロ原子または炭素原子を介して行うことができる。これらに限定されないが、ヘテロ環の例を以下に示す：
【０１３４】
【化５】
2013539484.tif 000006
式中、Ｗ、Ｘ、ＹおよびＺは独立して、ヘテロ原子を表す。各Ｗ、Ｘ、ＹおよびＺは同じであってもよく、相互に異なっていてもよい。
【０１３５】
ここで使用するように、用語「炭素環」は、環に関し、この場合において、環を形成する原子は、炭素原子である。炭素環は３、４、５、６、７、８、９または９以上の炭素原子により形成できる。炭素環は所望により置換できる。
【０１３６】
ここで使用するように、「ヘテロ原子」は炭素または水素以外の原子に関する。ヘテロ原子は、主に独立して、酸素、硫黄、窒素およびリンから選択されるが、これらの原子に限定されない。２以上のヘテロ原子が存在する実施態様において、２以上のヘテロ原子は相互に全て同じであってもよく、または２以上のヘテロ原子のいくつかまたは全ては相互に異なっていてもよい。
【０１３７】
ここで使用されるように、「二環式の環」は、２つの環に関し、この場合、二つの環が結合している。二環式の環は、例えば、デカリン、ペンタレン、インデン、ナフタレン、アズレン、ヘプタレン、イソベンゾフラン、クロメン、インドリジン、イソインドール、インドール、インドリン、プリン、キノリジン、イソキノリジン、キノリン、フタラジン、ナフチリジン、キノキサリン、シノリン、プテリジン、イソクロマン、クロマンおよびそれらの種々の水素化誘導体。二環式の環は、所望により置換される。各環は、独立的に芳香族または非芳香族である。ある実施態様において、環は共に芳香族である。ある実施態様において、環は共に非芳香族である。ある実施態様において、１つの環は芳香族であり、１つの環は非芳香族である。
【０１３８】
ここで使用されるように、用語「芳香族」は、４ｎ+２π電子含有する非局在化π電子系を有する環であり、この場合において、ｎは整数である。芳香族環は、５、６、７、８、９、または９以上の原子により形成できる。芳香族環は、所望により置換できる。これらに限定されないが、芳香族基の例は、フェニル、テトラリニル、ナフタレニル、フェナンスレニル、アントラセニル、フルオレニル、インデニルおよびインダニルを含む。用語「芳香族」は、環形成炭素原子の１つを介して接続された、ベンゾノイド基、アリール、ヘテロアリール、シクロアルキル、非芳香族ヘテロ環、ハロ、ヒドロキシ、アミノ、シアノ、ニトロ、アルキルアミド、アシル、Ｃ１-Ｃ６アルコキシ、Ｃ１-Ｃ６アルキル、Ｃ１-Ｃ６ヒドロキシアルキル、Ｃ１-Ｃ６アミノアルキル、Ｃ１-Ｃ６アルキルアミノアルキルスルフェニル、アルキルスルフィニル、スルファモイル、またはトリフルオロメチルから選択される１種以上の置換基を所望により有する。ある実施態様において、芳香族基は、
パラ、メタおよび/またはオルト位置の１カ所以上にて芳香族環は置換される。これらに限定されないが、置換基を含有する芳香族基の例は、フェニル、３-ハロフェニル、４-ハロフェニル、３-ヒドロキシフェニル、４-ヒドロキシフェニル、３-アミノフェニル、４-アミノフェニル、３-メチルフェニル、４-メチルフェニル、３-メトキシフェニル、４-メトキシフェニル、４-トリフルオロメトキシフェニル、３-シアノフェニル、４-シアノフェニル、ナフチルジメチルフェニル、ヒドロキシナフチル、ヒドロキシメチルフェニル、（トリフルオロメチル）フェニル、アルコキシフェニル、４-モルホリン-４-イルフェニル、４-ピロリジン-１-イルフェニル、４-ピラゾリルフェニル、４-トリアゾリルフェニル、および４-（２-オキソピロリジン-１-イル）フェニルを含む。
【０１３９】
ここで使用されるように、用語「アリール」は、環ヘテロ原子を含有しない単環、二環式または三環式の芳香族系に関する。該系が単環ではない場合、用語アリールは、各付加的な環に関して、飽和形態（ペルヒドロ形態）または部分的に不飽和の形態（例えば、ジヒドロ形態、またはテトラヒドロ形態）、あるいは最大限の不飽和（非芳香族）形態を含む。ある実施態様において、用語アリールは、二つの環が芳香族である二環式の環および１つの環が芳香族である二環式の環に関する。アリールの例は、フェニル、ナフチル、アントラシル、インダニル、１、２-ジヒドロ-ナフチル、１、４-ジヒドロナフチル、インデニル、１、４-ナフトキノニルおよび１、２、３、４-テトラヒドロナフチルを含む。
【０１４０】
アリール環は、３、４、５、６、７、８、９または９以上の炭素原子により形成できる。ある実施態様において、アリールは、３-、４-、５-、６-、７-、８-、９-、１０-、１１-、１２-、１３-、１４-員の芳香族単環系、二環系、三環系に関する。ある実施態様において、アリールは、芳香族Ｃ３-Ｃ９環に関する。ある実施態様において、アリールは、芳香族Ｃ４-Ｃ８環に関する。アリール基は所望により置換されてもよい。
【０１４１】
ここで使用される、用語「ヘテロアリール」は、芳香族環に関し、この場合において、芳香族環を形成する少なくとも１つの原子がヘテロ原子である。ヘテロアリール環は、３、４、５、６、７、８、９または９以上の原子により形成される。ヘテロアリール基は、所望により置換される。これらに限定されないが、ヘテロアリール基は、１つの酸素または硫黄原子、または２つの酸素原子、または２つの硫黄原子、あるいは４個までの窒素原子、あるいは１つの酸素もしくは硫黄原子と２つまでの窒素原子を含有する芳香族Ｃ３-８ヘテロ環基、それらの置換物ならびにベンゾ-およびビリド結合誘導体、例えば環形成炭素原子のうちの１つを介して結合したものを含む。
【０１４２】
ある実施態様において、ヘテロアリールは、オキサゾリル、イソオキサゾリル、オキサジアゾリル、チアゾリル、イソチアゾリル、ピリジニル、ピリダジニル、ピリミジナル、ピラジニル、インドリル、ベンズイミダゾリル、キノリニル、イソキノリニル、キナゾリニル、またはキノオキサリニルから選択される。
【０１４３】
ある実施態様において、ヘテロアリール基は、ピロリル、フラニル（フリル）、チオフェニル（チエニル）、イミダゾリル、ピラゾリル、１,２,３-トリアゾリル、１,２,４-トリアゾリル、１,３-オキサゾリル（オキサゾリル）、１,２-オキサゾリル（イソオキサゾリル）、オキサジアゾリル、１,３-チアゾリル（チアゾリル）、１,２-チアゾリル（イソチアゾリル）、テトラゾリル、ピリジニル（ピリジル）ピリダジニル、ピリミジニル、ピラジニル、１,２,３-トリアジニル、１,２,４-トリアジニル、１,３,５-トリアジニル、１,２,４,５-テトラジニル、インダゾリル、インドリル、ベンゾチオフェニル、ベンゾフラニル、ベンゾチアゾリル、ベンズイミダゾリル、ベンゾジオキソリル、アシリジニル、キノリニル、イソキノリニル、キナゾリニル、キノキサニル、フタルアジニル、チエノチオフェニル、１,８-ナフチリジニル、他のナフチリジニル、ペトリジニルまたはフェノチアジニルから選択される。ヘテロアリール基が１以上の環を含む場合、各付加的な環は、飽和形態（ペルヒドロ形態）または部分不飽和形態（例えば、ジヒドロ形態またはテトラヒドロ形態）または最大限の不飽和形態（非芳香族基）である。従って、用語ヘテロアリールは、２つの環が芳香族である二環式基、１つの環が芳香族である二環式の基を含む。このようなヘテロアリールの例は、３Ｈ-インドリニル、２（１Ｈ）-キノリノニル、 ４-オキソ-１,４-ジヒドロキノリニル、２Ｈ-１-オキソイソキノリル、１,２-ジヒドロキノリニル、（２Ｈ）キノリニルＮ-オキシド、３,４-ジヒドロキノリニル、１,２-ジヒドロイソキノリニル、３,４-ジヒドロ-イソキノリニル、クロモニル、３,４-ジヒドロイソ-キノクサリニル、４-（３Ｈ）キナゾリノニル、４Ｈ-クロメニル、４-クロマノニル、オキシノドリル、１,２,３,４-テトラヒドロイソキノリニル、１,２,３,４-テトラヒドロ-キノリニル、１Ｈ−２,３-ジヒドロイソインドリル、２,３-ジヒドロベンゾ[f]イソインドリル、１,２,３,４-テトラヒドロベンゾ-[g]イソキノリニル、１,２,３,４-テトラヒドロ-ベンゾ[g]イソキノリニル、クロマニル、イソクロマノニル、２,３-ジヒドロクロモノニル、１,４-ベンゾ-ジオキサニル、１,２,３,４-テトラヒドロ-キノキサリニル、５,６-ジヒドロ-キノリル、５,６-ジヒドロイソ-キノリル、５,６-ジヒドロキノキサリニル、５,６-ジヒドロキナゾリニル、４,５-ジヒドロ-１Ｈ-ベンズイミダゾリル、４,５-ジヒドロ-ベンズオキサゾリル、１,４-ナフトキノリル、５,６,７,８-テトラヒドロ-キノリニル、 ５,６,７,８-テトラヒドロ-イソキノリニル、５,６,７,８-テトラヒドロキノキサリニル、５,６,７,８-テトラヒドロキナゾリル、４,５,６,７-テトラヒドロ-１Ｈ-ベンズイミダゾリル、４,５,６,７-テトラヒドロ-ベンズオキサゾリル、１Ｈ-４-オキサ-１,５-ジアザ-ナフタレン-２-オニル、１,３-ジヒドロイミジゾロ-[4、5]-ピリジン-２-オニル、２,３-ジヒドロ-１,４-ジナフト-キノニル、２,３-ジヒドロ-１Ｈ-ピロール [３,４-b]キノリニル、１,２,３,４-テトラヒドロベンゾ[b]-[1,7]ナフチリジニル、１,２,３,４-テトラ-ヒドロベンズ[b][1,6]-ナフチリジニル、１,２,３,４-テトラヒドロ-９Ｈ-ピリド[3,4-b]インドリル、１,２,３,４-テトラヒドロ-９Ｈ-ピリド[4,3-b] インドリル、２,３-ジヒドロ-１Ｈ-ピロロ-[3,4-b]���ンドリル、１Ｈ−２,３,４,５-テトラヒドロ-アゼピノ[3,4-b] インドリル、１Ｈ−２,３,４,５-テトラヒドロアゼピノ-[4,3-b] インドリル、１Ｈ−２,３,４,５-テトラヒドロ-アゼピノ[4,5-b] インドリル、５,６,７,８-テトラヒドロ[1,7]ナフチリジニル、１,２,３,４-テトラヒドロ-[2,7]-ナフチリジニル、２,３-ジヒドロ[1,4]ジオキシノ[2,3-b]ピリジル、２,３-ジヒドロ[1,4]- ジオキシノ[2,3-b] ピリジル、３，４-ジヒドロ-２Ｈ-１-オキサ[4,6]ジアザナフタレニル、４,５,６,７-テトラヒドロ-３Ｈ-イミダゾ-[4,5-c]ピリジル、６,７-ジヒドロ[5,8] ジアザナフタレニル１,２,３,４-テトラヒドロ[1,5]-ナフチリジニル、１,２,３,４-テトラヒドロ[1,6] ナフチリジニル、１,２,３,４-テトラヒドロ[1,7] ナフチリジニル、１,２,３,４-テトラヒドロ-[1,8] ナフチリジニル または１,２,３,４-テトラヒドロ[2,6] ナフチリジニルを含む。
【０１４４】
ある実施態様において、ヘテロアリール基は所望により置換される。ある実施態様において、１以上の置換基はそれぞれハロ、ヒドロキシ、アミノ、シアノ、ニトロ、アルキルアミド、アシル、Ｃ１-６-アルコキシ、Ｃ１-６-アルキル、Ｃ１-６-ハロアルキル、Ｃ１-６-ヒドロキシアルキル、Ｃ１-６-アミノアルキル、Ｃ１-６-アルキルアミノ、アルキルスルフェニル、アルキルスルフィニル、アルキルスルフォニル、スルフォアモイルまたはトリフルオロメチルから選択される。これらに限定されないが、ヘテロアリール基の例は以下のものを含む：フラン、ベンゾフラン、チオフェン、ベンゾチオフェン、ピロール、ピリジン、インドール、オキサゾール、ベンゾオキサゾール、イソオキサゾール、ベンズイソオキサゾール、チアゾール、ベンゾチアゾール、イソチアゾール、イミダゾール、ベンズイミダゾール、ピラゾール、インダゾール、テトラゾール、キノリン、イソキノリン、ピリダジン、ピリミジン、プリンおよびピラジン、フラザン、１、２、３-オキサジアゾール、１、２、３-チアジアゾール、１、２、４-チアジアゾール、トリアゾール、ベンゾトリアゾール、プテリジン、フェノキサゾール、オキサジアゾール、ベンゾピラゾール、キノリジン、シンオリン、フタラジン、キナゾリン、およびキノキサリンの未置換およびモノ-またはジ-置換誘導体。ある実施態様において、置換基は、ハロ、ヒドロキシ、シアノ、Ｏ-Ｃ１-６-アルキル、Ｃ１-６-アルキル、ヒドロキシ-Ｃ１-６-アルキル、およびアミノ-Ｃ１-６-アルキルである。
【０１４５】
ここで使用するように、用語「アリールアルキル」は、単独または組み合わせた状態で、所望により置換できるアリールで置換されたアルキルに関する。
【０１４６】
ここで使用するように、用語「非-芳香族環」は、非局在化４ｎ+２π電子系を有さない環に関する。
【０１４７】
ここで使用されるように、用語「シクロアルキル」は、非芳香族環を含有する基に関し、この場合において、環を形成する原子のそれぞれは炭素原子である。シクロアルキルは、３、４、５、６、７、８、９、またはそれ以上の炭素原子により形成できる。シクロアルキルは、所望により置換される。ある実施態様において、シクロアルキルは、１位所の不飽和結合を含有する。これらに限定されないが、シクロアルキルの例は、シクロプロパン、シクロブタン、シクロペンタン、シクロペンテン、シクロペンタジエン、シクロヘキサン、シクロヘキセン、１、３-シクロヘキサジエン、１、４-シクロヘキサジエン、シクロヘプタンおよびシクロヘプテンを含む。
【０１４８】
ここで使用されるように、用語「ヘテロアリールアルキル」は、単独または組み合わせた状態で、所望により置換できるヘテロアリールで置換されたアルキルに関する。
【０１４９】
ここで使用されるように、それ自身により表され、数字または文字表記を伴わない置換基「Ｒ」は、アルキル、シクロアルキル、アリール、ヘテロアリール（環炭素を介して結合したもの）および非芳香族ヘテロ環（環炭素を介して結合したもの）から選択される置換基に関する。
【０１５０】
ここで使用されるように、用語「エステル」は、式-（Ｒ）n-ＣＯＯＲ’を有する化学部分であり、ＲおよびＲ’は、それぞれ独立して、アルキル、シクロアルキル、アリール、ヘテロアリール（環炭素を介して結合したもの）および非芳香族ヘテロ環（環炭素を介して結合したもの）から選択され、この場合において、ｎは０または１である。
【０１５１】
ここで使用するように、用語「アミド」は、式-（Ｒ）n-Ｃ（Ｏ）ＮＨＲ’または-（Ｒ）n-ＮＨＣ（Ｏ）Ｒ’を有する化学部分であり、ＲおよびＲ’は、それぞれ独立して、アルキル、シクロアルキル、アリール、ヘテロアリール（環炭素を介して結合したもの）および非芳香族ヘテロ環（環炭素を介して結合したもの）から選択され、この場合において、ｎは０または１である。
ある実施態様において、アミドはアミノ酸またはペオウチドであることができる。
【０１５２】
他に記載のない限り、用語「所望により置換される」は、なし、１または１以上の水素原子が１種以上の基でそれぞれ置き換えられている基に関し、それぞれ、アルキル、シクロアルキル、アリール、ヘテロアリール、ヒドロキシ、アルコキシ、ハロ、カルボニル、アジド、オキソ、シアノ、シアナト、カルボキシ、イソシアナト、チオシアナト、イソチオシアナト、ニトロ、シリル、およびモノ-およびジ-置換アミノ基からそれぞれ選択される。
【０１５３】
ここで使用するように、用語「親水性」は、水を付着、吸着または吸収するための親和性を有することである。親水性部分は、水に容易に溶解する傾向があり、脂肪に溶解しない場合が多い。これらに限定されないが、親水性部分の例は、ヒドロキシル、ヒドロキシアルキル、アルコキシ（メトキシ、エトキシ）フェノール、カルボン酸およびそれらの塩、カルボン酸のメチルおよびエチルエステル、アミドアミノ、アミノアルキル、シアノ、アンモニウム塩、モノアルキル置換アミノ基、ジ-アルキル-置換アミノ基、スルホニウム塩、ホスホニウム塩、ポリアルキレングリコール類（例えば、ポリエチレングリコール、およびポリプロピレングリコール）、エポキシ基、アクリレート、スルホンアミド、ニトロ、グアニジウム、アミネート、アクリルアミドおよびピリジウム気、ポリ（オキシアルキレン）気、グルコシド基、ポリ（グルコシド）基、およびグリシダル、イソシアナト、およびグリシダルアルキル基を含む。
【０１５４】
ここで使用されるように、用語「疎水性」は、親和性を欠くものに関し、撥水、水を吸着または吸収することに欠如するものに関する。疎水性部分は、水に容易に溶解せず、脂肪に可溶であることが多く、一般的に非極性である。これらに限定されないが、疎水性基は、炭化水素、例えばアルカン、アルケン、アルキン、シクロアルカン、シクロアルケン、シクロアルキン、ハロアルカン、ハロアルケン、ハロアルキンなど、芳香族炭化水素、例えば、アリール、アリールアルキル、ヘテロアリール、ヘテロアリールアルキルなど、ある種の飽和または不飽和ヘテロ環、脂肪、ステロイド、ステロール、例えば、コレステロールなど、テルペン、および疎水性の天然および非天然αアミノ酸（バリン、ロイシン、イソロイシン、メチオニン、フェニルアラニン、αアミノイソ酪酸、アロイソロイシン、チロシンおよびトリプトファンを含む）を含む。
【０１５５】
ここで使用されるように、用語「シリコーン」および「シロキサン」は同意語である。ここで使用されるように、用語「シロキサン」は、シリコーンと酸素原子が交互に存在するものを含む化合物の分類に関し、炭素および水素原子を含有できる。シロキサンは、シリコーン-酸素骨格の繰り返しを含有し、シリコ−ン-炭素結合によりシリコーン原子のかなりの割合に対して有機基Ｒ５が付着したものを含むことができる。商用のシリコーンにおいて、多くのＲ５基はメチルであり；長鎖アルキル、フルオロアルキル、フェニル、ビニルおよび少数の他の基は、特定の目的に応じて置換され得る。Ｒ５基のいくつかは、また、水素、塩素、アルコキシまたはアルキルアミノであることができる。これらのポリマーは、充填剤、添加剤、および溶媒と組み合わされ、その結果、シリコーンとして分類される製品になる。Kirk-Othmer Encyclopedia of Polymer Science and Technology、15巻、 John Wiley & Sons、 Inc. (New York: 1989)、ページ 204-209、234-265参照し、参照することにより本願に組み込まれる。
【０１５６】
シロキサンは、種々の分子量の、直鎖、環状、分岐または架橋構造を有し、および、実質的に、シリコーン原子が酸素原子により相互に架橋された繰り返し構造（シロキサン結合ＳｉＯＳｉ）に基づき、所望により置換され、置換基が炭素原子を介してシリコーン原子に架橋できるオルガノシリコーンポリマーまたはオリゴマーを含む。
【０１５７】
ここで使用されるように、用語「ポリシロキサン」は、シロキサンまたはシロキサンユニットを含むポリマー材料に関し、この場合において、Ｓｉ原子は、アルキルまたはアリール置換基を含むことができる。例えば、（ＲＳ２ＳｉＯ）ｎ（式中、ＲＳはメチルである）を含むポリマーは、メチルシロキサンまたはジメチルシロキサンとして既知である。
【０１５８】
ここで使用されるように、用語「シクロシロキサン」は、環状シロキサンに関する。
【０１５９】
ここで使用されるように、用語「溶媒」は、他の化合物または溶質を可溶化（溶解、混和させるなど）の可能な化合物に関する。これらに限定されないが、溶媒の例は、水、一価アルコール、（例えば、メタノール、エタノール）、二価アルコール（例えば、エチレングリコール、およびプロピレングリコール）、三価アルコール（例えば、トリメチロールプロパンおよびグリセロール）、四価アルコール（ペンタエリトチトール）、六価アルコール（例えば、ソルビトール）、アルケン（例えばヘキサン）などの炭化水素、アルケンおよびアルキン、エーテル、エステル、ケトン、オイル、極性または非極性溶媒、およびシリコーン流体（例えば、シリコーン原子に対する有機基結合を介するヒドロキシル基を有する有機ケイ素化合物）を含む。
【０１６０】
ここで使用されるように、「パーティション」は、２つの混合しない溶媒または材料の間で、材料、例えば界面活性剤などの相互作用または分布に関する。
【０１６１】
ここで使用されるように、「熱安定性」は、昇温に曝すことまたは熱加工に耐えられる材料の能力に関し、１以上の感応特性を失わないものである。
【０１６２】
ここで使用されるように、「抗菌剤」は、配合物、例えば化粧品、パーソナルケア、紙または繊維製品などにおいて使用するのに適当な分子または化合物に関し、微生物の増殖を減らすまたは増殖させないものである。例えば、ＵＳ特許３２０２５１４、３２０２５２４および３９１５８８９参照。これらに限定されないが、抗菌剤の例は、ソルビン酸およびその塩、例えば、カルシウムソルベート、ナトリウムソルベート、およびカリウムソルベートなど、および安息香酸およびその塩、例えば、安息香酸カルシウム、安息香酸ナトリウムおよび安息香酸カリウムなど、ナタマイシン、（ピマルシン）、ナイシン、およびプロピオン酸およびその塩を含む。
【０１６３】
ここで使用されるように、「レオロジー」は、圧力、包括的な弾性、粘度および可撓性の影響下での、形態における変化または流動性の変化に関する研究である。例えば、液体が応力に曝される場合、それらは、不可逆的に変形され流動する。この流動の測定は、粘度の測定である。
【０１６４】
ここで使用されるように、「せん断速度」は、液体実験により実験されたせん断力に関する。それらの測定における単位は「秒の逆数」（ｓｅｃ−１）である。
【０１６５】
ここで使用されるように、「せん断応力」は、せん断作用をもたらすのに要求される単位面積あたりの力に関する。それらの測定における単位は「ｄｙｎｅ／平方センチメートル」（ｄｙｎｅｓ／ｃｍ２）である。
【０１６６】
ここで使用されるように、「粘度」は流体のレジストフローする傾向に関し、せん断応力により割られるせん断応力として定義される。粘度測定の各単位は、ポイズである。１ｓｅｃ−１のせん断速度をもたらす一平方センチメートルあたり１ｄｙｎのせん断応力を要求する材料は、１ポイズの粘度を有するか、１００センチポイズの粘度を有する。粘度測定は、「パスカル−秒」（Ｐａ・ｓ）で表すことができ、または「ミリ−パスカル−秒（ｍＰａ・ｓ）で表すことができ、それは国際規格の単位であり、メートル法で好ましく使用される場合がある。１パスカル−秒は、１０ポイズに等しく；１ミリ−パスカル−秒は、１センチポイズ（ｃＰ）に等しい。非理想液体が、せん断速度、せん断応力および温度の異なる試験条件に対して異なる粘度値を有するので、粘度の測定に使用される条件を提供すべきである。
【０１６７】
ここで使用されるように、「流体」は、せん断応力に曝された場合に連続変形に曝される物質に関する。
【０１６８】
ここで使用される用に、「ニュートン流体」または「ニュートンフローを有する流体」は、流体が、流体におけるせん断と無関係のものに関する。ニュートン流体の例は、鉱物油、水およびモラスである。
【０１６９】
ここで使用されるように、「擬塑性流体」は、せん断と共にその衝突が変化する粘度を有し、せん断速度が増加する場合に明確な流体でありその結果せん断応力が漸進的に減少するか、またはせん断の増加と共に粘度が小さくなるものである。
【０１７０】
ここで使用されるように、用語「接触する」は、二以上の物質を十分に近接させることであり、それにより相互に作用できる。ある実施態様において、接触は例えば試験管、ペトリ皿などの容器内でもたらすことができる。ある実施態様において、接触は、さらなる材料の存在下で行うことができる。ある実施態様において、接触は、細胞の存在下で行うことができる。このような実施態様のうちの幾つかにおいて、接触できる材料の１種以上は、細胞内に存在する。細胞は生きていてもよく、死んでいてもよい。細胞は損傷してもよく、損傷していなくてもよい。
【０１７１】
ここで使用されるように、分子の「誘導体」は、分子の変性種または分子から誘導される化合物である。
【０１７２】
ここで使用されるように、分子の「類似物」は、他の化合物と同様の科学特性および同様の構造を有する化合物に関するが、要素または基における変化により区別され、例えば、側鎖の修飾、１以上の原子または置換基の置きかえ、または１以上の置換基の付加などにより相違するものである。
【０１７３】
ここで使用されるように、用語「トリグリセリド」は、３つの脂肪酸分子と結合したグリセロールから構成される脂質または中性脂肪を意味する。
【０１７４】
ここで使用されるように、「組合せ」は、２以上のものの間における任意の会合に関する。会合は空間的であってもよく、または常套の目的のために２以上の物質を使用することに関する。
【０１７５】
ここで使用されるように、「組成物」は、２以上の生成物または化合物の任意の混合物
に関する（例えば、試薬、モジュレーター、レギュレーターなど）。それは溶液、懸濁液、液体、粉末、ペースト、水溶性配合物もしくは非水溶性配合物またはそれらの任意の組合せであることができる。
【０１７６】
ここで使用されるように、「製品」は、製造販売される製品である。この出願を介して使用されるように、この用語は、梱包物品中に含まれるここで記載された経皮的なドラッグデリバリー組成物を包含することを目的とする。
【０１７７】
ここで使用されるように、「キット」は、物質または成分が使用のための所望による説明書と共にパッケージされたものおよび／または試薬および組み合わせて用いる装置の組合せに関する。
【０１７８】
ここで使用されるように、「動物」は、これらに限定されないが、任意の動物を含み、人間、ゴリラおよびサルを含む霊長類、齧歯動物、例えば、ネズミおよびラットなど、鳥類、例えば鳥など、反すう動物、例えばヤギ、ウシ、シカ、羊など、羊様(ovine)、例えば、ブタ、他の動物を含む。人間以外の動物は予定される動物として人間を除く。
【０１７９】
ここで使用されるように、単数形の「ａ」「ａｎ」および「ｔｈｅ」は、他に明確な記載のない限り複数の指示対象を含む。
【０１８０】
ここで使用されるように、範囲および量は具体的な値または範囲の「約」として表される。「約」は、また正確な量を含むことを目的とする。ここで、「約５パーセント」は、「約５パーセント」および「５パーセント」を含む。「約」は、用途または意図する目的に関する典型的な実験誤差を意味する。
【０１８１】
ここで使用されるように、「所望」または「所望による」は、以降に記載される事項または現象が生じるまたは生じないことを意味し、および記載は事項または現象が生じる場合と生じない場合を含む。例えば、所望により置換された基は、基が未置換であることまたは置換されたことを含む。
【０１８２】
ここで使用されるように、任意の保護基、アミノ酸、または他の化合物に関する省略は、他に記載のない限り、それらの通常の使用、認められている省略、または生物科学用語におけるＩＵＰＡＣ−ＩＣＢ委員会（例えば、Biochem、11:1726(1972)参照）に従う。
【０１８３】
ここで使用されるように、用語「サンプル」は、任意の組成物に関し、この場合において、測定されるまたは試験される分子または材料を含む液体、気体または固体に関する。サンプルは、水溶液またはバッファー溶液であってもよく、または任意の人為的に導入された化合物から構成されてもよく、および核酸を含有してもしなくてもよく、アミノ酸またはペプチドであってもよい。サンプルは、生物学的サンプル、例えば、任意の有機体または細胞から得られる、生物学的流体、または生物学的ティシュ、または有機体またはウイルス粒子、またはそれらの一部から得られるものであってもよい。
【０１８４】
ここで使用されるように、用語「硬質金属」は、冶金文献において「硬質金属」と称される材料の分類の任意のものに関し、一般に、Ｃｏ、Ｎｉ、またはＦｅ、あるいはそれらの合金などの金属のバインダーを用いることによる、周期表のＩＶ、ＶまたはＶｉ属の金属のカーバイド、ニトリド、ホウ化物またはケイ化物を焼結して得られたモノに関する。硬質金属は、重金属、例えば、タングステン、タンタル、ウラニウム、ニオビウム、チタニウム、およびジルコニウムの耐火性化合物であり、特に、これらの金属のカーバイド、ニトリド、ケイ化物、酸化物、およびホウ化物である。硬質金属は、硬い耐火性化合物であり、このことは硬質金属として冶金家に既知の全てのグループに当てはまる。これらの材料は、一般に、適当なマトリックス金属、例えば鉄群金属、すなわち、鉄、コバルトまたはニッケルにより結合した微粒子形態で調製される。硬化した鋼鉄も硬質金属と認められる。
【０１８５】
ここで使用されるように、用語「軟質金属」は、鋼鉄の弾性係数よりも十分に低い弾性係数を有する金属に関する。常套の軟質金属の例は、アルミニウム、亜鉛、鉛、銅、銅合金、アルミニウム合金、銅−スズ合金および鉛−スズ合金を含む。
【０１８６】
ここで使用されるように、「サブユニットａ」は、ここで提供される式Ｉのポリマー化合物サブユニット部分に関し、それは「ａ」回繰り返される。式Ｉの各「サブユニットａ」は、以下の構造を有する：
【０１８７】
【化６】
2013539484.tif 000007
【０１８８】
式中、例えば、Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
ａは１〜５０であり、ｗは０〜１０である。
【０１８９】
ここで使用されるように、「サブユニットｂ」は、ここで提供される式Ｉのポリマー化合物サブユニット部分に関し、それは「ｂ」回繰り返される。式Ｉの各「サブユニットｂ」は、以下の構造を有する：
【０１９０】
【化７】
2013539484.tif 000008
【０１９１】
式中、例えば、Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンから選択され；
ｂは１〜５０であり、ｙは０〜１０である。
【０１９２】
ここで使用されるように、「サブユニットｑ」は、ここで提供される式Ｉのポリマー化合物サブユニット部分に関し、それは「ｑ」回繰り返される。式Ｉの各「サブユニットｑ」は、以下の構造を有する：
【０１９３】
【化８】
2013539484.tif 000009
【０１９４】
式中、例えば、Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３以上のＳｉ原子を有するシクロシロキサン、および３以上のＳｉ原子を有する置換シクロシロキサンから選択され；ａは１〜５０であり、ｂは１〜５０であり、ｗは０〜１０であり、ｙは０〜１０である。
【０１９５】
Ｂ．シリコーン
有機置換ポリシロキサンを含むシリコーンまたはシロキサンは、当該技術分野において既知である。これらは、ジメチルポリシロキサン、メチルフェニルポリシロキサン、環状シリコーン、およびアミノ−、脂肪酸−、アルコール−、ポリエーテル−、エポキシ−、フッ素−、グリコシド−および／またはアルキル−変性シリコーン化合物を含み、それらは室温で液体または樹脂形態であることができ、直鎖ポリシロキサン、ジメチコン（例えばダウコーニング２００流体）、ジメチコノール、環状シリコーン流体、シクロペンタシロキサン（例えばダウコーニング３４５流体）、フェニルトリメチコン（例えばダウコーニング５５６流体）、およびジメチコンであることができ、それらは、２００〜３００ジメチルシロキサン単位の平均鎖長を有するジメチコンと水素化シリケートの混合物である。当該技術分野において既知のシリコーンの詳細な概説は、Todd等のCosm. Toil. 91: 27 (1976)を参照。
【０１９６】
オルガノポリシロキサン流体は既知の潤滑剤である。これらのポリマーの多くが効果的な潤滑剤として機能するが、添加剤、例えば塩化ホスフィットおよび塩化ホスホネート添加剤を、優れた耐摩耗特性をもたらすのに含ませなければならない。任意の塩化ホスフィットまたはホスホネートが使用されるが、最も多くのシリコーン潤滑剤に使用されるものは、ｔｒｉｓ−クロロエチルホスフィットおよびｂｉｓ−クロロエチルクロロエチル−ホスホネートである。ｔｒｉｓ−クロロエチルホスフィットは、時間と共にｂｉｓ−クロロエチルクロロエチル−ホスホネートに変化し、この時点で、２つの化合物は相互に平衡であるという理論に注目すべきである。これらの２つの化合物は最も効果的な軟質金属、例えば銅、真ちゅう、または青銅に関する先行技術におけるシリコーン潤滑剤用の最も効果的な耐摩耗特性添加剤であることが見いだされている。
シリコーン潤滑剤の軟質金属用の相当な耐摩耗特性をもたらすホスフィットまたはホスホネートに関する先行技術におけるオルガノポリシロキサンポリマーの１００重量部あたり、一般に、少なくとも０．０１重量部またはそれ以上の塩化ホスフィットまたはホスホネートが必要とされる。塩化ホスフィットおよびホスホネートは商業的に入手できる。
【０１９７】
ジメチルポリシロキサンは、一般的な潤滑剤であるが、鋼鉄摺動面の鋼鉄を潤滑させるのに使用する場合、乏しい耐摩耗特性を有する。フルオロシリコーン、例えば、トリフルオロ−プロピリンエチルポリシロキサンなどは、鋼鉄上の鋼鉄を潤滑させるのにより良好な潤滑剤であるが、アルミニウムおよび真ちゅう上で鋼鉄を潤滑において乏しい潤滑性を示す。従って、フルオロシリコーン流体は、鋼鉄における鋼鉄の潤滑に加えてまたは鋼鉄における鋼鉄以外の金属表面の潤滑性要求環境において使用が限定されることが分かる。
【０１９８】
C.化合物の詳細
ここで紹介されるポリシロキサンは、少なくとも１つのシクロシロキサン置換基を含む。シクロシロキサン置換基は、酸素の化学的影響および熱ならびにせん断に起因する機械的分解から直鎖ポリシロキサン骨格を保護する。置換度（すなわち、シクロシロキサン置換基の数）を変化させ、ポリマーの粘度を変化させることができ、例えば、高い沸点と所望の粘度を有するポリシロキサンを提供できる。ある実施態様において、より高い数のシクロシロキサン置換基は、ポリマーのより大きい酸化および熱安定性をもたらすことが見いだされている。ある実施態様において、シクロシロキサン置換基に加えて、アリールまたはハロアルキル置換基をポリシロキサンに含むことができる。アリールおよび／またはハロアルキル置換基は、向上した熱および／または酸化安定性を有するポリマーをもたらすことができる。従って、ここで提供されるシクロシロキサン−置換ポリシロキサンは、優れた熱安定性、潤滑性、粘性、および酸化安定性を示す。
【０１９９】
ここで提供されるような少なくとも１つのシクロシロキサン置換基を含むポリシロキサンは、向上した熱安定性、酸素および酸化に対する耐性を示し、ならびに、金属、ガラス、プラスチック、繊維製品、革および紙を含む多くの表面上で良好な膜形成能を示す。少なくとも１つのシクロシロキサン置換基を含む、ここで提供される置換されたポリシロキサンは、良好な硬質金属および軟質金属潤滑特性を示し、耐摩耗性を示し、耐摩耗性をもたらすために塩化ホスフィットおよび塩化ホスホネート添加剤などの添加剤の添加を必要としない。
【０２００】
ここで提供されるシクロシロキサン置換ポリシロキサンは、軟質金属および硬質金属用を潤滑させるための潤滑剤として使用する場合に、向上した潤滑特性および耐摩耗性を示す。
【０２０１】
ポリシロキサン上に置換される１以上のシクロシロキサンの存在は、例えば、フルオロシリコーンと比較して、真ちゅう上の鋼鉄に改良された耐摩耗特性をもたらし、シクロシロキサン置換ポリシロキサンの熱安定性を増加させ、その結果、種々の金属の高温潤滑に適当なシクロシロキサン置換ポリシロキサンを提供し、および機械装置の潤滑に理想的である。
【０２０２】
少なくとも１つのシクロシロキサン置換基を含む、ここで提供される置換ポリシロキサンは、良好な硬質金属および軟質金属潤滑特性を示し、耐摩耗特性を示し、および耐摩耗性をもたらすために塩化ホスフィットおよび塩化ホスホネート添加剤などの添加剤の添加を必要としない。これらの添加剤は、ここで提供されるシクロシロキサン置換ポリシロキサンを含む配合物において含まれてもよいが、必要とされない。ポリシロキサン上の１以上のシクロシロキサン置換基の存在は、例えば、フルオロシリコーンと比較して、真ちゅう上の鋼鉄に改良された耐摩耗特性をもたらし、シクロシロキサン置換ポリシロキサンの熱安定性を増加させ、その結果、種々の金属の高温潤滑に適当なシクロシロキサン置換ポリシロキサンを提供する。ここで提供されるシクロシロキサン置換ポリシロキサンは、優れた熱安定性、潤滑性、粘性および酸化安定性ならびに高い圧縮性を示すので、それらは、特に油圧油として有用である。ここで提供されるシクロシロキサン置換ポリシロキサンは、良好な消泡活性、水の透過を防ぐ膜形成を示すので、撥水剤として使用できる。ある実施態様において、ここで提供されるシクロシロキサン置換ポリシロキサンは、繊維製品または皮革および形成された膜に施すことにより、極めて良好な撥水性、ドレープおよび手触りを示すことができる。ある基板において、ここで提供されるシクロシロキサン置換ポリシロキサンにより形成された膜は、他の基板と比べてある基板に対する選択的な接着性を示す。従って、ある実施態様において、ここで提供されるシクロシロキサン置換ポリシロキサンは、離型剤として使用でき、または第１基板に対する第２基板の接着を避けるまたは減少させるのに第１基板に施される離型コーティングとして使用できる。パーソナルケアおよび化粧品用途において、ここで提供されるシクロシロキサン置換ポリシロキサンは、ドライ−ダウン(dry-down)において滑らかな絹のような感触を提供する。
【０２０３】
１．式Iのシクロシロキサン−置換ポリシロキサン
提供されるものは、式Iの置換ポリシロキサンである：
【０２０４】
【化９】
2013539484.tif 000010
【０２０５】
式中、Ｒ１およびＲ２は、相互に独立してＣ１−Ｃ２０アルキルおよび置換Ｃ１−Ｃ２０アルキルの中から選択され；
Ｒ３は、Ｃ１−Ｃ２０アルキル、置換Ｃ１−Ｃ２０アルキル、Ｃ３−Ｃ２０シクロアルキル、置換Ｃ３−Ｃ２０シクロアルキル、３個以上のＳｉ原子を有するシクロシロキサン、および３個以上のＳｉ原子を有する置換シクロシロキサンの中から選択され；
Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンから選択され；
Ｒ８およびＲ９は、相互に独立してアルキルおよび置換アルキルの中から選択され；
Ｒ１０は、アルキル、置換アルキル、シクロアルキル、置換シクロアルキル、３以上のＳｉ原子を有するシクロシロキサン、および３個以上のＳｉ原子を有する置換シクロシロキサンの中から選択され；
ａは１〜５０から選択され、
ｂは１〜５０から選択され、
ｑは２〜５０から選択され、
ｗは０〜１０から選択され、
ｙは０〜１０から選択され、
ただし、ｂ＝１の場合Ｒ７はシクロシロキサンである。
【０２０６】
式Iの化合物は、例えば、少なくとも１つの置換基ｑのＲ４およびＲ７にて、少なくとも１つの非末端の所望により置換されたシクロシロキサン置換基を含む。シクロシロキサンは少なくとも３個のSi原子を有する。ある実施態様において、シクロシロキサンは、シクロヘプタシロキサン、シクロヘキサシロキサン、シクロペンタシロキサン、シクロテトラシロキサンおよびシクロトリシロキサンから選択される。ある実施態様において、シクロシロキサンは、デカメチルシクロペンタシロキサン、ドデカメチルシクロヘキサシロキサン、テトラデカメチルシクロヘプタシロキサン、オクタメチルシクロテトラシロキサン、デカメチルシクロペンタシロキサン、ドデカメチルシクロヘキサシロキサンおよびテトラデカメチルシクロヘプタシロキサンを含む。シクロシロキサンは置換されてもよく、未置換であってもよい。ある実施態様において、シクロシロキサンは、ハロゲン、ヒドロキシ、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンもしくはＣ１−Ｃ６ハロアルキルで置換されたＣ３−Ｃ１０アリールから選択される基で置換される。
【０２０７】
ある実施態様において、Ｒ１は、所望により置換されたＣ１−Ｃ１０アルキルの中から選択される。ある実施態様において、Ｒ１は、所望により置換されたＣ１−Ｃ６アルキルの中から選択される。ある実施態様において、Ｒ１は、所望により置換されたＣ２−Ｃ１０アルキルの中から選択される。ある実施態様において、Ｒ１は、メチル、エチル、プロピル、ブチル、ペンチル、ヘキシル、ヘプチル、オクチル、ノニルおよびデシルの中から選択される。ある実施態様において、Ｒ１は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリールから選択される１以上の置換基で置換されたＣ１−Ｃ１０アルキルの中から選択される。
【０２０８】
ある実施態様において、Ｒ２は、所望により置換されたＣ１−Ｃ１０アルキルの中から選択される。ある実施態様において、Ｒ２は、所望により置換されたＣ１−Ｃ６アルキルの中から選択される。ある実施態様において、Ｒ２は、所望により置換されたＣ２−Ｃ１０アルキルの中から選択される。ある実施態様において、Ｒ２は、メチル、エチル、プロピル、ブチル、ペンチル、ヘキシル、ヘプチル、オクチル、ノニルおよびデシルの中から選択される。ある実施態様において、Ｒ２は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリールの中から選択される１以上の置換基で置換されたＣ１−Ｃ１０アルキルから選択される。
【０２０９】
ある実施態様において、Ｒ３は、所望により置換されたＣ１−Ｃ１０アルキル、所望により置換されたＣ３−Ｃ２０シクロアルキル、および、３個以上のＳｉ原子を有する所望により置換されたシクロシロキサンの中から選択される。ある実施態様において、Ｒ３は、所望により置換されたＣ１−Ｃ１０アルキル、所望により置換されたＣ３−Ｃ１０シクロアルキルおよび、３個以上のＳｉ原子を有する所望により置換されたシクロシロキサンの中から選択される。ある実施態様において、Ｒ３は、所望により置換されたＣ２−Ｃ１０アルキル、所望により置換されたＣ３−Ｃ２０シクロアルキルおよび、３個以上のＳｉ原子を有する所望により置換されたシクロシロキサンの中から選択される。ある実施態様において、Ｒ３は、所望により置換されたＣ１−Ｃ６アルキル、所望により置換されたＣ３−Ｃ１０シクロアルキルおよび、３個以上のＳｉ原子を有する所望により置換されたシクロシロキサンの中から選択される。ある実施態様において、Ｒ３は、所望により置換されたＣ１−Ｃ１０アルキルの中から選択される。ある実施態様において、Ｒ３は、所望により置換されたＣ１−Ｃ６アルキルの中から選択される。ある実施態様において、Ｒ３は、所望により置換されたＣ２−Ｃ１０アルキルの中から選択される。ある実施態様において、Ｒ３は、メチル、エチル、プロピル、ブチル、ペンチル、ヘキシル、ヘプチル、オクチル、ノニルおよびデシルから選択される。ある実施態様において、Ｒ３は、所望により置換されたＣ３−Ｃ１０シクロアルキルの中から選択される。ある実施態様において、Ｒ３は、所望により置換されたＣ３−Ｃ６シクロアルキルの中から選択される。ある実施態様において、Ｒ３は、所望により置換されたＣ６−Ｃ１０シクロアルキルから選択される。ある実施態様において、Ｒ３は、少なくとも４個のＳｉ原子を有する所望により置換されたシクロシロキサンから選択される。ある実施態様において、Ｒ３は、３、４、５、６、７、８、９、１０、１１、１２、１３、１４、１５、１６、１７、１８、１９または２０個のＳｉ原子を有する所望により置換されたシクロシロキサンである。ある実施態様において、１以上のＲ３は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、ならびにモノ−およびジ−置換アミノ基およびアミノ基から選択される１以上の部分で置換されたシクロシロキサンである。ある実施態様において、Ｒ３は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールから選択される１以上の部分で置換されたシクロシロキサンである。
【０２１０】
ある実施態様において、各サブユニットａにおけるＲ４は、独立して、所望により置換されたＣ１−Ｃ１０アルキル、所望により置換されたＣ２−Ｃ１０ハロアルキル、所望により置換されたＣ６−Ｃ２０アリール、所望により置換されたＣ６−Ｃ２０ヘテロアリール、３個以上のＳｉ原子を有するシクロシロキサン、および３個以上のＳｉ原子を有する置換されたシクロシロキサンの中から選択される。ある実施態様において、各サブユニットａにおけるＲ４は、独立して、所望により置換されたＣ１−Ｃ１０アルキル、所望により置換されたＣ１−Ｃ１０ハロアルキル、所望により置換されたＣ６−Ｃ２０アリールおよび所望により置換されたＣ６−Ｃ２０ヘテロアリールから選択される。ある実施態様において、各サブユニットａにおけるＲ４は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択される。ある実施態様において、各サブユニットａにおけるＲ４は、独立して、Ｃ１−Ｃ１０アルキル、Ｃ１−Ｃ１０ハロアルキル、Ｃ６−Ｃ２０アリールおよびＣ６−Ｃ２０ヘテロアリールの中から選択され、アルキル、ハロアルキル、アリールおよび／またはヘテロアリールの１以上は、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールから選択される１以上の置換基で置換される。ある実施態様において、各サブユニットａにおけるＲ４は、独立して、所望により置換されたＣ１−Ｃ１０アルキル、所望により置換されたＣ１−Ｃ１０ハロアルキル、所望により置換されたＣ６−Ｃ１８アリールおよび所望により置換されたＣ６−Ｃ１８ヘテロアリールから選択される。ある実施態様において、各サブユニットａにおけるＲ４は、独立して、所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリールから選択される。ある実施態様において、各サブユニットａにおけるＲ４は、独立して、所望により置換されたＣ２−Ｃ８アルキル、所望により置換されたＣ１−Ｃ１０ハロアルキル、所望により置換されたＣ６−Ｃ１２アリールおよび所望により置換されたＣ６−Ｃ１２ヘテロアリールから選択される。ある実施態様において、各サブユニットａにおけるＲ４は、独立して、所望により置換されたＣ２−Ｃ１０アルキル、所望により置換されたＣ２−Ｃ１０ハロアルキル、所望により置換されたＣ６−Ｃ１２アリールおよび所望により置換されたＣ６−Ｃ１２ヘテロアリールから選択される。ある実施態様において、各サブユニットａにおけるＲ４は、独立して、所望により置換されたＣ１−Ｃ１０アルキルから選択される。ある実施態様において、各サブユニットａにおけるＲ４は、独立して、所望により置換されたＣ１−Ｃ６アルキルから選択される。ある実施態様において、各サブユニットａにおけるＲ４は、独立して、所望により置換されたＣ２−Ｃ１０アルキルから選択される。ある実施態様において、各サブユニットａにおけるＲ４は、独立して、メチル、エチル、プロピル、ブチル、ペンチル、ヘキシル、ヘプチル、オクチル、ノニルおよびデシルの中から選択される。
ある実施態様において、各サブユニットａにおけるＲ４は、独立して、所望により置換されたＣ１−Ｃ１０ハロアルキルの中から選択される。ある実施態様において、各サブユニットａにおけるＲ４は、独立して、所望により置換されたＣ１−Ｃ６ハロアルキルの中から選択される。ある実施態様において、各サブユニットａにおけるＲ４は、独立して、所望により置換されたＣ２−Ｃ１０ハロアルキルから選択される。ある実施態様において、１以上のＲ４はトリフルオロプロピルである。
ある実施態様において、各サブユニットａにおけるＲ４は、独立して、所望により置換されたＣ６−Ｃ１８アリールの中から選択される。ある実施態様において、各サブユニットａにおけるＲ４は、独立して、所望により置換されたＣ６−Ｃ１２アリールから選択される。ある実施態様において、各サブユニットａにおけるＲ４は、独立して、所望により置換されたＣ６−Ｃ１０アリールの中から選択される。ある実施態様において、１以上のＲ４は所望により置換されたフェニルである。ある実施態様において、各サブユニットａにおけるＲ４は、独立して、所望により置換されたＣ６−Ｃ１８ヘテロアリールの中から選択される。ある実施態様において、各サブユニットａにおけるＲ４は、独立して、所望により置換されたＣ６−Ｃ１２ヘテロアリールから選択される。ある実施態様において、各サブユニットａにおけるＲ４は、独立して、所望により置換されたＣ６−Ｃ１０ヘテロアリールの中から選択される。
【０２１１】
ある実施態様において、１以上のＲ４は、３個以上のＳｉ原子を有するシクロシロキサンである。ある実施態様において、Ｒ４は、少なくとも４個のＳｉ原子を有する所望により置換されたシクロシロキサンである。ある実施態様において、Ｒ４は、３、４、５、６、７、８、９、１０、１１、１２、１３、１４、１５、１６、１７、１８、１９または２０個のＳｉ原子を有する所望により置換されたシクロシロキサンである。ある実施態様において、１以上のＲ４は、３−８個のＳｉ原子有するシクロシロキサンである。ある実施態様において、１以上のＲ４は、４−６個のＳｉ原子有するシクロシロキサンである。ある実施態様において、１以上のＲ４は、３個以上のＳｉ原子を有する置換されたシクロシロキサンである。ある実施態様において、１以上のＲ４は、３−８個のＳｉ原子有する置換されたシクロシロキサンである。ある実施態様において、１以上のＲ４は、４−６個のＳｉ原子有する置換されたシクロシロキサンである。ある実施態様において、１以上のＲ４は、３、４、５、６、７または８個のＳｉ原子有する置換されたシクロシロキサンである。ある実施態様において、１以上のＲ４は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、およびアミノ、ならびにモノ−およびジ−置換アミノ基から選択される１以上の部分で置換されたシクロシロキサンである。ある実施態様において、１以上のＲ４は、水素、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンもしくはＣ１−Ｃ６ハロアルキルで置換されたＣ３−Ｃ１０アリールから選択された１以上の部分で置換されたシクロシロキサンである。ある実施態様において、１以上のＲ４は、ハロゲン、ヒドロキシル、Ｃ１−Ｃ４アルキル、Ｃ１−Ｃ４アルコキシ、Ｃ１−Ｃ４ハロアルキル、Ｃ３−Ｃ１０アリールおよびハロゲンもしくはＣ１−Ｃ６ハロアルキルで置換されたＣ３−Ｃ１０アリールから選択された１以上の部分で置換されたシクロシロキサンである。
【０２１２】
ある実施態様において、各サブユニットａにおけるＲ５は、独立して、所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピルの中から選択される。ある実施態様において、各サブユニットａにおけるＲ５は、独立して、所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピルから選択される。ある実施態様において、各サブユニットａにおけるＲ５は、独立して、所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ２０ヘテロアリールおよびブチル化アリールオキシプロピルの中から選択される。ある実施態様において、各サブユニットａにおけるＲ５は、独立して、所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリールから選択される。ある実施態様において、各サブユニットａにおけるＲ５は、独立して、所望により置換されたＣ１−Ｃ１０アルキルから選択される。ある実施態様において、各サブユニットａにおけるＲ５は、独立して、所望により置換されたＣ１−Ｃ６アルキルの中から選択される。ある実施態様において、各サブユニットａにおけるＲ５は、独立して、所望により置換されたＣ２−Ｃ１０アルキルから選択される。ある実施態様において、各サブユニットａにおけるＲ５は、独立して、メチル、エチル、プロピル、ブチル、ペンチル、ヘキシル、ヘプチル、オクチル、ノニルおよびデシルから選択される。ある実施態様において、各サブユニットａにおけるＲ５は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択される。ある実施態様において、各サブユニットａにおけるＲ５は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択され、アルキル、ハロアルキル、アリールおよび／またはヘテロアリールの１以上は、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールから選択される１以上の置換基で置換される。ある実施態様において、各サブユニットａにおけるＲ５は、独立して、所望により置換されたＣ１−Ｃ１０ハロアルキルから選択される。ある実施態様において、各サブユニットａにおけるＲ５は、独立して、所望により置換されたＣ１−Ｃ６ハロアルキルから選択される。
ある実施態様において、各サブユニットａにおけるＲ５は、独立して、所望により置換されたＣ２−Ｃ１０ハロアルキルの中から選択される。ある実施態様において、１以上のＲ５は、トリフルオロプロピルである。
ある実施態様において、各サブユニットａにおけるＲ５は、独立して、所望により置換されたＣ６−Ｃ１８アリールの中から選択される。ある実施態様において、各サブユニットａにおけるＲ５は、独立して、所望により置換されたＣ６−Ｃ１２アリールの中から選択される。ある実施態様において、各サブユニットａにおけるＲ５は、独立して、所望により置換されたＣ６−Ｃ１０アリールの中から選択される。ある実施態様において、各サブユニットａにおけるＲ５は、独立して、所望により置換されたＣ６−Ｃ１０アリールの中から選択される。ある実施態様において、１以上のＲ５は、所望により置換されたフェニルである。ある実施態様において、各サブユニットａにおけるＲ５は、独立して、所望により置換されたＣ６−Ｃ１８ヘテロアリールの中から選択される。ある実施態様において、各サブユニットａにおけるＲ５は、独立して、所望により置換されたＣ６−Ｃ１２ヘテロアリールの中から選択される。ある実施態様において、各サブユニットａにおけるＲ５は、独立して、所望により置換されたＣ６−Ｃ１０ヘテロアリールから選択される。ある実施態様において、少なくとも１つのＲ５は、ブチル化アリールオキシプロピルである。ある実施態様において、少なくとも１つのＲ５は、トリフルオロプロピルである。ある実施態様において、少なくとも１つのＲ５は、フェニルである。
【０２１３】
ある実施態様において、各サブユニットｂにおけるＲ６は、独立して、所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよびブチル化アリールオキシプロピルの中から選択される。ある実施態様において、各サブユニットｂにおけるＲ６は、独立して、所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピルから選択される。
ある実施態様において、各サブユニットｂにおけるＲ６は、独立して、所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ２０ヘテロアリールおよびブチル化アリールオキシプロピルから選択される。ある実施態様において、各サブユニットｂにおけるＲ６は、独立して、所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリールから選択される。ある実施態様において、各サブユニットｂにおけるＲ６は、独立して、所望により置換されたＣ１−Ｃ１０アルキルから選択される。ある実施態様において、各サブユニットｂにおけるＲ６は、独立して、所望により置換されたＣ１−Ｃ６アルキルの中から選択される。
ある実施態様において、各サブユニットｂにおけるＲ６は、独立して、所望により置換されたＣ２−Ｃ１０アルキルから選択される。ある実施態様において、各サブユニットｂにおけるＲ６は、独立して、メチル、エチル、プロピル、ブチル、ペンチル、ヘキシル、ヘプチル、オクチル、ノニルおよびデシルから選択される。ある実施態様において、各サブユニットｂにおけるＲ６は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択される。ある実施態様において、各サブユニットｂにおけるＲ６は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択され、アルキル、ハロアルキル、アリールおよび／またはヘテロアリールの１以上は、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールの中から選択される１以上の置換基で置換される。ある実施態様において、各サブユニットｂにおけるＲ６は、独立して、所望により置換されたＣ１−Ｃ１０ハロアルキルの中から選択される。ある実施態様において、各サブユニットｂにおけるＲ６は、独立して、所望により置換されたＣ１−Ｃ６ハロアルキルから選択される。
ある実施態様において、各サブユニットｂにおけるＲ６は、独立して、所望により置換されたＣ２−Ｃ１０ハロアルキルの中から選択される。ある実施態様において、１以上のＲ６は、トリフルオロプロピルである。
ある実施態様において、各サブユニットｂにおけるＲ６は、独立して、所望により置換されたＣ６−Ｃ１８アリールから選択される。ある実施態様において、各サブユニットｂにおけるＲ６は、独立して、所望により置換されたＣ６−Ｃ１２アリールから選択される。
ある実施態様において、各サブユニットｂにおけるＲ６は、独立して、所望により置換されたＣ６−Ｃ１０アリールから選択される。ある実施態様において、各サブユニットｂにおけるＲ６は、独立して、所望により置換されたＣ６−Ｃ１０アリールから選択される。ある実施態様において、１以上のＲ６は、所望により置換されたフェニルである。
ある実施態様において、各サブユニットｂにおけるＲ６は、独立して、所望により置換されたＣ６−Ｃ１８ヘテロアリールから選択される。ある実施態様において、各サブユニットｂにおけるＲ６は、独立して、所望により置換されたＣ６−Ｃ１２ヘテロアリールから選択される。ある実施態様において、各サブユニットｂにおけるＲ６は、独立して、所望により置換されたＣ６−Ｃ１０ヘテロアリールから選択される。ある実施態様において、少なくとも１つのＲ６は、ブチル化アリールオキシプロピルである。ある実施態様において、少なくとも１つのＲ６は、トリフルオロプロピルである。ある実施態様において、少なくとも１つのＲ６は、フェニルである。
【０２１４】
ある実施態様において、各サブユニットｂにおけるＲ７は、独立して、所望により置換されたＣ１−Ｃ１０アルキル、所望により置換されたＣ１−Ｃ２０ハロアルキル、所望により置換されたＣ６−Ｃ２０アリールおよび所望により置換されたＣ６−Ｃ２０ヘテロアリールの中から選択される。
ある実施態様において、各サブユニットｂにおけるＲ７は、独立して、所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールの中から選択される。
ある実施態様において、各サブユニットｂにおけるＲ７は、独立して、所望により置換されたＣ１−Ｃ１０アルキル、所望により置換されたＣ１−Ｃ１０ハロアルキル、所望により置換されたＣ６−Ｃ１８アリール、所望により置換されたＣ６−Ｃ１８ヘテロアリールの中から選択される。
ある実施態様において、各サブユニットｂにおけるＲ７は、独立して、所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ１２ヘテロアリールから選択される。ある実施態様において、各サブユニットｂにおけるＲ７は、独立して、所望により置換されたＣ２−Ｃ１０アルキル、所望により置換されたＣ１−Ｃ１０ハロアルキル、所望により置換されたＣ６−Ｃ１２アリール、所望により置換されたＣ６−Ｃ１２ヘテロアリールから選択される。ある実施態様において、各サブユニットｂにおけるＲ７は、独立して、所望により置換されたＣ２−Ｃ１０アルキル、所望により置換されたＣ２−Ｃ１０ハロアルキル、所望により置換されたＣ６−Ｃ１２アリール、所望により置換されたＣ６−Ｃ１２ヘテロアリールから選択される。ある実施態様において、各サブユニットｂにおけるＲ７は、独立して、所望により置換されたＣ１−Ｃ１０アルキルから選択される。ある実施態様において、各サブユニットｂにおけるＲ７は、独立して、所望により置換されたＣ１−Ｃ６アルキルから選択される。ある実施態様において、各サブユニットｂにおけるＲ７は、独立して、所望により置換されたＣ２−Ｃ１０アルキルから選択される。
ある実施態様において、各サブユニットｂにおけるＲ７は、独立して、メチル、エチル、プロピル、ブチル、ペンチル、ヘキシル、ヘプチル、オクチル、ノニルおよびデシルから選択される。ある実施態様において、各サブユニットｂにおけるＲ７は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択される。ある実施態様において、各サブユニットｂにおけるＲ７は、独立して、Ｃ１−Ｃ１０アルキル、Ｃ１−Ｃ１０ハロアルキル、Ｃ６−Ｃ２０アリールおよびＣ６−Ｃ２０ヘテロアリールから選択され、アルキル、ハロアルキル、アリールおよび／またはヘテロアリール基の１以上は、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールから選択される１以上の置換基で置換される。
【０２１５】
ある実施態様において、各サブユニットｂにおけるＲ７は、独立して、所望により置換されたＣ１−Ｃ１０ハロアルキルから選択される。ある実施態様において、各サブユニットｂにおけるＲ６は、独立して、所望により置換されたＣ１−Ｃ６ハロアルキルから選択される。
ある実施態様において、各サブユニットｂにおけるＲ７は、独立して、所望により置換されたＣ２−Ｃ１０ハロアルキルから選択される。ある実施態様において、１以上のＲ７は、トリフルオロプロピルである。
ある実施態様において、各サブユニットｂにおけるＲ７は、独立して、所望により置換されたＣ６−Ｃ１８アリールから選択される。ある実施態様において、各サブユニットｂにおけるＲ７は、独立して、所望により置換されたＣ６−Ｃ１２アリールから選択される。
ある実施態様において、各サブユニットｂにおけるＲ７は、独立して、所望により置換されたＣ６−Ｃ１０アリールから選択される。ある実施態様において、１以上のＲ７は、所望により置換されたフェニルである。
ある実施態様において、各サブユニットｂにおけるＲ７は、独立して、所望により置換されたＣ６−Ｃ１８ヘテロアリールから選択される。ある実施態様において、各サブユニットｂにおけるＲ７は、独立して、所望により置換されたＣ６−Ｃ１２ヘテロアリールから選択される。ある実施態様において、各サブユニットｂにおけるＲ７は、独立して、所望により置換されたＣ６−Ｃ１０ヘテロアリールから選択される。ある実施態様において、少なくとも１つのＲ７は、ブチル化アリールオキシプロピルである。ある実施態様において、少なくとも１つのＲ７は、トリフルオロプロピルである。ある実施態様において、少なくとも１つのＲ７は、フェニルである。
【０２１６】
ある実施態様において、１以上のＲ７は、３個以上のＳｉ原子を有するシクロシロキサンである。ある実施態様において、Ｒ７は、少なくとも４個のＳｉ原子を有する所望により置換されたシクロシロキサンである。ある実施態様において、Ｒ７は、3、４、５、６、７、８、９、１０、１１、１２、１３、１４、１５、１６、１７、１８、１９または２０個のＳｉ原子を有する所望により置換されたシクロシロキサンである。ある実施態様において、１以上のＲ７は、３−８個のＳｉ原子を有するシクロシロキサンである。ある実施態様において、１以上のＲ７は、４−６個のＳｉ原子を有するシクロシロキサンである。ある実施態様において、１以上のＲ７は、３個以上のＳｉ原子を有する置換されたシクロシロキサンである。ある実施態様において、１以上のＲ７は、３−８個のＳｉ原子を有する置換されたシクロシロキサンである。ある実施態様において、１以上のＲ７は、４−６個のＳｉ原子を有する置換されたシクロシロキサンである。
ある実施態様において、１以上のＲ７は、３、４、５、６、７または８個のＳｉ原子有する置換されたシクロシロキサンである。ある実施態様において、１以上のＲ７は、水素、アルキル、ハロアルキル、ヘテロアルキル、シクロアルキル、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、およびアミノ、ならびにモノ−およびジ−置換アミノ基から選択される１以上の部分で置換されたシクロシロキサンである。
ある実施態様において、１以上のＲ７は、水素、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０ヘテロアリール、およびハロゲンもしくはＣ１−Ｃ６ハロアルキルで置換されたＣ３−Ｃ１０アリールの中から選択された１以上の部分で置換されたシクロシロキサンである。
ある実施態様において、１以上のＲ７は、ハロゲン、ヒドロキシル、Ｃ１−Ｃ４アルキル、Ｃ１−Ｃ４アルコキシ、Ｃ１−Ｃ４ハロアルキル、およびハロゲンもしくはＣ１−Ｃ６ハロアルキルで置換されたＣ３−Ｃ１０アリールから選択された１以上の部分で置換されたシクロシロキサンである。
【０２１７】
ある実施態様において、Ｒ８は、所望により置換されたＣ１−Ｃ１０アルキルから選択される。ある実施態様において、Ｒ８は、所望により置換されたＣ１−Ｃ６アルキルから選択される。ある実施態様において、Ｒ８は、所望により置換されたＣ２−Ｃ１０アルキルから選択される。ある実施態様において、Ｒ８は、メチル、エチル、プロピル、ブチル、ペンチル、ヘキシル、ヘプチル、オクチル、ノニルおよびデシルから選択される。ある実施態様において、Ｒ８はＣ１−Ｃ１０アルキルである。ある実施態様において、Ｒ８は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリールから選択される１以上の置換基で置換されたＣ１−Ｃ１０アルキルである。
【０２１８】
ある実施態様において、Ｒ９は、所望により置換されたＣ１−Ｃ１０アルキルから選択される。ある実施態様において、Ｒ９は、所望により置換されたＣ１−Ｃ６アルキルから選択される。ある実施態様において、Ｒ９は、所望により置換されたＣ２−Ｃ１０アルキルから選択される。ある実施態様において、Ｒ９は、メチル、エチル、プロピル、ブチル、ペンチル、ヘキシル、ヘプチル、オクチル、ノニルおよびデシルから選択される。ある実施態様において、Ｒ８はＣ１−Ｃ１０アルキルである。ある実施態様において、Ｒ９は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリールから選択される１以上の置換基で置換されたＣ１−Ｃ１０アルキルである。
【０２１９】
ある実施態様において、Ｒ１０は、所望により置換されたＣ１−Ｃ１０アルキル、所望により置換されたＣ３−Ｃ２０シクロアルキル、および３個以上のＳｉ原子を有する所望により置換されたシクロシロキサンから選択される。ある実施態様において、Ｒ１０は、所望により置換されたＣ１−Ｃ１０アルキル、所望により置換されたＣ３−Ｃ１０シクロアルキル、および３個以上のＳｉ原子を有する所望により置換されたシクロシロキサンから選択される。ある実施態様において、Ｒ１０は、Ｃ１−Ｃ１０アルキル、Ｃ３−Ｃ２０シクロアルキルおよび３個以上のＳｉ原子を有するシクロシロキサンから選択される。ある実施態様において、Ｒ１０は、Ｃ１−Ｃ１０アルキル、Ｃ３−Ｃ２０シクロアルキルおよび３個以上のＳｉ原子を有するシクロシロキサンから選択され、この場合において、アルキル、シクロアルキルまたはシクロシロキサン基のうちの１つ以上は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリールから選択される１以上の置換基で置換される。
ある実施態様において、Ｒ１０は、所望により置換されたＣ２−Ｃ１０アルキル、所望により置換されたＣ３−Ｃ２０シクロアルキル、および３個以上のＳｉ原子を有する所望により置換されたシクロシロキサンから選択される。ある実施態様において、Ｒ１０は、所望により置換されたＣ１−Ｃ６アルキル、所望により置換されたＣ３−Ｃ１０シクロアルキル、および３個以上のＳｉ原子を有する所望により置換されたシクロシロキサンから選択される。ある実施態様において、Ｒ１０は、所望により置換されたＣ１−Ｃ１０アルキルから選択される。ある実施態様において、Ｒ１０は、所望により置換されたＣ１−Ｃ６アルキルから選択される。ある実施態様において、Ｒ１０は、所望により置換されたＣ２−Ｃ１０アルキルから選択される。ある実施態様において、Ｒ１０は、メチル、エチル、プロピル、ブチル、ペンチル、ヘキシル、ヘプチル、オクチル、ノニルおよびデシルから選択される。ある実施態様において、Ｒ１０は、所望により置換されたＣ３−Ｃ１０シクロアルキルから選択される。ある実施態様において、Ｒ１０は、所望により置換されたＣ３−Ｃ６シクロアルキルから選択される。ある実施態様において、Ｒ１０は、所望により置換されたＣ６−Ｃ１０シクロアルキルから選択される。ある実施態様において、Ｒ１０は、少なくとも４個のＳｉ原子を有する所望により置換されたシクロシロキサンである。ある実施態様において、Ｒ１０は、４、５、６、７、８、９、１０、１１、１２、１３、１４、１５、１６、１７、１８、１９または２０個のＳｉ原子を有する所望により置換されたシクロシロキサンである。ある実施態様において、１以上のＲ１０は、アルキル、ハロアルキル、ヘテロアルキル、シクロアルキル、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタン−スルホニル、Ｏカルボキシ、イソシアナト、チオシアナト、イソチオシアナト、ニトロ、シリル、およびアミノ、ならびにモノ−およびジ−置換アミノ基から選択される１以上の部分で置換されたシクロシロキサンである。
【０２２０】
ある実施態様において、ａは１−２５から選択される。ある実施態様において、ａは１−１５から選択される。ある実施態様において、ａは１−１０から選択される。ある実施態様において、ａは１−５から選択される。ある実施態様において、ａは５−２５から選択される。ある実施態様において、ａは１０−３０から選択される。ある実施態様において、ａは１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０から選択される。
【０２２１】
ある実施態様において、ｂは１−２５から選択される。ある実施態様において、ｂは１−１５から選択される。ある実施態様において、ｂは１−１０から選択される。ある実施態様において、ｂは１−５から選択される。ある実施態様において、ｂは５−２５から選択される。ある実施態様において、ｂは５−４０から選択される。ある実施態様において、ｂは１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０から選択される。  
【０２２２】
ある実施態様において、ｑは２−４５から選択される。ある実施態様において、ｑは２−４０から選択される。ある実施態様において、ｑは２−３５から選択される。ある実施態様において、ｑは２−３０から選択される。ある実施態様において、ｑは２−２５から選択される。ある実施態様において、ｑは２−２０から選択される。ある実施態様において、ｑは２−１５から選択される。ある実施態様において、ｑは２−１０から選択される。ある実施態様において、ｑは２−５から選択される。ある実施態様において、ｑは５−１０から選択される。ある実施態様において、ｑは５−１５から選択される。ある実施態様において、ｑは10−20から選択される。ある実施態様において、ｑは１０−１５から選択される。ある実施態様において、ｑは、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０である。 
【０２２３】
ある実施態様において、ｗは０−５から選択される。ある実施態様において、ｗは１−１０から選択される。ある実施態様において、ｗは５−１０から選択される。ある実施態様において、ｗは3−6から選択される。ある実施態様において、ｗは１−３から選択される。ある実施態様において、ｗは８−１０から選択される。ある実施態様において、ｗは０、１、２、３、４、５、６、７、８、９または１０である。 
【０２２４】
ある実施態様において、ｙは０−５から選択される。ある実施態様において、ｙは１−１０から選択される。ある実施態様において、ｙは５−１０から選択される。ある実施態様において、ｙは３−６から選択される。ある実施態様において、ｙは１−３から選択される。ある実施態様において、ｙは８−１０から選択される。ある実施態様において、ｙは０、１、２、３、４、５、６、７、８、９または１０である。 
【０２２５】
ある実施態様において、各Ｒ７は、シクロシロキサン、またはハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールから選択される１以上の置換基で置換されたシクロシロキサンであり、その結果、ポリマーは少なくとも１つおきの非末端Ｓｉ原子にシクロシロキサンを含むようになる。ある実施態様において、各Ｒ７は、所望により置換されたシクロシロキサンおよび各Ｒ４は、所望により置換されたアリールである。ある実施態様において、Ｒ３またはＲ１０の少なくとも１つは、シクロシロキサンである。ある実施態様において、各Ｒ３およびＲ１０はシクロシロキサンである。ある実施態様において、少なくとも１つのサブユニットｑは、シクロシロキサンで置換されていないＳｉ原子を含む。ある実施態様において、少なくとも１つのＲ５およびＲ６は、アルキルまたはハロゲンで置換されたアリールである。ある実施態様において、Ｒ５およびＲ６は、Ｃ１−Ｃ６アルキルであり、Ｒ４は、所望により置換されたアリールであり、Ｒ７は所望により置換されたシクロシロキサンである。ある実施態様において、Ｒ５およびＲ６はメチル、エチルまたはプロピルである。Ｒ４は所望により置換されたＣ６アリールであり、Ｒ７は所望により置換されたシクロシロキサンである。
【０２２６】
ある実施態様において、式Ｉの化合物は約２００〜５０００００超の分子量を有し、ある実施態様において７５０００超の分子量を有し、１５０℃にて無期限に熱的に安定である。２５℃、１００ｓｅｃ−１のせん断速度で測定した場合、約１５００００センチポイズ（ｃＰ）までの粘度を有するここに記載されるようなポリシロキサンは、潤滑剤として有用である。ある実施態様において、シクロシロキサン含有ポリシロキサン潤滑剤は、２５℃、１００ｓｅｃ−１のせん断速度で測定した場合、２０〜２０００００ｃＰの粘度を有する。ある実施態様において、シクロシロキサン含有ポリシロキサン潤滑剤は、２５℃、１００ｓｅｃ−１のせん断速度で測定した場合、５０〜１５００００ｃＰの粘度を有する。ある実施態様において、シクロシロキサン含有ポリシロキサン潤滑剤は、２５℃、１００ｓｅｃ−１のせん断速度で測定した場合、１００〜１０００００ｃＰの粘度を有する。ある実施態様において、シクロシロキサン含有ポリシロキサン潤滑剤は、２５℃、１００ｓｅｃ−１のせん断速度で測定した場合、５０〜５００００ｃＰの粘度を有する。ある実施態様において、シクロシロキサン含有ポリシロキサン潤滑剤は、２５℃、１００ｓｅｃ−１のせん断速度で測定した場合、２５〜１０００００ｃＰの粘度を有する。ある実施態様において、シクロシロキサン含有ポリシロキサン潤滑剤は、２５℃、１００ｓｅｃ−１のせん断速度で測定した場合、１０〜１００００ｃＰの粘度を有する。ある実施態様において、シクロシロキサン含有ポリシロキサン潤滑剤は、２５℃、１００ｓｅｃ−１のせん断速度で測定した場合、５〜５０００ｃＰの粘度を有する。
【０２２７】
ある実施態様において、シクロシロキサン置換基は３〜１０個のＳｉ原子を有する。
ある実施態様において、シクロシロキサン置換基は３〜５個のＳｉ原子を有する。ある実施態様において、シクロシロキサン置換基は７〜１０個のＳｉ原子を有する。ある実施態様において、シクロシロキサン置換基は５〜７個のＳｉ原子を有する。シクロシロキサン置換基の例は、環状オルガノポリシロキサン、例えば、ヘキサメチルシクロトリシロキサン、オクタメチルシクロテトラシロキサン、デカメチルシクロペタシロキサン、ドデカメチルシクロヘキサシロキサン、テトラデカメチルシクロヘプタシロキサン、ヘキサデカメチルシクロオクタシロキサン、テトラメチルシクロテトラシロキサン、ペンタメチルシクロペンタシロキサン、ペンタメチルシクロテトラシロキサン、ヘキサメチルシクロテトラシロキサン、ヘプタメチルシクロテトラシロキサン、ヘキサメチルシクロペンタシロキサン、オクタメチルシクロペンタシロキサン、ヘプタメチルシクロペンタシロキサンおよびノナメチルシクロペンタシロキサンから選択される１種以上のシクロシロキサンを含む。
【０２２８】
ある実施態様において、シクロシロキサンのＳｉ原子は、水素、ハロゲン、Ｃ１−Ｃ６アルキルおよびＣ１−Ｃ６ハロアルキルから選択される置換基で置換される。ある実施態様において、シクロシロキサンのＳｉ原子は、水素、およびＣ１−Ｃ６ハロアルキルから選択される置換基で置換される。ある実施態様において、シクロシロキサンのＳｉ原子の全ては、Ｃ１−Ｃ６ハロアルキルで置換される。ある実施態様において、シクロシロキサンのＳｉ原子の全てはメチルで置換される。
【０２２９】
ある実施態様において、シクロシロキサン置換基は、化合物の約１モル％〜約２０モル％を構成する。ある実施態様において、シクロシロキサン置換基は、化合物の約２モル％〜約１５モル％を構成する。ある実施態様において、シクロシロキサン置換基は、化合物の約３モル％〜約１０モル％を構成する。ある実施態様において、シクロシロキサン置換基は、化合物の約４モル％〜約９モル％を構成する。ある実施態様において、シクロシロキサン置換基は、化合物の約５モル％〜約８モル％を構成する。ある実施態様において、シクロシロキサン置換基は、化合物の１、２、３、４、５、６、７、８、９、１０、１１、１２、１３、１４、１５、１６、１７、１８、１９またはは２０モル％を構成する。
【０２３０】
ある実施態様において、シクロシロキサン置換基は、化合物の約２モル％〜約１５モル％を構成し、該化合物は５０００〜１０００００ダルトンの分子量を有する。
ある実施態様において、シクロシロキサン置換基は、化合物の約３モル％〜約１０モル％を構成し、該化合物は７５００〜７５０００ダルトンの分子量を有する。ある実施態様において、シクロシロキサン置換基は、化合物の約２モル％〜約１５モル％を構成し、該化合物は５０００〜５００００ダルトンの分子量を有する。ある実施態様において、シクロシロキサン置換基は、化合物の約３モル％〜約１０モル％を構成し、該化合物は７５００〜４５０００ダルトンの分子量を有する。
【０２３１】
ある実施態様において、Ｒ１、Ｒ２、Ｒ３、Ｒ４、Ｒ５、Ｒ６、Ｒ８、Ｒ９およびＲ１０の各々はアルキルである。ある実施態様において、Ｒ１、Ｒ２、Ｒ３、Ｒ４、Ｒ５、Ｒ６、Ｒ８、Ｒ９およびＲ１０の各々はＣ１−Ｃ６アルキルである。ある実施態様において、Ｒ１、Ｒ２、Ｒ３、Ｒ４、Ｒ５、Ｒ６、Ｒ８、Ｒ９およびＲ１０の各々はメチルである。
【０２３２】
ある実施態様において、Ｒ１、Ｒ２、Ｒ３、Ｒ４、Ｒ５、Ｒ６、Ｒ８、Ｒ９およびＲ１０の各々はメチルまたはエチルであり、Ｒ７はシクロシロキサンであり、ｑは１、ｗおよびｙはそれぞれ０であり、ａは１−３０であり、ｂは２０−４０である。ある実施態様において、Ｒ１、Ｒ２、Ｒ３、Ｒ４、Ｒ５、Ｒ６、Ｒ８、Ｒ９およびＲ１０の各々はメチルであり、Ｒ７は、３〜７個のＳｉ原子を含有するシクロシロキサンであり、ｑは１、ｗおよびｙはそれぞれ０であり、ａは１−３０であり、ｂは２５−３５である。ある実施態様において、Ｒ１、Ｒ２、Ｒ３、Ｒ４、Ｒ５、Ｒ６、Ｒ８、Ｒ９およびＲ１０の各々はメチルであり、Ｒ７は、３〜７個のＳｉ原子を含有するシクロシロキサンであり、各Ｓｉ原子は水素、ハロゲン、Ｃ１−Ｃ６アルキルおよびＣ１−Ｃ６ハロアルキルから選択される置換基で置換され、ｑは１、ｗおよびｙはそれぞれ０であり、ａは１−３０であり、ｂは２５−３５である。
ある実施態様において、Ｒ１、Ｒ２、Ｒ３、Ｒ４、Ｒ５、Ｒ６、Ｒ８、Ｒ９およびＲ１０の各々はメチルであり、Ｒ７は、３〜５個のＳｉ原子を含有するシクロシロキサンであり、各Ｓｉ原子はＣ１−Ｃ６アルキルおよびＣ１−Ｃ６ハロアルキルから選択される置換基で置換され、ｑは１、ｗおよびｙはそれぞれ０であり、ａは１−３０であり、ｂは２５−３５である。
ある実施態様において、Ｒ１、Ｒ２、Ｒ３、Ｒ４、Ｒ５、Ｒ６、Ｒ８、Ｒ９およびＲ１０の各々はメチルであり、Ｒ７は、３〜５個のＳｉ原子を含有するシクロシロキサンであり、各Ｓｉ原子はメチルで置換され、ｑは１、ｗおよびｙはそれぞれ０であり、ａは１−３０であり、ｂは２５−３５である。
【０２３３】
ある実施態様において、シクロシロキサン置換ポリシロキサンは、式ＩＡの化合物である：
【０２３４】
【化１０】
2013539484.tif 000011
式中、Ｒ４の各存在は、独立して、置換もしくは未置換のＣ１−Ｃ８アルキル、置換もしくは未置換のＣ１−Ｃ８ハロアルキル、置換もしくは未置換のＣ６−Ｃ１２アリール、および置換もしくは未置換のＣ６−Ｃ１２ヘテロアリールから選択され；
Ｒ７は、少なくとも３個のＳｉ原子を有する所望により置換されたシクロシロキサンであり；
ａは０〜５０であり、
ｂは１〜１００であり、
ｑは２〜５０である。
ある実施態様において、Ｒ７は、３、４、５、６、７、８、９、１０、１１、１２、１３、１４、１５、１６、１７、１８、１９または２０個のＳｉ原子を有する所望により置換されたシクロシロキサンである。ある実施態様において、Ｒ７は、ハロゲン、ヒドロキシル、Ｃ１−Ｃ６アルキル、Ｃ１−Ｃ６アルコキシル、Ｃ１−Ｃ６ハロアルキル、Ｃ１−Ｃ６ヘテロアルキル、Ｃ３−Ｃ１０アリール、Ｃ３−Ｃ１０ヘテロアリール、およびハロゲンもしくはＣ１−Ｃ６ハロアルキルで置換されたＣ３−Ｃ１０アリールから選択された１種以上の置換基で置換されたシクロシロキサンである。ある実施態様において、Ｒ４は独立して、Ｃ１−Ｃ８アルキル、Ｃ１−Ｃ８ハロアルキル、Ｃ６−Ｃ１２アリールまたはＣ６−Ｃ１２ヘテロアリールである。ある実施態様において、Ｒ４は独立して、Ｃ１−Ｃ８アルキル、Ｃ１−Ｃ８ハロアルキル、Ｃ６−Ｃ１２アリールまたはＣ６−Ｃ１２ヘテロアリールであり、アルキル、ハロアルキル、アリールまたはヘテロアリール基の１以上は、ハロゲン、ヒドロキシル、Ｃ１−Ｃ６アルコキシル、Ｃ１−Ｃ６ハロアルキル、Ｃ１−Ｃ６ヘテロアルキル、Ｃ３−Ｃ１０アリールおよびＣ３−Ｃ１０ヘテロアリールから選択される１以上の置換基で置換される。
【０２３５】
ある実施態様において、式ＩＡの化合物は以下の式を有する：
【０２３６】
【化１１】
2013539484.tif 000012
式中、ａは０−５０であり、ｂは１−１００であり、ｑは２−５０である。
【０２３７】
式Ｉのシクロシロキサン置換ポリシロキサンの薄いせん断
ある実施態様において、ここで提供されるシクロシロキサン置換ポリシロキサンは、せん断下にて擬塑性である。特定の理論に依存するわけではないが、溶媒を含む他の物質を取り囲み包含する二次結合により、ここで提供されるシクロシロキサン置換ポリシロキサンは架橋を形成すると考えられる。ここで提供されるシクロシロキサン置換ポリシロキサンは、低いせん断で、内部鎖および外部鎖の相互作用を形成できる。せん断力が増加すると、これらの相互作用は消え、せん断力と共にポリマーは整列し、その結果、粘度はより低くなる。せん断力が取り除かれるか減少した場合、ポリマーは、内部鎖および／または外部鎖の相互作用を再形成でき、その結果、粘度はより高くなる。溶媒が極性である事例において、溶媒は、ファン・デル・ワールス結合を用いて架橋に参加して、１つのポリシロキサン分子から他のポリシロキサン分子へと架橋を行う。別の場合において、かさばったシクロシロキサン置換基を有するポリシロキサンは、二次的な力を介して整列し網目を形成し、このことは、大きな粘度をもたらすと考えられる。せん断が施される場合、せん断力は、二次結合を破壊して構造を壊し、非ニュートン溶液に類似した挙動をもたらす。しかしながら、素早くせん断力が取り除かれると、ポリシロキサンは、溶媒を包含する網目内でそれら自身を再び整列させ、組成物がより粘性のある状態をとる。ある実施態様において、シクロシロキサン置換ポリシロキサンは、あるせん断速度まではニュートン溶液のレオロジー特性を示し、その時点にて、ポリシロキサンは非−ニュートン流れを示し、より擬塑性のレオロジーを示す。
【０２３８】
ある実施態様において、せん断速度の関数としての見かけ粘度が減少するにつれ、せん断速度は増加し、非−ニュートン流体特性を示す。せん断速度を減少させると粘度は増加し、ポリマーの分解が生じていないか最小限であることを示す。ある実施態様において、せん断速度が５０００秒−１での見かけ粘度は、１秒−１のせん断速度にて測定された粘度の約９５％である。ある実施態様において、せん断速度が５０００秒−１での見かけ粘度は、１秒−１のせん断速度にて測定された粘度の約９０％である。ある実施態様において、せん断速度が５０００秒−１での見かけ粘度は、１秒−１のせん断速度にて測定された粘度の約８５％である。ある実施態様において、せん断速度が５０００秒−１での見かけ粘度は、１秒−１のせん断速度にて測定された粘度の約８０％である。ある実施態様において、せん断速度が５０００秒−１での見かけ粘度は、１秒−１のせん断速度にて測定された粘度の約７５％である。ある実施態様において、せん断速度が５０００秒−１での見かけ粘度は、１秒−１のせん断速度にて測定された粘度の約７０％である。ある実施態様において、せん断速度が５０００秒−１での見かけ粘度は、１秒−１のせん断速度にて測定された粘度の約６０％である。ある実施態様において、せん断速度が５０００秒−１での見かけ粘度は、１秒−１のせん断速度にて測定された粘度の約５０％である。ある実施態様において、せん断速度が５０００秒−１での見かけ粘度は、１秒−１のせん断速度にて測定された粘度の約４０％である。ある実施態様において、せん断速度が５０００秒−１での見かけ粘度は、１秒−１のせん断速度にて測定された粘度の約３０％である。ある実施態様において、せん断速度が５０００秒−１での見かけ粘度は、１秒−１のせん断速度にて測定された粘度の約２５％である。ある実施態様において、せん断速度が５０００秒−１での見かけ粘度は、１秒−１のせん断速度にて測定された粘度の約２０％である。ある実施態様において、せん断速度が５０００秒−１での見かけ粘度は、１秒−１のせん断速度にて測定された粘度の約１５％である。ある実施態様において、せん断速度が５０００秒−１での見かけ粘度は、１秒−１のせん断速度にて測定された粘度の約１０％である。
【０２３９】
ある実施態様において、せん断速度が１０００００秒−１での見かけ粘度は、１秒−１のせん断速度にて測定された粘度の約７５％である。ある実施態様において、せん断速度が１０００００秒−１での見かけ粘度は、１秒−１のせん断速度にて測定された粘度の約７０％である。ある実施態様において、せん断速度が１０００００秒−１での見かけ粘度は、１秒−１のせん断速度にて測定された粘度の約６０％である。ある実施態様において、せん断速度が１０００００秒−１での見かけ粘度は、１秒−１のせん断速度にて測定された粘度の約５０％である。ある実施態様において、せん断速度が１０００００秒−１での見かけ粘度は、１秒−１のせん断速度にて測定された粘度の約４０％である。ある実施態様において、せん断速度が１０００００秒−１での見かけ粘度は、１秒−１のせん断速度にて測定された粘度の約３０％である。ある実施態様において、せん断速度が１０００００秒−１での見かけ粘度は、１秒−１のせん断速度にて測定された粘度の約２５％である。
ある実施態様において、せん断速度が１０００００秒−１での見かけ粘度は、１秒−１のせん断速度にて測定された粘度の約２０％である。ある実施態様において、せん断速度が１０００００秒−１での見かけ粘度は、１秒−１のせん断速度にて測定された粘度の約１５％である。ある実施態様において、せん断速度が１０００００秒−１での見かけ粘度は、１秒−１のせん断速度にて測定された粘度の約１０％である。ある実施態様において、せん断速度が１０００００秒−１での見かけ粘度は、１秒−１のせん断速度にて測定された粘度の約５％である。
【０２４０】
例えば、ある実施態様において、１秒−１、２５℃にて測定した粘度は、１０００秒−１で測定した場合に、５０００ｃＰから４５００ｃＰへと変化した。ある実施態様において、１秒−１、２５℃にて測定した粘度は、１０００秒−１で測定した場合に、４９９００ｃＰから２５０００ｃＰへと変化した。ある実施態様において、１秒−１、２５℃にて測定した粘度は、１０００秒−１で測定した場合に、９９５００ｃＰから３００００ｃＰへと変化した。ある実施態様において、１秒−１、２５℃にて測定した粘度は、５０００秒−１で測定した場合に、２０００ｃＰから１８００ｃＰへと変化した。ある実施態様において、１秒−１、２５℃にて測定した粘度は、５０００秒−１で測定した場合に、５０００ｃＰから２８００ｃＰへと変化した。ある実施態様において、１秒−１、２５℃にて測定した粘度は、５０００秒−１で測定した場合に、９８００ｃＰから４９００ｃＰへと変化した。ある実施態様において、１秒−１、２５℃にて測定した粘度は、５０００秒−１で測定した場合に、４９５００ｃＰから１３０００ｃＰへと変化した。ある実施態様において、１秒−１、２５℃にて測定した粘度は、５０００秒−１で測定した場合に、９９８００ｃＰから１７０００ｃＰへと変化した。ある実施態様において、１０００秒−１、２５℃にて測定した粘度は、５０００秒−１で測定した場合に、１０００ｃＰから９００ｃＰへと変化した。ある実施態様において、１０００秒−１、２５℃にて測定した粘度は、５０００秒−１で測定した場合に、２０００ｃＰから１８００ｃＰへと変化した。ある実施態様において、１０００秒−１、２５℃にて測定した粘度は、５０００秒−１で測定した場合に、４５００ｃＰから２８００ｃＰへと変化した。ある実施態様において、１０００秒−１、２５℃にて測定した粘度は、５０００秒−１で測定した場合に、９９００ｃＰから４９００ｃＰへと変化した。ある実施態様において、１０００秒−１、２５℃にて測定した粘度は、５０００秒−１で測定した場合に、２５０００ｃＰから１３０００ｃＰへと変化した。ある実施態様において、１０００秒−１、２５℃にて測定した粘度は、５０００秒−１で測定した場合に、３００００ｃＰから１７０００ｃＰへと変化した。ある実施態様において、１秒−１、２５℃にて測定した粘度は、１０００００秒−１で測定した場合に、２０００ｃＰから５００ｃＰへと変化した。ある実施態様において、１秒−１、２５℃にて測定した粘度は、１０００００秒−１で測定した場合に、５０００ｃＰから１１００ｃＰへと変化した。ある実施態様において、１秒−１、２５℃にて測定した粘度は、１０００００秒−１で測定した場合に、９８００ｃＰから１４００ｃＰへと変化した。ある実施態様において、１秒−１、２５℃にて測定した粘度は、１０００００秒−１で測定した場合に、４９５００ｃＰから１８００ｃＰへと変化した。ある実施態様において、１秒−１、２５℃にて測定した粘度は、１０００００秒−１で測定した場合に、９９８００ｃＰから２００ｃＰへと変化した。
【０２４１】
シクロシロキサン置換ポリシロキサンは、１．３３〜１．５９の屈折率を有する。ある実施態様において、シクロシロキサン置換ポリシロキサンは、約１．３３、１．３４、１．３５、１．３６、１．３７、１．３８、１．３９、１．４、１．４１、１．４２、１．４３、１．４４、１．４５、１．４６、１．４７、１．４８、 １．４９、１．５、１．５１、１．５２、１．５３、１．５４、１．５５、１．５６、１．５７、１．５８および１．５９の屈折率を有する。
【０２４２】
シクロシロキサン置換ポリシロキサンは、優れた圧縮率特性を有し、このことは、それらが種々の油圧用途における使用に適することを意味する。ある実施態様において、シクロシロキサン置換ポリシロキサンは１０００ｐｓｉにて０．５％〜０．８％の圧縮率を有する。ある実施態様において、シクロシロキサン置換ポリシロキサンは１０００ｐｓｉにて約０．５％、０．５２５％、０．５５％、０．５６５％、０．６％、０．６２５％、０．６５％、０．６７５％、０．７％、０．７２５%、０．７５％、０．７７５％および０．８％の圧縮率を示す。ある実施態様において、シクロシロキサン置換ポリシロキサンは５０００ｐｓｉにて１．７％〜２．８％の圧縮率を示す。ある実施態様において、シクロシロキサン置換ポリシロキサンは５０００ｐｓｉにて約１．７％、１．７５％、１．８％、１．８５％、１．９％、１．９５％、２％、２．０５％、２．１％、２．１５％、２．２％、２．２５％、２．３％、２．３５％、２．４％、２．４５％、２．５％、２．５５％、２．６％、２．６５％、２．７％、２．７５％および２．８％の圧縮率を示す。
ある実施態様において、シクロシロキサン置換ポリシロキサンは１００００ｐｓｉにて３．１％〜４．０％の圧縮率を示す。ある実施態様において、シクロシロキサン置換ポリシロキサンは１００００ｐｓｉにて、約３．１％、３．１５％、３．２％、３．２５％、３．３％、３．３５％、３．４％、３．４５％、３．５％、３．５５％、３．６％、３．６５％、３．７％、３．７５％、３．８％、３．８５％、３．９％、３．９５％および４．０％の圧縮率を示す。
ある実施態様において、シクロシロキサン置換ポリシロキサンは２００００ｐｓｉにて５％〜１０％の圧縮率を示す。ある実施態様において、シクロシロキサン置換ポリシロキサンは２００００ｐｓｉにて、約５％、５．１％、５．１５％、５．２％、５．２５％、５．３％、５．３５％、５．４％、５．４５％、５．５％、５．５５％、５．６％、５．６５％、５．７％、５．７５％、５．８％、５．８５％、５．９％、５．９５％、６．０％、６．１％、６．１５％、６．２％、６．２５％、６．３％、６．３５％、６．４％、６．４５％、６．５％、６．５５％、６．６％、６．６５％、６．７％、６．７５％、６．８％、６．８５％、６．９％、６．９５％、７．０％、７．１％、７．１５％、７．２％、７．２５％、７．３％、７．３５％、７．４％、７．４５％、７．５％、７．５５％、７．６％、７．６５％、７．７％、７．７５％、７．８％、７．８５％、７．９％、７．９５％、８．０％、８．１％、８．１５％、８．２％、８．２５％、８．３％、８．３５％、８．４％、８．４５％、８．５％、８．５５％、８．６％、８．６５％、８．７％、８．７５％、８．８％、８．８５％、８．９％、８．９５％、９．０％、９．１％、９．１５％、９．２％、９．２５％、９．３％、９．３５％、９．４％、９．４５％、９．５%、９．５５％、９．６％、９．６５％、９．７％、９．７５％、９．８％、９．８５％、９．９％、９．９５％および１０．０％の圧縮率を示す。
【０２４３】
ある実施態様において、シクロシロキサン置換ポリシロキサンは３００００ｐｓｉにて９．２％〜１１％の圧縮率を示す。ある実施態様において、シクロシロキサン置換ポリシロキサンは３００００ｐｓｉにて、約９．２％，９．２５％，９．３％，９．３５％，９．４％，９．４５％，９．５％，９．５５％，９．６％，９．６５％，９．７％，９．７５％，９．８％，９．８５％，９．９％，９．９５％，１０．０％，１０．１％，１０．１５％，１０．２％，１０．２５％，１０．３％，１０．３５％，１０．４％，１０．４５％，１０．５％，１０．５５％，１０．６％，１０．６５％，１０．７％，１０．７５％，１０．８％，１０．８５％，１０．９％，１０．９５％および１１％の圧縮率を示す。シクロシロキサン置換ポリシロキサンは、また、優れた摩耗特性と潤滑特性を示す。
【０２４４】
シクロシロキサン置換ポリシロキサンは、また、改良された熱的特性を有する。シクロシロキサン置換ポリシロキサンは、約９．２５×１０−４〜約１２．０×１０−４の熱膨張係数を有する。
【０２４５】
ある実施態様において、シクロシロキサン置換ポリシロキサンは、シクロシロキサンとジアルキルシロキサンを含むコポリマーを含有し、この場合において、シクロシロキサンおよび／またはジアルキルシロキサンは置換されてもよい。シクロシロキサンは、３〜１５個のＳｉ原子を含み、特に３〜１０個のＳｉ原子を含み得る。ある実施態様において、コポリマーはテトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含む。ある実施態様において、シクロシロキサンは、１以上のＳｉ原子上にＣ１−Ｃ６置換基を含むことができる。ある実施態様において、非隣接Ｓｉ原子は、非水素置換基、例えばハロゲン、Ｃ１−Ｃ６アルキルまたはＣ１−Ｃ６ハロアルキルまたはそれらの組合せを含む。ある実施態様において、各Ｓｉは、非水素置換基、例えばハロゲン、Ｃ１−Ｃ６アルキルまたはＣ１−Ｃ６ハロアルキルまたはそれらの組合せを含む。ある実施態様において、Ｓｉ原子は置換基として水素を含まない。
【０２４６】
ある実施態様において、シクロシロキサン置換ポリシロキサンは、（シクロシロキサン−エチル）−アルキルシロキサン-ジアルキルシロキサンコポリマーである。（シクロシロキサン−エチル）−アルキルシロキサンは、コポリマーの約２％〜約９８％を構成できる。ある実施態様において、シクロシロキサン置換ポリシロキサンは、コポリマーの約５〜約９５％の（シクロシロキサン−エチル）−アルキルシロキサンを含む。ある実施態様において、シクロシロキサン置換ポリシロキサンは、コポリマーの約５〜約９０％の（シクロシロキサン−エチル）−アルキルシロキサンを含む。ある実施態様において、シクロシロキサン置換ポリシロキサンは、コポリマーの約５〜約８５％の（シクロシロキサン−エチル）−アルキルシロキサンを含む。ある実施態様において、シクロシロキサン置換ポリシロキサンは、約５〜約８０％の（シクロシロキサン−エチル）−アルキルシロキサンを含む。ある実施態様において、シクロシロキサン置換ポリシロキサンは、コポリマーの約５〜約７５％の（シクロシロキサン−エチル）−アルキルシロキサンを含む。
ある実施態様において、シクロシロキサン置換ポリシロキサンは、約５〜約７０％の（シクロシロキサン−エチル）−アルキルシロキサンを含む。ある実施態様において、シクロシロキサン置換ポリシロキサンは、約５〜約６５％の（シクロシロキサン−エチル）−アルキルシロキサンを含む。ある実施態様において、シクロシロキサン置換ポリシロキサンは、約５〜約６０％の（シクロシロキサン−エチル）−アルキルシロキサンを含む。
ある実施態様において、シクロシロキサン置換ポリシロキサンは、約５〜約５５％の（シクロシロキサン−エチル）−アルキルシロキサンを含む。ある実施態様において、シクロシロキサン置換ポリシロキサンは、約５〜約５０％の（シクロシロキサン−エチル）−アルキルシロキサンを含む。ある実施態様において、シクロシロキサン置換ポリシロキサンは、０．５％，１％，２％，３％，４％，５％，６％，７％，８％，９％，１０％，１１％，１２％，１３％，１４％，１５％，１６％，１７％，１８％，１９％，２０％，２１％，２２％，２３％，２４％，２５％，２６％，２７％，２８％，２９％，３０％，３１％，３２％，３３％，３４％，３５％，３６％，３７％，３８％，３９％，４０％，４１％，４２％，４３％，４４％，４５％，４６％，４７％，４８％，４９％又は５０％の（シクロシロキサン−エチル）−アルキルシロキサンを含む。
ある実施態様において、シクロシロキサン置換ポリシロキサンは、５１％，５２％，５３％，５４％，５５％，５６％，５７％，５８％，５９％，６０％，６１％，６２％，６３％，６４％，６５％，６６％，６７％，６８％，６９％，７０％，７１％，７２％，７３％，７４％，７５％，７６％，７７％，７８％，７９％，８０％，８１％，８２％，８３％，８４％，８５％，８６％，８７％，８８％，８９％，９０％，９１％，９２％，９３％，９４％，９５％，９６％，９７％，９８％，９９％または９９．５％の（シクロシロキサン−エチル）−アルキルシロキサンを含む。
【０２４７】
ある実施態様において、シクロシロキサン置換ポリシロキサンは、[２−（ヘプタアルキル−シクロテトラシロキサニル）エチル]−アルキルシロキサンサブユニットを含むコポリマーであり、この場合において、アルキルは、Ｃ１−Ｃ６アルキルであることができる。例えば、１以上のサブユニットとして [２−（ヘプタメチル−シクロテトラシロキサニル）−エチル]−アルキル−シロキサン、[２−（ヘプタエチル−シクロテトラ−シロキサニル）エチル]−アルキルシロキサン、[２−（ヘプタプロピルシクロテトラシロキサニル）エチル]−アルキルシロキサン、[２−（ヘプタメチル−シクロテトラシロキサニル）エチル]−メチルシロキサン、[２−（ヘプタメチル−シクロテトラ−シロキサニル）エチル]−エチルシロキサン、[２−（ヘプタメチル−シクロテトラシロキサニル）エチル]−プロピルシロキサン、[２−（ヘプタメチル−シクロテトラシロキサニル）エチル]−ブチルシロキサンまたはそれらの組合せを含むことができる。
【０２４８】
ある実施態様において、シクロシロキサン置換ポリシロキサンは、ジアルキルシロキサンを含むコポリマーである。例えば、コポリマーは、ジメチルシロキサン、ジエチルシロキサン、ジプロピルシロキサン、ジブチルシロキサン、ジ（トリフルオロメチル）シロキサン、メチルトリフルオロメチルシロキサンまたはそれらの組合せを含むことができる。ある実施態様において、シクロシロキサン置換ポリシロキサンは、[２−（ヘプタアルキル−シクロテトラシロキサニル）エチル]−アルキルシロキサンとジアルキルシロキサンサブユニットを含むコポリマーである。ある実施態様において、ジアルキルシロキサンサブユニットは[２−（ヘプタアルキルシクロ−テトラシロキサニル）エチル]−アルキルシロキサンサブユニットと交互に存在する。
ある実施態様において、２以上のジアルキル−シロキサンサブユニットは、[２−（ヘプタアルキル−シクロテトラシロキサニル）エチル]−アルキルシロキサンサブユニットの間に存在する。ある実施態様において、シクロシロキサン置換ポリシロキサンは、[２−（ヘプタアルキル−シクロテトラシロキサニル）エチル]−メチルシロキサンジメチルシロキサンコポリマーを含む。
【０２４９】
Ｄ．シクロシロキサン置換ポリシロキサンの調製
当該技術分野において既知の任意の方法は、式Ｉのポリシロキサンを含む、ここで記載されるような少なくとも１種のシクロシロキサン基を有するポリシロキサンを合成するのに使用できる。例えば、Mukbanian等.,Polymer Yearbook 18 (Pethrick & Zaikov, eds., Shrewsbury, UK, Smithers Rapra,ページ157-199 (2003))参照。例示的なスキームは以下のスキームＩからＩＶに示される。
【０２５０】
メチルポリシロキサンポリマーおよび他の置換ポリシロキサンの調製は当該技術分野において既知であり、例えばＵＳ特許３６６９８８４およびＵＳ特許２９７０１６２を参照し、それらを参照することによりここに組込まれる。また、Silicones (S.Fordham.等,(1060),ページ6-73)および Silicones,Meals & Lewis (Reinhold Plastics Applications Series,1959),ページ98-141)を参照し、それらを参照することによりここに組込まれる。
【０２５１】
また、シクロシロキサンを製造するための方法は、当該技術分野において既知である。環状シロキサンを製造するための例示的な方法およびそれらからポリマーを製造するための例示的な方法は、ＵＳ特許３９３７６８４、５４５５２０８、５６７０６８９および５７８９５１６に記載され、参照することにより本願に組込まれる。また、シクロシロキサンは、適当なジクロロシラン、例えば、ジメチルジクロロシランおよびメチルトリフルオロプロピルジクロロシランなどを加水分解することにより容易に製造されることに注目すべきである。水中でこのようなクロロシランを加水分解することにより、環状および低分子量の直鎖ポリシロキサンの混合物が得られ、環状物質の濃度を増加させ、昇温してアルカリ金属水酸化物と共に加水分解物を単純に分解することにより極めて純粋な濃度で取り出される。
【０２５２】
【化１２】
2013539484.tif 000013
【０２５３】
スキームＩは、商業的に入手可能な出発物質、クロロシラン１および３から、構造７のシクロシロキサンを調製することを示す。２つのＲ基を有する商業的に入手可能なジクロロシラン（１）の例は、ジクロロメチルシラン（シグマアルドリッヒ、ミルウォーキー、WI、Cat.No.440272）、ジクロロ-シクロヘキシル-メチルシラン（シグマアルドリッヒ、ミルウォーキー、WI、Cat.No.２９４６２）およびｎ-ブチルメチル-ジクロロシラン（Gelest,Morrisville,PA, Cat.No.SIB1972.0）を含む。１つのＲ基と水素を有する、商業的に入手可能な構造３のジクロロシランは、ジクロロメチルシラン（シグマアルドリッヒ、ミルウォーキー、WI、Cat.No.４４０２４８）、ジクロロエチルシラン（シグマアルドリッヒ、ミルウォーキー、WI、Cat.No.０３４２０）、およびジクロロフェニルシラン（シグマアルドリッヒ、ミルウォーキー、WI、Cat.No.５９７８６４）を含む。また、クロロシランは、当該技術分野において既知の方法を用いて調製できる。例えば、構造ＲｎＳiＸ4-nのクロロシランは、遷移金属触媒および所望の有機ハロゲン化合物の存在下、Ｓｉ０の酸化を伴う直接法により製造できる（例えば、Rochow,E.G.,J.Am.Chem.Soc.,67:963-965,1945; Lewis, L.N., Catalyzed Direct Reactions of Silicon, Vol.2, Wiley, U.K., 1998, Chap.26,p.1581)参照。
【０２５４】
２ｘ当量の水と（２ｘ-２）当量のアニリンとを化合物１に添加し、制御された加水分解と縮合の結果、構造２のポリシロキサンを形成する。ＨＣｌの重合効果は、ＨＣｌスカベンジャーとしてアニリンを使用することにより制御できる。アニリンおよび水の存在下（(２)：(３)：アニリン：Ｈ２Ｏ＝１：０．５：１：１）での３の添加は、ポリシラノール４をもたらし、それを０℃にてヘキサン中で３５％ＨＣｌ水溶液を用いて処理することにより、対応するジクロロシラン５に変換される(Masaoka,S., J.Organomet.Chem., 691:174-181,2006)。その後、シクロシロキサン７は、ジクロロシラン５のケイ素と、クロロシラン１および商業的に入手可能なビス（トリブチルスズ）オキサイド（シグマアルドリッヒ、ミルウォーキー、WI、Cat.No.Ｂ５３３８３）の反応で得られるオルガノジスタンノキサン６のスズとの間の酸素-ハロゲン交換により形成される(Zuev, V.V.etal., Rus. J. Gen. Chem., 73: 546-540, 2003)。ある場合において、各工程で得生じる生成物は、クロマトグラフ法、例えば、ＨＰＬＣなどを用いて生成され、未反応の出発物質または望まない副生成物から所望のポリマーを分離できる。
【０２５５】
【化１３】
2013539484.tif 000014
【０２５６】
Ｒ７が化合物７などのシクロシロキサンである場合における、合成経路を以下のスキームIIに示す。スキームIIは、シクロシロキサン７をジクロロシラン８に添加し、その後、加水分解および縮合させ、構造１０のポリシロキサンを形成することを示す。構造８の商業的に入手可能なジクロロシランは、アルキルリンカーにより中央のケイ素原子へ結合したアルケンを含有し、式中、ｙは０または０以上である。例として、ブテニルメチルジクロロシラン（Gelest Morrisville, PA, Cat. NO. SIB1926.0）、ジアリルジクロロシラン（Gelest Morrisville, PA, Cat. NO.SID2742.0）およびクロロ−メチル−フェニル−ビニルシラン（シグマアルドリッヒ、Milwaukee, WI, Cat. No.68755）が含まれる。
【０２５７】
遷移金属触媒の存在下で、化合物８とシクロシロキサン７のヒドロシリル化は、ジクロロシラン９を生成する(Hayashi, T.,Comprehensive Asymmetric Catalysis, Supp. 2, Jacobsen, E.N., Pfaltz, A.,Yamamoto, H.(eds.), Springer, ドイツ,2004, Chap. 7, p.319)。触媒において使用される遷移金属の例は、プラチナ、パラジウムおよびロジウムを含む。触媒は、ケイ素原子上の置換基に基づき選択される。シクロシロキサン７などの式HSiClnR3-n(n=2,3)のヒドロシランを含有する反応に対して特に適用できるものは、パラジウム錯体、特に[PdCl(η3-C3H5)]2で表されるものである（シグマアルドリッヒ、Milwaukee, WI, Cat. No.222380）(Jensen,J. F.etal.,J. Am.Chem. Soc. 124:4558-4559, 2002)。別の例において、触媒はプラチナジビニルテトラメチルジシロキサンであることができる(Zhang, Z.etal., Chem. Mater., 17(23): 5646-5650, 2005)。
【０２５８】
２ｂ当量の水および（２ｂ−２）当量のアニリンを、エーテル中のジクロロシラン９に添加し、制御された加水分解および縮合の結果、構造１０のポリシロキサンが形成される。
【０２５９】
【化１４】
2013539484.tif 000015
【０２６０】
スキームIIIは、構造１０のポリシロキサンと商業的に入手可能なジクロロシラン１１を含む加水分解反応および縮合反応を示す。ある例において、構造１１の化合物は、アルキルリンカー、例えば商業的に入手可能なジクロロメチル（２−フェネチル）シラン（シグマアルドリッヒ、Milwaukee, WI, Cat. No.570974）およびジクロロメチル（４−メチルフェネチル）シラン（シグマアルドリッヒ、Milwaukee, WI, Cat. No.448893）などを含み得る。構造１１の商業的に入手可能な化合物の他の例は、ベンジルオキシジクロロシラン（Gelest Morrisville, PA, Cat. NO. SID2755.0）、ビス(ノナフルオロヘキシル)ジクロロシラン（Gelest Morrisville, PA, Cat. NO. SIB1705.0）、
ジメシチルジクロロシラン（Gelest Morrisville, PA, Cat. NO. SID3540.0）およびジフェニルジクロロシラン（Gelest Morrisville, PA, Cat. NO. SID 4510.0）を含む。
【０２６１】
２ａ当量の水および（２ａ−２）当量のアニリンを、エーテル中の化合物１１に添加し、制御された加水分解および縮合の結果、構造１２のポリシロキサンが形成される。ＨＣｌの重合効果は、ＨＣｌスカベンジャーとしてアニリンを使用することにより制御できる。化合物１２とポリシロキサン１０を反応させ、構造１３のポリシロキサンをもたらす。ある場合において、各工程で生じる生成物は、クロマトグラフ法、例えば、ＨＰＬＣなどを用いて生成され、未反応の出発物質または望まない副生成物から所望のポリマーを分離できる。
【０２６２】
【化１５】
2013539484.tif 000016
【０２６３】
スキームIVは、構造１５および１７のクロロシランなどの商業的に入手可能な化合物を用いる構造１８の末端キャップポリシロキサンの調製を開示する。
例えば、[(ビシクロヘプテニル)エチル]ジメチルクロロシラン（Gelest Morrisville, PA, Cat. NO. SIB0982.0）、[2-(3-シクロヘキセニル)エチル]ジメチルクロロシラン（Gelest Morrisville, PA, Cat. NO. SIC2457.0）およびクロロ−ジメチル(3,3,3-トリフルオロプロピル)シラン（シグマアルドリッヒ、Milwaukee, WI, Cat. No.41715）は商業的に入手可能である。構造１５および１７のクロロシランは、また、上述のように直接法により合成できる。
【０２６４】
構造１３のポリシロキサンは、エーテル中で水およびアニリンを用いて処理され、制御された縮合生成物１４を形成し、それは、その後、クロロシラン１５（１４：１５：アニリン：Ｈ２Ｏ＝１：０．５：１：１）を用いて末端キャップされ、ポリシロキサン１８を生成する。ある場合において、各工程で生じる生成物は、クロマトグラフ法、例えば、ＨＰＬＣなどを用いて生成され、未反応の出発物質または望まない副生成物から所望のポリマーを分離できる。
【０２６５】
ここで記載されるポリシロキサンを製造するのに使用されるクロロシランの加水分解および縮合反応は、当業者に既知である（例えば、Patnode および Wilcock, J.Am.Chem.Soc. 68:358-363, 1946; Takiguchi, J.Am.Chem.Soc. 81:2359-2361, 1959)。
塩化または部分塩化オルガノシランおよびオルガノポリシランの合成は、塩素化反応の開始において所望により紫外線（３６６ｎｍ）放射を用い、例えば、ペンタンまたはヘキサデカン等の非極性アルカン溶媒中で、オルガノシランまたはオルガノポリシランと無水のＣｕＣｌ２を接触させることにより得ることができる（例えば、ＵＳ特許５９３９５７７）。Ishikawa等（ＵＳ特許５２５８５３５）は、ＣｕＩ触媒の存在下でＣｕＣｌ２を使用することによりＳｉ原子上にＨをＣｌで段階的に置換することを含む部分塩化オルガノシランまたはオルガノポリシランの合成方法が記載される。Masaokaらは、嵩高い置換基を有するヒドロシラン、シラノールおよびアルコキシシランからのクロロシランの合成を開示する。(Journal of Organometallic Chemistry 691 (1-2) :174-181 (2006))。ロヒョーミューラー直接合成は、銅活性化ケイ素と有機ハロゲン化物からの有機ハロシランの１工程調製である。この反応は、ＵＳ特許２３８０９９５および２４８８４８７に記載されている。直接合成の改良は、変性触媒を用いるなど、当該技術分野において既知である（例えば、ＵＳ特許７１５３９９１参照）。
Baznt等(Angewandte Chemie (英語で記載された国際版) 7(2): 112-120 (2003))は、オルガノハロゲノシラン、特にメチル−およびフェニルクロロシランの直接合成を記載する。また、フェニルクロロシランは、グリニャール反応を用いて調製できる。
ＭｅＳｉＣｌ３＋Ｃ６Ｈ５・ＭｇＢｒ→Ｍｅ（Ｃ６Ｈ５）ＳｉＣｌ２＋ＭｇＣｌＢｒ
【０２６６】
アルコール分解によってＳｉ原子上の塩素基を置き換えることも可能である。
-ＳｉＣｌ＋ＲＯＨ→-ＳｉＯＲ＋ＨＣｌ
【０２６７】
この方法により、様々な官能性を有する種々のシランを調製できる。これらの方法の種々の変化は、大規模にクロロシランを製造するのに使用され、クロロシランは商業的に入手可能である。Ｒ基がアルキルである商業的に入手可能なジクロロシランは、ジクロロジメチルシラン（シグマアルドリッヒ、Milwaukee, WI, Cat. No.440272）、ジクロロ−メチル−オクタデシルシラン（シグマアルドリッヒ、Milwaukee, WI, Cat. No.76016）、およびｎ−ブチルメチルジクロロシラン（Gelest Morrisville, PA, Cat. NO. SIB1972.0）を含む。他の商業的に入手可能なジクロロシランは、ジクロロメチル（２−フェネチル）シラン（シグマアルドリッヒ、Milwaukee, WI, Cat. No.570974）、アリル(ジクロロ)メチルシラン（シグマアルドリッヒ、Cat. No.447277）、ジクロロ(メチル)フェニルシラン（シグマアルドリッヒ、Cat. No.68650）、ジクロロシクロヘキシルメチルシラン（シグマアルドリッヒ、Cat. No.29462）、ジクロロ(メチル)-プロピルシラン（シグマアルドリッヒ、Cat. No.68940）、t-ブチルフェニルジクロロシラン（Gelest Morrisville, PA, Cat. NO. SIB1974.0）、ジフェニルジクロロシラン（Gelest Cat. NO. DID4510.1）およびジベンジルオキシジクロロシラン（Gelest Cat. NO. SID2755.0）を含む。
【０２６８】
Ｅ．用途
ここで提供されるシクロシロキサン置換ポリシロキサンは、種々の用途向けの組成物を配合するために、単体でまたは他の成分と組み合わせて使用できる。このような用途の例は限定されないが、機械潤滑流体組成物、油圧油組成物、消泡組成物、撥水組成物、離型剤組成物、パーソナルケアおよび化粧品組成物、およびハウスホールドケア組成物を含む。
【０２６９】
1. 機械潤滑流体組成物
潤滑剤は多くの用途において使用され、２以上の相互作用表面間の摩擦力を減少させる。潤滑剤の用途は、ボールベアリングとギア潤滑、金属／金属、金属／プラスチック、プラスチック／ゴムおよびプラスチック／繊維表面相互作用を含む相互作用表面の潤滑を含む。オルガノポリシロキサン流体は潤滑剤として既知である。しかしながら、効果的な潤滑剤として機能するためにこれらのポリマーの多くは、添加剤、例えば、塩化ホスフィットおよび塩化ホスホネート添加剤を、優れた耐摩耗特性をもたらすのに含ませなければならない。
【０２７０】
少なくとも１つのシクロシロキサン置換基を含むここで提供される置換ポリシロキサンは、良好な硬質金属および軟質金属潤滑特性を示し、耐摩耗性を示し、耐摩耗性をもたらすために塩化ホスフィットおよび塩化ホスホネート添加剤などの添加剤の添加を必要としない。これらの添加剤は、ここで提供されるシクロシロキサン置換ポリシロキサンを含む配合物において含まれてもよいが、必要とされない。ポリシロキサン上の１以上のシクロシロキサン置換基の存在は、例えば、フルオロシリコーンと比較して、真ちゅう上の鋼鉄に改良された耐摩耗特性をもたらし、シクロシロキサン置換ポリシロキサンの熱安定性を増加させるので、種々の金属の高温潤滑に適当なシクロシロキサン置換ポリシロキサンが提供される。
【０２７１】
機械潤滑流体組成物は、ここで提供されるシクロシロキサン置換ポリシロキサンを任意の量で含むことができ、単独でまたは他のポリシロキサンと併用でき、または他の潤滑剤もしくは添加剤と併用できる）。ある実施態様において、シクロシロキサン置換ポリシロキサンは組成物の約５０重量％〜１００重量％の濃度で存在する。ある実施態様において、シクロシロキサン置換ポリシロキサンは組成物の約６０重量％〜９９重量％の濃度で存在する。ある実施態様において、シクロシロキサン置換ポリシロキサンは組成物の約０．１重量％〜５０重量％の濃度で存在する。ある実施態様において、シクロシロキサン置換ポリシロキサンは組成物の約０．５重量％〜４５重量％の濃度で存在する。ある実施態様において、シクロシロキサン置換ポリシロキサンは組成物の約１重量％〜４０重量％の濃度で存在する。ある実施態様において、シクロシロキサン置換ポリシロキサンは組成物の約２重量％〜３５重量％の濃度で存在する。ある実施態様において、シクロシロキサン置換ポリシロキサンは組成物の約３重量％〜３０重量％の濃度で存在する。ある実施態様において、シクロシロキサン置換ポリシロキサンは組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９または１００重量％の濃度で存在する。
【０２７２】
機械装置の相互に動く部品を潤滑することが好ましく、同時に腐食からそれらを保護することが望ましい。機械装置を潤滑させるのに炭化水素オイルを使用することが何年にも亘って知られている。シリコーン潤滑剤または、シリコーンおよび炭化水素オイルの混合物は機械装置を潤滑させるのに提案されている。
【０２７３】
ここで提供されるシクロシロキサン置換ポリシロキサンは、機械装置の潤滑に理想的である。シクロシロキサン置換基は、酸素の化学的影響および熱ならびにせん断に起因する機械的分解から直鎖ポリシロキサン骨格を保護する。ここで提供されるシクロシロキサン置換ポリシロキサンは、多くの減衰装置、例えば、ショックアブソーバー、ねじり振動ダンパーおよびダシュポットダンパーなどに使用できる。従って、本発明により提供されるポリマーは、航空機および自動車エンジンのサイズからディーゼル機関車におよぶ幅広い範囲の燃焼エンジンに適用でき、この場合において、この場合において、高温と高せん断条件での分解を防ぎ、一定粘性であることが重要である。ここで提供されるポリマーは、直線の減衰用途およびダッシュポットが使用される自動車のエアーサスペンションにおいて使用される。ここで提供されるシクロシロキサン置換ポリシロキサンは、ロータリーポンプにおいて使用され、拡散ポンプ流体も含まれる。シリコーン流体は、拡散ポンプ特に高真空系用の流体として使用されることが当該技術分野において既知である。置換度（すなわち、シクロシロキサン置換基の数）は、高い沸点と所望による粘度を有するポリシロキサンを得るために調製できる。化学反応性、特に酸素との化学反応性、およびポリマーの熱安定性に対するシクロシロキサン置換ポリシロキサンの耐性は、本願において提供されるポリマーを、炭化水素系潤滑剤よりも効果的な潤滑剤にする。ある実施態様において、より高い数のシクロシロキサン置換基が存在する場合、ポリマーはより大きな酸化安定性と熱安定性を有することが観察されている。ある実施態様において、シクロシロキサン置換基に加えて、アリールまたはハロアルキル置換基をポリシロキサンに含むことができる。アリールおよび／またはハロアルキル置換基の添加は、向上した熱および／または酸化安定性を備えるポリマーを生成できる。
【０２７４】
置換されたポリシロキサン混合物は、金属カップ中に３個の堅く固定した１／２インチ金属球を保持する装置を含む、シェル４球試験器を用いてそれらの潤滑特性を試験できる。続いて、同じ直径の４個の回転球を、調節可能な流動アームにより３個の固定球と接触させ圧入し、１時間回転させる。３個の固定球における接点は、摩耗進展として円形の傷を示す。ある特定の速度および荷重で１時間動かした後のこれらの傷の平均直径（単位ミリメーター）は、摩耗の測定に付される。試験が行われる温度は、室温から約１５０℃の温度範囲まで昇温される。すべての球は試験の間に潤滑流体に浸漬される。球に使用される金属の種類は、変化でき、例えば、潤滑表面は鋼鉄−オン−鋼鉄または鋼鉄−オン−真ちゅう、または真ちゅう−オン−鋼鉄であることができる。ある試験において、銅製の回転球に４０キログラム荷重が施され、潤滑剤は１７０°Ｆの温度に維持された。いずれの場合も、１分あたり１２００回転にて、荷重が施される中央の球を試験中１時間回転させた。他の球は５２／１００工具鋼から構成された。各試験の間に滑り摩耗も測定した。全てのパーセンテージおよび部は重量に基づく。
【０２７５】
また、ここで提供されるシクロシロキサン置換ポリシロキサンを含有する潤滑剤組成物は、共潤滑系を含有できる。例えば、潤滑組成物は、ここで提供されるシクロシロキサン置換ポリシロキサンと固体潤滑剤を含むことができる。固体潤滑剤の例は、グラファイト、グラファイトフッ化物、バッキ−ボール、モリブデン、ジスルフィド、窒化ホウ素、タングステンジスルフィド、中空フラーレン様ナノ粒子（ＵＳ特許６７１００２０に記載されるものなど）、金属ジハロゲン化物およびポリテトラフルオロエチレン（ＰＴＦＥ）を含む。
【０２７６】
ここで提供される潤滑剤組成物は、潤滑流体を変性させるのに当該技術分野において使用される常套の添加剤、例えば染料、熱安定剤、酸化防止剤、分散剤、耐摩耗添加剤、金属不動態化剤、耐可燃性添加剤、難燃剤、さび止め剤、摩擦改良剤および腐食抑制剤を更に含有できる。
【０２７７】
油圧油組成物
シリコーン流体は、油圧油として有用であることが当該技術分野において既知である（例えば、ＵＳ特許２６１４９８９、２９９０３７３、３８２１１１４および４１３７１８９参照）。油圧システムは、油圧油を介してある場所から他の場所へ力を伝達させる。
油圧系は、高度複雑な制御システムから単純なプレスまで多様であり、それらは流体連結において６つの主要な要素を含むものとして分類できる：（１）油圧油；（２）油圧油を貯蔵する容器；（３）ポンプなどの油圧油に圧力を発生させる手段；（４）油圧油を介して発生させた圧力を伝達するパイプ；（５）油圧モーター、アクチュエーター、シリンダー、ラムまたはジャッキなどの、圧力が生成した地点から離れた場所にて圧力を力に変換する手段；および（６）制御バルブ、安全弁などの圧力制御手段。もちろん、油圧原理を用いるために、油圧油は封入された体積内で、上昇した圧力を維持できる必要がある。
【０２７８】
ここで提供されるシクロシロキサン置換ポリシロキサンを含む油圧油組成物は、上述のように、ある場所から他の場所へ力を伝達ための系における油圧油として使用できる。有利には、ここで提供される油圧油組成物は、高圧および極限温度に油圧油が曝される油圧系における油圧油として使用できる。
【０２７９】
ここで提供されるシクロシロキサン置換ポリシロキサンは、油圧油として使用するのに優れた熱安定性、潤滑性、粘性、および酸化安定性を示す。シクロシロキサン置換ポリシロキサンは、油圧油において有用な他の特性である高い圧縮性を示す。ここで提供されるシクロシロキサン置換ポリシロキサンは、金属表面上で良好な膜形成特性を示し、これにより良好な潤滑特性を示す。また、シクロシロキサン置換ポリシロキサンは、シール材料との優れた適合性を示す。
【０２８０】
油圧油組成物は、単独でまたは他のポリシロキサンと組み合わせてまたは他の添加剤と組み合わせて、ここで提供されるシクロシロキサン置換ポリシロキサンを任意の量で含むことができる。ある実施態様において、シクロシロキサン置換ポリシロキサンは組成物の約５０重量％〜１００重量％の濃度で存在する。ある実施態様において、シクロシロキサン置換ポリシロキサンは組成物の約６０重量％〜９９重量％の濃度で存在する。ある実施態様において、シクロシロキサン置換ポリシロキサンは組成物の約０．１重量％〜５０重量％の濃度で存在する。ある実施態様において、シクロシロキサン置換ポリシロキサンは組成物の約０．５重量％〜４５重量％の濃度で存在する。ある実施態様において、シクロシロキサン置換ポリシロキサンは組成物の約１重量％〜４０重量％の濃度で存在する。
ある実施態様において、シクロシロキサン置換ポリシロキサンは組成物の約２重量％〜３５重量％の濃度で存在する。ある実施態様において、シクロシロキサン置換ポリシロキサンは組成物の約３重量％〜３０重量％の濃度で存在する。ある実施態様において、シクロシロキサン置換ポリシロキサンは組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９または１００重量％の濃度で存在できる。
【０２８１】
油圧油における多くの用途は、油圧油の粘度が、意図する操作温度範囲において可能な限り小さく変化することを要求する。ある実施態様において、有機油と比較して、ここで提供されるシクロシロキサン置換ポリシロキサンは、温度関数において低い粘度変化を示す。その熱安定性および酸化安定性に沿うこの特性は、ここで提供されるシクロシロキサン置換ポリシロキサンを、多くの高性能用途における理想的な油圧油にする。
【０２８２】
ある実施態様において、ここで提供されるシクロシロキサン置換ポリシロキサンは、１００秒−１のせん断速度および２５℃で測定した場合に約１００〜約１０００００ｃＰの粘度を有する。ここで提供されるシクロシロキサン置換ポリシロキサンの末端基の性質は油圧油としてポリシロキサンを使用する目的に対して重要ではなく、これらは、トリオルガノシロキシ基、ヒドロキシジオルガノシロキシ基、またはハロゲン含有オルガノシロキシ基から選択され得る。このような末端基の具体的な例は、トリメチルシロキシ、トリエチルシロキシ、ヒドロキシジメチルシロキシ、フェニルジメチルシロキシおよびクロロプロピルジメチルシロキシを含む。ある実施態様において、末端基は、トリアルキルシロキシ基から選択され、この場合において、アルキル基は、１〜３個の炭素原子を含有する。ある実施態様において、ここで提供されるシクロシロキサン置換ポリシロキサンは、トリメチルシロキシ基で末端キャップされ、１００秒−１のせん断速度および２５℃で測定した場合に約１０００〜約１０００００ｃＰの粘度を有する。ある実施態様において、２５℃にて粘度は５０００〜１５０００ｃＰである。ある実施態様において、粘度は、１００秒−１のせん断速度および２５℃で測定した場合に１００００〜２５０００ｃＰである。ある実施態様において、粘度は、１００秒−１のせん断速度および２５℃で測定した場合に１５０００〜５００００ｃＰである。ある実施態様において、粘度は、１００秒−１のせん断速度および２５℃で測定した場合に２００００〜４００００ｃＰである。ある実施態様において、粘度は、１００秒−１のせん断速度および２５℃で測定した場合に３００００〜６００００ｃＰである。
【０２８３】
油圧油組成物は、他の成分を含むことができる。例えば、ある実施態様において、油圧油組成物は、約４〜約８％、または４〜６モル％のフェニルメチルシロキサンユニットのモル含有量を有するフェニルメチルシロキサン/ジメチルシロキサンコポリマーを含む。ある実施態様において、フェニルメチルシロキサン/ジメチルシロキサンコポリマーが存在する場合、フェニルメチルシロキサン/ジメチルシロキサンコポリマーは、ここで提供されるシクロシロキサン置換ポリシロキサンの粘度よりも５倍から１０倍高い粘度を有する。フェニルメチル-シロキサン/ジメチルシロキサンコポリマーは、トリメチルシロキシ末端基を含有できる。
【０２８４】
フェニルメチルシロキサン/ジメチルシロキサンコポリマーは、当該技術分野において既知の方法、例えば各クロロシランの共同加水分解(co-hydrolysis)およびそれに続く縮合により、または、適当な末端ブロックシロキサンと共に、各直鎖または環状シロキサン種の塩基触媒平衡により調製できる。ある実施態様において、フェニルメチルシロキサン/ジメチルシロキサンコポリマーは、約５００〜約１００００の平均重合度を有するコポリマー流体である。
【０２８５】
ここで提供される油圧油組成物は、さらに、油圧油を変性させる当該技術分野において使用される常套の添加剤、例えば、染料、熱安定剤、酸化防止剤、分散剤、耐摩耗添加剤、潤滑添加剤、金属不動態化剤、消泡剤、耐可燃性剤、例えば、可燃性を減少させる高臭素化化合物、難燃剤、さび止め剤、摩擦改良剤および腐食抑制剤を更に含有できる。
【０２８６】
油圧油がフェニルメチルシロキサン／ジメチルシロキサンコポリマーを含む場合、組成物は当該技術分野において既知の任意の方法により調製できる。例示的な方法は、約２〜約２０重量部のフェニルメチルシロキサン／ジメチルシロキサンコポリマーと、１００重量部のここで提供されるシクロシロキサン置換ポリシロキサンを十分に混合することを含む。均質な分散液は、高せん断混合物を用いることにより得ることができ、あるいは、相互溶媒中で２成分を相互にブレンドすることにより得られ、その後、溶媒を除去して油圧油組成物を提供する。油圧油の最終粘度は、所望の粘度を有するシクロシロキサン置換ポリシロキサンを慎重に選択し、適当な粘度を有するフェニルメチルシロキサン／ジメチルシロキサンコポリマーを選択することにより調製できる。このような精製は当業者による日常の実験の対象であり容易に定義できる。
【０２８７】
ある実施態様において、約９１．９−９９．８重量％のここで提供されるシクロシロキサン置換ポリシロキサン、０．００５−０．１重量％の配意の酸化防止剤、０．０１−１．０重量％の範囲の所望による消泡剤、０．０１−１．０重量％の範囲の流出点分散剤、０．１０−１．０重量％の範囲の腐食抑制剤および０．００５−５．０重量％の範囲の潤滑性添加剤を含む油圧油組成物が提供される。酸化防止剤の例は、２，４，６-トリ-tert-ブチルフェノール、２，６-ジ-tert-ブチル-４-ｎ-ブチルフェノール、２，６-ジ-tert-ブチル-４-メチルフェノールまたはｎ-オクタデシル３-(３，５-ジ-tert-ブチル-４-ヒドロキシフェニル)プロピオネート、ペンタエリスリトールテトラキス[３-(３，５-ジ-tert-ブチル-４-ヒドロキシフェニル)プロピオネート]、ジ-n-オクタデシル(３，５-ジ-tert-ブチル-４-ヒドロキシベンジル)ホスフォネート、２，４，６-tris(３，５-ジ-tert-ブチル-４-ヒドロキシベンジル)メシチレン、tris(３，５-ジ-tert-ブチル-４-ヒドロキシベンジル)-イソシアヌレートまたはヒンダードピペリジンカルボン酸、２，６-ヒドロキシ-9-アザビシクロ[３．３．１]-ノナンのアシル化誘導体、もしくはビシクロヒンダードアミンもしくはジフェニルアミンもしくはジナフチルアミン、フェニルナフチルアミン、Ｎ、Ｎ'-ジフェニルフェニレンジアミンもしくはｐ-オクチル-ジフェニルアミン、ｐ,ｐ-ジオクチルジフェニルアミン、Ｎ-フェニル-1-ナフチルアミン、Ｎ-フェニル-2-ナフチルアミン、Ｎ-(ｐ-ドデシル)フェニル-２-ナフチルアミン、ジ-１-ナフチルアミン、ジ-２-ナフチルアミン、Ｎ-アルキルフェノチアジン、イミノ(ビスベンジル)、６-(tert-ブチル)フェノール、２，６-ジ-(tert-ブチル)フェノール、４-メチル-２，６-ジ-(tert-ブチル)フェノール、４，４’-メチレン-ビス(-２，６-ジ-(tert-ブチル)フェノール)、メチルヒドロキシヒドロシナミド、フェノチアジン誘導体、アルキル化５-アミノテトラゾール、ジ-tert-ブチル-p-アミノフェノールおよびそれらの混合物を含む。
【０２８８】
消泡剤は、シリコーンオイル、ポリビニルアルコール、オクタノールおよびそれらの混合物を含む。流出点分散剤の例は、ジエチルヘキシルアジペート、ポリメタクリレート、アルキル化ナフタレン誘導体、ポリビニルアクリレートおよびそれらの混合物を含む。腐食抑制剤の例は、オクチル-１Ｈ-ベンゾトリアゾール、ジ−ターシャリーブチル化１Ｈ-ベンゾトリアゾール、プロピルガラート、ポリオキシアルキレンポリオール、オクタデシルアミン、ノニルフェノールエトキシレート、水素化ペンタデシルフェノールのカルシウムフェノレート、マグネシウムアルキルベンゼンスルホネートおよびそれらの混合物を含む。さび止め剤の例は、有機酸およびそれらのエステル、金属塩および無水物、例えば、Ｎ−オレイル−サルコシン、ソルビタンモノオレート、鉛ナフテネート、アルケニルコハク酸無水物、例えば、ドデシル無水コハク酸、アルケニルコハク酸部分エステルおよび部分アミドおよび４−ノニルフェノキシ−酢酸；（ｂ）窒素含有化合物、例えば、第１級、第２級もしくは第３級脂肪族アミンもしくは脂環式アミン、および有機酸と無機酸のアミン塩、例えば、オイル可溶アルキルアンモニウムカルボキシレート；およびヘテロ環化合物、例えば、置換イミダゾリンおよびオキサゾリン；（ｃ）リン含有化合物、例えば、リン酸部分エステルもしくはホスホン酸部分エステルおよび亜鉛ジアルキル−ジチオ−リン酸塩のアミン塩；（ｄ）硫黄含有化合物、例えば、バリウム−ジノニル−ナフタレン−スルホネートおよびカルシウム石油スルホネートを含む。
【０２８９】
分散剤／界面活性剤の例は、ポリブテニルコハク酸アミドもしくはイミド、ポリブテニルホスホン酸誘導体および塩基性マグネシウム、カルシウムおよびバリウムスルホン酸塩およびフェノレートを含む。
【０２９０】
耐摩耗添加剤の例は、硫黄および／またはリンおよび／またはハロゲン、例えば、硫黄化植物油、亜鉛ジアルキル−ジチオ−ホスフェート、トリトリル−ホスフェート、塩素化パラフィン、アルキルおよびアリールジ−スルフィドおよびトリスルフィド、トリフェニル−ホスホロ−チオネート、ジエタノールアミノメチルトリルトリアゾールおよびジ（２−エチルヘキシル）アミノメチルトリトリアゾールを含む。
【０２９１】
ある実施態様において、油圧油はブレーキフルードとして使用される。ここで提供されるシクロシロキサン置換ポリシロキサンを含むブレーキフルード組成物は、低温にてより低い粘度を有し、改良された潤滑特性を有し、およびゴム部品、例えば、油圧系に一般的に存在するネオプレン、スチレン−ブタジエンゴムまたはエチレン−プロピレン−ジエンモノマーから製造されるポリマー等の部品において、良好に制御された膨潤特性を示す。また、ここで提供されるシクロシロキサン置換ポリシロキサンを含有するブレーキフルード組成物は、ブレーキフルードにおいて一般的に使用される添加剤と良好な適合性を示し、より優れた耐熱性を有する。
【０２９２】
３．消泡組成物
シクロシロキサン置換ポリシロキサンを含むシリコーン消泡組成物、特に、１００秒−１のせん断速度、２５℃にて測定した場合に、１００〜１００００ｃＰの範囲に粘度を有する、特に、１００秒−１のせん断速度、２５℃にて測定した場合に、１００〜２５００ｃＰの範囲または１００〜５００ｃＰの範囲に粘度を有するシクロシロキサン置換ポリシロキサンを含むシリコーン消泡組成物が提供される。また、シクロシロキサン置換ポリシロキサンは、アリール置換基、例えば、フェニル基、またはハロアルキル置換基を含むことができる。
【０２９３】
消泡組成物は、単独でまたは他のポリシロキサンと組み合わせてまたは他の添加剤と組み合わせて、ここで提供されるシクロシロキサン置換ポリシロキサンを任意の量で含むことができる。ある実施態様において、シクロシロキサン置換ポリシロキサンは、組成物の約５０−１００重量％の間の濃度で存在する。ある実施態様において、シクロシロキサン置換ポリシロキサンは、組成物の約６０％〜９９重量％の間の濃度で存在する。ある実施態様において、シクロシロキサン置換ポリシロキサンは、組成物の約２５％〜７５重量％の間の濃度で存在する。ある実施態様において、シクロシロキサン置換ポリシロキサンは、組成物の約０．１％〜５０重量％の間の濃度で存在する。ある実施態様において、シクロシロキサン置換ポリシロキサンは、組成物の約０．５％〜４５重量％の間の濃度で存在する。ある実施態様において、シクロシロキサン置換ポリシロキサンは、組成物の約１％〜４０重量％の間の濃度で存在する。ある実施態様において、シクロシロキサン置換ポリシロキサンは、組成物の約２％〜３５重量％の間の濃度で存在する。ある実施態様において、シクロシロキサン置換ポリシロキサンは、組成物の約３％〜３０重量％の間の濃度で存在する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、４９７、９８、９９、９９．５、９９．９または１００重量％の濃度で消泡組成物中に存在する。
また、消泡組成物は、Ｒ＊３ＳｉＯ０．５ユニットおよびＳｉＯ２ユニットから成るシリコーン樹脂製のジオルガノポリシロキサンを１〜１０重量％含むことができ、この場合において、シリコーン樹脂は０．１〜６％の範囲にヒドロキシル基を含有できる。
【０２９４】
また、消泡組成物は、０．５〜１５重量％の充填剤を含むことができる。処理されていてもよく、または未処理であってもよい充填剤は、処理されたまたは未処理のヒュームドシリカ、処理されたまたは未処理の沈降シリカから選択される。充填剤を、低分子量の直鎖状ポリシロキサンで処理できる。このような消泡組成物に水中での改良された分散性を付与するために、ソルビタンモノステアレート、ポリオキシエチレンソルビタンモノステアレートおよび／またはポリオキシエチレンステアレートなどの既知の乳化剤を乳化剤として用い、水中で上記含有物から、消泡組成物のエマルションを形成してもよい、水エマルション形態でシリコーン消泡組成物を使用することは、発泡した水系中にシリコーン組成物を分散させるのに最大限の効果を有する。従って、水系で使用されるシリコーン消泡組成物は、エマルションの形態で提供できる。消泡組成物は、シクロシロキサン置換ポリシロキサンポリマー、所望によるシリコーン樹脂および処理したまたは未処理の充填剤を、高せん断攪拌機を用いて、単純に混合することにより調製できる。
【０２９５】
シリコーン樹脂が存在する場合、シリコーン樹脂は、シラノール基の大部分が縮合している縮合樹脂であってもよく、シリコーン樹脂中の大部分または全てのシラノール基が非縮合である非縮合シリコーン樹脂であってもよい。一般に、消泡シリコーン組成物中のシリコーン樹脂は、最大限の消泡特性のために、０．１〜６重量％の範囲でヒドロキシル基を含有し、特に２〜６重量％の範囲でヒドロキシル基を含有する。このようなシリコーンを製造する方法は、当該技術分野において既知である（例えば、ＵＳ特許３７３０９３１参照）。例えば、このようなシリコーン樹脂は、適量のジオルガノジクロロシランおよびテトラクロロシランを水中で加水分解し、シリコーン樹脂製品中での四官能性基に対する単官能性基の所望の割合を得ることにより製造できる。形成されるシリコーン樹脂加水分解物は、その後過剰量の水および酸から分離され、既知の方法、例えば、水を添加してシリコーン樹脂加水分解物を洗浄し、酸含有量が１０００万分の１になるまで過剰量の酸を除去することにより精製される。同様の方法において、このような樹脂は、エーテル中でトリオルガノクロロシランおよびエチルオルトシリケートを加水分解することにより製造できる。更に、加水分解は、水と、水と混合しない有機溶媒から成る加水分解媒体中で行うことができ、この場合において、シリコーン樹脂加水分解物は水と混合しない有機溶媒中に可溶であるので、水から抽出され、既知のリフラックス法により精製される。このような溶媒は、キシレン、トルエン、およびベンゼンを含む。最大限の消泡特性を付与するために、シリコーン樹脂は、２〜６重量％の範囲のシラノール含有量を有する。
【０２９６】
このような消泡組成物において、更なる成分は充填剤である。ここで提供される消泡剤において有用な充填剤粒子は、既知であり、多くの文献に開示されている。それらは、微粉化した粒子材料であり、それらの例は、シリカ、ヒュームドシリカ、ヒュームドＴｉＯ２、Ａｌ２Ｏ３、酸化亜鉛、酸化マグネシウム、脂肪族カルボン酸の塩、およびイソシアネートと、ある材料、例えば、シクロヘキシルアミン、アルキルアミド、例えばエチレンもしくはメチレンビスステアルアミドとの反応生成物を含む。ある実施態様において、充填剤は、少なくとも５０ｍ２／ｇの表面積を有するシリカ粒子を含む。適当なシリカ粒子は、任意の標準的な製造技術、例えば、ハロゲン化ケイ素の熱分解法、ケイ酸の金属塩、例えばケイ酸ナトリウムおよびの分解および沈殿法、およびゲル形成法に従い製造できる。従って、消泡剤において使用するためのシリカの例は、ヒュームドシリカ、沈降シリカ、およびゲル形成シリカを含む。これらの充填剤の平均粒子サイズは、０．１〜２０μｍ、または０．５〜２．５μｍの範囲である。
【０２９７】
一般に、シクロシロキサン置換ポリシロキサンポリマーの重量で０．５〜１５重量％の範囲の充填剤が存在できる。充填剤は、任意の充填またはヒュームドシリカ充填であることができ、１〜１５重量％の範囲にヒドロキシル含有量を有することができる。使用される沈降シリカ充填剤は、商業的に入手可能であり、一般に、約３００〜４００ｍ２／ｇの表面積を有する水和二酸化ケイ素として知られている。充填剤は、一般に、１〜１５重量％の範囲に水分含量を有し、特に、約５〜１５重量％の水分含量を有する。充填剤は、消泡シリコーン組成物中で機能して、組成物に対して消泡特性を付与でき、また、発泡系においてシリコーン消泡組成物の分散性を向上させ、また、シリコーン消泡組成物から形成され得る任意のエマルションの安定性を向上させることができる。充填剤は湿潤剤で処理され、組成物内への充填剤の導入を補助できる。
【０２９８】
今回の消泡組成物は、特に、シクロシロキサン置換ポリシロキサンポリマーのみを明確に含有できる。ある実施態様において、消泡組成物は、充填剤および／または単官能性シロキシ単位とテトラ官能性シロキシ単位から構成されるシリコーン樹脂と共に、シクロシロキサン置換ポリシロキサンを含む。このような混合物の単純な製造法は、溶媒中にシリコーン樹脂を単純に溶解させ、得られた溶液をジオルガノポリシロキサンポリマーに添加し、一定の攪拌をし、その後混合物を加熱し、組成物から全ての溶媒を除去することにより調製される。構成されるような、このような組成物は、発泡系を消泡するのに改良された結果を有する消泡シリコーン組成物として使用できる。
【０２９９】
ある実施態様において、ここで提供される消泡組成物は、エマルション形態である。ある実施態様において、消泡組成物は、水中油型（oil in water）エマルションまたは油中水滴型（water in oil）エマルション形態である。消泡組成物が水系で使用される実施態様において、消泡配合物は水中油型エマルションとして提供できる。これの望ましさは、このようなエマルションを使用することであり、ここで提供される消泡シリコーン組成物
は、水性の泡系において容易に分散するので、このようなエマルションを使用しない場合と比べて、より早く、そして水性の泡系を消滅させるのにより少ない量でより効果的におよびより効率的に消泡できる。
【０３００】
エマルション形態における配合物の場合、乳化剤を使用できる。消泡シリコーン組成物が添加される泡が形成された系において許容できる任意の乳化剤を使用できる。乳化剤の例は、常套の乳化剤、例えば、ポリオキシエチレンソルビタンモノステアレート（Tween60）、ソルビタンモノステアレート(SPAN60)、ポリオキシエチレンステアレート(Myrj52S)、およびそれらの混合物などから選択される化合物である。多くの食品と接触する用途に関して、食品に認可された乳化剤が使用され、例えば、ソルビタンモノステアレート（Span60）とポリオキシエチレンステアレート（Myrj52S）の混合物などである。他の従来成分または所望の成分は、ここで提供される消泡組成物を乳化させるのに使用できる。例えば、ソルビン酸またはポリソルベートを、殺菌剤として、組成物の０．０１〜０．１重量％の範囲の濃度で添加できる。エマルションの配合方法は既知である（例えば、ＵＳ特許４００５０４４参照）。例示的な方法において、乳化剤は、水に溶解し、シクロシロキサン置換ポリシロキサンおよび所望によるシリコーン樹脂を、乳化剤水溶液中に分散させ、その後、処理したまたは未処理の充填剤、例えばシリカ充填剤を分散液内で混合し、得られる組成物を破砕する。ここで提供される消泡組成物を製造する方法は、このような混合法に限定されない。エマルションを形成する他の方法も、エマルション配合物を調製するのに使用できる。エマルション組成物を製造するための別の方法は、乳化剤、例えば、ソルビタンモノステアレートおよびオキシエチレンステアレートを水に添加し、高せん断攪拌の下、得られた混合物を６０℃〜１００℃の温度まで加熱することを含む。この混合物に、所望の量のシクロシロキサン置換ポリシロキサンポリマーを添加し、所望により、シリコーン樹脂および充填剤を、高いせん断を付与しながら、導入する。
【０３０１】
４．撥水組成物
ここで提供されるシクロシロキサン置換ポリシロキサンは、撥水剤として使用できる。シクロシロキサン置換ポリシロキサンは、基材に撥水効果をもたらすために任意の濃度で使用できる。ある実施態様において、シクロシロキサン置換ポリシロキサンは、組成物の約５０〜１００重量％の濃度で使用される。ある実施態様において、シクロシロキサン置換ポリシロキサンは、組成物の約０．５〜５０重量％の濃度で使用される。シクロシロキサン置換ポリポリシロキサンを０．５％未満含有する溶液を用いることにより、ある程度の撥水効果を得ることができるが、一般に、多くの実用目的において、少なくとも０．５％のシクロシロキサン置換ポリシロキサンを含有する溶液が使用されるべきである。５０重量％よりも多いシクロシロキサンを含有する組成物は、基材に施された場合に優れた結果をもたらすが、ある用途、例えば、石工用途などにおいて、ポリマーの高濃度溶液を使用することは経済的ではないであろう。ある実施態様において、撥水剤コーティングは、組成物の約１〜２５重量％のシクロシロキサン置換ポリシロキサンを含有し、または、組成物の約５〜２０重量％のシクロシロキサン置換ポリシロキサンを含有する。ある実施態様において、撥水剤コーティングは、組成物の約１〜５重量％のシクロシロキサン置換ポリシロキサンを含有する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６４９７、９８、９９、９９．５、９９．９または１００重量％の濃度で撥水コーティング組成物中に存在する。
【０３０２】
撥水コーティング組成物は、シクロシロキサン置換ポリシロキサンに加えて添加剤を含むことができる。これらの他の添加剤は、ワックス、三級脂肪族アミン、金属石鹸またはこれらの添加材の混合物を含む。これらの添加剤は、約０.５〜１５％の濃度で添加できる。組成物は、溶液として、またはエマルションとして、あるいは混合エマルションとして配合できる。
【０３０３】
シクロシロキサン置換ポリシロキサンを含有する、ここで提供される撥水コーティング組成物は、先行技術における撥水化合物と比べる場合に、即効であり、より短い時間で有効になる。例えば、シクロシロキサン置換ポリシロキサン５〜２０％溶液のコーティングは空気乾燥でき、大気温度にて１時間未満で乾燥できる。このことは、同じ目的で使用されるシリコーン樹脂において通常要求される数日の硬化または乾燥時間とは対照的である。更に、他の撥水添加剤と併用されるか併用されない、本発明における組成物は、湿潤石工表面に施され、被覆された表面に対して撥水性を付与できる。ここで提供される撥水コーティング組成物は、天候が不安定な時、または降雨が予想される場合にも安全に使用できるので、実質的に任意の時に施すことができる。
【０３０４】
ここで提供される撥水コーティング組成物は、任意の基材を処理するのに使用できる。コンクリート、モルタル、煉瓦、スタッコ、タイル、木材、セラミック、金属、プラスチック、ガラス、繊維製品、革および紙のような多様な種類の表面において付着し効果的である。さらに、組成物は、塗装された基材および未塗装の基材においても効果的である。ここで提供される撥水コーティング組成物を、任意の塗布技術、例えば浸漬、噴霧または基材上に組成物を刷毛塗りすることなどにより施すことができる。
【０３０５】
ここで提供されるシクロシロキサン置換ポリシロキサンを含有する撥水剤コーティング組成物は、所望の結果を得るための他の材料を含む。従って、例えば、染料、顔料、ステイン、または充填剤を含む他の材料を、撥水コーティング組成物中に導入し、処理基材を視覚的に改良できる。組成物中に有利に含むことができる他の材料の例は、防かび剤、殺菌剤、および難燃剤を含む。例えば、撥水コーティング組成物と、防かび剤および／または殺菌剤の使用は有用であろう。なぜならば、撥水コーティング組成物は処理した基材を乾燥させた状態を保持する傾向があるので、好都合な増殖環境に存在し得る菌類またはバクテリアを剥奪できるからである。
【０３０６】
ある実施態様において、撥水コーティング組成物は基材内の水分を保持するのに使用できる。例えば、コンクリートまたはモルタルの硬化において、材料の強度の適切な進展のために構造中の水分を保持することが重要である。構造体の表面を、ここで提供される撥水コーティング組成物で処理することにより、水分をコンクリートまたはモルタル中に保持できる。
【０３０７】
ここで提供される撥水コーティング組成物は、先行技術のコーティングで被覆することが困難であった、ガラスおよび金属対象物などの表面上に付着性のコーティングを形成する。このため、ここで提供される撥水コーティング組成物は、建設分野における装置または構造体を保護するのに使用できる。例えば、巨大なビル構造体において、ビルの下位部、およびその場所に設置された装置、例えば、ポンプおよび配管装置またはエレベーターの部品は、水中に浸漬されるか、極めて高い湿度に曝されることが多い。このような暴露は、構造体または装置にさびおよび劣化を生じさせることが多い。更に、電気装置の場合において、長期及び水分を暴露することは、装置を動作不能にするか、電源の火災原因となり得る。このような状況において、多量のグリースを時々使用し、水分から装置を保護するが、このことは極めて不十分である。グリースは摩擦により剥がすことができ、装置の洗浄で除去できる。その結果、このような装置が膜または多量のグリースで保護される場合、保護フィルムは周期的に検査し、更新しなければならない。ここで提供される撥水コーティング組成物は、高濃度の水分への暴露からこのような装置を保護できる。従って、シリコン樹脂などの他の添加剤を有するかまたは有さない、シクロシロキサン置換ポリシロキサン溶液は、接着性をもたらすことができ、および装置または構造体の金属表面または他の表面に撥水コーティング水分に対する暴露に対してこのような表面を保護することができる。
【０３０８】
ここで提供されるシクロシロキサン置換ポリシロキサンを含有する撥水コーティング組成物の他の有用な用途は、水分による腐食に対する貯蔵および搬送する間の種々の製品の保護である。多くの金属製品は、製造者と使用者に搬送する期間において、腐食する場合が多い。このような腐食は、ここで提供されるシクロシロキサン置換ポリシロキサンを含有する撥水コーティング組成物の使用により防ぐことができる。
【０３０９】
ここで提供される撥水コーティング組成物は、種々の天然および合成繊維製品ならびに皮革の処理に使用できる。このような用途において、エマルション形態で撥水コーティング組成物を提供することが好ましい。当該技術分野において既知の任意の方法を用いて、組成物を繊維製品または皮革表面に施すことができる。このように施す方法は、噴霧、パディングを含み、該方法にいて、基材はここで提供された撥水コーティング組成物の希釈エマルションで浸透され、ローラー間で圧縮され、過剰量の液体が除去される。ある実施態様において、繊維製品および皮革は、２００°Ｆ〜２５０°Ｆの温度で乾燥される。
洗浄工程に続き乾燥工程も含むことができる。
【０３１０】
ここで提供される撥水コーティング組成物は、容易に施され、汚れに対する繊維の耐性を付与し、および繊維製品または皮革に滑らかさ、絹様の手触りおよび良好なドレープをもたらす。ここで提供される撥水コーティングが施される繊維製品および皮革は、撥水性、引き裂き抵抗、および防しわ性を示す。ある実施態様において、ここで提供される撥水コーティング組成物で処理された繊維製品は、未処理の繊維製品と比べて、繰り返して選択を行った後でも縮みを防ぐことができる。
【０３１１】
５．離型剤組成物
離型剤または剥離コーティングは、第１基材に対する第２基材の接着を妨げるまたは減少させるために、第１基材に対して施されるコーティングである。ある実施態様において、離型剤は、他の基材からある基材を制御された剥離を可能とする。離型剤が使用される用途は、金型離型剤（ダイまたは金型から目的物の離型を可能とする）、ダイキャスティング、およびアルミの機械加工および押出し加工を含む。管理された離型は、ある基材（例えば、コーティング）と、第１基材が取付けられる基材（例えば接着基材など）との間の剥離を制御する能力である。剥離は、粘り気または粘着性物質が接着コーティングに対して示す接着性の程度の大きさである。離型コーティングは、感圧性ラベル支持体およびそこから内容物の除去を促進する容器に関するコーティングとして、離型剤として幅広く使用される。
【０３１２】
ここで提供されるシクロシロキサン置換ポリシロキサンは、優れた離型特性を示し、離型剤（特に金型離型剤）、接着剤が施される剥離紙、および感圧性ラベル支持体に使用できる。接着剤が被覆される剥離紙は、大きなロール形態で供給される。巻き取られていないロールとしての剥離紙の面に均一に接着剤コーティングを有するために、剥離紙の底面は接着剤よりも紙基材により接着する離型剤で被覆され、それによって、望ましい異なる剥離力が得られる。従って、接着剤コーティングは、剥離紙底面よりも剥離紙の表面により大きな力で接着するが、その力は、接着剤が施される基材、例えば、床タイル、壁紙または感圧性ラベルなどに対する力よりも小さい、
【０３１３】
異なる剥離紙は、紙に接着するが施される接着剤に対する接着性が低いシリコーン組成物で紙の片側を被覆することにより調製される。
【０３１４】
効果的な離型コーティング組成物は、ここに記載されるシクロシロキサン置換ポリシロキサンを含むことにより調製される。離型コーティング組成物は、単独でまたは他のポリシロキサンと組み合わせてまたは他のシリコーンまたは添加剤と組み合わせて、ここで提供されるシクロシロキサン置換ポリシロキサンを任意の量で含むことができる。ある実施態様において、シクロシロキサン置換ポリシロキサンは、組成物の約５０〜１００重量％の間の濃度で存在する。ある実施態様において、シクロシロキサン置換ポリシロキサンは、組成物の約６０〜９９重量％の濃度で存在する。
ある実施態様において、シクロシロキサン置換ポリシロキサンは、組成物の約２５〜７５重量％の濃度で存在する。ある実施態様において、シクロシロキサン置換ポリシロキサンは、組成物の約０．１〜５０重量％の濃度で存在する。ある実施態様において、シクロシロキサン置換ポリシロキサンは、組成物の約０．５〜４５重量％の濃度で存在する。
ある実施態様において、シクロシロキサン置換ポリシロキサンは、組成物の約１〜４０重量％の濃度で存在する。ある実施態様において、シクロシロキサン置換ポリシロキサンは、組成物の約２〜３５重量％の濃度で存在する。ある実施態様において、シクロシロキサン置換ポリシロキサンは、組成物の約３〜３０重量％の濃度で存在する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６４９７、９８、９９、９９．５、９９．９または１００重量％の濃度で存在する。
【０３１５】
ある実施態様において、組成物は、水性エマルションとして配合される。ある実施態様において、離型コーティングは、常套の補助剤、例えば増粘剤および添加剤などを含む。増粘剤は、コーティング組成物を施すのに使用される装置の要求、およびコーティングの取り出しおよび提供に対するこれらの組成物の粘度を調整するために、これらの組成物に添加される。ある実施態様において、離型コーティングは可塑剤を含む。
【０３１６】
ここで提供される離型剤組成物において、シクロシロキサン置換ポリシロキサンに悪影響を及ぼさない任意の増粘剤を使用できる。適当な増粘剤の例は、スルホン化ポリスチレン、水分散性で増粘性のグレード、ベントナイトなどの親水性クレー、消化型澱粉、キサンタンガムを含む天然ガム、ゲランガム、ウェランガム、ラムサン(rhamsan)ガム、ジウタン(diutan)、アルギン酸ナトリウムおよびアルギン酸カリウムを含むアルギン酸塩、カードラン、キトサン、グアーガム、ローカストビーンガム、カルボキシ置換セルロースエステル、例えばカルボキシメチルセルロースなど、ヒドロキシプロピルセルロース、メチルセルロースおよびそれらの組合せを含む。オイルの均一サイズの液滴が懸濁できるチキソトロピックを形成するような量で選択されて使用できる。換言すれば、増粘した液体は、通常その流体挙動において非ニュートン状態であり、つまり、相の密度における違いに起因する重力の作用により水溶液内の分散液滴の急速な移動を防ぐ性質を示す。懸濁した液滴による周囲媒体に付与される応力は、非ニュートン媒体内における液滴の急速な移動を生じさせるのに十分ではない。通常、増粘剤は、粘度が増加した水溶液の見かけ粘度が、３０ｒｐｍにてＮｏ．２スピンドルを用いるブルックフィールド粘度計を用いることにより規定されるような少なくとも５００センチポイズの次数である水溶液に関連するような割合で使用できる。増粘剤は、高濃度の組成物を分離し、その後、オイル液滴分散液と慎重に混合するようにして調製できる。得られる粘度の増加した分散液は、例えば管を通過させて処理され、分散オイル液滴の大きさまたは形状を機械的に変化させること無く実質的に重合条件に曝すことができる。
【０３１７】
シクロシロキサン置換ポリシロキサンを含有する離型剤組成物は、有機溶媒を含有できる。有機溶媒として、各成分に関して優れた溶解度を有する溶媒は、離型剤組成物のあらゆる成分に反応しない限り特に限定されることなく使用できる。このような溶媒の例は、トルエン、キシレン、メタノール、エタノール、イソブタノール、ｎ−ブタノール、エチルアセテート、メチルエチルケトン、アセトン、テトラヒドロフラン、イソプロパノール、ジメチルホルムアルデヒドおよびN−メチルピロリドンを含む。これらの溶媒は、単独で用いてもよく、２種以上を組み合わせて使用してもよい。有機溶媒は、離型剤組成物中のシクロシロキサン置換ポリシロキサンの含有量が、１〜８０重量％の範囲、または１〜６０重量％の範囲、または１〜５０重量％の範囲、または１〜４０重量％の範囲、または１〜３０重量％の範囲、または１〜２０重量％、１〜１０重量％の範囲となるような量で使用できる。
【０３１８】
離型剤組成物は、他の添加剤、例えば、帯電防止剤、表面活性剤、酸化防止剤、潤滑剤、難燃剤、着色剤、光安定剤および熱安定剤などを含むことができ、このような添加剤は、それらの存在が組成物の離型機能に害を及ぼさない濃度で添加できる。
【０３１９】
シクロシロキサン置換ポリシロキサンを含有する離型コーティング組成物は、エアーナイフ、トレーディングブレード、ロール、噴霧、印刷またはキャスト法により表面に施すことができる。被覆された基材は、所望により硬化処理に付され、該処理は、通常、表面を短時間熱に曝すことを含む。硬化は、約２００°Ｆ〜４００°Ｆにて約０．１〜３分間、被覆表面を加熱することにより効果的に行うことができる。ある実施態様において、離型剤は触媒を含有する。触媒濃度を増加または減少させることにより、それぞれ硬化を促進または抑制することができる。もちろん、既知のように、硬化は、室温で行うことができるが、この方法は、比較的長い時間を必要とする。
【０３２０】
シクロシロキサン置換ポリシロキサンを含有する離型組成物は、任意の表面に施すことができる。このような基材の例は、以下の物を含む：樹脂、例えば、ポリエチレン、ポリプロピレン、ポリブチレン、ポリブタジエン、塩化ビニル、ポリエチレンテレフタレート、ポリエチレンナフタレート、ポリブチレンテレフタレート、ポリイミド、ポリエーテルイミド、ポリエーテルケトン、ポリエーテルエーテルケトン、エチレン／ビニルアセテートコポリマー、エチレン／（メタ）アクリル酸コポリマー、ポリカーボネート、ポリメチルメタクリレート、トリアセチルセルロースおよびポリノルボルネン製のフィルム；紙、例えば、木不含紙、リント不含紙、グラシン紙、クレーコート紙、樹脂被覆紙、ラミネート紙（ポリエチレンラミネート紙、ポリプロピレンラミネート紙）など；不織布；金属および金属箔。基材の厚さは、例えば、目的および基材の種類に応じて変化する。例えば、基材として樹脂フィルムが使用される場合、厚さは、通常約５〜３００μｍの範囲、または約２０〜２００μｍの範囲で変化できる。紙基材が使用される場合、厚さは、約２０〜４５０ｇ／ｍ２、例えば、４０〜２２０ｇ／ｍ２である。離型層は、既知の方法、例えば、グラビアコーティング、ロールコーティング、ブレードコーティング、ナイフコーティング、バーコーティングまたはスプレーコーティングを用いて基材上に離型剤組成物を施し、その後、組成物を乾燥させることにより形成できる。離型層の厚さは、通常０．０１〜１５μｍ、または０．０５〜１０μｍの範囲である。
【０３２１】
金型離型剤などで使用され、それらの離型性能の利点をもたらすために、シクロシロキサン置換ポリシロキサンを含有する離型コーティング組成物は、多種多様の表面に施すことができる。
【０３２２】
例えば、それらは、ベーカリー平鍋およびキャンディートレーにおける金型離型剤として使用できる。同様に、それらは、紙、プラスチックおよび金属箔においても使用され、離型コーティングをもたらすことができる。また、それらは、ゴムを含み得る被覆多層バックおよびボール紙にも使用でき、キャンディー、ベーク品、および他の粘着性製品を含む被覆ボール紙に使用できる。また、それらは、感圧テープ、ラベル、タグ、デカール、自己接着性壁紙、装飾プラスチック、およびアスファルト含浸パイプ包装紙の裏紙を被覆するのに有用である。従って、一般に、それらは、任意の種類の材料、例えばセルロース不織布材料、例えば、紙（漂白剤スルフェート、クレー被覆クラフト紙、グラシン、羊皮紙およびティッシュペーパー）およびプラスチック、例えばナイロン、ポリアクリロニトリル、ポリエステル、スチレン、ビニル樹脂、ポリウレタンおよび他の有機樹脂材料などを被覆するのに使用できる。さらに、それらは、無機材料、例えばセラミックスまたは金属、例えばアルミニウム、マグネシウム、銅、鋼鉄、または亜鉛などの離型剤として使用するのにも適用できる。
【０３２３】
ある実施態様において、離型コーティング組成物は、金型離型剤として使用される。離型剤は、金型または型から成型品の付着を減少させることによって機能する。ここで提供される離型剤組成物は、低い表面張力を示すシクロシロキサン置換ポリシロキサンを含むことができ、それは、金型または型の全ての部分にわたり薄膜を容易に分布させることを促進する。ポリシロキサンは耐熱性であり、寿命が長く、金型または型として通常使用される有機材料に対して低い接着性を示し、金型または型から成型物品を取り出す場合、容易に取り出すことを促進する。ここで提供される離型コーティング組成物は、シェルモールド法での離型、およびダイキャスティング用途においても有用である。
【０３２４】
パーソナルケアおよび化粧品組成物
多数のパーソナルケア製品が入手でき、それらの多くは、溶液、クリーム、軟膏、ローション、ゲルまたはエマルション形態である。例えば、スキンケア、バスおよびボディーケア、デオドラント、手および足のケア、顔のケア、髪のケア、シェービング製品、デンタルケア、トイレタリーおよびパーソナル潤滑剤を含むこれらのパーソナルケア製品が多種多様に使用されている。一般的に、配合された製品中の成分は、皮膚軟化剤、保湿剤、モイスチャー、乳化剤、潤滑剤、抗菌剤、化粧品、香料およびレオロジー改良剤として機能する。製品のうちの幾つかは、溶媒系であり、他は水系である。ある組成物は溶液であるか、あるいは水中油型および油中水滴型のエマルションであり、例えば、ローションおよびクリームを含む。パーソナルケアおよび化粧品媒体の豊富な議論は、Handbook of Cosmetic Science and Technology (第２版,yMPaye,A.O.BarelandH.I.Maibach著 (2005)、ページ99-123を参照されたい。
【０３２５】
パーソナルケア組成物または製品は、通常、クリーム、溶液、エマルション、泡、ゲル、ローション、軟膏、固体、パウダー、半固体またはそれらの組合せである。従って、組成物は、多種多様の製品にされる。これらに限定されないが、これらは、溶液、ローション、エマルション、クリーム、ゲル、スティック、スプレー、軟膏、ペースト、泡、ムース、シャンプー、コンディショナー、および化粧品を含む。これらに限定されないが、これらの組成物を使用する製品は、スキンケア製品、化粧品、デオドラント、制汗剤、防虫剤、麻酔剤、シャンプー、ヘアーコンディショナー、スキンコンディショナー、日焼け関連(sun care)製品、石けん、ヘアースタイリングゲル、ふけ防止組成物、育毛促進組成物、ヘアー着色組成物、ヘアーブリーチ剤組成物、ヘアー抗フリージング(anti-frizzing)剤組成物、ヘアー光沢組成物、ヘアーリラクサー組成物、皮膚用殺菌剤、シェービング製品組成物、潤滑ゲル組成物、パーソナル潤滑剤組成物、殺精子ゲル組成物および皮膚洗浄組成物を含む。
パーソナルケア産業は、最終的な配合において、重要なまたは望ましい性能特性を有する複数の成分の混合物に基づく多重性能製品をもたらすことができる。ある望ましい特性は、絹様の感触をもたらす能力である（例えば、ＵＳ特許、５７６０１１６、５４９３０４１および４９８７１６９参照）。ここで提供されるシクロシロキサン置換ポリシロキサンは、化粧品配合物およびパーソナルケアにおけるドライダウンにおいて、なめらかな絹様の感触をもたらす。
【０３２６】
パーソナルケア用途、例えば、ヘアケアおよびスキンケアにおいて、基材（例えば、髪または皮膚）上にコーティングを堆積させることが望ましく、基材を通過するか横切って目的物を移動させるのに必要なエネルギーを減少させる。例えば、シクロシロキサン置換ポリシロキサンを含む組成物は、湿潤または乾燥状態で髪をとかすのに必要なエネルギーを減少させるように配合でき、あるいは、皮膚に対して絹様で柔らかい感触をもたらすように配合できる。シクロシロキサン置換ポリシロキサンを含有する組成物はまた、髪および皮膚の光沢および水分保持、ならびにそれらの扱いやすさおよび感触を改良するように作用できる。カチオンポリマー−アニオン界面活性剤錯体を用いる洗浄組成物、例えばシャンプーからシリコーン樹脂の改良された堆積を発見することは、髪の調整、皮膚および繊維製品の調整を生むというこのアプローチを研究することにつながる。しかしながら、シリコーンシャンプーを用いて洗浄を繰り返した後、髪にカチオンポリマーが積層する傾向があり、また、透明なコンディショニング配合物に対する要求は、髪、皮膚、およびカチオンポリマーを用いない繊維製品にシリコーンコンディショニングをもたらすための代替法に関する強い市場の要求を残している。シクロシロキサン置換ポリシロキサンは、基材に対してシクロシロキサン置換ポリシロキサンを堆積させるためにカチオンを必要としない。ここで提供されるシクロシロキサン置換ポリシロキサンを１種以上含むパーソナルケア組成物は、改良された全体特性、例えば、改良されたヘアーボリューム、扱いやすさ、髪の再生、または色の保持、皮膚の保湿および水分保持、香料保持、髪、皮膚、および繊維製品への長期の日焼け防止および抗菌性をもたらす。
【０３２７】
シクロシロキサン置換ポリシロキサンは、所望の手触りまたは所望の効果を得られる任意の濃度で使用できる。ある実施態様において、シクロシロキサン置換ポリシロキサンは、組成物の約５０〜１００重量％の間の濃度にて使用される。ある実施態様において、シクロシロキサン置換ポリシロキサンは、組成物の約６０〜９９重量％の濃度で存在する。ある実施態様において、シクロシロキサン置換ポリシロキサンは、組成物の約２５〜７５重量％の濃度で存在する。ある実施態様において、シクロシロキサン置換ポリシロキサンは、組成物の約０．１〜５０重量％の濃度で存在する。ある実施態様において、シクロシロキサン置換ポリシロキサンは、組成物の約０．５〜４５重量％の濃度で存在する。ある実施態様において、シクロシロキサン置換ポリシロキサンは、組成物の約１〜４０重量％の濃度で存在する。ある実施態様において、シクロシロキサン置換ポリシロキサンは、組成物の約２〜３５重量％の濃度で存在する。ある実施態様において、シクロシロキサン置換ポリシロキサンは、組成物の約３〜３０重量％の濃度で存在する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６４９７、９８、９９、９９．５、９９．９または１００重量％の濃度で存在する。
【０３２８】
ある実施態様において、パーソナルケア組成物は皮膚軟化剤化合物を含む。皮膚軟化剤化合物の例は、皮膚軟化特性をもたらす任意の流体、すなわち、皮膚に施される場合に、潤滑剤として皮膚の表面または皮膚の角質層にとどまり、剥離を低減させ、皮膚の外観を向上させる傾向があるものである。皮膚軟化剤化合物は、一般的に既知であり、例えば、イソドデカン、イソヘキサデカン、水素化ポリイソブテンなどの炭化水素、例えば、ホホバなどの有機ワックス、例えば、シクロペンタシロキサン、ジメチコンおよびビス−フェニルプロピルジメチコンなどのシリコーン流体、例えば、オクチルドデシルネオペンタノエートおよびオレイルオレートなどのエステル、ならびに脂肪酸およびアルコール、例えばオレイルアルコールおよびイソミリシルアルコールなどを含む。
【０３２９】
ある実施態様において、パーソナルケア組成物は、水系および非水系エマルションを含むエマルションとして提供される。シリコーン層を含有するエマルション配合物はＵＳ特許６０６０５４６に記載されている。組成物の所望の形態が実現すると、シクロシロキサン置換ポリシロキサンの単層、シクロシロキサン置換ポリシロキサン層を含む無水混合物、シクロシロキサン置換ポリシロキサン層を含む水和混合物、油中水滴型エマルション、水中油型エマルション、または、二つの非水系エマルションもしくはそれに関する変化物であっても、得られる材料は、通常、良好な手触り特性を備える中〜高粘度のクリームである。配合物は、ヘアケア、スキンケア、制汗剤、日焼け防止剤、化粧品、カラー化粧品、防虫剤、ビタミンおよびホルモンキャリヤ、ならびに香料キャリヤ用の配合物内に混合できる。
ここで提供されるシクロシロキサン置換ポリシロキサンおよびシクロシロキサン置換ポリシロキサン含有組成物を含むパーソナルケア用途の例は、これらに限定されないが、デオドラント、制汗剤、制汗／デオドラント、シェービング製品、スキンローション、保湿剤、トナー、バス製品、クレンジング製品、ヘアケア製品、例えばシャンプー、コンディショナー、ムース、スタイリングジェル、ヘアースプレー、ヘアー染料、ヘアカラー製品、ヘアーブリーチ、ヘアーウェービング組成物、ヘアーストレート製品、マニキュア組成物、例えば、ネイル研磨剤、マニキュア除去剤、ネイルクリームおよびローションなど、キューティクル軟化剤、保護クリーム、例えば日焼け止め剤など、防虫剤およびアンチエージング製品、カラー化粧品、例えば、口紅、ファンデーション、フェイスパウダー、アイライン、アイシャドウ、頬紅、化粧品、マスカラおよび他のパーソナルケア配合物を含み、この場合、シリコーン化合物が通常添加され、および皮膚に対して施される医薬組成物の局所使用に関するドラグデリバリー系を含む。ある実施態様において、ここで提供されるシクロシロキサン置換ポリシロキサンを含むパーソナルケア組成物は、パーソナルケア配合物において通常使用される１種以上のパーソナルケア成分を更に含む。パーソナルケア成分の例は、例えば以下のものを含む：皮膚軟化剤、モイスチャー、保湿剤、顔料（例えばビスマスオキシクロリドおよび二酸化チタン被覆マイカなどの真珠光沢顔料を含む）、着色剤、香料、殺生物剤、防腐剤、酸化防止剤、抗菌剤、抗カビ剤、制汗剤、離型剤(exfoliant)、ホルモン、酵素、医薬化合物、ビタミン、塩、電解質、アルコール、ポリオール、紫外線吸収剤、植物抽出物、界面活性剤、シリコーンオイル、有機オイル、ワックス、膜形成剤、増粘剤（例えば、キサンタンガムなど）、カルボキシメチルセルロース、ポリアクリルアミド、ヒアルロン酸、ヒュームドシリカもしくは水和シリカ、微粒子充填剤、例えば、タルク、カオリン、澱粉、変性澱粉、マイカ、ナイロン、クレー、例えば、ベントナイトおよび有機変性クレーを含む。
【０３３０】
ここで提供されるシクロシロキサン置換ポリシロキサンは、容易に適用でき、皮膚に乾燥した感触を残す。また、ここで提供されるシクロシロキサン置換ポリシロキサンは、滑らかであり、スキンクリーム、スキンケアローション、湿潤剤、美顔処理剤、例えば痛みまたはしわ除去剤、パーソナルおよび美顔クリーナー、バスオイル、香水、コロン、におい袋、日焼け防止剤、プレシェーブおよびアフターシェーブローション、液体石けん、およびシェービング用泡の特性を改良するのに使用できる。ここで提供されるシクロシロキサン置換ポリシロキサンは、光沢および乾燥時間を向上させ、および貯蔵の補助をもたらすために、ヘアシャンプー、ヘアーコンディショナー、ヘアースプレー、ムース、パーマネント、脱毛剤、およびキューティクルコートにおいて使用できる。
【０３３１】
化粧品用途において、ここで提供されるシクロシロキサン置換ポリシロキサンは、化粧品、着色化粧品、ファンデーション、頬紅、口紅、リップバーム、アイライン、マスカラ、オイル除去剤、カラー化粧品除去剤、およびパウダー中の顔料に対する、分散、レベリングおよび拡散剤として機能する。ここで提供されるシクロシロキサン置換ポリシロキサンは、ビタミンなどのオイルおよび水溶性の物質に関して制御されるデリバリーシステムとして有用である。スティック、ゲル、ローション、エアロゾル、および回転塗布式内に組込まれる場合、ここで提供されるシクロシロキサン置換ポリシロキサンを含む組成物は、絹様の滑らかな手触りを付与する。
【０３３２】
パーソナルケア組成物は、当該技術分野において既知の方法、例えば、上記成分の１種以上とここで提供されるシクロシロキサン置換ポリシロキサンを混合することにより製造される。パーソナルケア組成物は、単相の形態であることができ、または水中油型エマルション、油中水滴型エマルションおよび無水エマルション（この場合において、シリコーン相は不連続相または連続相であることができる）、ならびに多重エマルション、例えば、オイル‐イン-水‐イン‐オイル（oil-in-water-in-oil）および水-イン-オイル-イン-水(water-in-oil-in-water)エマルションを含むエマルション形態であってもよい。
【０３３３】
エマルションとして配合される場合、ここで提供されるシクロシロキサン置換ポリシロキサンの１種以上を含む組成物は、更に、１種以上の乳化剤を含むことができる。このようなエマルションを調製するのに有用な乳化剤の例は、例えば、シリコーン含有乳化剤、ソルビタン化合物から誘導される乳化剤、および脂肪アルコールから誘導される乳化剤を含み、脂肪酸エステル、セスキオレイン酸ソルビタン、オレイン酸ソルビタン、ソルビタンイソステアレート、ポリグリセリル-３オレエート、アルコキシル化アルコール、例えばラウレス-４、ラウレス-７、デセス-１２、ステアレス-１０、シリコーン化合物のヒドロキシル化またはアルコキシル化誘導体、例えば、ジメチコンコポリオール、セチルジメチコンコポリオールおよびラウリルメチコンコポリオール、グリセリルエステル、例えば、ポリグリセリル-４-イソステアリルおよびそれらの混合物を含む。
【０３３４】
エマルションは、当該技術分野において既知の任意の方法を用いて調製できる。例えば、ここで提供されるシクロシロキサン置換ポリシロキサンを分散相または連続相に存在できる。ある実施態様において、エマルションは、成分混合物に低いせん断混合を行いながら、分散相の成分を連続相の成分に添加し、このように形成された混合物を高せん断混合に付すことにより調製される。ある実施態様において、第１液中のシクロシロキサン置換ポリシロキサン分散体は、例えば、プロペラ型の撹拌機を装備する混合タンク中で、混合相に低いせん断混合を行いながら第２液にゆっくりと添加され、その後、例えば、Sonolator（登録商標）、Gaulinホモジナイザー（登録商標）他の高せん断ミキサー、例えばEpenbachミキサー中で、このように形成した混合物を高せん断混合に付し、シリコーンエマルションを形成する。１実施態様において、乳化剤は第１相の成分を第２相の成分に添加する前に第１相に組込まれる。
【０３３５】
ここで提供されるシクロシロキサン置換ポリシロキサンの１種以上を含有するエマルションは、任意のパーソナルケア用途において使用できる。１実施態様において、ここで提供されるシクロシロキサン置換ポリシロキサンおよび１種以上の活性制汗剤を含む制汗剤が提供される。制汗剤の例は、例えば、U.S. Food and Drug Administration's 1993年10月10日に記載されたカテゴリーＩ活性制汗剤成分、人間用の市販の制汗剤ドラッグ製品モノグラフ、例えば、ハロゲン化アルミニウム、アルミニウムクロロハイドレートを含む、アルミニウムヒドロキシハライド、およびそれらの錯体またはそれらとジルコニルオキシハライドの混合物、およびジルコニルヒドロキシハライド、例えば、アルミニウム-ジルコニウムクロロハイドレートおよびアルミニウムジルコニウムグリシン錯体を含む。
【０３３６】
別の実施態様において、ここで提供されるシクロシロキサン置換ポリシロキサン、およびビヒクル、例えばシリコーン流体または有機オイルを含むスキンケア組成物が提供される。スキンケア組成物は、所望により、更に、皮膚軟化剤、例えば、トリグリセリドエステル、ワックスエステル、脂肪酸のアルキルまたはアルケニルエステル、多価アルコールエステルおよびスキンケア組成物において常套に使用される１種以上の既知の成分、例えば顔料、ビタミン（例えば、ビタミンＡ、ビタミンＣおよびビタミンＥ）、日焼け止めまたはサンブロック化合物、例えば、二酸化チタン、酸化亜鉛、オキシベンゾン、オクチルメトキシケイ皮酸エステル、ブチルメトキシジベンゾイムエタン、ｐ-アミノ-安息香酸、およびオクチルジメチル-ｐ-アミノ安息香酸を含む。
【０３３７】
別の実施態様において、ここで提供されるシクロシロキサン置換ポリシロキサンおよび着色剤（例えば顔料、水溶性染料、または脂溶性染料など）を含むカラー化粧品組成物、例えば、口紅、化粧品およびマスカラ組成物などが提供される。
【０３３８】
ここで提供されるシクロシロキサン置換ポリシロキサンを含むパーソナルケア組成物は、パーソナルケア組成物において使用される任意の添加剤または成分、例えば、分散剤、例えば、ポリ(２-ヒドロキシ-ステアリン酸)など、酸化防止剤、エッセンシャルオイル、保存料、香料、ワックス、脂溶性ポリマー、充填剤、中和剤、化粧品および皮膚活性剤、例えば皮膚軟化剤など、モイスチャー、ビタミン、必須脂肪酸、日焼け防止剤、着色剤、およびそれらの混合物から選択されるものを含むことができる。これらの添加剤は、組成物の総重量に対して、０％〜２０％（例えば、０.０１％〜２０％）の割合で組成物中に存在でき、さらに、例えば（存在する場合）０.０１％〜１０％の割合で組成物中に存在できる。
【０３３９】
ここで提供されるシクロシロキサン置換ポリシロキサンを含むパーソナルケア組成物は、また、添加剤、水相増粘剤またはゲル化剤で所望により増粘化またはゲル化された水を含有するおよび/または水に可溶な成分を含有する水相を含有できる。水は、組成物の総重量に対して０.０１〜５０％、例えば、０.５〜３０％の割合で存在できる。しかしながら、無水組成物も予定される。このような無水組成物は、クリームおよびペーストを含む。
【０３４０】
ある実施態様において、パーソナルケア組成物は、ワックスを含むことができる。ワックスの例は、例えば、天然起源のワックス、例えば、ベスワックス、カルナウバワックス、キャンデリラワックス、サトウキビワックス、パラフィンワックス、モンタンワックス、微結晶ワックスおよびラノリンワックス、ならびに、水素化オイル、例えば、水素化ホホバオイル、マカデミアナッツオイル、並びに、合成物起源のもの、例えば、エチレンの重合から誘導されるポリエチレンワックス、フィッシャー-トロプシュ合成により得られるワックス、４０℃で固体または５５℃以上で固体の脂肪酸エステルおよびグリセリド、シリコーンワックス、例えばアルキル-およびアルコキシ-ポリ（ジ）メチル-シロキサンおよび/または４０℃で固体または５５℃以上で固体のポリ（ジ）-メチルシロキサンエステルを含む。約４００−１５００の数平均分子量を有するシリコーンワックスおよびポリエチレンワックスを選択できるが、より高い分子量のものおよびより低い分子量のものも使用できる。
【０３４１】
ここで提供されるシクロシロキサン置換ポリシロキサンを含むパーソナルケア組成物は、薄く色のついたまたは色の付いていない皮膚科学組成物、またはケラチン材料（例えば、皮膚および/または唇）用のケア組成物の形態を含む任意の形態、日焼け止め組成物の形態、体の衛生に関する組成物の形態、例えば、消臭剤製品の形態、スティック形態の組成物を含む化粧品除去製品の形態を含む、任意の形態であることができる。それは、皮膚または唇用のケアベース（冷えおよび/または日光および/または風から唇を保護するためのリップバーム）、皮膚、爪または髪用のケアクリームとして使用できる。
【０３４２】
ある実施態様において、パーソナルケア組成物は、皮膚用の着色化粧品、例えば、ファンデーション、頬紅、フェイスパウダー、アイシャドウ、コンシーラー製品、アイライナー等の形態、ボディー用の化粧品、口紅などの唇用化粧品、爪用の化粧品、またはまつ毛用、アイブローまたは髪用の化粧品形態であることができる。
【０３４３】
ここで提供されるシクロシロキサン置換ポリシロキサンを含むパーソナルケア組成物は、少なくとも１種の着色剤または染料を含むことができる。着色剤は、化粧品または皮膚科学組成物において通常使用される脂溶性染料、顔料および真珠顔料（真珠様）、およびそれらの混合物を含む。着色剤が存在する場合、着色剤は、組成物の総重量の０.０１％〜５０％、例えば、０.５％〜４０％、または５％〜３０％の量で存在する。自由なまたは圧縮されたパウダー形態の組成物の場合、媒体（真珠層および/または顔料）中に不溶性な固体粒子の形態での着色剤の含有量は、組成物の総重量の９０％までであることができる。
【０３４４】
脂溶性染料の例は、例えば、スーダンレッド、D&Cレッド17、D&C グリーン 6、β-カロテン、スーダンブラウン、D&Cイエロー、D&Cバイオレット2、D&Cオレンジ5、キノリンイエローおよびアナトーを含む。脂溶性染料は、存在する場合、組成物の重量の０.１％〜２０％、例えば０.１％〜１０％で存在できる。水溶性染料の例は、例えば、レッドビート抽出物、ローダミンＢ、タルトラジン、アズールブルー、およびメチレンブルーを含み、組成物の総重量の１０％までの量で存在できる。
【０３４５】
顔料が組成物中に存在する場合、顔料は、ホワイトおよび/または着色した、ゴニオクロマティックまたはそうではない、鉱物および/または有機の、およびコートされたまたはコートされたものであることができる。配合物に含まれることができる鉱物顔料は、所望により表面処理されていてもよい二酸化チタン、酸化ジルコニウム、酸化亜鉛、または酸化セリウム、ならびに酸化鉄、酸化クロム、マンガンバイオレット、ウルトラマリーンブルー、クロム水和物およびフェリックブルーである。組成物に含まれることができる有機顔料は、カーボンブラック、D&C型の顔料、およびコチニールカーマインまたはバリウム、ストロンニウム、カルシウムおよびアルミニウムに基づくレーキである。顔料は、それらが存在する場合、顔料は、組成物の総重量に対して、０.１〜５０％、例えば、０.５〜４０％、および更には２％〜３０％の量で存在できる。
【０３４６】
パーソナルケア組成物は、また、１種以上の真珠層顔料を含むことができる。真珠層顔料の例は、ホワイト真珠層顔料、例えば、チタンもしくはビスマス酸塩化物で被覆されたマイカ、着色した真珠層顔料、例えば、鉄酸化物を有するチタンマイカ、特に、フェッリクブルーまたは酸化クロミウムを有するチタンマイカ、上記種類の有機顔料を有するチタンマイカ、ならびに、ビスマス酸塩化物に基づく真珠層を含む。真珠層顔料が存在する場合、組成物の総重量に対して０.１〜２０％、および更に０.１％〜１５％の量で存在できる。
【０３４７】
パーソナルケア組成物は、化粧品および/または皮膚科学産業において通常使用される任意の既知の方法を採用することにより製造できる。パーソナルケア組成物は、所望により相に分離できる必要な成分を混合することを含む方法により製造できる。その後、得られた混合物を適当な金型、例えば、口紅の金型に注入でき、またはパッケージング物品（例えばケースまたは皿）内に直接注入できる。このような方法は既知であり、パーソナルケア組成物の技術者の通常の技術の範囲内である。
【０３４８】
パーソナル潤滑剤
パーソナル潤滑剤は、ここで提供されるシクロシロキサン置換ポリシロキサンの別の用途である。パーソナル潤滑剤は、陰茎、膣または他の粘膜組織に手で、または綿棒、または塗布器あるいは任意の他の常套法で施すことができる。シリコーン系潤滑剤は、複数の有用な性質を示し、他のパーソナルケア潤滑剤、例えば水系潤滑剤と異なる性質をもたらす。一般に、シリコーン系潤滑剤は、皮膚または粘膜によりすぐに吸収されないので、シリコーン系潤滑剤は、表面上に残存して摩擦を低減でき、その結果、より長く有用であることが分かる。ここで提供されるシクロシロキサン置換ポリシロキサンを含有するパーソナル潤滑剤組成物は、油系または水系であり、液体、ローション、クリーム、エマルションまたはゲルの形態であることができる。油系組成物の例は、ここで提供されるシクロシロキサン置換ポリシロキサンを含み、水系成分が添加されていない。油系組成物は、他の非水系成分、例えば、シクロメチコン、トリシロキサン、揮発性ジメチコン、ポリアルキルシロキサン、ポリジアルキルシロキサン、メチルトリメチコン、シクロポリシロキサン、およびそれらの混合物を含む直鎖または環状シリコーン流体を含むことができる。
【０３４９】
シクロポリシロキサンの例は、シクロアルキルシロキサンおよびシクロアルキルアルコキシシロキサンを含み、この場合において（アルキルおよびアルコキシ基はＣ１−Ｃ１０アルキル基を含有する。具体的な例は、オクタメチルシクロテトラシロキサン（シクロメチコンテトラマー）、デカメチルシクロペンタシロキサン、（シクロメチコンペンタマー）シクロメチコンヘキサマー、シクロペンタシロキサンおよびメトキシプロピルヘプタメチルシクロテトラシロキサンを含む。
【０３５０】
ある実施態様において、ここで提供される、１種以上のシクロシロキサン置換ポリシロキサンを含有する油系パーソナル潤滑剤組成物は、直鎖または環状の揮発性シリコーン流体および/またはＣ１-Ｃ８アルキル（特にＣ１-Ｃ３アルキル）と共に３〜９個のシリコーン原子を有する直鎖ポリジアルキルシロキサンを含むことができる。直鎖ポリジアルキルシロキサンの例は、ポリジメチルシロキサン、トリシロキサンおよび揮発性ジメチコンを含む。直鎖状の揮発性シリコーン流体は、一般に、２５℃にて５ｃＳ（センチストーク）以下の粘度を有し、揮発性の環状材料は、一般に、２５℃にて１０ｃＳ以下の粘度を有する。揮発性のシリコーン流体は、Todd and Byers,‘‘Volatile Silicone Fluids for Cosmetics,’’ Cosmetics and Toiletries, Vol.91,１月,ページ27-32 (1976)に記載され、その内容物を参照することによりここに組込まれる。
【０３５１】
ある実施態様において、ここで提供される、１種以上のシクロシロキサン置換ポリシロキサンを含有する油系パーソナル潤滑剤組成物は、また、植物由来のオイルを含むことができる。植物由来のオイルは、大豆、ベニバナ、ブドウの種から取った油、オリーブ、ココナッツ、マカデミアナッツ、ホホバ、ごま種子、ザクロ種子、アボカド、小麦胚、アーモンドおよびそれらの混合物からのオイルを含むことができる。オイルの具体的な組合せは、大豆、ベニバナ、ブドウの種から取った油からのオイルを含む。油系パーソナル潤滑剤組成物が植物由来オイルを含有する場合、トコフェノールを組成物中に含有できる。ある実施態様において、トコフェノールはビタミンＥであることができ、αトコフェノール、βトコフェノール、γトコフェノール、δトコフェノール、トコトリエノールおよびエステルおよびまたはそれらの組合せを含むことができる。
【０３５２】
ある実施態様において、ここで提供される、１種以上のシクロシロキサン置換ポリシロキサンを含有するパーソナル潤滑剤組成物は、増粘剤、グリコールおよび組成物のｐＨを調整するために所望によりアルファヒドロキシ酸（ＡＨＡ）を含む。ある実施態様において、パーソナル潤滑剤は、１,３-プロパン-ジオールのホモポリマー、または１,３-プロパン-ジオールとエチレングリコールのコポリマー、増粘剤としてのヒドロキシプロピルセルロース、１,３-プロパンジオールおよび乳酸を含むことができる。
【０３５３】
生殖器用潤滑剤として使用するために、少量（たとえばティースプーンまたは数ミリリットル）の組成物を、１以上の生殖器表面、例えば膣内表面、または陰茎表面に、パーソナル潤滑剤が生殖器表面と接触して被覆および残存するような方法で塗布する。また、ここで提供されるシクロシロキサン置換ポリシロキサンを含むパーソナル潤滑組成物で被覆された潤滑コンドームを製造できる。パーソナル潤滑組成物は、液体、半固体、または固体状態で提供できる。例えば、組成物は、ローション、クリームまたはゲルの形態で提供される。組成物は粘性液体ゲル、注入可能な粘性液体ゲルまたは厚手のゼリーであってもよい。
【０３５４】
パーソナル潤滑剤において使用される常套の他の添加剤を使用してもよい。使用できる他の潤滑剤の例は、グリセロール、１,２,３-プロパントリオール、あるポリエチレングリコール（ＰＥＧ）例えばＰＥＧ２００またはＰＥＧ４００（数字は異なる分子量平均を示す）、ポリプロピレングリコール、ポリイソブテン、ポリオキシエチレン、ベヘン酸、ベヘニル、糖アルコール例えば、ソルビトールまたはキシリトール、およびポリジメチルシロキサンを含む。
【０３５５】
生殖器潤滑剤において使用するのに適当な増粘剤は、セルロース、例えば、メチルセルロース、ヒドロキシエチル-セルロースまたはヒドロキシメチルセルロースなどの誘導体を含む。皮膚接触配合物において使用されており、パーソナル潤滑剤および生殖器潤滑剤に使用できる他の増粘剤は、アラビアゴム、寒天、アルギン酸塩、カラーギナン、トラガラントゴム、キサンタンゴム、コラーゲン、カルボキシポリメチレン、グリセリルモノステアレート、ポリビニルピロリドンおよびポリアクリルアミドを含む。
【０３５６】
防腐剤（例えばＤＭＤＭヒダントイン、クロルヘキシジングルコネートおよびソルベートなど）、抗結晶化剤（例えばグルコノ-デルタ-ラクテートなど）、香料、甘味料、着臭い剤、着色剤、ｐＨを維持するためのアルカリまたは酸性緩衝剤（例えばＥＤＴＡなど）、鎮静剤および膨張防止剤（例えば、ローション、アロエ抽出物またはヒドロコルチゾンなど）、抗ウイルス剤（例えば亜鉛塩）、ホルモン（例えばエストロゲン）または殺精子剤（例えばノノキシノール-９）を含む他の成分を潤滑組成物に含むことができる。
【０３５７】
経皮的なデリバリー組成物／デバイス
ここで提供されるシクロシロキサン置換ポリシロキサンを含む経皮的なデリバリー組成物および／またはデバイスが提供される。パッチ型のデバイスは、薬剤の経皮的な投与および化粧品、皮膚軟化剤および他の皮膚処理剤において既知である。パッチ型のデバイスは、多数の種類の薬剤投与または皮膚治療製品に使用されている。当該技術分野において既知の他の柔軟で有限な系は、フィルム、こう薬、包帯および救急絆、ならびに、１以上の独立層中に薬剤／プロドラッグまたは活性薬剤が可溶化されるか含有される多層デリバリーシステム、および親薬物／プロドラッグ、活性剤または薬剤が容器中で可溶化されるか含有される容器型デリバリーシステム、または皮膚または粘膜に直接貼付ける接着剤から離れたデポー剤を含む。
【０３５８】
ここで提供されるシクロシロキサン置換ポリシロキサンは、薬剤もしくは調剤の溶解性を調節するために、または皮膚に対するデバイスの密着性を改良するために、経皮的なデリバリー組成物中に含まれることができる。例えば、ある実施態様において、ここで提供されるシクロシロキサン置換ポリシロキサンは、接着剤と皮膚を接触させることによりデバイスの密着性を改良するために含むことができる。任意の適当な感圧性接着剤をデバイス中に含むことができる。これらは、アクリル系感圧性接着剤およびシリコーン系感圧性接着剤を含み、例えば、ＵＳ特許４５９１６２２，４５８４３５５，４５８５８３６，４６５５７６７，５４７４７８３および５６５６３８６に記載されている。組成物またはデバイスに存在するシクロシロキサン置換ポリシロキサンの量は、２〜９９重量％の範囲である。ある実施態様において、シクロシロキサン置換ポリシロキサンは、組成物の３０重量％〜９０重量％の量で存在する。ある実施態様において、シクロシロキサン置換ポリシロキサンは、組成物の約４０重量％〜７０重量％の量で存在する。ある実施態様において、シクロシロキサン置換ポリシロキサンは、組成物の約５重量％〜３０重量％の量で存在する。
【０３５９】
感圧性接着剤をシクロシロキサン置換ポリシロキサンと共に混合して、薬剤の溶解性を調節できる。例えば、組成物は、アクリル系ポリマー、シリコーン系ポリマーおよびシクロシロキサン置換ポリシロキサンのブレンドを含む多層ポリマー接着剤系を含むことができる。シリコーン系ポリマーに対するに対するアクリル系ポリマーの比は、約４：９６〜約９６：４に変化できる。
【０３６０】
経皮的なドラッグデリバリーシステムは、また、皮膚を介する薬剤のデリバリーを促進するのに既知の物質を含有できる。これらの物資は、皮膚浸透向上剤、促進剤、補助剤および吸着プロモーターと称され、以下まとめて「向上剤」と称され、ＵＳ特許６２２１３８３に記載されている。それらは、薬剤の溶解性を向上させる多価アルコール、例えば、ジプロピレングリコール、プロピレングリコール、およびポリエチレングリコールなど、オイル、例えばオリーブオイル、ひまわり油、スクアレンおよびラノリンなど、脂肪族エーテル、例えばセチルエーテルおよびオレイルエーテルなど；薬剤の溶解性を向上させる脂肪酸エステル、例えばイソプロピルミリスチン酸塩など；水分を保持するケラチンの能力に作用するウレアおよびウレア誘導体例えば、アラントインなど；ケラチン浸透性に作用する極性溶媒、例えばジメチルスルホキシド、ジメチルデシルホスホキシド、メチルオクチルスルホキシド、ジメチルラウリルアミド、ジメチルアセトニド、ドデシルピロリドン、イソソルビトール、デシルメチル−スルホキシドおよびジメチルホルムアミドなど；ケラチンの柔軟剤であるサリチル酸；浸透助剤であるアミノ酸；小胞オープナーであるベンジルニコチネート；および皮膚の表面状態および薬剤塗布性を変化させる、高い分子量の脂肪族の界面活性剤、例えばラウリル硫酸塩などを含む。他の物質は、オレイン酸およびリノリン酸、アスコルビン酸、パンテノール、ブチル化ヒドロキシトルエン、トコフェノール、トコフェリルアセテート、トコフェニルリノレート、プロピルオレイン酸エステル、およびイソプロピルパルミテートおよびそれらの組合せを含む。ある実施態様において、多価アルコール、例えば、グリセリン、ジプロピレングリコール、ブチレングリコール、プロピレングリコールおよびオレイルアルコールの一種以上とオレイン酸の組合せは経皮的なドラッグデリバリーシステムまたは配合物に含まれる。
【０３６１】
ある実施態様において、経皮的なデリバリーデバイスまたは配合物は可塑剤または増粘剤を含むことができる。可塑剤または増粘剤の例は、脂肪族炭化水素、脂肪族炭化水素と芳香族炭化水素の混合物；芳香族炭化水素；シリコーン流体、置換された芳香族炭化水素；水素化エステル；ポリテルペンおよび水素化ウッドロジンを含む。
【０３６２】
ある実施態様において、経皮的なデリバリーデバイスまたは配合物は、溶媒を含有できる。溶媒は、特に、経皮的なデリバリーデバイスまたは配合物のポリマー系において薬剤の溶解度が低い場合に、薬剤を溶解させることを補助する。例示的な例は、アルコール、ブチルベンジルフタレート、プロピレングリコール、ジプロピレングリコール、トリアセチン、飽和および不飽和脂肪酸、鉱物油、シリコーン流体、トコフェノールおよびレシチンおよびそれらの組合せを含む。
【０３６３】
また、経皮的なデリバリーデバイスまたは組成物は、添加剤として、ポリビニルピロリドン（ＰＶＰ）（溶解性ＰＶＰを含む）、ビニルアセテートビニルピロリドンおよびアルミニウムシリケートクレー、カオリナイト、モンモリロナイト、アタパルジャイト、イライト、ベントナイトおよびハロイサイトなどのクレーを含む増粘剤を含むことができる。
【０３６４】
経皮的なデリバリーデバイス、または経皮的なデリバリーデバイスの個々の容量単位は、当業者既知の任意の方法で製造できる。皮膚に関する組成物が形成された後、当業者に既知の任意の方法で支持層とそれを接触させることができる。このような技術は、カレンダーコーティング、ホットメルトコーティング、および溶液コーティングを含む。支持材料は当該技術分野で既知のものであり、ポリエチレン、ビニルアセテート樹脂、エチレン/ビニルアセテートコポリマー、ポリ塩化ビニル、ポリウレタンなどのプラスチックフィルム、金属箔、不織布、布および商業的に入手可能なラミネートを含む。一般に、支持材料は、２〜１０００マイクロメートルの範囲に厚さを有し、および皮膚に関する組成物は、通常、約１２〜２５０μｍ厚の範囲の厚さで支持材料に施される。また、適当な離型ライナーは当該技術分野において既知であり、1022 Scotch Pak（登録商標）などの３Ｍ製の商業的に入手可能な製品を含む。経皮的なデリバリーシステムの形態は、必要とされるまたは望ましいように、任意の形状またはサイズであることができる。例えば、単一の容量単位は、１〜２００ｃｍ２の範囲に表面積を有することができる。
【０３６５】
７.ハウスホールドケア組成物
ハウスホールドケア用のここで提供されるシクロシロキサン置換ポリシロキサンを含む組成物も予期される。ハウスホールドケア製品は、家を洗浄および/または脱臭するために個人により使用される品目または組成物を含み、または、家の内部または家の周囲用の品目を含む。ハウスホールドケア製品および用途の例は、繊維製品ケア用途、例えば、洗濯石鹸および柔軟剤など、繊維サイジング剤、皿および硬表面洗浄剤、例えば、キッチンクリーナー、多用途キッチン洗剤および消毒剤、トイレ洗剤、バスタブおよびタイル洗剤、および消毒調合剤、研磨化合物、木材、家具、自動車または船舶処理用のワックスおよび研磨組成物、農薬調合剤、スタティック制御調合剤、空気デオドラント／芳香剤、およびラグおよび室内装飾用シャンプー、クリーナーおよびデオドライザーを含む。ハウスホールドケア用途において、基材の表面を横切る物を動かすのに必要なエネルギーを減少させる基材上のコーティングを堆積させることが望ましいことがあり、または、絹のような、やわらかい感触を繊維製品にもたらすことが望ましいことがあり、または英電機を減少させること、または繊維の耐摩耗性および耐変色性を増加させることが望ましいことがあり、および/または処理される基材の表面に光沢または明るさを付与することが望ましいことがある。
【０３６６】
ここで提供されるシクロシロキサン置換ポリシロキサンは、例えば、非水系のクリーニング流体に使用できる。なぜならば、それらは、少なくとも部分的に皮脂を溶解でき、適当な皮脂溶解特性を示すからである。また、ここで提供されるシクロシロキサン置換ポリシロキサンは、繊維の感触および/または繊維の柔軟性を含む衣類の外観またはテキスタイルの特性、衣類における皺やひだを取り除くおよび/または防ぐこと、改良されたアイロン容易性、衣類形状の保持および/または形状回復、および繊維の弾性を改良することなどにより優れた繊維ケアまたは衣類ケアをもたらすことができる。優れた衣類ケアまたは衣服の恩恵は、ここで提供されるシクロシロキサン置換ポリシロキサンが、織物の洗浄工程、例えば、自動洗濯機で洗浄する前の事前処理に使用される場合、洗浄による恩恵、リンスによる恩恵および後処理による恩恵を介してもたらされる。
【０３６７】
ここで提供されるシクロシロキサン置換ポリシロキサンは、織物ケア組成物中に組み込むことができ、それは、一般的に液体形態であり、媒体、例えば、水などを含んでもよい。織物ケア組成物は、２以上の分離を形成するが、混合可能で、分散可能な部分を形成する組成物を含む、使用される１回分の組成物としてカプセル化および/または提供されることが可能である。ある実施態様において、織物ケア組成物は、ここで提供されるシクロシロキサン置換ポリシロキサンをエマルション形態でまたはマイクロエマルション形態で含み、および、適当な媒体中に他の洗濯補助剤を含む。これらの織物ケア組成物は、２０秒-１のせん断速度および２５℃にて約１〜約２０００ｍＰａ・ｓの粘度を有することができ、または２０秒-１のせん断速度および２５℃にて約２００〜約８００ｍＰａ・ｓの粘度を有することができる。粘度は、常套の方法を用いて測定できる。例えば、粘度は、約２５℃にて、製造者が提案する操作条件を用い、TA Instrument（ニューキャッスル、ＤＥ）により製造されたTA Instrument AR1000円錐平板粘度計を用いて測定できる。織物ケア組成物はまた、選択された媒体中でマイクロ乳化を補助および/または安定化させる乳化剤を含むことができる。適当な媒体の限定されない例は、水および所望により有機溶媒を含有するものを含む。適当な有機溶媒の限定されない例は、アルコールを含む。ある実施態様において、有用なアルコールは、プロパンジオール、ジエチレングリコール、へキシレングリコール、エタノールおよびそれらの組み合わせを含む。
【０３６８】
ある実施態様において、織物ケア組成物は、１種以上の洗濯添加物を含む液体合成洗剤組成物である。洗濯添加物の限定されない例は、香料、織物柔軟剤、酵素、漂白剤、漂白活性剤、結合剤、およびそれらの組合せを含む。洗濯添加物は、織物ケア組成物の約０.００１重量％もしくは約０．１重量％もしくは約１重量％から、約２０重量％、約１５重量％、約１０重量％、約７重量％または約５重量％の量で、液体合成洗剤組成物中に存在できる。ここで提供されるシクロシロキサン置換ポリシロキサンは、織物の繊維に対して潤滑性と滑らかさを付与できるので、過去のものと比べて簡単にそれらに滑りまたは滑らかさをもたらす。繊維の滑りまたは滑らかさは、織物における皺の開放および/または皺の制御の処理を向上させる。ここで提供される置換ポリシロキサンは衣類の傷みを減少させ、織物の毛玉を防ぎおよび/または減少させ、織物の色を維持しおよび/または退色を減少させることができる。また、ここで提供されるシクロシロキサン置換ポリシロキサンは、これらに限定されないが、表面張力制御、泡立ち制御およびそれらの組み合わせを含む種々の液体合成洗剤配合物の援助をもたらすことができる。
【０３６９】
シクロシロキサン置換ポリシロキサンは、所望の手触り、光沢、明るさまたは所望の効果を得るために任意の濃度で使用できる。ある実施態様において、シクロシロキサン置換ポリシロキサンは組成物の約５０重量％〜１００重量％の濃度で使用される。ある実施態様において、シクロシロキサン置換ポリシロキサンは組成物の約６０重量％〜９９重量％の濃度で存在する。ある実施態様において、シクロシロキサン置換ポリシロキサンは組成物の約２５重量％〜７５重量％の濃度で存在する。ある実施態様において、シクロシロキサン置換ポリシロキサンは組成物の約０．１重量％〜５０重量％の濃度で存在する。ある実施態様において、シクロシロキサン置換ポリシロキサンは組成物の約０．５重量％〜４５重量％の濃度で存在する。ある実施態様において、シクロシロキサン置換ポリシロキサンは組成物の約１重量％〜４０重量％の濃度で存在する。ある実施態様において、シクロシロキサン置換ポリシロキサンは組成物の約２重量％〜３５重量％の濃度で存在する。ある実施態様において、シクロシロキサン置換ポリシロキサンは組成物の約３重量％〜３０重量％の濃度で存在する。ある実施態様において、シクロシロキサン置換ポリシロキサンは組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、４９７、９８、９９、９９．５、９９．９又は１００重量％の濃度で存在する。
【０３７０】
別の実施態様において、シクロシロキサン置換ポリシロキサンは、香料および／または香りの良い材料と併せて使用できる。これらの香りの良い材料は、香りの良い化合物、カプセル化された香りの良い化合物、香料化学薬品または香料放出化合物であり得、これらは、ＵＳ特許６０４６１５６、６０５４５４７、６０７５１１１、６０７７９２３、６０８３９０１および６１５３５７８に記載されている。ここで提供されるシクロシロキサン置換ポリシロキサンは、例えば、化粧品組成物、人間または動物用の香料組成物、空気洗浄組成物、アロマセラピー組成物、および洗濯および洗浄組成物を含む多種多様の組成物における香料成分に関する担体として有用である。このような香料組成物は、更なる恩恵と共にそれらを提供するかまたは香料組成物をより受け入れやすくする香料および担体に加えて多種の他の任意の成分を含むことができる。このような常套の任意成分は当業者に既知であり、組成物が使用される分野に大きく依存する。
【０３７１】
任意の香料化合物または香料化学薬品を使用でき、香料化合物または香料化学薬品の選択は重要ではないが、任意の香料組成物の美的考慮は、香料組成物の商業的成功に対して重要である。香料化学薬品は、当該技術分野において既知である。適当な香料のリストは、ＵＳ特許４５３４８９１に記載され、それらの内容はそれら全体に記述されていることを参照することにより組み込まれる。適当な香料の他の源は、Poucher’s Perfumes、 Cosmetics and Soaps: Volume 2 The Production、 Manufacture and Application of Perfumes (Poucher’s Perfumes、 Cosmetics、 and Soaps、 W. A. Poucher (1992)、に記載されている。香料の例は、例えば、アカシア、ベルガモット、カシス、シーダー材、シナモン、クローブ、切りたての干し草、クチナシ、ゼラニウム、ショウガ、グレープフルーツ、サンザシ、ヘリオトロープ、ハニーサックル、ヒアシンス、ジャスミン、ラベンダー、レモン、ライラック、ユリ、ライム、モクレン、メロン、ミモザ。ムスク、スイセン、オレンジ、オレンジの花、欄、プルメリア、バラ、白檀、スイトピー、ゲッカコウ、バニラおよびバーベナおよびスミレを含む。
【０３７２】
Ｆ．製造品
ここで提供されるシクロシロキサン置換ポリシロキサンおよび組成物は、ここで提供される組成物と、ラベルを包含するパッケージ材料を含む製造品としてパッケージ化されてもよい。ここで提供される製造品はパッケージ材料を含む。薬剤製品のパッケージ化に使用されるパッケージ材料は、当業者において既知である。例えば、ＵＳ特許５３２３９０７および５０５２５５８参照。パッケージング材料の例は、例えば、ボトル、チューブ、ポンプ、バッグ、バイアル、容器、および選択された配合物に適し、意図する用途のモードに適する任意のパッケージ材料を含む。ここで提供されるシクロシロキサン置換ポリシロキサンを含む組成物およびシクロシロキサン置換ポリシロキサンの幅広い配合物は、ここで提供されるシクロシロキサン置換ポリシロキサンを使用できる種々の用途を有する。
【実施例】
【０３７３】
得られた結果および実験を含む以下の実施例は、対象を説明するために提供され、特許請求の範囲に記載された技術特徴を限定するものに解釈されてはならない。
【０３７４】
例１
７−８％[２−（ヘプタメチルシクロテトラシロキサニル）エチル]−メチルシロキサンジメチルシロキサンコポリマー
コポリマー[２−（ヘプタメチルシクロテトラシロキサニル）エチル]−メチルシロキサン−ジメチルシロキサン（７−８％）を、スキームＶ−ＶＩＩに示されるように商業的に入手可能な出発材料および標準的な置換／縮合を用いて調製した。
【０３７５】
【化１６】
2013539484.tif 000017
【０３７６】
エーテル中のジクロロジメチルシラン（１９）の溶液に６当量の水と４当量のアニリンを添加し、トリシロキサン２０を得る。その後、アニリンおよび水（(２０)：(２１)：アニリン：Ｈ２Ｏ＝１：０．５：１：１）の存在下、ジクロロジメチルシラン（２１）を添加し、テトラシロキサン(２２)が形成された。３５％水性ＨＣｌを、ヘキサン中の（２２）の溶液に、０℃にて一時間に亘り添加し、ジクロロテトラシロキサン（２３）を生成した。
【０３７７】
ヘキサブチルジスタンノキサン（２当量）を、攪拌しながら、ジメチルジクロロシラン（１９）にゆっくりと滴下し、その後１８０℃まで４時間加熱し、真空蒸留し、ビス（ｔｒｉ−ｎ−ブチルスタンニルオキシ）ジメチルシラン（２４）をもたらす。シクロシロキサン(２５)を蒸留により単離する前に、ＴＨＦ中にて、等モル量の(２３)および（２４）を室温にて４時間攪拌した。
【０３７８】
【化１７】
2013539484.tif 000018
【０３７９】
０．１モル％のパラジウム触媒[PdCl(η3-C3H5)]2の存在下、シクロシロキサン（２５）とメチルビニルジクロロシランとを反応させて（２６）を生成し、エーテル中で、それを更にアニリンおよび水と反応させて、縮合生成物（２７）を形成する。
【０３８０】
【化１８】
2013539484.tif 000019
エーテル中のジクロロジメチルシラン（１９）の溶液に対し、水およびアニリンを添加してポリシロキサン（２８）を生成し、その後、（２７）を添加し、その結果、ポリシロキサン（２９）を生成した。その後、エーテル中にて、アニリンおよび水の存在下、トリメチルクロロシランを添加することによりポリシロキサン（２９）を末端キャップし、コポリマー(３０)、２−（ヘプタメチルシクロテトラシロキサニル）エチル]−メチルシロキサン−ジメチルシロキサン（７−８％）を生成した。
【０３８１】
７−８％[２−（ヘプタメチルシクロテトラシロキサニル）エチル]−メチルシロキサンジメチルシロキサンコポリマーは、〜３６０００Ｄａの分子量を有する無色の油状流体として回収された。
【０３８２】
例２
油圧油
ここで記載されるシクロシロキサン置換ポリシロキサンは、一般的な目的として油圧油用途を有する。例示される油圧油は、以下の組成で、例１の[２−（ヘプタメチルシクロテトラシロキサニル）エチル]−メチルシロキサン−ジメチルシロキサンコポリマーを用いて調製した。
【０３８３】
【表１】
2013539484.tif 000020
【０３８４】
低いせん断を用いて成分を混合することにより組成物を調製し、透明−半透明流体を提供できる。
【０３８５】
例３
潤滑流体組成物
温度計、攪拌子および凝縮器を装備した５００ｍＬガラス反応器に、２４９．５ｇの例１に記載された[２−（ヘプタメチルシクロテトラシロキサニル）エチル]−メチルシロキサン−ジメチルシロキサンコポリマーと、酸素スカベンジャーとしての没食子酸プロピル０．５ｇを充填した。その後、組成物を混合し、例１のシクロシロキサン置換ポリシロキサンを含む潤滑流体組成物を得ることができる。
【０３８６】
例４
離型剤組成物
温度計、攪拌子および凝縮器を装備した５００ｍＬガラス反応器に、２０ｇの例１に記載された[２−（ヘプタメチルシクロテトラシロキサニル）エチル]−メチルシロキサン−ジメチルシロキサンコポリマーと、１８０ｇのエタノールを注入し、ゆっくりと攪拌した。得られる混合物は、１０重量％の[２−（ヘプタメチルシクロテトラシロキサニル）エチル]−メチルシロキサンジメチルシロキサンコポリマーを含有する。このようにして、離型剤組成物が得られる。得られる離型剤組成物は、乾燥膜厚が約１μｍとなるように、マイヤーバーを用いて約４０μｍの厚みを有するポリエチレンテレフタレート（ＰＥＴ）フィルム上に施される。その後、組成物は乾燥され、離型フィルムが得られる（離型ライナー）。
【０３８７】
例５
撥水剤
温度計、攪拌子および凝縮器を装備した１Ｌガラス反応器に、５０．０ｇの[２−（ヘプタメチルシクロテトラシロキサニル）エチル]−メチルシロキサン−ジメチルシロキサンコポリマーと、４５０．０ｇの溶媒としてのイソプロパノールを添加した。その後、組成物を混合し、例１のシクロシロキサン置換ポリシロキサンのイソプロパノール溶液が得られた。
【０３８８】
撥水性を試験するのに、７０ｍｍ×１５０ｍｍのガラス板を脱脂し、アセトンで洗浄し乾燥させた。撥水剤水溶液の０．１ｍｌアリコ−トを、綿棒を用いて板の上に拡散させることによりガラス板を被覆し、過剰の流体をきれいな綿布を用いて除去する。撥水剤の塗布前後における、ガラス板の被覆表面の水との接触角が評価され、水と水滴角の接触角を測定するための任意の既知の方法を用いて水滴の滴下角が評価され、初期の撥水性と撥水剤塗布後の撥水性を評価する。例えば、５μｌの水は水平を保持してガラスプレート上に配置できる。水との接触角はＤｒｏｐＭａｓｔｅｒ（登録商標）接触角メーターモデルＤＭ−７０１（Kyowa Interface Science社製（埼玉、日本））を用いて測定できる。水滴滴下角は任意の方法を用いて測定でき、静止摩擦係数を測定することを含む。これらの試験において、撥水剤で処理されているガラス板は、ポータブルTribogear（登録商標）3D Muse（登録商標）(Shinto Scientific社、東京、日本)などの、静止摩擦係数を測定する摩擦系装置中に水平に置くことができる。このような試験に関して、予め洗浄したガラス板は撥水剤で処理でき、その後、摩擦計に配置できる。水滴、例えば約１００μｌの水は、ガラス板上に配置され、板は徐々に傾斜する。重力下で水が流れ始める時の角度を測定する。
【０３８９】
例６
ヘアーコンディショナー
ヘアーコンディシニング組成物は、以下の成分から調整できる。
【０３９０】
【表２】
2013539484.tif 000021
【０３９１】
例６のヘアー光沢コンディショナーを調製する場合において、ヒドロキシエチルセルロースを、処方量の１／２の量の脱イオン水に分散させ、均質な透明溶液が得られるまで混合し、攪拌しながら８０−８５℃に加熱する。セチルトリメチルアンモニウムクロライドおよびクエン酸が添加され、均質な透明溶液が得られるまで、８０−８５℃にてヒドロキシエチルセルロース水溶液と混合される。小さなミキサーユニット中で、セチルアルコールおよび[２−（ヘプタメチルシクロテトラシロキサニル）エチル]−メチルシロキサン−ジメチルシロキサンコポリマーをゆっくりと混合し、均質な透明溶液が得られるまで８０−８５℃に加熱し、それを、８０−８５℃にて、水溶液にゆっくりと添加する。添加が終了した後、攪拌しながらエマルション混合物に残りの水を添加し、混合物を約５０℃まで冷却させる。ポリビニルピロリドン／ビニルアセテートおよびラノリンアセテートを約５０℃にて攪拌しながら混合物に添加し、混合物を３５℃まで冷却させる。香料およびホルマリンを、攪拌しながら３５℃にてエマルションに添加し、組成物を室温まで冷却させる。最終製品は、エージングの全ての条件下にて安定である滑らかな注入可能なローションである。
【０３９２】
例６の組成物は、指を用いて髪に直接塗布する場合に、手軽に拡散でき髪のあらゆるところに上手く分配できる。また、湿潤および乾燥特性は極めて良好であり、処理した髪は、柔軟でボリュームがある。さらに、髪は容易にセットでき、高い光沢を有する。
【０３９３】
例７
パーソナル潤滑剤組成物
オイル系パーソナル潤滑剤は以下の成分から調製できる
【０３９４】
【表３】
2013539484.tif 000022
【０３９５】
この組成物は、羽型ミキサーを装着した容器中で[２−（ヘプタメチルシクロテトラシロキサニル）エチル]−メチルシロキサン−ジメチルシロキサンコポリマーを混合し、一定に攪拌しながらシクロメチコンおよびおシクロペンタシロキサンを添加することにより調製できる。得られた組成物は油状の液体であり、組成物は透明であった。組成物は刺激性ではなく、ラッテクスを含まず、絹のような滑らかな手触りをもたらす。
【０３９６】
例８
髪光沢組成物
長続きする光沢を髪に付与する用途向けの組成物は、以下の成分から調製できる
【０３９７】
【表４】
2013539484.tif 000023
【０３９８】
組成物は、一定に攪拌しながら、エチルアルコール内で、例１の[２−（ヘプタメチルシクロテトラシロキサニル）エチル]−メチルシロキサン−ジメチルシロキサンコポリマーとエチルヘキシルメトキシケイ皮酸エステルを混合し、その後、香料を添加することによって調整できる。溶液は無色で透明である。髪への塗布は、強いおよび／または長期間の光沢を付与する。
【０３９９】
改良は当業者にとって容易であるので、本発明は付属した特許請求の範囲内によってのみ限定されることを意図する。
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
式Ｉのポリシロキサン:
【化１】
2013539484.tif 000025
式中、
Ｒ１およびＲ２は、相互に独立してＣ１−Ｃ２０アルキルおよび置換Ｃ１−Ｃ２０アルキルの中から選択され；
Ｒ３は、Ｃ１−Ｃ２０アルキル、置換Ｃ１−Ｃ２０アルキル、Ｃ３−Ｃ２０シクロアルキル、置換Ｃ３−Ｃ２０シクロアルキル、３個以上のＳｉ原子を有するシクロシロキサン、および３個以上のＳｉ原子を有する置換シクロシロキサンの中から選択され；
Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され、Ｒ７の少なくとも１つの存在はシクロシロキサンであり；
Ｒ８およびＲ９は、相互に独立してアルキルおよび置換アルキルの中から選択され；
Ｒ１０は、アルキル、置換アルキル、シクロアルキル、置換シクロアルキル、３個以上のＳｉ原子を有するシクロシロキサン、および３個以上のＳｉ原子を有する置換シクロシロキサンの中から選択され；
ａは１〜５０の中から選択され、
ｂは１〜５０の中から選択され、
ｑは２〜２０の中から選択され、
ｗは０〜１０の中から選択され、および
ｙは０〜１０の中から選択され；
少なくとも１つのサブユニットｑにおけるＲ４またはＲ７のうちの少なくとも１つは、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、ハロ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、ならびにモノ−置換アミノ基およびジ−置換アミノ基含むアミノ、およびアミノ基の保護誘導体の中から選択される１以上の置換基で置換されたシクロシロキサンまたは未置換のシクロシロキサンであり、該シクロシロキサンのＳｉ原子は置換基として水素を含まず；あるいは、
少なくとも１つのＲ４はシクロシロキサンであり、および少なくとも１つのＲ４はトリフルオロプロピルまたは所望により置換されたフェニルである。
【請求項２】
式Ｉのポリシロキサン:
【化２】
2013539484.tif 000026
式中、
Ｒ１およびＲ２は、相互に独立してＣ１−Ｃ２０アルキルおよび置換Ｃ１−Ｃ２０アルキルの中から選択され；
Ｒ３は、Ｃ１−Ｃ２０アルキル、置換Ｃ１−Ｃ２０アルキル、Ｃ３−Ｃ２０シクロアルキル、置換Ｃ３−Ｃ２０シクロアルキル、３個以上のＳｉ原子を有するシクロシロキサン、および３個以上のＳｉ原子を有する置換シクロシロキサンの中から選択され；
Ｒ４の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリールおよび置換Ｃ６−Ｃ２０ヘテロアリールの中から選択され；
Ｒ５の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ６の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、およびブチル化アリールオキシプロピルの中から選択され；
Ｒ７の各存在は、独立して、Ｃ１−Ｃ２０アルキル、置換Ｃ１−Ｃ２０アルキル、Ｃ１−Ｃ２０ハロアルキル、置換Ｃ１−Ｃ２０ハロアルキル、Ｃ６−Ｃ２０アリール、置換Ｃ６−Ｃ２０アリール、Ｃ６−Ｃ２０ヘテロアリール、置換Ｃ６−Ｃ２０ヘテロアリール、３個以上のＳｉ原子を有するシクロシロキサン、および３個以上のＳｉ原子を有する置換シクロシロキサンの中から選択され、少なくとも２つのサブユニットｂにおけるＲ７が少なくとも４個のＳｉ原子を有する所望により置換されたシクロシロキサンであり；
Ｒ８およびＲ９は、相互に独立してアルキルおよび置換アルキルの中から選択され；
Ｒ１０は、アルキル、置換アルキル、シクロアルキル、置換シクロアルキル、３個以上のＳｉ原子を有するシクロシロキサン、および３個以上のＳｉ原子を有する置換シクロシロキサンの中から選択され；
ａは１〜５０の中から選択され、
ｂは１〜５０の中から選択され、
ｑは２〜２０の中から選択され、
ｗは０〜１０の中から選択され、および
ｙは０〜１０の中から選択される。
【請求項３】
シクロシロキサンが、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、ハロ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、ならびにモノ−置換アミノ基およびジ−置換アミノ基含むアミノ、およびアミノ基の保護誘導体の中から選択される１以上の置換基で置換されたシクロシロキサンであるかまたは未置換のシクロシロキサンである、請求項２に記載のポリシロキサン。
【請求項４】
Ｒ１およびＲ２のそれぞれが独立して、所望により置換されたＣ１−Ｃ１０アルキル、所望により置換されたＣ１−Ｃ６アルキルおよび所望により置換されたＣ２−Ｃ１０アルキルの中から選択される、請求項１から３のうちのいずれか１つに記載のポリシロキサン。
【請求項５】
Ｒ３が以下に記載されたものの中から選択される、請求項１から４のうちのいずれか１つに記載のポリシロキサン：
所望により置換されたＣ１−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ１０アルキル、所望により置換されたＣ３−Ｃ１０シクロアルキルおよび３個以上のＳｉ原子を有する所望により置換されたシクロシロキサン；または、
所望により置換されたＣ２−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ６アルキル、所望により置換されたＣ３−Ｃ１０シクロアルキルおよび３個以上のＳｉ原子を有する所望により置換されたシクロシロキサン；または、
所望により置換されたＣ１−Ｃ６アルキルまたは所望により置換されたＣ２−Ｃ１０アルキル；または、
メチル、エチル、プロピル、ブチル、ペンチル、ヘキシル、ヘプチル、オクチル、ノニルおよびデシル；または、
所望により置換されたＣ３−Ｃ１０シクロアルキル、所望により置換されたＣ３−Ｃ６シクロアルキルおよび所望により置換されたＣ６−Ｃ１０シクロアルキル；または、
少なくとも４個のＳｉ原子を有する所望により置換されたシクロシロキサン；または、
４〜２０個のＳｉ原子を有する所望により置換されたシクロシロキサン。
【請求項６】
各サブユニットａにおけるＲ４が、独立して、以下に記載されたものの中から選択される、請求項１から５のうちのいずれか１つに記載のポリシロキサン：
所望により置換されたＣ１−Ｃ１０アルキル、所望により置換されたＣ１−Ｃ１０ハロアルキル、所望により置換されたＣ６−Ｃ１８アリールおよび所望により置換されたＣ６−Ｃ１８ヘテロアリール；または、
所望により置換されたＣ１−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ２−Ｃ８アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル；または、
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項７】
請求項１に記載のポリシロキサンであって、
１個以上のＲ４が、トリフルオロプロピルであるか；または、
１個以上のＲ４が、所望により置換されたフェニルであるか；または、
少なくとも２つのサブユニットａにおけるＲ４が少なくとも４個のＳｉ原子を有する所望により置換されたシクロシロキサンであるか；または、
各サブユニットａにおけるＲ４が４個〜２０個のＳｉ原子を有する所望により置換されたシクロシロキサンであるか；または、
少なくとも２つのサブユニットａにおけるＲ４が少なくとも４個のＳｉ原子を有するシクロシロキサンであり、少なくとも１つのＳｉ原子が、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、およびアミノ、ならびにモノ−置換アミノ基およびジ−置換アミノ基の中から選択される部分で置換される該シクロシロキサンであるか；または、
少なくとも２つのサブユニットａにおけるＲ４が少なくとも４個のＳｉ原子を有するシクロシロキサンであり、少なくとも１つのＳｉ原子がハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリールおよびハロゲンもしくはＣ１−Ｃ６ハロアルキルで置換されたＣ３−Ｃ１０アリールの中から選択される部分で置換される該シクロシロキサンであるか；または、
Ｒ４が所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよび３個以上のＳｉ原子を有する所望により置換されたシクロシロキサンの中から選択されるか；または
Ｒ４が所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよび３〜２０個のＳｉ原子を有する所望により置換されたシクロシロキサンの中から選択されるか；または、
Ｒ４が所望により置換されたＣ２−Ｃ１０アルキル、所望により置換されたＣ２−Ｃ１０ハロアルキル、所望により置換されたＣ６−Ｃ１２アリール、および所望により置換されたＣ６−Ｃ１２ヘテロアリールの中から選択される、
該ポリシロキサン。
【請求項８】
各サブユニットａにおけるＲ５が、独立して、以下に記載されたものの中から選択される、請求項１から７のうちのいずれか１つに記載のポリシロキサン：
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリール、および所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル；または、
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または、
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項９】
請求項１から８のうちのいずれか１つに記載のポリシロキサンであって、
１個以上のＲ５が、トリフルオロプロピルであるか；または
１個以上のＲ５が、所望により置換されたフェニルであるか；または
少なくとも１つのＲ５が、ブチル化アリールオキシプロピルであるか；または
少なくとも１つのＲ５が、フェニルである、
該ポリシロキサン。
【請求項１０】
各サブユニットｂにおけるＲ６が、独立して、以下のものの中から選択される、請求項１から９のうちのいずれか１つに記載のポリシロキサン：
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ２０ヘテロアリールおよびブチル化アリールオキシプロピル；または、
所望により置換されたＣ１−Ｃ１０アルキル、所望により置換されたＣ１−Ｃ１０ハロアルキル、所望により置換されたＣ６−Ｃ１２アリール、および所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル；または、
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または、
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項１１】
請求項１から１０のうちのいずれか１つに記載のポリシロキサンであって、
１個以上のＲ６が、トリフルオロプロピルであるか；または、
１個以上のＲ６が、所望により置換されたフェニルであるか；または、
少なくとも１つのＲ６が、ブチル化アリールオキシプロピルであるか；または、
少なくとも１つのＲ６が、フェニルである、
該ポリシロキサン。
【請求項１２】
各サブユニットｂにおけるＲ７が、独立して、以下のものの中から選択される、請求項１から１１のうちのいずれか１つに記載のポリシロキサン：
ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリールおよびハロゲンもしくはＣ１−Ｃ６ハロアルキルで置換されたＣ３−Ｃ１０アリールの中から選択される１以上の部分で置換されたシクロシロキサン；または
所望により置換されたＣ１−Ｃ１０アルキル、所望により置換されたＣ１−Ｃ２０ハロアルキル、所望により置換されたＣ６−Ｃ２０アリール、所望により置換されたＣ６−Ｃ２０ヘテロアリール、および３個以上のＳｉ原子を有する所望により置換されたシクロシロキサン；または、
所望により置換されたＣ１−Ｃ１０アルキル、所望により置換されたＣ１−Ｃ１０ハロアルキル、所望により置換されたＣ６−Ｃ２０アリール、所望により置換されたＣ６−Ｃ２０ヘテロアリール、および３〜２０個のＳｉ原子を有する所望により置換されたシクロシロキサン；または、
所望により置換されたＣ１−Ｃ１０アルキル、所望により置換されたＣ１−Ｃ１０ハロアルキル、所望により置換されたＣ６−Ｃ１８アリール、所望により置換されたＣ６−Ｃ１８ヘテロアリール、および３〜２０個のＳｉ原子を有する所望により置換されたシクロシロキサン；または、
所望により置換されたＣ１−Ｃ１０アルキル、所望により置換されたＣ１−Ｃ１０ハロアルキル、所望により置換されたＣ６−Ｃ１２アリール、所望により置換されたＣ６−Ｃ１２ヘテロアリール、および３〜２０個のＳｉ原子を有する所望により置換されたシクロシロキサン；または、
所望により置換されたＣ２−Ｃ１０アルキル、所望により置換されたＣ１−Ｃ１０ハロアルキル、所望により置換されたＣ６−Ｃ１２アリールおよび所望により置換されたＣ６−Ｃ１２ヘテロアリール；または、
所望により置換されたＣ２−Ｃ１０アルキル、所望により置換されたＣ２−Ｃ１０ハロアルキル、所望により置換されたＣ６−Ｃ１２アリールおよび所望により置換されたＣ６−Ｃ１２ヘテロアリール；または、
所望により置換されたＣ１−Ｃ１０アルキル、所望により置換されたＣ１−Ｃ６アルキルおよび所望により置換されたＣ２−Ｃ１０アルキル；または、
メチル、エチル、プロピル、ブチル、ペンチル、ヘキシル、ヘプチル、オクチル、ノニルおよびデシル；または、
所望により置換されたＣ１−Ｃ１０ハロアルキル、所望により置換されたＣ１−Ｃ６ハロアルキルおよび所望により置換されたＣ２−Ｃ１０ハロアルキル；または、
所望により置換されたＣ６−Ｃ１８アリール、所望により置換されたＣ６−Ｃ１２アリールおよび所望により置換されたＣ６−Ｃ１０アリール；または
所望により置換されたＣ６−Ｃ１８ヘテロアリール、所望により置換されたＣ６−Ｃ１２ヘテロアリールおよび所望により置換されたＣ６−Ｃ１０ヘテロアリール。
【請求項１３】
請求項１から１２のうちのいずれか１つに記載のポリシロキサンであって、
１個以上のＲ７が、トリフルオロプロピルであるか；または、
１個以上のＲ７が、所望により置換されたフェニルであるか；または、
少なくとも１つのＲ７が、ブチル化アリールオキシプロピルであるか；または、
少なくとも１つのＲ７が、フェニルである、
該ポリシロキサン。
【請求項１４】
請求項１から１３のうちのいずれか１つに記載のポリシロキサンであって、
少なくとも２つのサブユニットｂにおけるＲ７が、少なくとも４個のＳｉ原子を有する所望により置換されたシクロシロキサンであるか；または、
各サブユニットｂにおけるＲ７が、４〜２０個のＳｉ原子を有する所望により置換されたシクロシロキサンであるか；または、
少なくとも２つのサブユニットｂにおけるＲ７が、少なくとも４個のＳｉ原子を有するシクロシロキサンであって、
少なくとも１つのＳｉ原子が、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏチオカルバミル、Ｎチオカルバミル、Ｃアミド、Ｎアミド、Ｓ−スルホンアミド、Ｎスルホンアミド、アジド、ジアゾ、イミノ、ホルミルアミノ、フルオロ、ヨード、オキソ、シアノ、シアナト、カルボキシ、Ｃトリハロメタンスルホニル、Ｏカルボキシ、イソシアナト、チオシアナト、イソチオシアナト、ニトロ、シリル、およびアミノ、ならびにモノ置換アミノ基およびジ置換アミノ基の中から選択される部分で置換される該シクロシロキサンであるか；または、
少なくとも２つのサブユニットｂにおけるＲ７が、少なくとも４個のＳｉ原子を有するシクロシロキサンであって、少なくとも１つのＳｉ原子が、ハロゲン、ヒドロキシル、Ｃ１−Ｃ６アルキル、Ｃ１−Ｃ６アルコキシ、Ｃ１−Ｃ６ハロアルキル、Ｃ１−Ｃ６ヘテロアルキル、Ｃ３−Ｃ１０アリール、Ｃ３−Ｃ１０ヘテロアリールおよびハロゲンもしくはＣ１−Ｃ６ハロアルキルで置換されたＣ３−Ｃ１０アリールの中から選択される部分で置換される該シクロシロキサンである、
該ポリシロキサン。
【請求項１５】
請求項１から１４のうちのいずれか１つに記載のポリシロキサンであって、各Ｒ８およびＲ９が独立して、所望により置換されたＣ１−Ｃ１０アルキル、所望により置換されたＣ１−Ｃ６アルキルおよび所望により置換されたＣ２−Ｃ１０アルキルの中から選択される、該ポリシロキサン。
【請求項１６】
請求項１から１５のうちのいずれか１つに記載のポリシロキサンであって、Ｒ１０が以下のものの中から選択される、該ポリシロキサン：
所望により置換されたＣ１−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ１０アルキル、所望により置換されたＣ３−Ｃ１０シクロアルキルおよび３個以上のＳｉ原子を有する所望により置換されたシクロシロキサン；または、
所望により置換されたＣ２−Ｃ１０アルキル、所望により置換されたＣ３−Ｃ２０シクロアルキルおよび３個以上のＳｉ原子を有する所望により置換されたシクロシロキサン；または、
所望により置換されたＣ１−Ｃ６アルキル、所望により置換されたＣ３−Ｃ１０シクロアルキルおよび３個以上のＳｉ原子を有する所望により置換されたシクロシロキサン；または、
所望により置換されたＣ１−Ｃ１０アルキル、所望により置換されたＣ１−Ｃ６アルキル、および所望により置換されたＣ２−Ｃ１０アルキル、または、
メチル、エチル、プロピル、ブチル、ペンチル、ヘキシル、ヘプチル、オクチル、ノニルおよびデシル；または、
所望により置換されたＣ３−Ｃ１０シクロアルキル、所望により置換されたＣ３−Ｃ６シクロアルキルおよび所望により置換されたＣ６−Ｃ１０シクロアルキル；または、
少なくとも４個のＳｉ原子を有する所望により置換されたシクロシロキサン。
【請求項１７】
請求項１から１６のうちのいずれか１つに記載のポリシロキサンであって、
各Ｒ７が、所望により置換されたシクロシロキサンであり、該ポリシロキサンが少なくとも１つおきの非末端Ｓｉ原子においてシクロシロキサンを有するか；または、
各Ｒ７が、所望により置換されたシクロシロキサンであり、各Ｒ４が、所望により置換されたアリールである、
該ポリシロキサン。
【請求項１８】
請求項１から１７のうちのいずれか１つに記載のポリシロキサンであって、
Ｒ３またはＲ１０のうちの少なくとも１つが、シクロシロキサンであるか；または、
Ｒ３およびＲ１０がそれぞれ独立してシクロシロキサンである、
該ポリシロキサン。
【請求項１９】
少なくとも１つのサブユニットｑが、シクロシロキサンで置換されていないＳｉ原子を含む、請求項１から１８のうちのいずれか１つに記載のポリシロキサン。
【請求項２０】
請求項１から１９のうちのいずれか１つに記載のポリシロキサンであって、
Ｒ５およびＲ６のうちの少なくとも１つが、アルキルまたはハロゲンで置換されたアリールであるか；または、
Ｒ５およびＲ６がＣ１−Ｃ６アルキルであり、Ｒ４が所望により置換されたアリールであり、Ｒ７が所望により置換されたシクロシロキサンであるか；または、
Ｒ５およびＲ６が、メチル、エチルまたはプロピルであり、Ｒ４が所望により置換されたＣ６アリールであり、Ｒ７が所望により置換されたシクロシロキサンである、
該ポリシロキサン。
【請求項２１】
ポリシロキサンが２００〜５０００００ダルトンまでの分子量を有する、請求項１から２０のうちのいずれか１つに記載のポリシロキサン。
【請求項２２】
１００秒−１のせん断速度、２５℃にて測定した場合に、ポリシロキサンが約１５００００センチポイズまでの粘度を有する、請求項１から２１のうちのいずれか１つに記載のポリシロキサン。
【請求項２３】
擬塑性である、請求項１から２２のうちのいずれか１つに記載のポリシロキサン。
【請求項２４】
ポリシロキサンが、シクロシロキサンおよびジアルキルシロキサンを含有するコポリマーを含有する、請求項１から２３のうちのいずれか１つに記載のポリシロキサンであって、該シクロシロキサンおよび/または該ジアルキルシロキサンが置換されてもよい、該ポリシロキサン。
【請求項２５】
請求項２４に記載のポリシロキサンであって、
シクロシロキサンのＳｉ原子が置換基として水素を含まないか、または、
シクロシロキサンの非隣接Ｓｉ原子が非水素の置換基を含有するか、シクロシロキサンの各Ｓｉ原子が、非水素の置換基を含み、該非水素の置換基が、ハロゲン、Ｃ１−Ｃ６アルキルまたはＣ１−Ｃ６ハロアルキルである、該ポリシロキサン。
【請求項２６】
請求項１から２５のうちのいずれか１つに記載のポリシロキサンを含有する組成物であって、該組成物が、消泡組成物、潤滑組成物、油圧油組成物、撥水組成物、離型剤組成物、パーソナルケア組成物または化粧品組成物、ハウスホールドケア組成物、ドラッグデリバリー組成物、経皮的なドラッグデリバリー組成物、およびパーソナル潤滑剤組成物の中から選択される、該組成物。
【請求項２７】
１００秒−１のせん断速度、２５℃にて測定した場合に、ポリシロキサンの粘度が１００〜１０００００センチポイズである、請求項２６に記載の消泡組成物。
【請求項２８】
請求項２６に記載の潤滑組成物であって、
１００秒−１のせん断速度、２５℃にて測定した場合に、ポリシロキサンの粘度が１０ｃＰ〜１５００００ｃＰであり；
該ポリシロキサンが該組成物の約０.１重量％〜５０重量％の量で存在するか、または、該ポリシロキサンが該組成物の約５０重量％〜９９重量％の量で存在し、および、
該組成物が、グラファイト、グラファイトフッ化物、バッキ−ボール、モリブデンジスルフィド、窒化ホウ素、タングステンジスルフィド、中空フラーレン様ナノ粒子、金属ジハロゲン化物およびポリテトラフルオロエチレンおよびそれらの組合せの中から選択される固形潤滑剤を更に含有する、
該潤滑組成物
【請求項２９】
請求項２６に記載の油圧油組成物であって、
該油圧油組成物が、
約０.００５〜０.１重量％の酸化防止剤、
約０.０１〜１.０重量％の消泡剤、および
ワックス、三級脂肪アミン、金属石けん、防かび剤、殺菌剤、および難燃剤ならびにそれらの混合物の中から選択される添加剤を更に含有し、
該ポリシロキサンが、該組成物の約０.１〜５０重量％の濃度で存在するか、組成物の約２５重量％〜７５重量％の濃度で存在するか、または、該組成物の６０重量％〜９９重量％の濃度で存在する、該油圧油組成物。
【請求項３０】
請求項２６に記載の離型剤組成物であって、
該ポリシロキサンが該組成物の約０.１重量％〜５０重量％の量で存在するか、該ポリシロキサンが該組成物の約２５重量％〜７５重量％の量で存在するか、または該ポリシロキサンが該組成物の６０重量％〜９９重量％の濃度で存在し；および、
該組成物が、増粘剤を更に含有する、
該離型剤組成物。
【請求項３１】
請求項２６に記載のパーソナルケア組成物または化粧品組成物であって、
該ポリシロキサンが該組成物の約０.１重量％〜５０重量％の量で存在するか、該ポリシロキサンが該組成物の約２５重量％〜７５重量％の量で存在するか、または該ポリシロキサンが該組成物の６０重量％〜９９重量％の濃度で存在し；および、
該組成物が、以下のものの中から選択される添加剤を更に含有する、該パーソナルケア組成物または該化粧品組成物：皮膚軟化剤、モイスチャー、保湿剤、顔料、染料、真珠光沢化合物、真珠顔料、ビスマス酸塩化物で被覆されたマイカ、二酸化チタンで被覆されたマイカ、着色剤、香料、殺生物剤、防腐剤、アルファヒドロキシ酸、酸化防止剤、抗菌剤、抗かび剤、制汗剤、離型剤、ホルモン、酵素、医薬化合物、ビタミン、塩、電解質、アルコール、ポリオール、ポリプロピレングリコール、ポリイソブテン、ポリオキシエチレン、ベヘン酸、ベヘニル、糖アルコール、紫外線吸収剤、植物抽出物、界面活性剤、シリコーンオイル、有機オイル、ワックス、アルカリもしくは酸もしくは緩衝剤、膜形成剤、増粘剤、ヒアルロン酸、ヒュームドシリカ、水和シリカ、タルク、カオリン、澱粉、変性澱粉、マイカ、ナイロン、クレー、ベントナイト、有機変性クレーおよびそれらの組合せ。
【請求項３２】
請求項２６に記載のハウスホールドケア組成物であって、
該ポリシロキサンが該組成物の約０.１重量％〜５０重量％の量で存在するか、または、該ポリシロキサンが該組成物の約２５重量％〜７５重量％の量で存在するか、または該ポリシロキサンが該組成物の６０重量％〜９９重量％の濃度で存在し；および、
該組成物が、以下のものの中から選択される１種以上の成分を更に含有する、該ハウスホールドケア組成物：
香水、漂白剤、漂白活性剤、顔料、染料、着色剤、香料、殺生物剤、防腐剤、酸化防止剤、抗菌剤、抗かび剤、紫外線吸収剤、植物抽出物、界面活性剤、シリコーンオイル、有機オイル、ワックス、アルカリもしくは酸もしくは緩衝剤、膜形成剤、増粘剤、ヒュームドシリカ、水和シリカ、タルク、カオリン、マイカ、ナイロン、クレー、ベントナイト、有機変性クレーおよびそれらの組合せ。
【請求項３３】
活性剤を局所適用するための、請求項２６に記載のドラッグデリバリーシステムであって、該システムが皮膚浸透向上剤を含有し、
該システムが、パッチ型のデバイス、フィルム、膏薬、包帯、救急絆、１以上の独立層中に薬剤が可溶化されたまたは含有された多層デリバリー系、容器中に薬剤が可溶化されたまたは含有された容器型のデリバリーシステム、または皮膚または粘膜に直接的に付着する接着剤から離れたデポーの形態である、該ドラッグデリバリーシステム。
【請求項３４】
直鎖および/または環状シリコーン流体を更に含有する、請求項２６に記載のパーソナル潤滑剤組成物。
【請求項３５】
相互作用表面のうちの少なくとも１つに対して請求項１から２５のうちのいずれか１つに記載のポリシロキサンを施すことを含む、２以上の相互作用表面間の摩擦力を低減させる方法。
【請求項３６】
相互作用表面のうちの少なくとも１つが、対象となる身体上の表面である、請求項３５に記載の方法。
【請求項３７】
密閉流体に力を施し、該流体が力を伝達することを含む、油圧的に力を伝達する方法であって、該密閉流体が請求項１から２５のうちのいずれか１つに記載のポリシロキサンを含有する該方法。
【請求項３８】
請求項１から２５のうちのいずれか１つに記載のポリシロキサンを含有する消泡組成物の若干量を、泡を抑制させる系に添加することを含む、系における泡を減少させる方法。
【請求項３９】
請求項１から２５のうちのいずれか１つに記載のポリシロキサンを含有する撥水剤組成物を基材に対して施すことを含む、基材に防水性または撥水性を付与する方法。
【請求項４０】
請求項１から２５のうちのいずれか１つに記載のポリシロキサンを含有する組成物中に活性剤を溶解、溶媒和または分散させ、活性剤デリバリー組成物を形成させ；および、該活性剤デリバリー組成物を、それらを必要とする目的物に塗布することを含む、目的物に対して活性剤を提供するための方法。
【手続補正２】
【補正対象書類名】明細書
【補正対象項目名】０００２
【補正方法】変更
【補正の内容】
【０００２】
この出願はまた、シクロシロキサン置換ポリシロキサン化合物、該化合物を含有する組成物およびそれらの使用法」の名称で、同日に出願され、ＵＳ仮出願第６１／３７１,０７９による優先権の利益を主張するＵＳ特許出願１３/１９８，６５８（３３３４８．０９７９６．ＵＳ０１／９７９６：代理人整理番号）にも関連する。
【手続補正３】
【補正対象書類名】明細書
【補正対象項目名】０１５４
【補正方法】変更
【補正の内容】
【０１５４】
ここで使用されるように、用語「疎水性」は、親和性を欠くものに関し、撥水、水を吸収することに欠如するものに関する。疎水性部分は、水に容易に溶解せず、脂肪に可溶であることが多く、一般的に非極性である。これらに限定されないが、疎水性基は、炭化水素、例えばアルカン、アルケン、アルキン、シクロアルカン、シクロアルケン、シクロアルキン、ハロアルカン、ハロアルケン、ハロアルキンなど、芳香族炭化水素、例えば、アリール、アリールアルキル、ヘテロアリール、ヘテロアリールアルキルなど、ある種の飽和または不飽和ヘテロ環、脂肪、ステロイド、ステロール、例えば、コレステロールなど、テルペン、および疎水性の天然および非天然αアミノ酸（バリン、ロイシン、イソロイシン、メチオニン、フェニルアラニン、αアミノイソ酪酸、アロイソロイシン、チロシンおよびトリプトファンを含む）を含む。
【手続補正４】
【補正対象書類名】明細書
【補正対象項目名】０１６２
【補正方法】変更
【補正の内容】
【０１６２】
ここで使用されるように、「抗菌剤」は、配合物、例えば化粧品、パーソナルケア、紙または繊維製品などにおいて使用するのに適当な分子または化合物に関し、微生物の増殖を減らすまたは増殖させないものである。例えば、ＵＳ特許３２０２５１４および３９１５８８９参照。これらに限定されないが、抗菌剤の例は、ソルビン酸およびその塩、例えば、カルシウムソルベート、ナトリウムソルベート、およびカリウムソルベートなど、および安息香酸およびその塩、例えば、安息香酸カルシウム、安息香酸ナトリウムおよび安息香酸カリウムなど、ナタマイシン、（ピマルシン）、ナイシン、およびプロピオン酸およびその塩を含む。
【手続補正５】
【補正対象書類名】明細書
【補正対象項目名】０１６５
【補正方法】変更
【補正の内容】
【０１６５】
ここで使用されるように、「せん断速度」は、液体により受けるせん断力に関する。それらの測定における単位は「秒の逆数」（ｓｅｃ−１）である。
【手続補正６】
【補正対象書類名】明細書
【補正対象項目名】０２４９
【補正方法】変更
【補正の内容】
【０２４９】
Ｄ．シクロシロキサン置換ポリシロキサンの調製
当該技術分野において既知の任意の方法は、式Ｉのポリシロキサンを含む、ここで記載されるような少なくとも１種のシクロシロキサン基を有するポリシロキサンを合成するのに使用できる。例えば、Mukbaniani等.,Polymer Yearbook 18 (Pethrick & Zaikov, eds., Shrewsbury, UK, Smithers Rapra,ページ157-199 (2003))参照。例示的なスキームは以下のスキームＩからＩＶに示される。
【手続補正７】
【補正対象書類名】明細書
【補正対象項目名】０２５０
【補正方法】変更
【補正の内容】
【０２５０】
メチルポリシロキサンポリマーおよび他の置換ポリシロキサンの調製は当該技術分野において既知であり、例えばＵＳ特許３６６９８８４およびＵＳ特許２９７０１６２を参照し、それらを参照することによりここに組込まれる。また、Silicones (S.Fordham.等,(1960),ページ6-73)および Silicones,Meals & Lewis (Reinhold Plastics Applications Series,(1959)),ページ98-141)を参照し、それらを参照することによりここに組込まれる。
【手続補正８】
【補正対象書類名】明細書
【補正対象項目名】０２５４
【補正方法】変更
【補正の内容】
【０２５４】
２ｘ当量の水と（２ｘ-２）当量のアニリンとを化合物１に添加し、制御された加水分解と縮合の結果、構造２のポリシロキサンを形成する。ＨＣｌの重合効果は、ＨＣｌスカベンジャーとしてアニリンを使用することにより制御できる。アニリンおよび水の存在下（(２)：(３)：アニリン：Ｈ２Ｏ＝１：０．５：１：１）での３の添加は、ポリシラノール４をもたらし、それを０℃にてヘキサン中で３５％ＨＣｌ水溶液を用いて処理することにより、対応するジクロロシラン５に変換される(Masaoka,S., J.Organomet.Chem., 691:174-181,2006)。その後、シクロシロキサン７は、ジクロロシラン５のケイ素と、クロロシラン１および商業的に入手可能なビス（トリブチルスズ）オキサイド（シグマアルドリッヒ、ミルウォーキー、WI、Cat.No.Ｂ５３３８３）の反応で得られるオルガノジスタンノキサン６のスズとの間の酸素-ハロゲン交換により形成される(Zuev, V.V.etal., Rus. J. Gen. Chem., 73: 546-549, 2003)。ある場合において、各工程で得生じる生成物は、クロマトグラフ法、例えば、ＨＰＬＣなどを用いて生成され、未反応の出発物質または望まない副生成物から所望のポリマーを分離できる。
【手続補正９】
【補正対象書類名】明細書
【補正対象項目名】０２６５
【補正方法】変更
【補正の内容】
【０２６５】
ここで記載されるポリシロキサンを製造するのに使用されるクロロシランの加水分解および縮合反応は、当業者に既知である（例えば、Patnode および Wilcock, J.Am.Chem.Soc. 68:358-363, 1946; Takiguchi, J.Am.Chem.Soc. 81:2359-2361, 1959)。
塩化または部分塩化オルガノシランおよびオルガノポリシランの合成は、塩素化反応の開始において所望により紫外線（３６６ｎｍ）放射を用い、例えば、ペンタンまたはヘキサデカン等の非極性アルカン溶媒中で、オルガノシランまたはオルガノポリシランと無水のＣｕＣｌ２を接触させることにより得ることができる（例えば、ＵＳ特許５９３９５７７）。Ishikawa等（ＵＳ特許５２５８５３５）は、ＣｕＩ触媒の存在下でＣｕＣｌ２を使用することによりＳｉ原子上にＨをＣｌで段階的に置換することを含む部分塩化オルガノシランまたはオルガノポリシランの合成方法が記載される。Masaokaらは、嵩高い置換基を有するヒドロシラン、シラノールおよびアルコキシシランからのクロロシランの合成を開示する。(Journal of Organometallic Chemistry 691 (1-2) :174-181 (2006))。ロヒョーミューラー直接合成は、銅活性化ケイ素と有機ハロゲン化物からの有機ハロシランの１工程調製である。この反応は、ＵＳ特許２３８０９９５および２４８８４８７に記載されている。直接合成の改良は、変性触媒を用いるなど、当該技術分野において既知である（例えば、ＵＳ特許７１５３９９１参照）。
Baznt等(Angewandte Chemie (英語で記載された国際版) 7(2): 112-120 (1968))は、オルガノハロゲノシラン、特にメチル−およびフェニルクロロシランの直接合成を記載する。また、フェニルクロロシランは、グリニャール反応を用いて調製できる。
ＭｅＳｉＣｌ３＋Ｃ６Ｈ５・ＭｇＢｒ→Ｍｅ（Ｃ６Ｈ５）ＳｉＣｌ２＋ＭｇＣｌＢｒ
【手続補正１０】
【補正対象書類名】明細書
【補正対象項目名】０２９３
【補正方法】変更
【補正の内容】
【０２９３】
消泡組成物は、単独でまたは他のポリシロキサンと組み合わせてまたは他の添加剤と組み合わせて、ここで提供されるシクロシロキサン置換ポリシロキサンを任意の量で含むことができる。ある実施態様において、シクロシロキサン置換ポリシロキサンは、組成物の約５０−１００重量％の間の濃度で存在する。ある実施態様において、シクロシロキサン置換ポリシロキサンは、組成物の約６０％〜９９重量％の間の濃度で存在する。ある実施態様において、シクロシロキサン置換ポリシロキサンは、組成物の約２５％〜７５重量％の間の濃度で存在する。ある実施態様において、シクロシロキサン置換ポリシロキサンは、組成物の約０．１％〜５０重量％の間の濃度で存在する。ある実施態様において、シクロシロキサン置換ポリシロキサンは、組成物の約０．５％〜４５重量％の間の濃度で存在する。ある実施態様において、シクロシロキサン置換ポリシロキサンは、組成物の約１％〜４０重量％の間の濃度で存在する。ある実施態様において、シクロシロキサン置換ポリシロキサンは、組成物の約２％〜３５重量％の間の濃度で存在する。ある実施態様において、シクロシロキサン置換ポリシロキサンは、組成物の約３％〜３０重量％の間の濃度で存在する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９または１００重量％の濃度で消泡組成物中に存在する。
また、消泡組成物は、Ｒ＊３ＳｉＯ０．５ユニットおよびＳｉＯ２ユニットから成るシリコーン樹脂製のジオルガノポリシロキサンを１〜１０重量％含むことができ、この場合において、シリコーン樹脂は０．１〜６％の範囲にヒドロキシル基を含有できる。
【手続補正１１】
【補正対象書類名】明細書
【補正対象項目名】０３００
【補正方法】変更
【補正の内容】
【０３００】
エマルション形態における配合物の場合、乳化剤を使用できる。消泡シリコーン組成物を添加する泡が形成された系において許容できる、任意の乳化剤を使用できる。乳化剤の例は、常套の乳化剤、例えば、ポリオキシエチレンソルビタンモノステアレート（Tween60）、ソルビタンモノステアレート(SPAN60)、ポリオキシエチレンステアレート(Myrj52S)、およびそれらの混合物などから選択される化合物である。多くの食品と接触する用途に関して、食品に認可された乳化剤が使用され、例えば、ソルビタンモノステアレート（Span60）とポリオキシエチレンステアレート（Myrj52S）の混合物などである。他の従来成分または所望の成分は、ここで提供される消泡組成物を乳化させるのに使用できる。例えば、ソルビン酸またはポリソルベートを、殺菌剤として、組成物の０．０１〜０．１重量％の範囲の濃度で添加できる。エマルションの配合方法は既知である（例えば、ＵＳ特許４００５０４４参照）。例示的な方法において、乳化剤は、水に溶解し、シクロシロキサン置換ポリシロキサンおよび所望によるシリコーン樹脂を、乳化剤水溶液中に分散させ、その後、処理したまたは未処理の充填剤、例えばシリカ充填剤を分散液内で混合し、得られる組成物を破砕する。ここで提供される消泡組成物を製造する方法は、このような混合法に限定されない。エマルションを形成する他の方法も、エマルション配合物を調製するのに使用できる。エマルション組成物を製造するための別の方法は、乳化剤、例えば、ソルビタンモノステアレートおよびオキシエチレンステアレートを水に添加し、高せん断攪拌の下、得られた混合物を６０℃〜１００℃の温度まで加熱することを含む。この混合物に、所望の量のシクロシロキサン置換ポリシロキサンポリマーを添加し、所望により、シリコーン樹脂および充填剤を、高いせん断を付与しながら、導入する。
【手続補正１２】
【補正対象書類名】明細書
【補正対象項目名】０３０１
【補正方法】変更
【補正の内容】
【０３０１】
４．撥水組成物
ここで提供されるシクロシロキサン置換ポリシロキサンは、撥水剤として使用できる。シクロシロキサン置換ポリシロキサンは、基材に撥水効果をもたらすために任意の濃度で使用できる。ある実施態様において、シクロシロキサン置換ポリシロキサンは、組成物の約５０〜１００重量％の濃度で使用される。ある実施態様において、シクロシロキサン置換ポリシロキサンは、組成物の約０．５〜５０重量％の濃度で使用される。シクロシロキサン置換ポリポリシロキサンを０．５％未満含有する溶液を用いることにより、ある程度の撥水効果を得ることができるが、一般に、多くの実用目的において、少なくとも０．５％のシクロシロキサン置換ポリシロキサンを含有する溶液が使用されるべきである。５０重量％よりも多いシクロシロキサンを含有する組成物は、基材に施された場合に優れた結果をもたらすが、ある用途、例えば、石工用途などにおいて、ポリマーの高濃度溶液を使用することは経済的ではないであろう。ある実施態様において、撥水剤コーティングは、組成物の約１〜２５重量％のシクロシロキサン置換ポリシロキサンを含有し、または、組成物の約５〜２０重量％のシクロシロキサン置換ポリシロキサンを含有する。ある実施態様において、撥水剤コーティングは、組成物の約１〜５重量％のシクロシロキサン置換ポリシロキサンを含有する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９または１００重量％の濃度で撥水コーティング組成物中に存在する。
【手続補正１３】
【補正対象書類名】明細書
【補正対象項目名】０３１１
【補正方法】変更
【補正の内容】
【０３１１】
５．離型剤組成物
離型剤または剥離コーティングは、第１基材に対する第２基材の接着を妨げるまたは減少させるために、第１基材に対して施されるコーティングである。ある実施態様において、離型剤は、他の基材からある基材を制御された剥離を可能とする。離型剤が使用される用途は、金型離型剤（ダイまたは金型から目的物の離型を可能とする）、ダイキャスティング、およびアルミの機械加工および押出し加工を含む。管理された離型は、ある基材（例えば、コーティング）と、第１基材が取付けられる基材（例えば接着基材など）との間の剥離を制御する能力である。離型は、粘り気のある物質または粘着性物質が接着剤コーティングに対して示す接着性の程度の大きさである。離型コーティングは、感圧性ラベル支持体およびそこから内容物の除去を促進する容器に関するコーティングとして、離型剤として幅広く使用される。
【手続補正１４】
【補正対象書類名】明細書
【補正対象項目名】０３１４
【補正方法】変更
【補正の内容】
【０３１４】
効果的な離型コーティング組成物は、ここに記載されるシクロシロキサン置換ポリシロキサンを含むことにより調製される。離型コーティング組成物は、単独でまたは他のポリシロキサンと組み合わせてまたは他のシリコーンまたは添加剤と組み合わせて、ここで提供されるシクロシロキサン置換ポリシロキサンを任意の量で含むことができる。ある実施態様において、シクロシロキサン置換ポリシロキサンは、組成物の約５０〜１００重量％の間の濃度で存在する。ある実施態様において、シクロシロキサン置換ポリシロキサンは、組成物の約６０〜９９重量％の濃度で存在する。
ある実施態様において、シクロシロキサン置換ポリシロキサンは、組成物の約２５〜７５重量％の濃度で存在する。ある実施態様において、シクロシロキサン置換ポリシロキサンは、組成物の約０．１〜５０重量％の濃度で存在する。ある実施態様において、シクロシロキサン置換ポリシロキサンは、組成物の約０．５〜４５重量％の濃度で存在する。
ある実施態様において、シクロシロキサン置換ポリシロキサンは、組成物の約１〜４０重量％の濃度で存在する。ある実施態様において、シクロシロキサン置換ポリシロキサンは、組成物の約２〜３５重量％の濃度で存在する。ある実施態様において、シクロシロキサン置換ポリシロキサンは、組成物の約３〜３０重量％の濃度で存在する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９または１００重量％の濃度で存在する。
【手続補正１５】
【補正対象書類名】明細書
【補正対象項目名】０３２３
【補正方法】変更
【補正の内容】
【０３２３】
ある実施態様において、離型コーティング組成物は、金型離型剤として使用される。離型剤は、金型または型から成型品の付着を減少させることによって機能する。ここで提供される離型剤組成物は、低い表面張力を示すシクロシロキサン置換ポリシロキサンを含むことができ、それは、金型または型の全ての部分にわたり薄膜を容易に分布させることを促進する。ポリシロキサンは耐熱性であり、寿命が長く、金型または型として通常使用される有機材料に対して低い接着性を示し、金型または型から成型物品の容易な取出しを促進する。ここで提供される離型コーティング組成物は、シェルモールド法での離型、およびダイキャスティング用途においても有用である。
【手続補正１６】
【補正対象書類名】明細書
【補正対象項目名】０３２４
【補正方法】変更
【補正の内容】
【０３２４】
６.パーソナルケアおよび化粧品組成物
多数のパーソナルケア製品が入手でき、それらの多くは、溶液、クリーム、軟膏、ローション、ゲルまたはエマルション形態である。例えば、スキンケア、バスおよびボディーケア、デオドラント、手および足のケア、顔のケア、髪のケア、シェービング製品、デンタルケア、トイレタリーおよびパーソナル潤滑剤を含むこれらのパーソナルケア製品が多種多様に使用されている。一般的に、配合された製品中の成分は、皮膚軟化剤、保湿剤、モイスチャー、乳化剤、潤滑剤、抗菌剤、化粧品、香料およびレオロジー改良剤として機能する。製品のうちの幾つかは、溶媒系であり、他は水系である。ある組成物は溶液であり、あるものは水中油型および油中水滴型のエマルションであり、例えば、ローションおよびクリームを含む。パーソナルケアおよび化粧品媒体の豊富な議論は、Handbook of Cosmetic Science and Technology (第２版,M Paye, A.O. BarelおよびH.I.Maibach著 (2005)、ページ99-123を参照されたい。
【手続補正１７】
【補正対象書類名】明細書
【補正対象項目名】０３２７
【補正方法】変更
【補正の内容】
【０３２７】
シクロシロキサン置換ポリシロキサンは、所望の手触りまたは所望の効果を得られる任意の濃度で使用できる。ある実施態様において、シクロシロキサン置換ポリシロキサンは、組成物の約５０〜１００重量％の間の濃度にて使用される。ある実施態様において、シクロシロキサン置換ポリシロキサンは、組成物の約６０〜９９重量％の濃度で存在する。ある実施態様において、シクロシロキサン置換ポリシロキサンは、組成物の約２５〜７５重量％の濃度で存在する。ある実施態様において、シクロシロキサン置換ポリシロキサンは、組成物の約０．１〜５０重量％の濃度で存在する。ある実施態様において、シクロシロキサン置換ポリシロキサンは、組成物の約０．５〜４５重量％の濃度で存在する。ある実施態様において、シクロシロキサン置換ポリシロキサンは、組成物の約１〜４０重量％の濃度で存在する。ある実施態様において、シクロシロキサン置換ポリシロキサンは、組成物の約２〜３５重量％の濃度で存在する。ある実施態様において、シクロシロキサン置換ポリシロキサンは、組成物の約３〜３０重量％の濃度で存在する。ある実施態様において、シクロシロキサン置換ポリシロキサンは、組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９または１００重量％の濃度で存在する。
【手続補正１８】
【補正対象書類名】明細書
【補正対象項目名】０３３０
【補正方法】変更
【補正の内容】
【０３３０】
ここで提供されるシクロシロキサン置換ポリシロキサンは、容易に適用でき、皮膚に乾燥した感触を残す。また、ここで提供されるシクロシロキサン置換ポリシロキサンは、滑らかであり、スキンクリーム、スキンケアローション、湿潤剤、美顔処理剤、例えばにきびまたはしわ除去剤などの美顔処理、パーソナルおよび美顔クリーナー、バスオイル、香水、コロン、におい袋、日焼け防止剤、プレシェーブおよびアフターシェーブローション、液体石けん、およびシェービング用泡の特性を改良するのに使用できる。ここで提供されるシクロシロキサン置換ポリシロキサンは、光沢および乾燥時間を向上させ、および貯蔵の補助をもたらすために、ヘアシャンプー、ヘアーコンディショナー、ヘアースプレー、ムース、パーマネント、脱毛剤、およびキューティクルコートにおいて使用できる。
【手続補正１９】
【補正対象書類名】明細書
【補正対象項目名】０３６７
【補正方法】変更
【補正の内容】
【０３６７】
ここで提供されるシクロシロキサン置換ポリシロキサンは、織物ケア組成物中に組み込むことができ、それは、一般的に液体形態であり、媒体、例えば、水などを含んでもよい。織物ケア組成物は、２以上の分離部分を形成するが組合せ的に重要でない部分を形成する組成物を含む、使用される１回分の組成物としてカプセル化されるおよび/または提供されることが可能である。ある実施態様において、織物ケア組成物は、ここで提供されるシクロシロキサン置換ポリシロキサンをエマルション形態でまたはマイクロエマルション形態で含み、および、適当な媒体中に他の洗濯補助剤を含む。これらの織物ケア組成物は、２０秒-１のせん断速度および２５℃にて約１〜約２０００ｍＰａ・ｓの粘度を有することができ、または２０秒-１のせん断速度および２５℃にて約２００〜約８００ｍＰａ・ｓの粘度を有することができる。粘度は、常套の方法を用いて測定できる。例えば、粘度は、約２５℃にて、製造者が提案する操作条件を用い、TA Instrument（ニューキャッスル、ＤＥ）により製造されたTA Instrument AR1000円錐平板粘度計を用いて測定できる。織物ケア組成物はまた、選択された媒体中でマイクロ乳化を補助および/または安定化させる乳化剤を含むことができる。適当な媒体の限定されない例は、水および所望により有機溶媒を含有するものを含む。適当な有機溶媒の限定されない例は、アルコールを含む。ある実施態様において、有用なアルコールは、プロパンジオール、ジエチレングリコール、へキシレングリコール、エタノールおよびそれらの組み合わせを含む。
【手続補正２０】
【補正対象書類名】明細書
【補正対象項目名】０３６９
【補正方法】変更
【補正の内容】
【０３６９】
シクロシロキサン置換ポリシロキサンは、所望の手触り、光沢、明るさまたは所望の効果を得るために任意の濃度で使用できる。ある実施態様において、シクロシロキサン置換ポリシロキサンは組成物の約５０重量％〜１００重量％の濃度で使用される。ある実施態様において、シクロシロキサン置換ポリシロキサンは組成物の約６０重量％〜９９重量％の濃度で存在する。ある実施態様において、シクロシロキサン置換ポリシロキサンは組成物の約２５重量％〜７５重量％の濃度で存在する。ある実施態様において、シクロシロキサン置換ポリシロキサンは組成物の約０．１重量％〜５０重量％の濃度で存在する。ある実施態様において、シクロシロキサン置換ポリシロキサンは組成物の約０．５重量％〜４５重量％の濃度で存在する。ある実施態様において、シクロシロキサン置換ポリシロキサンは組成物の約１重量％〜４０重量％の濃度で存在する。ある実施態様において、シクロシロキサン置換ポリシロキサンは組成物の約２重量％〜３５重量％の濃度で存在する。ある実施態様において、シクロシロキサン置換ポリシロキサンは組成物の約３重量％〜３０重量％の濃度で存在する。ある実施態様において、シクロシロキサン置換ポリシロキサンは組成物の０．１、０．２、０．３、０．４、０．５、０．６、０．７、０．８、０．９、１、１．５、２、２．５、３、３．５、４、４．５、５、５．５、６、６．５、７、７．５、８、８．５、９、９．５、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９．５、９９．９又は１００重量％の濃度で存在する。
【国際調査報告】
2013539484.tif 000027
2013539484.tif 000028